(57)【要約】  本願実施例は、制御情報の伝送方法およびリソースの構成方法、装置、通信機器を提供する。当該方法は、第１端末と第２端末との間で第１制御情報を伝送することであって、前記第１制御情報は第１制御チャネルによって搬送され、前記第１制御情報は、第１データチャネルの伝送をスケジューリングするために使用され、前記第１データチャネルは、前記第１端末と前記第２端末との間のデータを伝送するために使用され、前記第１制御チャネルと前記第１データチャネルは、時分割の伝送を実行することを含む。
2021529490.tif 000002
【特許請求の範囲】
【請求項１】
制御情報の伝送方法であって、
第１端末と第２端末との間で第１制御情報を伝送することであって、前記第１制御情報は第１制御チャネルによって搬送され、前記第１制御情報は、第１データチャネルの伝送をスケジューリングするために使用され、前記第１データチャネルは、前記第１端末と前記第２端末との間のデータを伝送するために使用され、前記第１制御チャネルと前記第１データチャネルは、時分割の伝送を実行することを含む、前記制御情報の伝送方法。
【請求項２】
前記第１制御情報は、前記第１データチャネルの周波数領域リソース情報および／または前記第１データチャネルの時間領域リソース情報を含む、
請求項１に記載の制御情報の伝送方法。
【請求項３】
前記第１制御情報は第１ビットマップを含み、前記第１ビットマップは、前記第１データチャネルの周波数領域リソースを決定するために使用され、前記第１ビットマップにおける各ビットは、システムにおける１つの周波数領域ユニットに対応し、前記第１ビットマップにおける各ビットの値を介して、当該ビットに対応する周波数領域ユニットが前記第１データチャネルを伝送するために使用されるかどうかを決定する、
請求項２に記載の制御情報の伝送方法。
【請求項４】
前記周波数領域ユニットの粒度は、物理リソースブロック（ＰＲＢ）、またはリソースブロックグループ（ＲＢＧ）、またはサブバンドである、
請求項３に記載の制御情報の伝送方法。
【請求項５】
前記第１制御情報は第１パラメータを含み、前記第１パラメータは、前記第１データチャネルの周波数領域リソースの開始位置および／または長さを決定するために使用される、
請求項２に記載の制御情報の伝送方法。
【請求項６】
前記第１制御チャネルおよび前記第１データチャネルの周波数領域開始位置が同じである場合、前記第１パラメータは、前記第１データチャネルに対応する周波数領域リソースの長さを決定するために使用される、
請求項５に記載の制御情報の伝送方法。
【請求項７】
前記第１制御情報が複数のデータチャネルの伝送をスケジューリングする場合、前記複数のデータチャネルは、少なくとも、前記第１データチャネルおよび第２データチャネルを含み、前記第１パラメータは、前記複数のデータチャネルに対応する周波数領域リソースの長さおよび前記第２データチャネルに対応する周波数領域リソースの開始位置を決定するために使用される、
請求項６に記載の制御情報の伝送方法。
【請求項８】
前記第１制御情報は第１インデックス情報を含み、前記第１インデックス情報は、第１構成情報内で前記第１インデックス情報に対応する第１周波数領域リソースを決定するために使用され、前記第１構成情報は、少なくとも１つのインデックス情報と周波数領域リソースの対応関係を含む、
請求項２に記載の制御情報の伝送方法。
【請求項９】
前記第１制御情報は第１指示情報を含み、前記第１指示情報は、前記第１データチャネルの周波数領域リソース割り当てタイプを指示する、
請求項２ないし８のいずれか一項に記載の制御情報の伝送方法。
【請求項１０】
前記第１指示情報は、前記第１制御情報のＮ（Ｎは１より大きいか等しい整数である）ビットで示され、前記Ｎビットの異なる値は、異なる周波数領域リソース割り当てタイプに対応する、
請求項９に記載の制御情報の伝送方法。
【請求項１１】
前記第１データチャネルの時間領域リソース情報は、時間領域開始位置情報および／または時間領域の長さ情報を含み、
前記時間領域開始位置情報は、前記第１制御情報における第１指示フィールドによって決定され、前記時間領域の長さ情報は、前記第１制御情報における第２指示フィールドによって決定される、
請求項２ないし１０のいずれか一項に記載の制御情報の伝送方法。
【請求項１２】
前記第１指示フィールドは時間オフセット情報を含み、前記時間オフセット情報は、前記第１制御チャネルの時間領域リソースに対する前記第１データチャネルの時間領域リソースの時間オフセット量を決定するために使用される、
請求項１１に記載の制御情報の伝送方法。
【請求項１３】
前記第２指示フィールドは、前記第１データチャネルの時間領域リソースが占める時間ユニットおよび／または時間領域シンボルの数を決定するために使用される、
請求項１１または１２に記載の制御情報の伝送方法。
【請求項１４】
前記第１データチャネルの時間領域リソースが、連続する複数の時間ユニットを占める場合、前記複数の時間ユニットは、第１時間ユニットおよび少なくとも１つの第２時間ユニットを含み、前記第２時間ユニット内に制御チャネルリソースが含まれた場合、前記第１データチャネルの時間領域リソースは、前記第２時間ユニットの前記制御チャネルリソースを占める、
請求項１３に記載の制御情報の伝送方法。
【請求項１５】
前記時間ユニットの粒度は、時間領域シンボル、またはサブフレーム、またはタイムスロット、または短い伝送時間間隔（ｓＴＴＩ）、または固定時間長であり、
前記時間オフセット量の粒度は、時間領域シンボル、またはサブフレーム、またはタイムスロット、またはｓＴＴＩ、または固定時間長である、
請求項１２ないし１４のいずれか一項に記載の制御情報の伝送方法。
【請求項１６】
前記第１データチャネルの時間領域リソース情報は、時間領域開始位置情報および／または時間領域の長さ情報を含み、
前記時間領域開始位置情報および／または前記時間領域の長さ情報は、前記第１制御情報における第３指示フィールドによって決定される、
請求項２ないし１０のいずれか一項に記載の制御情報の伝送方法。
【請求項１７】
前記第１制御情報における第３指示フィールドは第２パラメータを含み、前記第２パラメータは、前記第１データチャネルの時間領域開始位置および時間領域の長さを決定するために使用される、
請求項１６に記載の制御情報の伝送方法。
【請求項１８】
前記第１制御情報における第３指示フィールドは第２ビットマップを含み、前記第２ビットマップにおける各ビットは１つの時間ユニットに対応し、前記第２ビットマップにおける各ビットの値を介して、当該ビットに対応する時間ユニットが前記第１データチャネルの伝送に使用されるかどうかを決定する、
請求項１６に記載の制御情報の伝送方法。
【請求項１９】
前記時間ユニットの粒度は、時間領域シンボル、またはサブフレーム、またはタイムスロット、またはｓＴＴＩ、または固定時間長である、
請求項１８に記載の制御情報の伝送方法。
【請求項２０】
前記第１制御情報における第３指示フィールドは第２インデックス情報を含み、前記第２インデックス情報は、第２構成情報内で前記第２インデックス情報に対応する第１時間領域リソースを決定するために使用され、前記第２構成情報は、少なくとも１つのインデックス情報と時間領域リソースの対応関係を含む、
請求項１６に記載の制御情報の伝送方法。
【請求項２１】
前記第１データチャネルが占める最後の時間ユニットの最後の時間領域シンボルは、データを伝送するために使用されない、
請求項２ないし２０のいずれか一項に記載の制御情報の伝送方法。
【請求項２２】
前記第１データチャネルおよび前記第１制御チャネルが時分割の伝送を実行することは、
前記第１データチャネルおよび前記第１制御チャネルが、１つの時間ユニットで時分割の伝送を実行することを含み、前記第１制御チャネルは、前記時間ユニット内のＡ個の時間領域シンボルを占め、前記第１データチャネルは、前記時間ユニット内のＢ個の時間領域シンボルを占め、前記第１制御チャネルおよび前記第１データチャネルの時間領域リソースは重複しなく、
2021529490.tif 000031
Ｃは、１つの時間ユニット内の時間領域シンボルの数である、
請求項１ないし２１のいずれか一項に記載の制御情報の伝送方法。
【請求項２３】
前記第１データチャネルおよび前記第１制御チャネルが時分割の伝送を実行することは、
前記第１データチャネルが第１時間ユニット内で伝送し、前記第１制御チャネルが第２時間ユニット内で伝送することを含み、前記第１制御チャネルは、前記第１時間ユニット内のＡ個の時間領域シンボルを占め、前記第１データチャネルは、前記第２時間ユニット内のＢ個の時間領域シンボルを占め、
2021529490.tif 000032
Ｃは、１つの時間ユニット内の時間領域シンボルの数である、
請求項１ないし２１のいずれか一項に記載の制御情報の伝送方法。
【請求項２４】
前記第１データチャネルおよび前記第１制御チャネルが時分割の伝送を実行することは、
前記第１データチャネルおよび前記第１制御チャネルが、部分的な時分割の伝送を実行することを含む、
請求項１ないし２１のいずれか一項に記載の制御情報の伝送方法。
【請求項２５】
前記第１データチャネルおよび前記第１制御チャネルが、部分的な時分割の伝送を実行することは、
前記第１制御チャネルが占める時間領域リソースが、前記第１データチャネルが占める時間領域リソースと少なくとも部分的に重複することを含む、
請求項２４に記載の制御情報の伝送方法。
【請求項２６】
前記方法は、
前記第１制御チャネルが、１つの時間ユニット内のＡ個の時間領域シンボルを占め、前記第１データチャネルが、前記時間ユニット内のＢ個の時間領域シンボルを占め、前記第１制御チャネルおよび前記第１データチャネルの時間領域リソースが、少なくとも部分的に重複することをさらに含み、
2021529490.tif 000033
Ｃは、１つの時間ユニット内の時間領域シンボルの数である、
請求項２４または２５に記載の制御情報の伝送方法。
【請求項２７】
前記時間ユニットの粒度は、サブフレーム、またはタイムスロット、またはｓＴＴＩ、または固定時間長である、
請求項２２、２３または２６に記載の制御情報の伝送方法。
【請求項２８】
前記第１制御情報は、
前記第１データチャネルの伝送回数を決定するための第２指示情報、
前記第１データチャネルの冗長バージョン情報、
前記第１データチャネルによって使用されるコードブック情報、
前記第１データチャネルによって使用される伝送案情報、
前記第１データチャネルによって使用される復調基準信号（ＤＭＲＳ）パターン情報、
前記第１データチャネルの電力情報、
前記第１データチャネルと前記第１制御チャネルとの電力差情報、
前記第１データチャネルを伝送するためのキャリア情報を決定するためのキャリア指示情報、
前記第１データチャネルを伝送するための帯域幅部分（ＢＷＰ）情報を決定するための帯域幅部分指示情報、
フィードバックチャネルの伝送リソースを決定するための第３指示情報、
前記第１データチャネルの伝送方式を決定するための第４指示情報、
前記第１データチャネルが周波数ポッピング伝送を使用したかどうかを決定するための第５指示情報
前記第１データチャネルによって使用される変調およびコーディングスキーム（ＭＣＳ）を指示するための第６指示情報、
前記第１制御チャネルおよび前記第１データチャネルの時間領域リソースが重複したかどうかを決定するための第７指示情報のうちの少なくとも１つをさらに含む、
請求項１ないし２７のいずれか一項に記載の制御情報の伝送方法。
【請求項２９】
前記第１端末と第２端末との間で第１制御情報を伝送することは、
前記第１端末が、前記第２端末によって送信された第１制御情報を受信すること、または、
前記第１端末が、第１制御情報を前記第２端末に送信することを含む、
請求項１ないし２８のいずれか一項に記載の制御情報の伝送方法。
【請求項３０】
第１端末に適用される、制御情報の伝送装置であって、
第２端末との間で第１制御情報を伝送するように構成される伝送ユニットであって、前記第１制御情報は第１制御チャネルによって搬送され、前記第１制御情報は、第１データチャネルの伝送をスケジューリングするために使用され、前記第１データチャネルは、前記第１端末と前記第２端末との間のデータを伝送するために使用され、前記第１制御チャネルと前記第１データチャネルは、時分割の伝送を実行する伝送ユニットを備える、前記制御情報の伝送装置。
【請求項３１】
前記第１制御情報は、前記第１データチャネルの周波数領域リソース情報および／または前記第１データチャネルの時間領域リソース情報を含む、
請求項３０に記載の制御情報の伝送装置。
【請求項３２】
前記第１制御情報は第１ビットマップを含み、前記第１ビットマップは、前記第１データチャネルの周波数領域リソースを決定するために使用され、前記第１ビットマップにおける各ビットは、システムにおける１つの周波数領域ユニットに対応し、前記第１ビットマップにおける各ビットの値を介して、当該ビットに対応する周波数領域ユニットが前記第１データチャネルを伝送するために使用されるかどうかを決定する、
請求項３１に記載の制御情報の伝送装置。
【請求項３３】
前記周波数領域ユニットの粒度は、ＰＲＢ、またはＲＢＧ、またはサブバンドである、
請求項３２に記載の制御情報の伝送装置。
【請求項３４】
前記第１制御情報は第１パラメータを含み、前記第１パラメータは、前記第１データチャネルの周波数領域リソースの開始位置および／または長さを決定するために使用される、
請求項３１に記載の制御情報の伝送装置。
【請求項３５】
前記第１制御チャネルおよび前記第１データチャネルの周波数領域開始位置が同じである場合、前記第１パラメータは、前記第１データチャネルに対応する周波数領域リソースの長さを決定するために使用される、
請求項３４に記載の制御情報の伝送装置。
【請求項３６】
前記第１制御情報が複数のデータチャネルの伝送をスケジューリングする場合、前記複数のデータチャネルは、少なくとも、前記第１データチャネルおよび第２データチャネルを含み、前記第１パラメータは、前記複数のデータチャネルに対応する周波数領域リソースの長さおよび前記第２データチャネルに対応する周波数領域リソースの開始位置を決定するために使用される、
請求項３５に記載の制御情報の伝送装置。
【請求項３７】
前記第１制御情報は第１インデックス情報を含み、前記第１インデックス情報は、第１構成情報内で前記第１インデックス情報に対応する第１周波数領域リソースを決定するために使用され、前記第１構成情報は、少なくとも１つのインデックス情報と周波数領域リソースの対応関係を含む、
請求項３１に記載の制御情報の伝送装置。
【請求項３８】
前記第１制御情報は第１指示情報を含み、前記第１指示情報は、前記第１データチャネルの周波数領域リソース割り当てタイプを指示する、
請求項３１ないし３７のいずれか一項に記載の制御情報の伝送装置。
【請求項３９】
前記第１指示情報は、前記第１制御情報のＮ（Ｎは１より大きいか等しい整数である）ビットで示され、前記Ｎビットの異なる値は、異なる周波数領域リソース割り当てタイプに対応する、
請求項３８に記載の制御情報の伝送装置。
【請求項４０】
前記第１データチャネルの時間領域リソース情報は、時間領域開始位置情報および／または時間領域の長さ情報を含み、
前記時間領域開始位置情報は、前記第１制御情報における第１指示フィールドによって決定され、前記時間領域の長さ情報は、前記第１制御情報における第２指示フィールドによって決定される、
請求項３１ないし３９のいずれか一項に記載の制御情報の伝送装置。
【請求項４１】
前記第１指示フィールドは時間オフセット情報を含み、前記時間オフセット情報は、前記第１制御チャネルの時間領域リソースに対する前記第１データチャネルの時間領域リソースの時間オフセット量を決定するために使用される、
請求項４０に記載の制御情報の伝送装置。
【請求項４２】
前記第２指示フィールドは、前記第１データチャネルの時間領域リソースが占める時間ユニットおよび／または時間領域シンボルの数を決定するために使用される、
請求項４０または４１に記載の制御情報の伝送装置。
【請求項４３】
前記第１データチャネルの時間領域リソースが、連続する複数の時間ユニットを占める場合、前記複数の時間ユニットは、第１時間ユニットおよび少なくとも１つの第２時間ユニットを含み、前記第２時間ユニット内に制御チャネルリソースが含まれた場合、前記第１データチャネルの時間領域リソースは、前記第２時間ユニットの前記制御チャネルリソースを占める、
請求項４２に記載の制御情報の伝送装置。
【請求項４４】
前記時間ユニットの粒度は、時間領域シンボル、またはサブフレーム、またはタイムスロット、またはｓＴＴＩ、または固定時間長であり、
前記時間オフセット量の粒度は、時間領域シンボル、またはサブフレーム、またはタイムスロット、またはｓＴＴＩ、または固定時間長である、
請求項４１ないし４３のいずれか一項に記載の制御情報の伝送装置。
【請求項４５】
前記第１データチャネルの時間領域リソース情報は、時間領域開始位置情報および／または時間領域の長さ情報を含み、
前記時間領域開始位置情報および／または前記時間領域の長さ情報は、前記第１制御情報における第３指示フィールドによって決定される、
請求項３１ないし３９のいずれか一項に記載の制御情報の伝送装置。
【請求項４６】
前記第１制御情報における第３指示フィールドは第２パラメータを含み、前記第２パラメータは、前記第１データチャネルの時間領域開始位置および時間領域の長さを決定するために使用される、
請求項４５に記載の制御情報の伝送装置。
【請求項４７】
前記第１制御情報における第３指示フィールドは第２ビットマップを含み、前記第２ビットマップにおける各ビットは１つの時間ユニットに対応し、前記第２ビットマップにおける各ビットの値を介して、当該ビットに対応する時間ユニットが前記第１データチャネルの伝送に使用されるかどうかを決定する、
請求項４５に記載の制御情報の伝送装置。
【請求項４８】
前記時間ユニットの粒度は、時間領域シンボル、またはサブフレーム、またはタイムスロット、またはｓＴＴＩ、または固定時間長である、
請求項４７に記載の制御情報の伝送装置。
【請求項４９】
前記第１制御情報における第３指示フィールドは第２インデックス情報を含み、前記第２インデックス情報は、第２構成情報内で前記第２インデックス情報に対応する第１時間領域リソースを決定するために使用され、前記第２構成情報は、少なくとも１つのインデックス情報と時間領域リソースの対応関係を含む、
請求項４５に記載の制御情報の伝送装置。
【請求項５０】
前記第１データチャネルが占める最後の時間ユニットの最後の時間領域シンボルは、データを伝送するために使用されない、
請求項３１ないし４９のいずれか一項に記載の制御情報の伝送装置。
【請求項５１】
前記第１データチャネルおよび前記第１制御チャネルが時分割の伝送を実行することは、
前記第１データチャネルおよび前記第１制御チャネルが、１つの時間ユニットで時分割の伝送を実行することを含み、前記第１制御チャネルは、前記時間ユニット内の
2021529490.tif 000034
の時間領域シンボルを占め、前記第１データチャネルは、前記時間ユニット内の
2021529490.tif 000035
の時間領域シンボルを占め、前記第１制御チャネルおよび前記第１データチャネルの時間領域リソースは重複しない、
請求項３０ないし５０のいずれか一項に記載の制御情報の伝送装置。
【請求項５２】
前記第１データチャネルおよび前記第１制御チャネルが時分割の伝送を実行することは、
前記第１データチャネルが第１時間ユニット内で伝送し、前記第１制御チャネルが第２時間ユニット内で伝送することを含み、前記第１制御チャネルは、前記第１時間ユニット内のＡ個の時間領域シンボルを占め、前記第１データチャネルは、前記第２時間ユニット内のＢ個の時間領域シンボルを占め、
2021529490.tif 000036
Ｃは、１つの時間ユニット内の時間領域シンボルの数である、
請求項３０ないし５０のいずれか一項に記載の制御情報の伝送装置。
【請求項５３】
前記第１データチャネルおよび前記第１制御チャネルが時分割の伝送を実行することは、
前記第１データチャネルおよび前記第１制御チャネルが、部分的な時分割の伝送を実行することを含む、
請求項３０ないし５０のいずれか一項に記載の制御情報の伝送装置。
【請求項５４】
前記第１データチャネルおよび前記第１制御チャネルが、部分的な時分割の伝送を実行することは、
前記第１制御チャネルが占める時間領域リソースが、前記第１データチャネルが占める時間領域リソースと少なくとも部分的に重複することを含む、
請求項５３に記載の制御情報の伝送装置。
【請求項５５】
前記第１制御チャネルが、１つの時間ユニット内のＡ個の時間領域シンボルを占め、前記第１データチャネルが、前記時間ユニット内のＢ個の時間領域シンボルを占め、前記第１制御チャネルおよび前記第１データチャネルの時間領域リソースが、少なくとも部分的に重複し、
2021529490.tif 000037
Ｃは、１つの時間ユニット内の時間領域シンボルの数である、
請求項５３または５４に記載の制御情報の伝送装置。
【請求項５６】
前記時間ユニットの粒度は、サブフレーム、またはタイムスロット、またはｓＴＴＩ、または固定時間長である、
請求項５１、５２または５５に記載の制御情報の伝送装置。
【請求項５７】
前記第１制御情報は、
前記第１データチャネルの伝送回数を決定するための第２指示情報、
前記第１データチャネルの冗長バージョン情報、
前記第１データチャネルによって使用されるコードブック情報、
前記第１データチャネルによって使用される伝送案情報、
前記第１データチャネルによって使用されるＤＭＲＳパターン情報、
前記第１データチャネルの電力情報、
前記第１データチャネルと前記第１制御チャネルとの電力差情報、
前記第１データチャネルを伝送するためのキャリア情報を決定するためのキャリア指示情報、
前記第１データチャネルを伝送するためのＢＷＰ情報を決定の帯域幅部分指示情報、
フィードバックチャネルの伝送リソースを決定するための第３指示情報、
前記第１データチャネルの伝送方式を決定するための第４指示情報、
前記第１データチャネルが周波数ポッピング伝送を使用したかどうかを決定するための第５指示情報、
前記第１データチャネルによって使用されるＭＣＳを指示するための第６指示情報、
前記第１制御チャネルおよび前記第１データチャネルの時間領域リソースが重複したかどうかを決定するための第７指示情報のうちの少なくとも１つをさらに含む、
請求項３０ないし５６のいずれか一項に記載の制御情報の伝送装置。
【請求項５８】
前記伝送ユニットは、前記第２端末によって送信された第１制御情報を受信し、または、第１制御情報を前記第２端末に送信するように構成される、
請求項３０ないし５７のいずれか一項に記載の制御情報の伝送装置。
【請求項５９】
制御情報の伝送方法であって、
第１機器と第２機器の間で第１制御情報を伝送することであって、前記第１制御情報は第２制御チャネルによって搬送され、前記第１制御情報は、第１制御チャネルおよび／または第１データチャネルの伝送をスケジューリングするために使用され、前記第１制御チャネルはサイドリンク制御情報を伝送するために使用され、前記第１データチャネルはサイドリンクデータを伝送するために使用され、前記第１データチャネルおよび前記第１制御チャネルは、時分割の伝送を実行することを含む、前記制御情報の伝送方法。
【請求項６０】
前記第１制御情報は、前記第１制御チャネルの周波数領域リソース情報および／または前記第１制御チャネルの時間領域リソース情報および／または前記第１データチャネルの周波数領域リソース情報および／または前記第１データチャネルの時間領域リソース情報を含む、
請求項５９に記載の制御情報の伝送方法。
【請求項６１】
前記第１制御情報は第１ビットマップを含み、前記第１ビットマップは、前記第１制御チャネルの周波数領域リソースを決定するために使用され、前記第１ビットマップにおける各ビットは、システムにおける１つの周波数領域ユニットに対応し、前記第１ビットマップにおける各ビットの値を介して、当該ビットに対応する周波数領域ユニットが前記第１制御チャネルを伝送するために使用されるかどうかを決定する、
請求項６０に記載の制御情報の伝送方法。
【請求項６２】
前記第１制御情報は第１パラメータを含み、前記第１パラメータは、前記第１制御チャネルの周波数領域リソースの開始位置および／または長さを決定するために使用される、
請求項６０に記載の制御情報の伝送方法。
【請求項６３】
前記第１制御情報は第１インデックス情報を含み、前記第１インデックス情報は、第１構成情報内で前記第１インデックス情報に対応する第１周波数領域リソースを決定するために使用され、前記第１構成情報は、少なくとも１つのインデックス情報と周波数領域リソースの対応関係を含む、
請求項６０に記載の制御情報の伝送方法。
【請求項６４】
前記第１制御チャネルの時間領域リソース情報は、時間領域開始位置情報および／または時間領域の長さ情報を含み、
前記時間領域開始位置情報は、前記第１制御情報における第１指示フィールドによって決定され、前記時間領域の長さ情報は、前記第１制御情報における第２指示フィールドによって決定される、
請求項６０ないし６３のいずれか一項に記載の制御情報の伝送方法。
【請求項６５】
前記第１指示フィールドは第１時間オフセット情報を含み、前記第１時間オフセット情報は、前記第１機器または前記第２機器が前記第１時間オフセット情報および／または前記第２制御チャネルの時間領域リソースに従って前記第１制御チャネルの時間領域リソースを決定するために使用され、または、
前記第１指示フィールドは第２インデックス情報を含み、前記第２インデックス情報は、前記第１制御チャネルの開始位置が占める時間ユニットを決定するために使用される、
請求項６４に記載の制御情報の伝送方法。
【請求項６６】
前記第１制御情報における前記第２指示フィールドは、前記第１制御チャネルの時間領域リソースが占める時間ユニットの数を示す、
請求項６４または６５に記載の制御情報の伝送方法。
【請求項６７】
前記第１制御チャネルの時間領域リソース情報は、時間領域開始位置情報および／または時間領域の長さ情報を含み、
前記時間領域開始位置情報および／または前記時間領域の長さ情報は、前記第１制御情報における第３指示フィールドによって決定される、
請求項６０ないし６３のいずれか一項に記載の制御情報の伝送方法。
【請求項６８】
前記第１制御情報における第３指示フィールドは第２パラメータを含み、前記第２パラメータは、前記第１制御チャネルの時間領域開始位置および時間領域の長さを決定するために使用される、
請求項６７に記載の制御情報の伝送方法。
【請求項６９】
前記第１制御情報における第３指示フィールドは第２ビットマップを含み、前記第２ビットマップにおける各ビットは１つの時間ユニットに対応し、前記第２ビットマップにおける各ビットの値を介して、当該ビットに対応する時間ユニットが前記第１制御チャネルを伝送するために使用されるかどうかを決定する、
請求項６７に記載の制御情報の伝送方法。
【請求項７０】
前記第１制御情報における第３指示フィールドは第３インデックス情報を含み、前記第３インデックス情報は、第２構成情報における前記第３インデックス情報に対応する第１時間領域リソースを決定するために使用され、前記第２構成情報は、少なくとも１つのインデックス情報と時間領域リソースの対応関係を含む、
請求項６７に記載の制御情報の伝送方法。
【請求項７１】
前記第１制御情報は、１つの第１制御チャネルに対応する周波数領域リソース情報および／または時間領域リソース情報を含み、または、
前記第１制御情報は、複数の第１制御チャネルに対応する周波数領域リソース情報および／または時間領域リソース情報を含む、
請求項６０ないし７０のいずれか一項に記載の制御情報の伝送方法。
【請求項７２】
前記第１制御情報は第３ビットマップを含み、前記第３ビットマップは、前記第１データチャネルの周波数領域リソースを決定するために使用され、前記第３ビットマップにおける各ビットは、システムにおける１つの周波数領域ユニットに対応し、前記第３ビットマップにおける各ビットの値を介して、当該ビットに対応する周波数領域ユニットが前記第１データチャネルを伝送するために使用されるかどうかを決定する、
請求項６０ないし７１のいずれか一項に記載の制御情報の伝送方法。
【請求項７３】
前記第１制御情報は第３パラメータを含み、前記第３パラメータは、前記第１データチャネルの周波数領域リソースの開始位置および／または長さを決定するために使用される、
請求項６０ないし７１のいずれか一項に記載の制御情報の伝送方法。
【請求項７４】
前記第１制御チャネルおよび前記第１データチャネルの周波数領域開始位置が同じである場合、前記第３パラメータは、前記第１データチャネルに対応する周波数領域リソースの長さを決定するために使用される、
請求項７３に記載の制御情報の伝送方法。
【請求項７５】
前記第１制御情報が複数のデータチャネルの伝送をスケジューリングする場合、前記複数のデータチャネルは、少なくとも、前記第１データチャネルおよび第２データチャネルを含み、前記第３パラメータは、前記複数のデータチャネルに対応する周波数領域リソースの長さおよび前記第２データチャネルに対応する周波数領域リソースの開始位置を決定するために使用される、
請求項７４に記載の制御情報の伝送方法。
【請求項７６】
前記第１制御情報は第４インデックス情報を含み、前記第４インデックス情報は、第３構成情報における前記第４インデックス情報に対応する第２周波数領域リソースを決定するために使用され、前記第３構成情報は、少なくとも１つのインデックス情報と周波数領域リソースの対応関係を含む、
請求項６０ないし７１のいずれか一項に記載の制御情報の伝送方法。
【請求項７７】
前記第１制御情報は第１指示情報を含み、前記第１指示情報は、前記第１データチャネルの周波数領域リソース割り当てタイプを指示する、
請求項６０ないし７６のいずれか一項に記載の制御情報の伝送方法。
【請求項７８】
前記第１データチャネルの時間領域リソース情報は、時間領域開始位置情報および／または時間領域の長さ情報を含み、
前記時間領域開始位置情報は、前記第１制御情報における第４指示フィールドによって決定され、前記時間領域の長さ情報は、前記第１制御情報における第５指示フィールドによって決定される、
請求項６０ないし７７のいずれか一項に記載の制御情報の伝送方法。
【請求項７９】
前記第４指示フィールドは第２時間オフセット情報を含み、前記第２時間オフセット情報は、前記第２制御チャネルまたは前記第１制御チャネルの時間領域リソースに対する前記第１データチャネルの時間領域リソースの時間オフセット量を決定するために使用される、
請求項７８に記載の制御情報の伝送方法。
【請求項８０】
前記第５指示フィールドは、前記第１データチャネルの時間領域リソースが占める時間ユニットの数を決定するために使用される、
請求項７８または７９に記載の制御情報の伝送方法。
【請求項８１】
前記第１データチャネルの時間領域リソースが、連続する複数の時間ユニットを占める場合、前記複数の時間ユニットは、第１時間ユニットおよび少なくとも１つの第２時間ユニットを含み、前記第２時間ユニット内に制御チャネルリソースが含まれた場合、前記第１データチャネルの時間領域リソースは、前記第２時間ユニットの前記制御チャネルリソースを占める、
請求項８０に記載の制御情報の伝送方法。
【請求項８２】
前記第１データチャネルの時間領域リソース情報は、時間領域開始位置情報および／または時間領域の長さ情報を含み、
前記時間領域開始位置情報および／または前記時間領域の長さ情報は、前記第１制御情報における第６指示フィールドによって決定される、
請求項６０ないし７７のいずれか一項に記載の制御情報の伝送方法。
【請求項８３】
前記第１制御情報における第６指示フィールドは第４パラメータを含み、前記第４パラメータは、前記第１データチャネルの時間領域開始位置および時間領域の長さを決定するために使用される、
請求項８２に記載の制御情報の伝送方法。
【請求項８４】
前記第１制御情報における第６指示フィールドは第４ビットマップを含み、前記第４ビットマップにおける各ビットは１つの時間ユニットに対応し、前記第４ビットマップにおける各ビットの値を介して、当該ビットに対応する時間ユニットが前記第１データチャネルの伝送に使用されるかどうかを決定する、
請求項８２に記載の制御情報の伝送方法。
【請求項８５】
前記第１制御情報における第６指示フィールドは第５インデックス情報を含み、前記第５インデックス情報は、第４構成情報における前記第５インデックス情報に対応する第２時間領域リソースを決定するために使用され、前記第４構成情報は、少なくとも１つのインデックス情報と時間領域リソースの対応関係を含む、
請求項８２に記載の制御情報の伝送方法。
【請求項８６】
前記第１データチャネルが占める最後の時間ユニットの最後の時間領域シンボルは、データを伝送するために使用されない、
請求項６０ないし８５のいずれか一項に記載の制御情報の伝送方法。
【請求項８７】
前記第１データチャネルおよび前記第１制御チャネルが時分割の伝送を実行することは、
前記第１データチャネルおよび前記第１制御チャネルが、１つの時間ユニットで時分割の伝送を実行することを含み、前記第１制御チャネルは、前記時間ユニット内の
2021529490.tif 000038
の時間領域シンボルを占め、前記第１データチャネルは、前記時間ユニット内の
2021529490.tif 000039
の時間領域シンボルを占め、前記第１制御チャネルおよび前記第１データチャネルの時間領域リソースは重複しない、
請求項５９ないし８６のいずれか一項に記載の制御情報の伝送方法。
【請求項８８】
前記第１データチャネルおよび前記第１制御チャネルが時分割の伝送を実行することは、
前記第１データチャネルが第１時間ユニット内で伝送し、前記第１制御チャネルが第２時間ユニット内で伝送することを含み、前記第１制御チャネルは、前記第１時間ユニット内のＡ個の時間領域シンボルを占め、前記第１データチャネルは、前記第２時間ユニット内のＢ個の時間領域シンボルを占める、
2021529490.tif 000040
Ｃは、１つの時間ユニット内の時間領域シンボルの数である、
請求項５９ないし８６のいずれか一項に記載の制御情報の伝送方法。
【請求項８９】
前記第１データチャネルおよび前記第１制御チャネルが時分割の伝送を実行することは、
前記第１データチャネルおよび前記第１制御チャネルが、部分的な時分割の伝送を実行することを含む、
請求項５９ないし８６のいずれか一項に記載の制御情報の伝送方法。
【請求項９０】
前記第１データチャネルおよび前記第１制御チャネルが、部分的な時分割の伝送を実行することは、
前記第１制御チャネルが占める時間領域リソースが、前記第１データチャネルが占める時間領域リソースと少なくとも部分的に重複することを含む、
請求項８９に記載の制御情報の伝送方法。
【請求項９１】
前記方法は、
前記第１制御チャネルが、１つの時間ユニット内のＡ個の時間領域シンボルを占め、前記第１データチャネルが、前記時間ユニット内のＢ個の時間領域シンボルを占め、前記第１制御チャネルおよび前記第１データチャネルの時間領域リソースが、少なくとも部分的に重複することをさらに含み、
2021529490.tif 000041
Ｃは、１つの時間ユニット内の時間領域シンボルの数である、
請求項８９または９０に記載の制御情報の伝送方法。
【請求項９２】
前記周波数領域ユニットの粒度は、物理リソースブロック（ＰＲＢ）、またはリソースブロックグループ（ＲＢＧ）、またはサブバンドである、
請求項６１または７２に記載の制御情報の伝送方法。
【請求項９３】
前記時間オフセット的粒度は、時間領域シンボル、またはサブフレーム、またはタイムスロット、または短い伝送時間間隔（ｓＴＴＩ）、または固定時間長である、
請求項６５または７９に記載の制御情報の伝送方法。
【請求項９４】
前記時間ユニットの粒度は、時間領域シンボル、またはサブフレーム、またはタイムスロット、またはｓＴＴＩ、または固定時間長である、
請求項６５、または８０、または８１、または８４、または８６、または８７、または８８、または９１に記載の制御情報の伝送方法。
【請求項９５】
前記第１制御情報は、
前記第１データチャネルの伝送回数を決定するための第２指示情報、
前記第１データチャネルの冗長バージョン情報、
前記第１データチャネルによって使用されるコードブック情報、
前記第１データチャネルによって使用される伝送案情報、
前記第１データチャネルによって使用される復調基準信号（ＤＭＲＳ）パターン情報、
前記第１データチャネルの電力情報、
前記第１データチャネルと前記第１制御チャネルとの電力差情報、
前記第１制御チャネルおよび／または前記第１データチャネルを伝送するためのキャリア情報を決定するためのキャリア指示情報、
前記第１制御チャネルおよび／または前記第１データチャネルを伝送するための帯域幅部分（ＢＷＰ）情報を決定の帯域幅部分指示情報、
前記第１制御チャネルおよび／または前記第１データチャネルを伝送するためのリソースプール情報を決定するために使用されるリソースプール指示情報、
フィードバックチャネルの伝送リソースを決定するための第３指示情報、
アップリンク制御チャネルの伝送リソースを決定するための第４指示情報、
前記第１制御チャネルおよび／または前記第１データチャネルの伝送方式を決定するための第５指示情報、
前記第１データチャネルが周波数ポッピング伝送を使用したかどうかを決定するための第６指示情報、
前記第１データチャネルによって使用される変調およびコーディングスキーム（ＭＣＳ）を指示するための第７指示情報、
前記第１制御チャネルの伝送回数を決定するための第８指示情報のうちの少なくとも１つをさらに含む、
請求項５９ないし９４のいずれか一項に記載の制御情報の伝送方法。
【請求項９６】
前記第１機器と第２機器の間で第１制御情報を伝送することは、
第１端末が、基地局によって送信された第１制御情報を受信すること、または、
基地局が、第１制御情報を第１端末に送信することを含む、
請求項５９ないし９５のいずれか一項に記載の制御情報の伝送方法。
【請求項９７】
第１機器に適用される制御情報の伝送装置であって、
第２機器との間で第１制御情報を伝送するように構成される伝送ユニットであって、前記第１制御情報は第２制御チャネルによって搬送され、前記第１制御情報は、第１制御チャネルおよび／または第１データチャネルの伝送をスケジューリングするために使用され、前記第１制御チャネルはサイドリンク制御情報を伝送するために使用され、前記第１データチャネルはサイドリンクデータを伝送するために使用され、前記第１データチャネルおよび前記第１制御チャネルは、時分割の伝送を実行する伝送ユニットを備える、前記制御情報の伝送装置。
【請求項９８】
前記第１制御情報は、前記第１制御チャネルの周波数領域リソース情報および／または前記第１制御チャネルの時間領域リソース情報および／または前記第１データチャネルの周波数領域リソース情報および／または前記第１データチャネルの時間領域リソース情報を含む、
請求項９７に記載の制御情報の伝送装置。
【請求項９９】
前記第１制御情報は第１ビットマップを含み、前記第１ビットマップは、前記第１制御チャネルの周波数領域リソースを決定するために使用され、前記第１ビットマップにおける各ビットは、システムにおける１つの周波数領域ユニットに対応し、前記第１ビットマップにおける各ビットの値を介して、当該ビットに対応する周波数領域ユニットが前記第１制御チャネルを伝送するために使用されるかどうかを決定する、
請求項９８に記載の制御情報の伝送装置。
【請求項１００】
前記第１制御情報は第１パラメータを含み、前記第１パラメータは、前記第１制御チャネルの周波数領域リソースの開始位置および／または長さを決定するために使用される、
請求項９８に記載の制御情報の伝送装置。
【請求項１０１】
前記第１制御情報は第１インデックス情報を含み、前記第１インデックス情報は、第１構成情報内で前記第１インデックス情報に対応する第１周波数領域リソースを決定するために使用され、前記第１構成情報は、少なくとも１つのインデックス情報と周波数領域リソースの対応関係を含む、
請求項９８に記載の制御情報の伝送装置。
【請求項１０２】
前記第１制御チャネルの時間領域リソース情報は、時間領域開始位置情報および／または時間領域の長さ情報を含み、
前記時間領域開始位置情報は、前記第１制御情報における第１指示フィールドによって決定され、前記時間領域の長さ情報は、前記第１制御情報における第２指示フィールドによって決定される、
請求項９８ないし１０１のいずれか一項に記載の制御情報の伝送装置。
【請求項１０３】
前記第１指示フィールドは第１時間オフセット情報を含み、前記第１時間オフセット情報は、前記第１機器または前記第２機器が前記第１時間オフセット情報および／または前記第２制御チャネルの時間領域リソースに従って前記第１制御チャネルの時間領域リソースを決定するために使用され、または、
前記第１指示フィールドは第２インデックス情報を含み、前記第２インデックス情報は、前記第１制御チャネルの開始位置が占める時間ユニットを決定するために使用される、
請求項１０２に記載の制御情報の伝送装置。
【請求項１０４】
前記第１制御情報における前記第２指示フィールドは、前記第１制御チャネルの時間領域リソースが占める時間ユニットの数を示す、
請求項１０２または１０３に記載の制御情報の伝送装置。
【請求項１０５】
前記第１制御チャネルの時間領域リソース情報は、時間領域開始位置情報および／または時間領域の長さ情報を含み、
前記時間領域開始位置情報および／または前記時間領域の長さ情報は、前記第１制御情報における第３指示フィールドによって決定される、
請求項９８ないし１０１のいずれか一項に記載の制御情報の伝送装置。
【請求項１０６】
前記第１制御情報における第３指示フィールドは第２パラメータを含み、前記第２パラメータは、前記第１制御チャネルの時間領域開始位置および時間領域の長さを決定するために使用される、
請求項１０５に記載の制御情報の伝送装置。
【請求項１０７】
前記第１制御情報における第３指示フィールドは第２ビットマップを含み、前記第２ビットマップにおける各ビットは１つの時間ユニットに対応し、前記第２ビットマップにおける各ビットの値を介して、当該ビットに対応する時間ユニットが前記第１制御チャネルを伝送するために使用されるかどうかを決定する、
請求項１０５に記載の制御情報の伝送装置。
【請求項１０８】
前記第１制御情報における第３指示フィールドは第３インデックス情報を含み、前記第３インデックス情報は、第２構成情報における前記第３インデックス情報に対応する第１時間領域リソースを決定するために使用され、前記第２構成情報は、少なくとも１つのインデックス情報と時間領域リソースの対応関係を含む、
請求項１０５に記載の制御情報の伝送装置。
【請求項１０９】
前記第１制御情報は、１つの第１制御チャネルに対応する周波数領域リソース情報および／または時間領域リソース情報を含み、または、
前記第１制御情報は、複数の第１制御チャネルに対応する周波数領域リソース情報および／または時間領域リソース情報を含む、
請求項９８ないし１０８のいずれか一項に記載の制御情報の伝送装置。
【請求項１１０】
前記第１制御情報は第３ビットマップを含み、前記第３ビットマップは、前記第１データチャネルの周波数領域リソースを決定するために使用され、前記第３ビットマップにおける各ビットは、システムにおける１つの周波数領域ユニットに対応し、前記第３ビットマップにおける各ビットの値を介して、当該ビットに対応する周波数領域ユニットが前記第１データチャネルを伝送するために使用されるかどうかを決定する、
請求項９８ないし１０９のいずれか一項に記載の制御情報の伝送装置。
【請求項１１１】
前記第１制御情報は第３パラメータを含み、前記第３パラメータは、前記第１データチャネルの周波数領域リソースの開始位置および／または長さを決定するために使用される、
請求項９８ないし１０９のいずれか一項に記載の制御情報の伝送装置。
【請求項１１２】
前記第１制御チャネルおよび前記第１データチャネルの周波数領域開始位置が同じである場合、前記第３パラメータは、前記第１データチャネルに対応する周波数領域リソースの長さを決定するために使用される、
請求項１１１に記載の制御情報の伝送装置。
【請求項１１３】
前記第１制御情報が複数のデータチャネルの伝送をスケジューリングする場合、前記複数のデータチャネルは、少なくとも、前記第１データチャネルおよび第２データチャネルを含み、前記第３パラメータは、前記複数のデータチャネルに対応する周波数領域リソースの長さおよび前記第２データチャネルに対応する周波数領域リソースの開始位置を決定するために使用される、
請求項１１２に記載の制御情報の伝送装置。
【請求項１１４】
前記第１制御情報は第４インデックス情報を含み、前記第４インデックス情報は、第３構成情報における前記第４インデックス情報に対応する第２周波数領域リソースを決定するために使用され、前記第３構成情報は、少なくとも１つのインデックス情報と周波数領域リソースの対応関係を含む、
請求項９８ないし１０９のいずれか一項に記載の制御情報の伝送装置。
【請求項１１５】
前記第１制御情報は第１指示情報を含み、前記第１指示情報は、前記第１データチャネルの周波数領域リソース割り当てタイプを指示する、
請求項９８ないし１１４のいずれか一項に記載の制御情報の伝送装置。
【請求項１１６】
前記第１データチャネルの時間領域リソース情報は、時間領域開始位置情報および／または時間領域の長さ情報を含み、
前記時間領域開始位置情報は、前記第１制御情報における第４指示フィールドによって決定され、前記時間領域の長さ情報は、前記第１制御情報における第５指示フィールドによって決定される、
請求項９８ないし１１５のいずれか一項に記載の制御情報の伝送装置。
【請求項１１７】
前記第４指示フィールドは第２時間オフセット情報を含み、前記第２時間オフセット情報は、前記第２制御チャネルまたは前記第１制御チャネルの時間領域リソースに対する前記第１データチャネルの時間領域リソースの時間オフセット量を決定するために使用される、
請求項１１６に記載の制御情報の伝送装置。
【請求項１１８】
前記第５指示フィールドは、前記第１データチャネルの時間領域リソースが占める時間ユニットの数を決定するために使用される、
請求項１１６または１１７に記載の制御情報の伝送装置。
【請求項１１９】
前記第１データチャネルの時間領域リソースが、連続する複数の時間ユニットを占める場合、前記複数の時間ユニットは、第１時間ユニットおよび少なくとも１つの第２時間ユニットを含み、前記第２時間ユニット内に制御チャネルリソースが含まれた場合、前記第１データチャネルの時間領域リソースは、前記第２時間ユニットの前記制御チャネルリソースを占める、
請求項１１８に記載の制御情報の伝送装置。
【請求項１２０】
前記第１データチャネルの時間領域リソース情報は、時間領域開始位置情報および／または時間領域の長さ情報を含み、
前記時間領域開始位置情報および／または前記時間領域の長さ情報は、前記第１制御情報における第６指示フィールドによって決定される、
請求項９８ないし１１５のいずれか一項に記載の制御情報の伝送装置。
【請求項１２１】
前記第１制御情報における第６指示フィールドは第４パラメータを含み、前記第４パラメータは、前記第１データチャネルの時間領域開始位置および時間領域の長さを決定するために使用される、
請求項１２０に記載の制御情報の伝送装置。
【請求項１２２】
前記第１制御情報における第６指示フィールドは第４ビットマップを含み、前記第４ビットマップにおける各ビットは１つの時間ユニットに対応し、前記第４ビットマップにおける各ビットの値を介して、当該ビットに対応する時間ユニットが前記第１データチャネルの伝送に使用されるかどうかを決定する、
請求項１２０に記載の制御情報の伝送装置。
【請求項１２３】
前記第１制御情報における第６指示フィールドは第５インデックス情報を含み、前記第５インデックス情報は、第４構成情報における前記第５インデックス情報に対応する第２時間領域リソースを決定するために使用され、前記第４構成情報は、少なくとも１つのインデックス情報と時間領域リソースの対応関係を含む、
請求項１２０に記載の制御情報の伝送装置。
【請求項１２４】
前記第１データチャネルが占める最後の時間ユニットの最後の時間領域シンボルは、データを伝送するために使用されない、
請求項９８ないし１２３のいずれか一項に記載の制御情報の伝送装置。
【請求項１２５】
前記第１データチャネルおよび前記第１制御チャネルが時分割の伝送を実行することは、
前記第１データチャネルおよび前記第１制御チャネルが、１つの時間ユニットで時分割の伝送を実行することを含み、前記第１制御チャネルは、前記時間ユニット内の
2021529490.tif 000042
の時間領域シンボルを占め、前記第１データチャネルは、前記時間ユニット内の
2021529490.tif 000043
の時間領域シンボルを占め、前記第１制御チャネルおよび前記第１データチャネルの時間領域リソースは重複しない、
請求項９７ないし１２４のいずれか一項に記載の制御情報の伝送装置。
【請求項１２６】
前記第１データチャネルおよび前記第１制御チャネルが時分割の伝送を実行することは、
前記第１データチャネルが第１時間ユニット内で伝送し、前記第１制御チャネルが第２時間ユニット内で伝送することを含み、前記第１制御チャネルは、前記第１時間ユニット内のＡ個の時間領域シンボルを占め、前記第１データチャネルは、前記第２時間ユニット内のＢ個の時間領域シンボルを占め、
2021529490.tif 000044
Ｃは、１つの時間ユニット内の時間領域シンボルの数である、
請求項９７ないし１２４のいずれか一項に記載の制御情報の伝送装置。
【請求項１２７】
前記第１データチャネルおよび前記第１制御チャネルが時分割の伝送を実行することは、
前記第１データチャネルおよび前記第１制御チャネルが、部分的な時分割の伝送を実行することを含む、
請求項９７ないし１２４のいずれか一項に記載の制御情報の伝送装置。
【請求項１２８】
前記第１データチャネルおよび前記第１制御チャネルが、部分的な時分割の伝送を実行することは、
前記第１制御チャネルが占める時間領域リソースが、前記第１データチャネルが占める時間領域リソースと少なくとも部分的に重複することを含む、
請求項１２７に記載の制御情報の伝送装置。
【請求項１２９】
前記第１制御チャネルが、１つの時間ユニット内のＡ個の時間領域シンボルを占め、前記第１データチャネルが、前記時間ユニット内のＢ個の時間領域シンボルを占め、前記第１制御チャネルおよび前記第１データチャネルの時間領域リソースが、少なくとも部分的に重複し、
2021529490.tif 000045
Ｃは、１つの時間ユニット内の時間領域シンボルの数である、
請求項１２７または１２８に記載の制御情報の伝送装置。
【請求項１３０】
前記周波数領域ユニットの粒度は、ＰＲＢ、またはＲＢＧ、またはサブバンドである、
請求項９９または１１０に記載の制御情報の伝送装置。
【請求項１３１】
前記時間オフセット的粒度は、時間領域シンボル、またはサブフレーム、またはタイムスロット、またはｓＴＴＩ、または固定時間長である、
請求項１０３または１１７に記載の制御情報の伝送装置。
【請求項１３２】
前記時間ユニットの粒度は、時間領域シンボル、またはサブフレーム、またはタイムスロット、またはｓＴＴＩ、または固定時間長である、
請求項１０３、または１１８、または１１９、または１２２、または１２４、または１２５、または１２６、または１２９に記載の制御情報の伝送装置。
【請求項１３３】
前記第１制御情報は、
前記第１データチャネルの伝送回数を決定するための第２指示情報、
前記第１データチャネルの冗長バージョン情報、
前記第１データチャネルによって使用されるコードブック情報、
前記第１データチャネルによって使用される伝送案情報、
前記第１データチャネルによって使用されるＤＭＲＳパターン情報、
前記第１データチャネルの電力情報、
前記第１データチャネルと前記第１制御チャネルとの電力差情報、
前記第１制御チャネルおよび／または前記第１データチャネルを伝送するためのキャリア情報を決定するためのキャリア指示情報、
前記第１制御チャネルおよび／または前記第１データチャネルを伝送するためのＢＷＰ情報を決定の帯域幅部分指示情報、
前記第１制御チャネルおよび／または前記第１データチャネルを伝送するためのリソースプール情報を決定するために使用されるリソースプール指示情報、
フィードバックチャネルの伝送リソースを決定するための第３指示情報、
アップリンク制御チャネルの伝送リソースを決定するための第４指示情報
前記第１制御チャネルおよび／または前記第１データチャネルの伝送方式を決定するための第５指示情報、
前記第１データチャネルが周波数ポッピング伝送を使用したかどうかを決定するための第６指示情報、
前記第１データチャネルによって使用されるＭＣＳを指示するための第７指示情報、
前記第１制御チャネルの伝送回数を決定するための第８指示情報のうちの少なくとも１つをさらに含む、
請求項９７ないし１３２のいずれか一項に記載の制御情報の伝送装置。
【請求項１３４】
前記第１機器は第１端末であり、前記第２機器は基地局であり、前記伝送ユニットは、基地局によって送信された第１制御情報を受信するように構成され、または、
前記第１機器は基地局であり、前記第２機器は第１端末であり、前記伝送ユニットは、第１制御情報を第１端末に送信するように構成される、
請求項９７ないし１３３のいずれか一項に記載の制御情報の伝送装置。
【請求項１３５】
リソースプールの構成方法であって、
第１端末が、第１構成情報を取得することであって、前記第１構成情報は、第１リソースプールの時間領域リソースおよび／または周波数領域リソース、および／または、第２リソースプールの時間領域リソースおよび／または周波数領域リソースを決定するために使用されることを含み、
前記第１リソースプール内のリソースは第１制御チャネルを伝送することができ、前記第１制御チャネルはサイドリンク制御情報を伝送するために使用され、前記第２リソースプール内のリソースは第１データチャネルを伝送することができ、前記第１データチャネルはサイドリンクデータを伝送するために使用される、前記リソースプールの構成方法。
【請求項１３６】
前記第１構成情報は、前記第１リソースプールの時間領域リソースおよび／または周波数領域リソースを決定するために使用され、前記第１構成情報は、
前記第１リソースプールの時間領域リソースの開始位置情報、
前記第１リソースプールの時間領域リソースの長さ情報、
前記第１リソースプールの時間領域リソースの密度情報、
前記第１リソースプールで伝送された前記第１制御チャネルの時間領域の長さ情報、
前記第１リソースプールの周波数領域リソースの開始位置情報、
前記第１リソースプールの周波数領域リソースが占める周波数領域ユニットの数情報、
前記第１リソースプールの周波数領域リソースに対応する周波数領域ユニットのサイズ情報、
前記第１リソースプールで伝送された前記第１制御チャネルが占める周波数領域ユニットの数情報のうちの少なくとも１つを含む、
請求項１３５に記載のリソースプールの構成方法。
【請求項１３７】
前記第１リソースプールの時間領域リソースの開始位置情報は第１パラメータによって決定され、前記第１パラメータは、前記第１リソースプール内の最初の時間ユニットの情報を指示する、
請求項１３６に記載のリソースプールの構成方法。
【請求項１３８】
前記第１リソースプールの時間領域リソースの長さ情報は第２パラメータによって決定され、前記第２パラメータは、前記第１リソースプール内の前記第１制御チャネルを伝送するための時間ユニット情報、または前記第１制御チャネルを伝送するための時間ユニットの数を指示する、
請求項１３６または１３７に記載のリソースプールの構成方法。
【請求項１３９】
前記第１リソースプールの時間領域リソースの密度情報は第３パラメータによって決定され、前記第３パラメータは、
2021529490.tif 000046
の時間ユニットごとに１つの時間ユニットが前記第１リソースプールにおける前記第１制御チャネルを伝送するための時間ユニットであることを指示する、
請求項１３６ないし１３８のいずれか一項に記載のリソースプールの構成方法。
【請求項１４０】
前記第１リソースプールで伝送された前記第１制御チャネルの時間領域の長さ情報は第４パラメータによって決定され、前記第４パラメータは、前記第１リソースプールで伝送された前記第１制御チャネルの時間領域リソースが占める時間領域シンボルの数または時間ユニットの数を指示する、
請求項１３６ないし１３９のいずれか一項に記載のリソースプールの構成方法。
【請求項１４１】
前記第１リソースプールで伝送された前記第１制御チャネルの時間領域リソースの開始位置は、１つの時間ユニットの最初の時間領域シンボルに位置する、
請求項１３５ないし１４０のいずれか一項に記載のリソースプールの構成方法。
【請求項１４２】
前記第１リソースプールで伝送された前記第１制御チャネルの時間領域リソースの終了位置は、１つの時間ユニットの最後の時間領域シンボルに位置する、
請求項１３５ないし１４０のいずれか一項に記載のリソースプールの構成方法。
【請求項１４３】
前記１つの時間ユニットはＭ（Ｍは整数であり、Ｍ＞１）個の時間領域シンボルを含み、前記第１制御チャネルは
2021529490.tif 000047
の時間領域シンボルを占める、
請求項１４１または１４２に記載のリソースプールの構成方法。
【請求項１４４】
前記第１構成情報は第１ビットマップを含み、前記第１ビットマップは、前記第１リソースプールが占有する時間ユニットを決定するために使用される、
請求項１３６ないし１４３のいずれか一項に記載のリソースプールの構成方法。
【請求項１４５】
前記第１ビットマップは、第１時間範囲内で周期的に重複する、
請求項１４４に記載のリソースプールの構成方法。
【請求項１４６】
前記時間ユニットの粒度は、サブフレーム、またはタイムスロット、またはｓＴＴＩ、または固定時間長である、
請求項１３７ないし１４５のいずれか一項に記載のリソースプールの構成方法。
【請求項１４７】
前記第１リソースプールの周波数領域リソースの開始位置は第５パラメータによって決定され、前記第５パラメータは、第１基準位置に対する前記第１リソースプールの周波数領域リソースの開始位置の周波数領域オフセット量を指示する、
請求項１３６ないし１４６のいずれか一項に記載のリソースプールの構成方法。
【請求項１４８】
前記第１リソースプールの周波数領域リソースが占める周波数領域ユニットの数情報は第６パラメータによって決定され、前記第６パラメータは、前記第１リソースプールの周波数領域リソースが占める周波数領域ユニットの数を指示する、
請求項１３６ないし１４７のいずれか一項に記載のリソースプールの構成方法。
【請求項１４９】
前記第１リソースプールの周波数領域リソースに対応する周波数領域ユニットのサイズ情報は第７パラメータによって決定され、前記第７パラメータは、前記１つの周波数領域ユニットに含まれた物理リソースブロックの数を指示する、
請求項１３６ないし１４８のいずれか一項に記載のリソースプールの構成方法。
【請求項１５０】
前記第１リソースプールで伝送された前記第１制御チャネルが占める周波数領域ユニットの数情報は第８パラメータによって決定され、前記第８パラメータは、前記第１制御チャネルが占める周波数領域ユニットの数を指示する、
請求項１３６ないし１４９のいずれか一項に記載のリソースプールの構成方法。
【請求項１５１】
前記周波数領域ユニットの粒度は、物理リソースブロック（ＰＲＢ）、またはリソースブロックグループ（ＲＢＧ）、またはサブバンドであり、
前記周波数領域オフセット量の粒度は、ＰＲＢ、またはＲＢＧ、またはサブバンドである、
請求項１４７ないし１５０のいずれか一項に記載のリソースプールの構成方法。
【請求項１５２】
前記第１構成情報は、前記第２リソースプールの時間領域リソースおよび／または周波数領域リソースを決定するために使用され、前記第１構成情報は、
前記第２リソースプールの時間領域リソースの開始位置情報、
前記第２リソースプールの時間領域リソースの長さ情報、
前記第２リソースプールで伝送された前記第１データチャネルの時間領域の長さ情報、
前記第２リソースプールの周波数領域リソースの開始位置情報、
前記第２リソースプールの周波数領域リソースが占める周波数領域ユニットの数情報、
前記第２リソースプールの周波数領域リソースに対応する周波数領域ユニットのサイズ情報、
前記第２リソースプールで伝送された前記第１データチャネルが占める周波数領域ユニットの数情報のうちの少なくとも１つを含む、
請求項１３５ないし１５１のいずれか一項に記載のリソースプールの構成方法。
【請求項１５３】
前記第２リソースプールの時間領域リソースの開始位置情報は第９パラメータによって決定され、前記第９パラメータは、前記第２リソースプール内の最初の時間ユニットの情報を指示する、
請求項１５２に記載のリソースプールの構成方法。
【請求項１５４】
前記第２リソースプールの時間領域リソースの長さ情報は第１０パラメータによって決定され、前記第１０パラメータは、前記第２リソースプール内の前記第１データチャネルを伝送するための時間ユニット情報、または前記第１データチャネルを伝送するための時間ユニットの数を指示する、
請求項１５２または１５３に記載のリソースプールの構成方法。
【請求項１５５】
前記第２リソースプールで伝送された前記第１データチャネルの時間領域の長さ情報は第１１パラメータによって決定され、前記第１１パラメータは、前記第２リソースプールで伝送された前記第１データチャネルの時間領域リソースが占める時間領域シンボルの数または時間ユニットの数を指示する、
請求項１５２ないし１５４のいずれか一項に記載のリソースプールの構成方法。
【請求項１５６】
前記第１データチャネルの時間領域リソースの開始位置は、１つの時間ユニット内の前記第１制御チャネルが占有する最後の時間領域シンボルの次の時間領域シンボルに位置し、または、
前記第１制御チャネルの時間領域リソースの開始位置は、１つの時間ユニット内の前記第１データチャネルが占有する最後の時間領域シンボルの次の時間領域シンボルに位置する、
請求項１５２ないし１５５のいずれか一項に記載のリソースプールの構成方法。
【請求項１５７】
前記第１制御チャネルが占有する最後の時間領域シンボルが１つの時間ユニットの最後の時間領域シンボルである場合、前記第１データチャネルの時間領域リソースの開始位置は、前記１つの時間ユニットの次の時間ユニットの最初の時間領域シンボルに位置し、または、
前記第１データチャネルが占有する最後の時間領域シンボルが１つの時間ユニットの最後の時間領域シンボルである場合、前記第１制御チャネルの時間領域リソースの開始位置は、前記１つの時間ユニットの次の時間ユニットの最初の時間領域シンボルに位置する、
請求項１５６に記載のリソースプールの構成方法。
【請求項１５８】
前記第１データチャネルが占める最後の時間ユニットの最後の時間領域シンボルは、データを伝送するために使用されない、
請求項１５２ないし１５７のいずれか一項に記載のリソースプールの構成方法。
【請求項１５９】
前記第１制御チャネルが占める時間ユニットの最後の時間領域シンボルは制御情報を伝送するために使用されない、
請求項１５２ないし１５８のいずれか一項に記載のリソースプールの構成方法。
【請求項１６０】
前記時間ユニットの粒度は、サブフレーム、またはタイムスロット、または短い伝送時間間隔（ｓＴＴＩ）、または固定時間長である、
請求項１５３ないし１５９のいずれか一項に記載のリソースプールの構成方法。
【請求項１６１】
前記第１構成情報は第２ビットマップを含み、前記第２ビットマップは、前記第２リソースプールが占有する時間ユニットを決定するために使用される、
請求項１５２ないし１６０のいずれか一項に記載のリソースプールの構成方法。
【請求項１６２】
前記第２ビットマップは、第２時間範囲内で周期的に重複する、
請求項１６１に記載のリソースプールの構成方法。
【請求項１６３】
前記第２リソースプールの周波数領域リソースの開始位置は第１２パラメータによって決定され、前記第１２パラメータは、第１基準位置に対する前記第２リソースプールの周波数領域リソースの開始位置の周波数領域オフセット量を指示する、
請求項１５２ないし１６２のいずれか一項に記載のリソースプールの構成方法。
【請求項１６４】
前記第２リソースプールの周波数領域リソースが占める周波数領域ユニットの数情報は第１３パラメータによって決定され、前記第１３パラメータは、前記第２リソースプールの周波数領域リソースが占める周波数領域ユニットの数を指示する、
請求項１５２ないし１６３のいずれか一項に記載のリソースプールの構成方法。
【請求項１６５】
前記第２リソースプールの周波数領域リソースに対応する周波数領域ユニットのサイズ情報は第１４パラメータによって決定され、前記第１４パラメータは、前記１つの周波数領域ユニットに含まれた物理リソースブロックの数を指示する、
請求項１５２ないし１６４のいずれか一項に記載のリソースプールの構成方法。
【請求項１６６】
前記第２リソースプールで伝送された前記第１データチャネルが占める周波数領域ユニットの数情報は第１５パラメータによって決定され、前記第１５パラメータは、前記第１データチャネルが占める周波数領域ユニットの数を指示する、
請求項１５２ないし１６５のいずれか一項に記載のリソースプールの構成方法。
【請求項１６７】
前記周波数領域ユニットの粒度は、ＰＲＢ、またはＲＢＧ、またはサブバンドであり、
前記周波数領域オフセット量の粒度は、ＰＲＢ、またはＲＢＧ、またはサブバンドである、
請求項１６３ないし１６６のいずれか一項に記載のリソースプールの構成方法。
【請求項１６８】
前記第１リソースプールおよび前記第２リソースプールが占める時間領域リソースは異なる、
請求項１３５ないし１６７のいずれか一項に記載のリソースプールの構成方法。
【請求項１６９】
前記第１リソースプールおよび前記第２リソースプールは、
前記第１リソースプールと前記第２リソースプールの周波数領域リソースの開始位置が同じまたは異なること、
前記第１リソースプールの周波数領域リソースの周波数領域ユニットと前記第２リソースプールの周波数領域リソースの周波数領域ユニットのサイズが同じまたは異なること、
前記第１制御チャネルおよび前記第１制御チャネルに対応する第１データチャネルが時分割の伝送を実行すること、
前記第１制御チャネルおよび前記第１制御チャネルに対応する第１データチャネルの時間領域するかリソースが隣接しているか、隣接していないこと、
前記第１制御チャネルと前記第１制御チャネルに対応する第１データチャネルの周波数領域リソースの開始位置が同じまたは異なること、
前記第１制御チャネルと前記第１制御チャネルに対応する第１データチャネルの周波数領域リソースの長さが同じまたは異なることのうちの少なくとも１つの特徴を満たす、
請求項１３５ないし１６８のいずれか一項に記載のリソースプールの構成方法。
【請求項１７０】
前記第１制御チャネルおよび前記第１制御チャネルに対応する第１データチャネルが時分割の伝送を実行することは、
前記第１データチャネルおよび前記第１制御チャネルに対応する第１データチャネルが、１つの時間ユニットで時分割の伝送を実行することを含み、前記第１制御チャネルは、前記時間ユニット内の
2021529490.tif 000048
の時間領域シンボルを占め、前記第１データチャネルは、前記時間ユニット内の
2021529490.tif 000049
の時間領域シンボルを占め、前記第１制御チャネルおよび前記第１データチャネルの時間領域リソースは重複しない、
請求項１６９に記載のリソースプールの構成方法。
【請求項１７１】
前記第１制御チャネルおよび前記第１制御チャネルに対応する第１データチャネルが時分割の伝送を実行することは、
前記第１制御チャネルが第１時間ユニット内で伝送し、前記第１データチャネルが第２時間ユニット内で伝送することを含み、前記第１制御チャネルは、前記第１時間ユニット内のＡ個の時間領域シンボルを占め、前記第１データチャネルは、前記第２時間ユニット内のＢ個の時間領域シンボルを占め、
2021529490.tif 000050
Ｃは、１つの時間ユニット内の時間領域シンボルの数である、
請求項１６９に記載のリソースプールの構成方法。
【請求項１７２】
前記第１制御チャネルが占める時間領域リソースは、前記第１制御チャネルに対応する第１データチャネルが占める時間領域リソースより小さい、
請求項１３５ないし１６７のいずれか一項に記載のリソースプールの構成方法。
【請求項１７３】
前記第１制御チャネルが占める時間領域リソースは、前記第１制御チャネルに対応する第１データチャネルが占める時間領域リソースの１つのサブセットである、
請求項１３５ないし１６７のいずれか一項に記載のリソースプールの構成方法。
【請求項１７４】
前記方法は、
前記第１制御チャネルが、１つの時間ユニット内のＡ個の時間領域シンボルを占め、前記第１データチャネルが、前記時間ユニット内のＢ個の時間領域シンボルを占め、前記第１制御チャネルおよび前記第１データチャネルの時間領域リソースが、少なくとも部分的に重複することをさらに含み、
2021529490.tif 000051
Ｃは、１つの時間ユニット内の時間領域シンボルの数である、
請求項１３５ないし１６７のいずれか一項に記載のリソースプールの構成方法。
【請求項１７５】
前記時間ユニットの粒度は、サブフレーム、またはタイムスロット、またはｓＴＴＩ、または固定時間長である、
請求項１７０、１７１または１７４に記載のリソースプールの構成方法。
【請求項１７６】
前記第１構成情報は第１指示情報を含み、前記第１指示情報は、前記第１制御チャネルと前記第１制御チャネルに対応する第１データチャネルの時間領域位置関係を決定するために使用される、
請求項１３５ないし１７５のいずれか一項に記載のリソースプールの構成方法。
【請求項１７７】
当前記第１指示情報が第１時間領域位置関係を指示する場合、前記第１制御チャネルおよび前記第１制御チャネルによってスケジューリングされた第１データチャネルの時間領域リソースが隣接することを示し、
前記第１指示情報が第２時間領域位置関係を指示する場合、前記第１制御チャネルおよび前記第１制御チャネルによってスケジューリングされた第１データチャネルの時間領域リソースが隣接しないことを示す、
請求項１７６に記載のリソースプールの構成方法。
【請求項１７８】
前記第１構成情報は第２指示情報を含み、前記第２指示情報は、前記第１制御チャネルおよび前記第１制御チャネルに対応する第１データチャネルのスケジューリングタイプを決定するために使用される、
請求項１３５ないし１７７のいずれか一項に記載のリソースプールの構成方法。
【請求項１７９】
前記第１指示情報が第１スケジューリングタイプを指示する場合、前記第１制御チャネルは同じ時間ユニット内の前記第１データチャネルをスケジューリングすることを示し、
前記第１指示情報が第２スケジューリングタイプを指示する場合、前記第１制御チャネルは異なる時間ユニット内の前記第１データチャネルをスケジューリングすることを示す、
請求項１７８に記載のリソースプールの構成方法。
【請求項１８０】
前記第１構成情報は第３指示情報を含み、前記第３指示情報は、前記第１リソースプールおよび／または前記第２リソースプールの基本的なパラメータセットを指示する、
請求項１３５ないし１７９のいずれか一項に記載のリソースプールの構成方法。
【請求項１８１】
前記第１構成情報は第４指示情報を含み、前記第４指示情報は、同期ソースタイプ情報を指示する、
請求項１３５ないし１８０のいずれか一項に記載のリソースプールの構成方法。
【請求項１８２】
前記第１構成情報はネットワーク機器によって構成されるか、事前に構成される、
請求項１３５ないし１８１のいずれか一項に記載のリソースプールの構成方法。
【請求項１８３】
前記方法は、
前記第１端末が、第２構成情報を取得することであって、前記第２構成情報はタイムスロットフォーマットを指示することと、
前記第１端末が、第１基準を取得することであって、前記第１基準は、アップリンクシンボル、および／または柔軟なシンボル、および／またはダウンリンクシンボルがサイドリンク伝送に使用されることができることを指示することと、
前記第１端末が、前記第１基準、前記第１構成情報および前記第２構成情報に従って、前記第１リソースプールおよび／または前記第２リソースプールの時間領域リソースを決定することと、をさらに含む、
請求項１３５ないし１８２のいずれか一項に記載のリソースプールの構成方法。
【請求項１８４】
前記第１端末が、前記第１基準、前記第１構成情報および前記第２構成情報に従って、前記第１リソースプールおよび／または前記第２リソースプールの時間領域リソースを決定することは、
前記第１端末が、前記第１構成情報に従って、第１リソースプールおよび／または第２リソースプールに含まれた第１時間ユニットを決定することと、
前記第１端末が、前記第１基準および前記第２構成情報に従って、前記第１時間ユニットにおいて、サイドリンク伝送に利用可能な時間領域リソースが第１セットであると決定することと、
前記第１端末が、前記第１構成情報に従って、前記第１時間ユニットにおいて、前記第１リソースプールおよび／または前記第２リソースプールに利用可能な時間領域リソースが第２セットであることを決定することと、
前記第１端末が、前記第１セットと前記第２セットの共通部分を前記第１リソースプールおよび／または前記第２リソースプールの時間領域リソースとして使用することと、を含む、
請求項１８３に記載のリソースプールの構成方法。
【請求項１８５】
リソースプールの構成装置であって、
第１構成情報を取得するように構成される取得ユニットであって、前記第１構成情報は、第１リソースプールの時間領域リソースおよび／または周波数領域リソース、および／または、第２リソースプールの時間領域リソースおよび／または周波数領域リソースを決定するために使用される取得ユニットを備え、
前記第１リソースプール内のリソースは第１制御チャネルを伝送することができ、前記第１制御チャネルはサイドリンク制御情報を伝送するために使用され、前記第２リソースプール内のリソースは第１データチャネルを伝送することができ、前記第１データチャネルはサイドリンクデータを伝送するために使用される、前記リソースプールの構成装置。
【請求項１８６】
前記第１構成情報は、前記第１リソースプールの時間領域リソースおよび／または周波数領域リソースを決定するために使用され、前記第１構成情報は、
前記第１リソースプールの時間領域リソースの開始位置情報、
前記第１リソースプールの時間領域リソースの長さ情報、
前記第１リソースプールの時間領域リソースの密度情報、
前記第１リソースプールで伝送された前記第１制御チャネルの時間領域の長さ情報、
前記第１リソースプールの周波数領域リソースの開始位置情報、
前記第１リソースプールの周波数領域リソースが占める周波数領域ユニットの数情報、
前記第１リソースプールの周波数領域リソースに対応する周波数領域ユニットのサイズ情報、
前記第１リソースプールで伝送された前記第１制御チャネルが占める周波数領域ユニットの数情報のうちの少なくとも１つを含む、
請求項１８５に記載のリソースプールの構成装置。
【請求項１８７】
前記第１リソースプールの時間領域リソースの開始位置情報は第１パラメータによって決定され、前記第１パラメータは、前記第１リソースプール内の最初の時間ユニットの情報を指示する、
請求項１８６に記載のリソースプールの構成装置。
【請求項１８８】
前記第１リソースプールの時間領域リソースの長さ情報は第２パラメータによって決定され、前記第２パラメータは、前記第１リソースプール内の前記第１制御チャネルを伝送するための時間ユニット情報、または前記第１制御チャネルを伝送するための時間ユニットの数を指示する、
請求項１８６または１８７に記載のリソースプールの構成装置。
【請求項１８９】
前記第１リソースプールの時間領域リソースの密度情報は第３パラメータによって決定され、前記第３パラメータは、
2021529490.tif 000052
の時間ユニットごとに１つの時間ユニットが前記第１リソースプールにおける前記第１制御チャネルを伝送するための時間ユニットであることを指示する、
請求項１８６ないし１８８のいずれか一項に記載のリソースプールの構成装置。
【請求項１９０】
前記第１リソースプールで伝送された前記第１制御チャネルの時間領域の長さ情報は第４パラメータによって決定され、前記第４パラメータは、前記第１リソースプールで伝送された前記第１制御チャネルの時間領域リソースが占める時間領域シンボルの数または時間ユニットの数を指示する、
請求項１８６ないし１８９のいずれか一項に記載のリソースプールの構成装置。
【請求項１９１】
前記第１リソースプールで伝送された前記第１制御チャネルの時間領域リソースの開始位置は、１つの時間ユニットの最初の時間領域シンボルに位置する、
請求項１８５ないし１９０のいずれか一項に記載のリソースプールの構成装置。
【請求項１９２】
前記第１リソースプールで伝送された前記第１制御チャネルの時間領域リソースの終了位置は、１つの時間ユニットの最後の時間領域シンボルに位置する、
請求項１８５ないし１９０のいずれか一項に記載のリソースプールの構成装置。
【請求項１９３】
前記１つの時間ユニットはＭ（Ｍは整数であり、Ｍ＞１）個の時間領域シンボルを含み、前記第１制御チャネルは
2021529490.tif 000053
の時間領域シンボルを占める、
請求項１９１または１９２に記載のリソースプールの構成装置。
【請求項１９４】
前記第１構成情報は第１ビットマップを含み、前記第１ビットマップは、前記第１リソースプールが占有する時間ユニットを決定するために使用される、
請求項１８６ないし１９３のいずれか一項に記載のリソースプールの構成装置。
【請求項１９５】
前記第１ビットマップは、第１時間範囲内で周期的に重複する、
請求項１９４に記載のリソースプールの構成装置。
【請求項１９６】
前記時間ユニットの粒度は、サブフレーム、またはタイムスロット、またはｓＴＴＩ、または固定時間長である、
請求項１８７ないし１９５のいずれか一項に記載のリソースプールの構成装置。
【請求項１９７】
前記第１リソースプールの周波数領域リソースの開始位置は第５パラメータによって決定され、前記第５パラメータは、第１基準位置に対する前記第１リソースプールの周波数領域リソースの開始位置の周波数領域オフセット量を指示する、
請求項１８６ないし１９６のいずれか一項に記載のリソースプールの構成装置。
【請求項１９８】
前記第１リソースプールの周波数領域リソースが占める周波数領域ユニットの数情報は第６パラメータによって決定され、前記第６パラメータは、前記第１リソースプールの周波数領域リソースが占める周波数領域ユニットの数を指示する、
請求項１８６ないし１９７のいずれか一項に記載のリソースプールの構成装置。
【請求項１９９】
前記第１リソースプールの周波数領域リソースに対応する周波数領域ユニットのサイズ情報は第７パラメータによって決定され、前記第７パラメータは、前記１つの周波数領域ユニットに含まれた物理リソースブロックの数を指示する、
請求項１８６ないし１９８のいずれか一項に記載のリソースプールの構成装置。
【請求項２００】
前記第１リソースプールで伝送された前記第１制御チャネルが占める周波数領域ユニットの数情報は第８パラメータによって決定され、前記第８パラメータは、前記第１制御チャネルが占める周波数領域ユニットの数を指示する、
請求項１８６ないし１９９のいずれか一項に記載のリソースプールの構成装置。
【請求項２０１】
前記周波数領域ユニットの粒度は、ＰＲＢ、またはＲＢＧ、またはサブバンドであり、
前記周波数領域オフセット量の粒度は、ＰＲＢ、またはＲＢＧ、またはサブバンドである、
請求項１９７ないし２００のいずれか一項に記載のリソースプールの構成装置。
【請求項２０２】
前記第１構成情報は、前記第２リソースプールの時間領域リソースおよび／または周波数領域リソースを決定するために使用され、前記第１構成情報は、
前記第２リソースプールの時間領域リソースの開始位置情報、
前記第２リソースプールの時間領域リソースの長さ情報、
前記第２リソースプールで伝送された前記第１データチャネルの時間領域の長さ情報、
前記第２リソースプールの周波数領域リソースの開始位置情報、
前記第２リソースプールの周波数領域リソースが占める周波数領域ユニットの数情報、
前記第２リソースプールの周波数領域リソースに対応する周波数領域ユニットのサイズ情報、
前記第２リソースプールで伝送された前記第１データチャネルが占める周波数領域ユニットの数情報のうちの少なくとも１つを含む、
請求項１８５ないし２０１のいずれか一項に記載のリソースプールの構成装置。
【請求項２０３】
前記第２リソースプールの時間領域リソースの開始位置情報は第９パラメータによって決定され、前記第９パラメータは、前記第２リソースプール内の最初の時間ユニットの情報を指示する、
請求項２０２に記載のリソースプールの構成装置。
【請求項２０４】
前記第２リソースプールの時間領域リソースの長さ情報は第１０パラメータによって決定され、前記第１０パラメータは、前記第２リソースプール内の前記第１データチャネルを伝送するための時間ユニット情報、または前記第１データチャネルを伝送するための時間ユニットの数を指示する、
請求項２０２または２０３に記載のリソースプールの構成装置。
【請求項２０５】
前記第２リソースプールで伝送された前記第１データチャネルの時間領域の長さ情報は第１１パラメータによって決定され、前記第１１パラメータは、前記第２リソースプールで伝送された前記第１データチャネルの時間領域リソースが占める時間領域シンボルの数または時間ユニットの数を指示する、
請求項２０２ないし２０４のいずれか一項に記載のリソースプールの構成装置。
【請求項２０６】
前記第１データチャネルの時間領域リソースの開始位置は、１つの時間ユニット内の前記第１制御チャネルが占有する最後の時間領域シンボルの次の時間領域シンボルに位置し、または、
前記第１制御チャネルの時間領域リソースの開始位置は、１つの時間ユニット内の前記第１データチャネルが占有する最後の時間領域シンボルの次の時間領域シンボルに位置する、
請求項２０２ないし２０５のいずれか一項に記載のリソースプールの構成装置。
【請求項２０７】
前記第１制御チャネルが占有する最後の時間領域シンボルが１つの時間ユニットの最後の時間領域シンボルである場合、前記第１データチャネルの時間領域リソースの開始位置は、前記１つの時間ユニットの次の時間ユニットの最初の時間領域シンボルに位置し、または、
前記第１データチャネルが占有する最後の時間領域シンボルが１つの時間ユニットの最後の時間領域シンボルである場合、前記第１制御チャネルの時間領域リソースの開始位置は、前記１つの時間ユニットの次の時間ユニットの最初の時間領域シンボルに位置する、
請求項２０６に記載のリソースプールの構成装置。
【請求項２０８】
前記第１データチャネルが占める最後の時間ユニットの最後の時間領域シンボルは、データを伝送するために使用されない、
請求項２０２ないし２０７のいずれか一項に記載のリソースプールの構成装置。
【請求項２０９】
前記第１制御チャネルが占める時間ユニットの最後の時間領域シンボルは制御情報を伝送するために使用されない、
請求項２０２ないし２０８のいずれか一項に記載のリソースプールの構成装置。
【請求項２１０】
前記時間ユニットの粒度は、サブフレーム、またはタイムスロット、またはｓＴＴＩ、または固定時間長である、
請求項２０３ないし２０９のいずれか一項に記載のリソースプールの構成装置。
【請求項２１１】
前記第１構成情報は第２ビットマップを含み、前記第２ビットマップは、前記第２リソースプールが占有する時間ユニットを決定するために使用される、
請求項２０２ないし２１０のいずれか一項に記載のリソースプールの構成装置。
【請求項２１２】
前記第２ビットマップは、第２時間範囲内で周期的に重複する、
請求項２１１に記載のリソースプールの構成装置。
【請求項２１３】
前記第２リソースプールの周波数領域リソースの開始位置は第１２パラメータによって決定され、前記第１２パラメータは、第１基準位置に対する前記第２リソースプールの周波数領域リソースの開始位置の周波数領域オフセット量を指示する、
請求項２０２ないし２１２のいずれか一項に記載のリソースプールの構成装置。
【請求項２１４】
前記第２リソースプールの周波数領域リソースが占める周波数領域ユニットの数情報は第１３パラメータによって決定され、前記第１３パラメータは、前記第２リソースプールの周波数領域リソースが占める周波数領域ユニットの数を指示する、
請求項２０２ないし２１３のいずれか一項に記載のリソースプールの構成装置。
【請求項２１５】
前記第２リソースプールの周波数領域リソースに対応する周波数領域ユニットのサイズ情報は第１４パラメータによって決定され、前記第１４パラメータは、前記１つの周波数領域ユニットに含まれた物理リソースブロックの数を指示する、
請求項２０２ないし２１４のいずれか一項に記載のリソースプールの構成装置。
【請求項２１６】
前記第２リソースプールで伝送された前記第１データチャネルが占める周波数領域ユニットの数情報は第１５パラメータによって決定され、前記第１５パラメータは、前記第１データチャネルが占める周波数領域ユニットの数を指示する、
請求項２０２ないし２１５のいずれか一項に記載のリソースプールの構成装置。
【請求項２１７】
前記周波数領域ユニットの粒度は、ＰＲＢ、またはＲＢＧ、またはサブバンドであり、
前記周波数領域オフセット量の粒度は、ＰＲＢ、またはＲＢＧ、またはサブバンドである、
請求項２１３ないし２１６のいずれか一項に記載のリソースプールの構成装置。
【請求項２１８】
前記第１リソースプールおよび前記第２リソースプールが占める時間領域リソースは異なる、
請求項１８５ないし２１７のいずれか一項に記載のリソースプールの構成装置。
【請求項２１９】
前記第１リソースプールおよび前記第２リソースプールは、
前記第１リソースプールと前記第２リソースプールの周波数領域リソースの開始位置が同じまたは異なること、
前記第１リソースプールの周波数領域リソースの周波数領域ユニットと前記第２リソースプールの周波数領域リソースの周波数領域ユニットが同じまたは異なること、
前記第１制御チャネルおよび前記第１制御チャネルに対応する第１データチャネルが時分割の伝送を実行すること、
前記第１制御チャネルおよび前記第１制御チャネルに対応する第１データチャネルの時間領域するかリソースが隣接しているか、隣接していないこと、
前記第１制御チャネルと前記第１制御チャネルに対応する第１データチャネルの周波数領域リソースの開始位置が同じまたは異なること、
前記第１制御チャネルと前記第１制御チャネルに対応する第１データチャネルの周波数領域リソースの長さが同じまたは異なることのうちの少なくとも１つの特徴を満たす、
請求項１８５ないし２１８のいずれか一項に記載のリソースプールの構成装置。
【請求項２２０】
前記第１制御チャネルおよび前記第１制御チャネルに対応する第１データチャネルが時分割の伝送を実行することは、
前記第１データチャネルおよび前記第１制御チャネルに対応する第１データチャネルが、１つの時間ユニットで時分割の伝送を実行することを含み、前記第１制御チャネルは、前記時間ユニット内の
2021529490.tif 000054
の時間領域シンボルを占め、前記第１データチャネルは、前記時間ユニット内の
2021529490.tif 000055
の時間領域シンボルを占め、前記第１制御チャネルおよび前記第１データチャネルの時間領域リソースは重複しない、
請求項２１９に記載のリソースプールの構成装置。
【請求項２２１】
前記第１制御チャネルおよび前記第１制御チャネルに対応する第１データチャネルが時分割の伝送を実行することは、
前記第１制御チャネルが第１時間ユニット内で伝送し、前記第１データチャネルが第２時間ユニット内で伝送することを含み、前記第１制御チャネルは、前記第１時間ユニット内のＡ個の時間領域シンボルを占め、前記第１データチャネルは、前記第２時間ユニット内のＢ個の時間領域シンボルを占める、
2021529490.tif 000056
Ｃは、１つの時間ユニット内の時間領域シンボルの数である、
請求項２１９に記載のリソースプールの構成装置。
【請求項２２２】
前記第１制御チャネルが占める時間領域リソースは、前記第１制御チャネルに対応する第１データチャネルが占める時間領域リソースより小さい、
請求項１８５ないし２１７のいずれか一項に記載のリソースプールの構成装置。
【請求項２２３】
前記第１制御チャネルが占める時間領域リソースは、前記第１制御チャネルに対応する第１データチャネルが占める時間領域リソースの１つのサブセットである、
請求項１８５ないし２１７のいずれか一項に記載のリソースプールの構成装置。
【請求項２２４】
前記第１制御チャネルが、１つの時間ユニット内のＡ個の時間領域シンボルを占め、前記第１データチャネルが、前記時間ユニット内のＢ個の時間領域シンボルを占め、前記第１制御チャネルおよび前記第１データチャネルの時間領域リソースが、少なくとも部分的に重複し、
2021529490.tif 000057
Ｃは、１つの時間ユニット内の時間領域シンボルの数である、
請求項１８５ないし２１７のいずれか一項に記載のリソースプールの構成装置。
【請求項２２５】
前記時間ユニットの粒度は、サブフレーム、またはタイムスロット、またはｓＴＴＩ、または固定時間長である、
請求項２２０、２２１または２２４に記載のリソースプールの構成装置。
【請求項２２６】
前記第１構成情報は第１指示情報を含み、前記第１指示情報は、前記第１制御チャネルと前記第１制御チャネルに対応する第１データチャネルの時間領域位置関係を決定するために使用される、
請求項１８５ないし２２５のいずれか一項に記載のリソースプールの構成装置。
【請求項２２７】
当前記第１指示情報が第１時間領域位置関係を指示する場合、前記第１制御チャネルおよび前記第１制御チャネルによってスケジューリングされた第１データチャネルの時間領域リソースが隣接することを示し、
前記第１指示情報が第２時間領域位置関係を指示する場合、前記第１制御チャネルおよび前記第１制御チャネルによってスケジューリングされた第１データチャネルの時間領域リソースが隣接しないことを示す、
請求項２２６に記載のリソースプールの構成装置。
【請求項２２８】
前記第１構成情報は第２指示情報を含み、前記第２指示情報は、前記第１制御チャネルおよび前記第１制御チャネルに対応する第１データチャネルのスケジューリングタイプを決定するために使用される、
請求項１８５ないし２２７のいずれか一項に記載のリソースプールの構成装置。
【請求項２２９】
前記第１指示情報が第１スケジューリングタイプを指示する場合、前記第１制御チャネルは同じ時間ユニット内の前記第１データチャネルをスケジューリングすることを示し、
前記第１指示情報が第２スケジューリングタイプを指示する場合、前記第１制御チャネルは異なる時間ユニット内の前記第１データチャネルをスケジューリングすることを示す、
請求項２２８に記載のリソースプールの構成装置。
【請求項２３０】
前記第１構成情報は第３指示情報を含み、前記第３指示情報は、前記第１リソースプールおよび／または前記第２リソースプールの基本的なパラメータセットを指示する、
請求項１８５ないし２２９のいずれか一項に記載のリソースプールの構成装置。
【請求項２３１】
前記第１構成情報は第４指示情報を含み、前記第４指示情報は、同期ソースタイプ情報を指示する、
請求項１８５ないし２３０のいずれか一項に記載のリソースプールの構成装置。
【請求項２３２】
前記第１構成情報はネットワーク機器によって構成されるか、事前に構成される、
請求項１８５ないし２３１のいずれか一項に記載のリソースプールの構成装置。
【請求項２３３】
前記取得ユニットは、さらに、第２構成情報を取得し、ここで、前記第２構成情報はタイムスロットフォーマットを指示し、第１基準を取得するように構成され、前記第１基準は、アップリンクシンボル、および／または柔軟なシンボル、および／またはダウンリンクシンボルはサイドリンク伝送に使用されることができることを指示し、
前記装置は、さらに、前記第１基準、前記第１構成情報および前記第２構成情報に従って、前記第１リソースプールおよび／または前記第２リソースプールの時間領域リソースを決定するように構成される決定ユニットを備える、
請求項１８５ないし２３２のいずれか一項に記載のリソースプールの構成装置。
【請求項２３４】
前記決定ユニットは、前記第１構成情報に従って、第１リソースプールおよび／または第２リソースプールに含まれた第１時間ユニットを決定し、前記第１基準および前記第２構成情報に従って、前記第１時間ユニットにおいて、サイドリンク伝送に利用可能な時間領域リソースが第１セットであると決定し、前記第１構成情報に従って、前記第１時間ユニットにおいて、前記第１リソースプールおよび／または前記第２リソースプールに利用可能な時間領域リソースが第２セットであることを決定し、前記第１セットおよび前記第２セットの共通部分を前記第１リソースプールおよび／または前記第２リソースプールの時間領域リソースとして使用するように構成される、
請求項２３３に記載のリソースプールの構成装置。
【請求項２３５】
通信機器であって、
プロセッサおよびメモリを備え、当該メモリは、コンピュータプログラムを記憶するように構成され、前記プロセッサは、前記メモリに記憶されたコンピュータプログラムを呼び出して実行して、請求項１ないし２９のいずれか一項に記載の方法、または請求項５９ないし９６のいずれか一項に記載の方法、または請求項１３５ないし１８４のいずれか一項に記載の方法を実行する、前記通信機器。
【請求項２３６】
チップであって、
メモリからコンピュータプログラムを呼び出して実行して、前記チップが実装された機器が、請求項１ないし２９のいずれか一項に記載の方法、または請求項５９ないし９６のいずれか一項に記載の方法、または請求項１３５ないし１８４のいずれか一項に記載の方法を実行するように構成されるプロセッサを備える、前記チップ。
【請求項２３７】
コンピュータ可読記憶媒体であって、
コンピュータプログラムを記憶するために使用され、前記コンピュータプログラムは、コンピュータが請求項１ないし２９のいずれか一項に記載の方法、または請求項５９ないし９６のいずれか一項に記載の方法、または請求項１３５ないし１８４のいずれか一項に記載の方法を実行するようにする、前記コンピュータ可読記憶媒体。
【請求項２３８】
コンピュータプログラム製品であって、
コンピュータプログラム命令を含み、当該コンピュータプログラム命令は、コンピュータが、請求項１ないし２９のいずれか一項に記載の方法、または請求項５９ないし９６のいずれか一項に記載の方法、または請求項１３５ないし１８４のいずれか一項に記載の方法を実行するようにする、前記コンピュータプログラム製品。
【請求項２３９】
コンピュータプログラムであって、
コンピュータが、請求項１ないし２９のいずれか一項に記載の方法、または請求項５９ないし９６のいずれか一項に記載の方法、または請求項１３５ないし１８４のいずれか一項に記載の方法を実行するようにする、前記コンピュータプログラム。
【発明の詳細な説明】
【技術分野】
【０００１】
本願実施例は、モバイル通信の技術分野に関し、具体的に、制御情報の伝送方法およびリソースプールの構成方法、装置、通信機器に関する。
【背景技術】
【０００２】
車両インターネットシステムは、ロングタームエボリューション（ＬＴＥ：Ｌｏｎｇ  Ｔｅｒｍ  Ｅｖｏｌｕｔｉｏｎ）−デバイスツーデバイス（Ｄ２Ｄ：Ｄｅｖｉｃｅ  ｔｏ  Ｄｅｖｉｃｅ）ベースのサイドリンク（ＳＬ：Ｓｉｄｅｌｉｎｋ）伝送技術を使用し、基地局を介して通信データを受信または送信する従来のＬＴＥシステムの方式とは異なって、車両インターネットシステムは、端末間直接に通信する方式を使用するため、スペクトル効率が高く、伝送遅延も低い。
【０００３】
第３世代パートナーシッププロジェクト（３ＧＰＰ：ｔｈｅ  ３ｒｄ  Ｇｅｎｅｒａｔｉｏｎ  Ｐａｒｔｎｅｒｓｈｉｐ  Ｐｒｏｊｅｃｔ）Ｒｅｌ−１４において、車両インターネット技術（Ｖ２Ｘ：Ｖｅｈｉｃｌｅ−ｔｏ−Ｅｖｅｒｙｔｈｉｎｇ）を標準化し、モード３とモード４の２つの伝送モードが定義されている。モード３において、端末の伝送リソースは基地局によって割り当てられる。モード４において、端末はセンシング（ｓｅｎｓｉｎｇ）＋予約（ｒｅｓｅｒｖａｔｉｏｎ）方式を使用して伝送リソースを決定する。
【０００４】
車両インターネットシステムにおいて、サイドリンクによって伝送されたデータは、サイドリンク制御情報（ＳＣＩ：Ｓｉｄｅｌｉｎｋ  Ｃｏｎｔｒｏｌ  Ｉｎｆｏｒｍａｔｉｏｎ）＋データの伝送方式を使用し、ここで、ＳＣＩは、変調およびコーディングスキーム（ＭＣＳ：Ｍｏｄｕｌａｔｉｏｎ  ａｎｄ  Ｃｏｄｉｎｇ  Ｓｃｈｅｍｅ）、時間領域リソース割り当て情報、リソース予約情報など、データ伝送に対応する制御情報を運び、受信端末は、制御情報を検出することにより、データの時間領域リソース位置、および予約情報などを取得し、それにより、リソースが利用可能であるかどうかを判断することができる。端末が制御情報を正常に検出することができない場合、各伝送リソース上のエネルギを測定し、全ての伝送リソースをエネルギレベルに従って配列し、エネルギが低いリソースを優先的に選択して使用する。
【０００５】
ニューラジオ車両インターネット技術（ＮＲ−Ｖ２Ｘ）において、自動運転をサポートする必要があるため、スループットの向上、遅延の短縮、信頼性の向上、カバレッジエリアの増加、リソース割り当ての柔軟性の向上など、車両間のデータインタラクションに対する要件が高くなっている。
【０００６】
ＬＴＥ−Ｖ２Ｘにおけるデータと制御情報のリソース多重方式では、端末が先ず制御情報を検出して、データを検出する必要があると決定し、通常、遅延が大きくなり、例えば、端末は、１ｍｓ内の制御情報を完全に受信してから制御情報を抽出し、その後、対応するデータを検出する必要がある。
【発明の概要】
【発明が解決しようとする課題】
【０００７】
本願実施例は、制御情報の伝送方法およびリソースプールの構成方法、装置、通信機器を提供する。
【課題を解決するための手段】
【０００８】
本願実施例で提供する制御情報の伝送方法は、
第１端末と第２端末との間で第１制御情報を伝送することであって、前記第１制御情報は第１制御チャネルによって搬送され、前記第１制御情報は、第１データチャネルの伝送をスケジューリングするために使用され、前記第１データチャネルは、前記第１端末と前記第２端末との間のデータを伝送するために使用され、前記第１制御チャネルと前記第１データチャネルは、時分割の伝送を実行することを含む。
【０００９】
本願実施例で提供する、第１端末に適用される制御情報の伝送装置は、
第２端末との間で第１制御情報を伝送するように構成される伝送ユニットであって、前記第１制御情報は第１制御チャネルによって搬送され、前記第１制御情報は、第１データチャネルの伝送をスケジューリングするために使用され、前記第１データチャネルは、前記第１端末と前記第２端末との間のデータを伝送するために使用され、前記第１制御チャネルと前記第１データチャネルは、時分割の伝送を実行する伝送ユニットを備える。
【００１０】
本発明の実施例で提供する制御情報の伝送方法は、
第１機器と第２機器の間で第１制御情報を伝送することであって、前記第１制御情報は第２制御チャネルによって搬送され、前記第１制御情報は、第１制御チャネルおよび／または第１データチャネルの伝送をスケジューリングするために使用され、前記第１制御チャネルはサイドリンク制御情報を伝送するために使用され、前記第１データチャネルはサイドリンクデータを伝送するために使用され、前記第１データチャネルおよび前記第１制御チャネルは、時分割の伝送を実行することを含む。
【００１１】
本発明の実施例で提供する、第１機器に適用される制御情報の伝送装置は、
第２機器との間で第１制御情報を伝送するように構成される伝送ユニットであって、前記第１制御情報は第２制御チャネルによって搬送され、前記第１制御情報は、第１制御チャネルおよび／または第１データチャネルの伝送をスケジューリングするために使用され、前記第１制御チャネルはサイドリンク制御情報を伝送するために使用され、前記第１データチャネルはサイドリンクデータを伝送するために使用され、前記第１データチャネルおよび前記第１制御チャネルは、時分割の伝送を実行する伝送ユニットを備える。
【００１２】
本願実施例で提供するリソースの構成方法は、
第１端末が、第１構成情報を取得することであって、前記第１構成情報は、第１リソースプールの時間領域リソースおよび／または周波数領域リソース、および／または、第２リソースプールの時間領域リソースおよび／または周波数領域リソースを決定するために使用されることを含み、
ここで、前記第１リソースプール内のリソースは第１制御チャネルを伝送することができ、前記第１制御チャネルはサイドリンク制御情報を伝送するために使用され、前記第２リソースプール内のリソースは第１データチャネルを伝送することができ、前記第１データチャネルはサイドリンクデータを伝送するために使用される。
【００１３】
本願実施例で提供するリソースプールの構成装置は、
第１構成情報を取得するように構成される取得ユニットであって、前記第１構成情報は、第１リソースプールの時間領域リソースおよび／または周波数領域リソース、および／または、第２リソースプールの時間領域リソースおよび／または周波数領域リソースを決定するために使用される取得ユニットを備え、
ここで、前記第１リソースプール内のリソースは第１制御チャネルを伝送することができ、前記第１制御チャネルはサイドリンク制御情報を伝送するために使用され、前記第２リソースプール内のリソースは第１データチャネルを伝送することができ、前記第１データチャネルはサイドリンクデータを伝送するために使用される。
【００１４】
本願実施例で提供する通信機器は、プロセッサおよびメモリを備える。当該メモリは、コンピュータプログラムを記憶するように構成され、当該プロセッサは、当該メモリに記憶されたコンピュータプログラムを呼び出して実行して、上記の制御情報の伝送方法を実行するように構成される。
【００１５】
本願実施例で提供するチップは、上記の制御情報の伝送方法を実現するために使用される。
【００１６】
具体的に、当該チップは、メモリからコンピュータプログラムを呼び出して実行して、当該チップが実装された機器が、上記の制御情報の伝送方法を実行するようにするプロセッサを備える。
【００１７】
本願実施例で提供するコンピュータ可読記憶媒体は、コンピュータプログラムを記憶するために使用され、当該コンピュータプログラムは、コンピュータが、上記の制御情報の伝送方法を実行するようにする。
【００１８】
本願実施例で提供するコンピュータプログラム製品は、コンピュータプログラム命令を含み、当該コンピュータプログラム命令は、コンピュータが上記の制御情報の伝送方法を実行するようにする。
【００１９】
本願実施例で提供するコンピュータプログラムがコンピュータによって実行されると、前記コンピュータプログラムは、コンピュータが、上記の制御情報の伝送方法を実行するようにする。
【発明の効果】
【００２０】
上記の技術案により、車両インターネットシステムのサイドリンク制御シグナリングに適したフォーマットが設計され、物理サイドリンク共有チャネル（ＰＳＳＣＨ：Ｐｈｙｓｉｃａｌ  Ｓｉｄｅｌｉｎｋ  Ｓｈａｒｅｄ  Ｃｈａｎｎｅｌ）（即ち、第１データチャネル）に対するスケジューリングを実現し、物理サイドリンク制御チャネル（ＰＳＣＣＨ：Ｐｈｙｓｉｃａｌ  Ｓｉｄｅｌｉｎｋ  Ｃｏｎｔｒｏｌ  Ｃｈａｎｎｅｌ）（即ち、第１制御チャネル）とＰＳＳＣＨの時分割の伝送により、遅延を低減させる。
【００２１】
上記の技術案により、車両インターネットシステムのダウンリンク制御シグナリングに適したフォーマットが設計され、ＰＳＣＣＨ（即ち、第１制御チャネル）およびＰＳＳＣＨ（即ち、第１データチャネル）に対するスケジューリングを実現し、ＰＳＣＣＨとＰＳＳＣＨの時分割の伝送により、遅延を低減させる。
【００２２】
上記の技術案により、ＰＳＣＣＨ（即ち、第１制御チャネル）を伝送するリソースプールおよび／またはＰＳＳＣＨ（即ち、第１データチャネル）を伝送するリソースプールが構成され、ここで、ＰＳＣＣＨおよびＰＳＳＣＨのリソースプールは時分割されたものであり、それにより、遅延を低減させるという目的を達成する。
【図面の簡単な説明】
【００２３】
【図１】車両インターネットのモード３のシナリオの概略図である。
【図２】車両インターネットのモード４のシナリオの概略図である。
【図３】制御情報およびデータのリソースの概略図１である。
【図４（ａ）】制御情報およびデータのリソースの概略図２である。
【図４（ｂ）】制御情報およびデータのリソースの概略図３である。
【図５（ａ）】ＰＳＣＣＨおよびＰＳＳＣＨのリソースプールの概略図１である。
【図５（ｂ）】ＰＳＣＣＨおよびＰＳＳＣＨのリソースプールの概略図２である。
【図６（ａ）】本願実施例で提供する制御情報の伝送方法の第１の例示的なフローチャートである。
【図６（ｂ）】本願実施例で提供する制御情報の伝送方法の第２の例示的なフローチャートである。
【図６（ｃ）】本願実施例で提供するリソースの構成方法の例示的なフローチャートである。
【図７（ａ）】本願実施例で提供するリソーススケジューリングの概略図である。
【図７（ｂ）】本願実施例で提供するＰＳＣＣＨのリソースの概略図である。
【図８（ａ）】本願実施例の制御情報の伝送装置の構成の第１の概略的な構造図である。
【図８（ｂ）】本願実施例の制御情報の伝送装置の構成の第２の概略的な構造図である。
【図８（ｃ）】本願実施例のリソースの構成装置の構成の概略的な構造図である。
【図９】本願実施例で提供する通信機器の概略的な構造図である。
【図１０】本願実施例のチップの概略的な構造図である。
【図１１】本願実施例の通信システムの概略的な構造図である。
【発明を実施するための形態】
【００２４】
本願実施例の特徴および技術内容をより詳細に理解するために、以下、図面を参照して本願実施例の具現を詳細に説明し、添付の図面は、例示のみを目的として、本願実施例を限定することを意図するものではない。
【００２５】
本願実施例の技術的解決策への理解を容易にするために、以下、車両インターネットのモード３およびモード４について説明する。
【００２６】
モード３：図１に示されたように、車載端末の伝送リソースは基地局（ＬＴＥの進化型基地局（ｅＮＢ：ｅｖｏｌｖｅｄ  ＮｏｄｅＢ））によって割り当てされ、具体的に、基地局は、ダウンリンク（ＤＬ：Ｄｏｗｎ  Ｌｉｎｋ）を介して、許可（Ｇｒａｎｔ）リソースを指示するための制御メッセージを車載端末に配信し、その後、車載端末は、基地局によって割り当てられたリソースに従って、ＳＬ上でデータ送信を実行する。モード３では、基地局は、車載端末に対して単一の伝送用のリソースを割り当て手もよく、端末に対して半静的伝送用のリソースを割り当ててもよい。
【００２７】
モード４：図２に示されたように、車載端末は、センシング＋予約の伝送方式を使用する。車載端末は、リソースプールにおいてセンシングの方式により利用可能な伝送リソースセットを取得し、車載端末は、当該伝送リソースセットからランダムに１つのリソースを選択してデータ伝送を実行する。車両インターネットワーキングシステムのサービスは周期的な特徴を有するため、車載端末は、通常、準静的な伝送方式を採用し、即ち、車載端末は、１つの伝送リソースを選択した後、複数の伝送周期の中で当該リソースを継続的に使用することにより、リソース再選択およびリソースの競合の確率を低下させる。車載端末は、現在伝送する制御情報に予約次回の伝送リソースを予約する情報を運ぶため、他の端末は、当該車載端末の制御情報を検出することにより、このリソースが当該車載端末によって予約および使用されるかどうかを判断することができ、リソース競合を減らすという目的を達成する。
【００２８】
ＬＴＥ−Ｖ２Ｘでは、それぞれ、モード３を使用して車載端末の伝送リソースが基地局によって割り当てられることを示し、モード４を使用して車載端末の伝送リソースが端末によって独立して選択されることを示すことに留意されたい。ＮＲ−Ｖ２Ｘでは、新しい伝送モードを定義することができ、本願はこれらに対して限定しない。
【００２９】
図３を参照して、ＬＴＥ−Ｖ２Ｘにおいて、データおよびそれに対応する制御情報は周波数分割（ＦＤＭ）され、具体的に、制御情報およびデータのリソースプールは、周波数領域隣接（ａｄｊａｃｅｎｔ）および非隣接（ｎｏｎ−ａｄｊａｃｅｎｔ）方式の２つの構成方式を有し、具体的な関係は、図４（ａ）および図４（ｂ）に示す。
【００３０】
周波数領域隣接方式では、図４（ａ）を参照すると、制御情報およびそれに対応するデータは周波数領域上で隣接し、システム全体の帯域幅はサブバンドを粒度とし、各サブバンドは、複数の連続する物理リソースブロック（ＰＲＢ：Ｐｈｙｓｉｃａｌ  Ｒｅｓｏｕｒｃｅ  Ｂｌｏｃｋ）を含み、各サブバンドの最初のＰＲＢ、２番目のＰＲＢは、利用可能な制御情報リソース（各制御情報は、周波数領域上の隣接する２つのＰＲＢを占める）であり、残りのＰＲＢは、利用可能なデータリソースであり、データリソースと制御リソースは一対一で対応し、データリソースの開始位置は、それに対応する制御リソースによって决定される。データのリソースは１つのサブバンド（ＵＥ１など）を占めることができ、複数のサブバンド（ＵＥ２など）にまたがることができ、データが複数のサブバンドを占める場合、データは複数のサブバンド内で周波数領域が連続し、他のサブバンド内の制御情報リソースを占有することができ、データに対応する制御情報は最初のサブバンド内の制御情報リソースに位置し、図のＵＥ２のデータは２つの隣接するサブバンドを占めるため、それらに対応する制御情報は、最初のサブバンドの制御情報リソース内にある。
【００３１】
周波数領域非隣接方式では、図４（ｂ）を参照すると、制御情報およびそれに対応するデータは周波数領域上で隣接せず、データリソースプールおよび制御リソースプールは独立して構成されるが、データリソースの位置と制御リソースの位置は一対一で対応し、データリソースの開始位置は、制御情報リソースの位置によって决定されることができ、データリソースは１つのサブバンド（ＵＥ１など）を占有してもよく、複数のサブバンド（ＵＥ２など）を占有してもよい。データが複数のサブバンドを占有する場合、データは複数のサブバンド内で周波数領域が連続し、データに対応する制御情報は、最初のサブバンド内の制御情報リソースに位置し、図では、ＵＥ２のデータは２つの隣接するサブバンドを占めるため、それらに対応する制御情報は、最初のサブバンドの制御情報リソース内にある。
【００３２】
図５（ａ）および図５（ｂ）を参照すると、ＮＲ−Ｖ２Ｘにおいて、遅延を低減させるために、ＰＳＣＣＨおよびＰＳＳＣＨを時分割で送信する方式を使用することができる。図５（ａ）では、各サブフレームの最初のｋ（ｋは、１より大きい整数、または１より大きいか等しい整数である）個のシンボルはＰＳＣＣＨ伝送に使用され、当該サブフレーム内の残りのシンボルはＰＳＳＣＨ伝送に使用されることができ、別の可能な実現形態において、各サブフレームの最後のｋ個のシンボルはＰＳＣＣＨ伝送に使用され、当該サブフレーム内の残りのシンボルまたはシンボルの一部はＰＳＳＣＨ伝送に使用されることができる。ＰＳＣＣＨは、当該サブフレーム内のＰＳＳＣＨをスケジューリングしてもよく、他のサブフレーム内のＰＳＳＣＨをスケジューリングしてもよい。図５（ｂ）では、ＰＳＣＣＨおよびＰＳＳＣＨのリソースプールの構造は、既存のＬＴＥ−Ｖ２Ｘにおけるリソースプールの構造と同じであり（図４（ａ）に示されたように）、両者の違いとは、ＰＳＣＣＨが次のサブフレームまたは後続のｐ（ｐは、１より大きい整数、または１より大きいか等しい整数である）番目のサブフレームのＰＳＳＣＨをスケジューリングするために使用されることであり、さらに、ＰＳＣＣＨとそれによってスケジューリングされたＰＳＳＣＨのリソースは一対一の対応関係を有する。当該実施例において、時間領域リソースの粒度は、短い伝送時間間隔（ｓＴＴＩ：ｓｈｏｒｔ  ｔｒａｎｓｍｉｓｓｉｏｎ  ｔｉｍｅ  ｉｎｔｅｒｖａｌ）または時間領域シンボルであってもよく、それにより、遅延を低減されるという目的を達成することができる。
【００３３】
ＰＳＳＣＨ時間領域リソースに対するスケジューリングをどうやって実現するかは、本願実施例によって解決されることができる問題である。本願実施例の全ての技術的解決策は、車両インターネットシステムだけでなく、他の端から端への通信システムにも適用されることができ、本願実施例における前記端末は、車載端末、ハンドヘルド端末、ハンドヘルドコンピュータ（ＰＤＡ：Ｐｅｒｓｏｎａｌ  Ｄｉｇｉｔａｌ  Ａｓｓｉｓｔａｎｔ）、ウェアラブル端末などであってもよく、本願実施例における前記ネットワークはＮＲネットワーク、ＬＴＥネットワークなどであってもよい。
【００３４】
図６（ａ）は、本願実施例で提供する制御情報の伝送方法の第１の例示的なフローチャートであり、図６（ａ）に示されたように、前記制御情報の伝送方法は、次のステップを含む。
【００３５】
ステップ６０１１において、第１端末と第２端末との間で第１制御情報を伝送し、前記第１制御情報は第１制御チャネルによって搬送され、前記第１制御情報は、第１データチャネルの伝送をスケジューリングするために使用され、前記第１データチャネルは、前記第１端末と前記第２端末との間のデータを伝送するために使用され、ここで、前記第１制御チャネルと前記第１データチャネルは、時分割の伝送を実行する。
【００３６】
本願実施例では、前記第１端末と第２端末との間で第１制御情報を伝送することは、１）前記第１端末が、前記第２端末によって送信された第１制御情報を受信すること、または、２）前記第１端末が、第１制御情報を前記第２端末に送信することの２つの実現形態を有することができる。
【００３７】
一実施形態において、第１端末と第２端末間のリンクをサイドリンクと呼び、第１端末と第２端末間で伝送される第１制御情報をサイドリンク制御情報と呼び、当該サイドリンク制御情報は、対応するデータチャネル（即ち、第１データチャネル）の伝送をスケジューリングするために使用される。ここで、第１データチャネルは、前記第１端末と前記第２端末との間のデータを伝送するために使用される。
【００３８】
一実施形態において、前記第１制御チャネルをＰＳＣＣＨと呼び、前記第１データチャネルをＰＳＳＣＨと呼び、前記第１制御チャネルと前記第１データチャネルは、時分割で伝送され、このように、遅延を低減させることができる。前記第１制御チャネルと前記第１データチャネルが時分割の伝送を実行する場合、第１制御情報が第１データチャネルの伝送をどうやってスケジューリングするかは、以下のＳＣＩフォーマットによって実現することができる。
【００３９】
本願実施例では、前記第１制御情報は、前記第１データチャネルの周波数領域リソース情報および／または前記第１データチャネルの時間領域リソース情報を含む。
【００４０】
１）第１データチャネルの周波数領域リソース情報の場合、次の方式によって実現されることができる。
【００４１】
方式１として、前記第１制御情報は第１ビットマップを含み、前記第１ビットマップは、前記第１データチャネルの周波数領域リソースを決定するために使用され、前記第１ビットマップにおける各ビットは、システムにおける１つの周波数領域ユニットに対応し、前記第１ビットマップにおける各ビットの値を介して、当該ビットに対応する周波数領域ユニットが前記第１データチャネルを伝送するために使用されるかどうかを決定し、ここで、前記第１ビットマップ内の任意の第１ビットにとって、前記第１ビットの値が第１値である場合、前記第１ビットに対応する周波数領域ユニットは、前記第１データチャネルの伝送に使用され、前記第１ビットの値が第２値である場合、前記第１ビットに対応する周波数領域ユニットは前記第１データチャネルの伝送に使用されない。
【００４２】
ここで、前記周波数領域ユニットの粒度は、ＰＲＢ、またはリソースブロックグループ（ＲＢＧ：Ｒｅｓｏｕｒｃｅ  Ｂｌｏｃｋ  Ｇｒｏｕｐ）、またはサブバンドである。ここで、前記周波数領域ユニットの粒度がＲＢＧまたはサブバンドである場合、前記ＲＢＧまたはサブバンドは、連続するＫ個のＰＲＢを含む。
【００４３】
例を挙げると、システム帯域幅が２０ＭＨｚであり、合計１００個のＰＲＢを有し、周波数領域ユニットの粒度がサブバンドであり、各サブバンドが５つのＰＲＢを含み、第１ビットマップには２０個のビットが含まれ、当該２０個のサブバンドにそれぞれ対応し、第１ビットマップの特定のビットの値が１である場合、当該ビットに対応するサブバンドがＰＳＳＣＨの伝送に使用されることを示し、第１ビットマップの特定のビットの値が０である場合、当該ビットに対応するサブバンドがＰＳＳＣＨの伝送に使用されないことを示し、ＰＳＳＣＨ伝送に使用されるサブバンドは、周波数領域で連続している場合、または周波数領域で連続してない場合がある。
【００４４】
方式２として、前記第１制御情報は第１パラメータを含み、前記第１パラメータは、前記第１データチャネルの周波数領域リソースの開始位置および／または長さを決定するために使用される。ここで、前記周波数領域リソースは、連続して割り当てられる。
【００４５】
一実施形態において、前記第１制御チャネルおよび前記第１データチャネルの周波数領域開始位置が同じである場合、または前記第１制御チャネルおよび前記第１データチャネルの周波数領域開始位置が一対一の対応関係を有する場合、前記第１パラメータは、前記第１データチャネルに対応する周波数領域リソースの長さを決定するために使用される。別の実施形態において、前記第１制御情報および前記第１データチャネルの周波数領域終了位置が同じである場合、前記第１パラメータは、前記第１データチャネルに対応する周波数領域リソースの長さを決定するために使用される。例えば、ＳＣＩが搬送されたＰＳＣＣＨおよびそれに対応するＰＳＳＣＨの周波数領域開始位置が同じである場合、ＰＳＣＣＨの周波数領域開始位置に基づいて、ＰＳＳＣＨの周波数領域開始位置を決定することができ、第１パラメータを介して、ＰＳＳＣＨの周波数領域リソースの長さを示すことができる。
【００４６】
一実施形態において、前記第１制御情報が複数のデータチャネルの伝送をスケジューリングする場合、前記複数のデータチャネルは、少なくとも、前記第１データチャネルおよび第２データチャネルを含み、前記第１パラメータは、前記複数のデータチャネルに対応する周波数領域リソースの長さおよび前記第２データチャネルに対応する周波数領域リソースの開始位置を決定するために使用される。本実施例において、前記第１データチャネルの周波数領域リソース開始位置および前記第１制御チャネルの周波数領域リソース開始位置が一対一の対応関係を有する場合、前記第１制御チャネルの周波数領域リソース開始位置を介して、前記第１データチャネルの周波数領域リソース開始位置を決定することができ、前記第１データチャネルの周波数領域リソース開始位置および前記第１制御チャネルの周波数領域リソース開始位置が一対一の対応関係を有しない場合、前記第１制御情報は、前記第１データチャネルの周波数領域リソース開始位置を指示する別のパラメータを含む。例を挙げると、ＳＣＩがＰＳＳＣＨの伝送を２回（１回は初期伝送であり、１回は再伝送である）スケジューリングする場合、前記第１パラメータは、ＰＳＳＣＨの周波数領域リソースの長さおよび別のＰＳＳＣＨ伝送の開始位置を示す。最初のＰＳＳＣＨ伝送に対応するＳＣＩの場合、前記第１パラメータは、ＰＳＳＣＨの周波数領域長さおよび２回目のＰＳＳＣＨ伝送の周波数領域開始位置を示し、２回目のＰＳＳＣＨ伝送に対応するＳＣＩの場合、前記第１パラメータは、ＰＳＳＣＨの周波数領域長さおよび１回目のＰＳＳＣＨ伝送の周波数領域開始位置を示す。さらに例を挙げると、ＳＣＩがＰＳＳＣＨの伝送を４回（１回は初期伝送であり、３回は再伝送である）スケジューリングする場合、前記第１パラメータは、４回の伝送の周波数領域開始位置、および周波数領域リソースの長さを含む。４回の伝送の周波数領域リソースの長さが同じである場合、前記第１パラメータは、１つの周波数領域リソースの長さのみを指示する必要があり、そうでない場合、４回の伝送の周波数領域リソースの長さをそれぞれ支持する必要がある。ＰＳＳＣＨの周波数領域リソースの開始位置がＳＣＩを搬送するＰＳＣＣＨの周波数領域リソース位置によって決定されることができる場合（例えば、４回のＰＳＳＣＨ伝送の周波数領域開始位置が同じであり、最初のＰＳＳＣＨ伝送の周波数領域開始位置とそれに対応するＰＳＣＣＨの周波数領域開始位置は一対一の対応関係を有する）、前記第１パラメータは、４回の伝送の周波数領域開始位置を含まなくてもよい。４回の伝送の周波数領域開始位置が同じであり、または４回の伝送が周波数ポッピング方式（即ち、最初の伝送の周波数領域開始位置および周波数ポッピング基準を介して後続の３回の伝送の周波数領域開始位置を決定することができる）を使用する場合、前記第１パラメータは、１つの周波数領域開始位置のみを含み得る。
【００４７】
一実施例において、前記第１パラメータは、前記第１データチャネル周波数領域リソースの開始位置および長さによって決定される。例を挙げると、前記第１パラメータはリソース指示値（ＲＩＶ：Ｒｅｓｏｕｒｃｅ  ｉｎｄｉｃａｔｉｏｎ  ｖａｌｕｅ）であり、当該値は、ＰＳＳＣＨ周波数領域リソースの開始ＰＲＢインデックス（ｎ＿ＰＲＢ＿ｓｔａｒｔ）および連続して割り当てられたＰＲＢの数（Ｌ＿ＰＲＢ）に対応し、ＲＩＶの値は次の式によって決定される。
【数１】
2021529490.tif 000003
【００４８】
ここで、Ｎ＿ＰＲＢはリソースプール内のＰＲＢの総数を示す。本実施例において、Ｎ＿ＰＲＢは、帯域幅部分内のＰＲＢの総数、または１つのキャリア内のＰＲＢの総数を示すこともでき、本実施例は、これらに対して限定しない。本実施例において、周波数領域リソースの粒度は、ＲＢＧまたはサブバンドであってもよく、本実施例は、これらに対して限定しない。
【００４９】
方式３として、前記第１制御情報は第１インデックス情報を含み、前記第１インデックス情報は、第１構成情報内で前記第１インデックス情報に対応する第１周波数領域リソースを決定するために使用され、前記第１構成情報は、少なくとも１つのインデックス情報と周波数領域リソースの対応関係を含む。ここで、前記第１構成情報は、事前に構成され、またはネットワークによって構成され、前記第１構成情報がネットワークによって構成された場合、ネットワークは、ＲＲＣシグナリング、またはブロードキャスト情報、またはダウンリンク制御シグナリングを介して前記第１構成情報を送信する。
【００５０】
例を挙げると、ＳＣＩは、１つのテーブル内の１つのインデックスを含み、当該テーブル内の各インデックスは、長さおよび開始位置によって決定された周波数領域リソース、または１つまたは複数の周波数領域ユニットインデックスによって決定された周波数領域リソース、または１つのビットビットマップによって決定された周波数領域リソース、または他の方式によって決定された周波数領域リソースなど、割り当てられた周波数領域リソースに対応する。このように、ＳＣＩに含まれたインデックスに従って、１つの周波数領域リソースに対応することができる。
【００５１】
２）第１データチャネルの周波数領域リソースの場合、前記第１制御情報は、第１指示情報をさらに含み、前記第１指示情報は、前記第１データチャネルの周波数領域リソース割り当てタイプを指示する。
【００５２】
一実施形態において、前記第１指示情報は、前記第１制御情報のＮ（Ｎは１より大きいか等しい整数である）ビットで示され、前記Ｎビットの異なる値は、異なる周波数領域リソース割り当てタイプに対応する。例を挙げると、１ビットを介して第１指示情報を示し、当該ビットの値が１である場合、前記第１データチャネルの周波数領域リソース割り当てタイプがｔｙｐｅ０であることを示し、当該ビットの値が０である場合、前記第１データチャネルの周波数領域リソース割り当てタイプがｔｙｐｅ１であることを示し、ここで、ｔｙｐｅ０は、周波数領域リソースが離散的であることを示し、ｔｙｐｅ１は、周波数領域リソースが連続的であることを示す。周波数領域リソース割り当てタイプの数がより多い場合、より多くのビットを使用して前記第１指示情報を示すことができる。
【００５３】
３）第１データチャネルの時間領域リソース情報の場合、次の方式によって実現されることができる。
【００５４】
方式１として、前記第１データチャネルの時間領域リソース情報は、時間領域開始位置情報および／または時間領域の長さ情報を含み、ここで、前記時間領域開始位置情報は、前記第１制御情報における第１指示フィールドによって決定され、前記時間領域の長さ情報は、前記第１制御情報における第２指示フィールドによって決定される。
【００５５】
ここで、前記第１データチャネルおよび前記第１制御チャネルの時間領域リソースが連続的であり、または前記第１データチャネルおよび前記第１制御チャネルの時間領域リソースが対応関係を有する場合、前記第１制御チャネルの時間領域開始位置に基づいて、前記第１データチャネルの時間領域開始位置を決定することができ、このように、前記第１データチャネルの時間領域開始位置は、前記第１制御情報における前記第１指示フィールドによって決定される必要がない。前記第１データチャネルおよび前記第１制御チャネルの時間領域リソースが非連続的であり、且つ前記第１データチャネルおよび前記第１制御チャネルの時間領域リソースが対応関係を有さない場合、前記第１データチャネルの時間領域開始位置は、前記第１制御情報における前記第１指示フィールドによって決定される必要がある。
【００５６】
ここで、前記時間領域開始位置情報が、前記第１制御情報における第１指示フィールドによって決定されることは、次の方式によって実現することができる。
【００５７】
ａ）前記第１指示フィールドは時間オフセット情報を含み、前記時間オフセット情報は、前記第１制御チャネルの時間領域リソースに対する前記第１データチャネルの時間領域リソースの時間オフセット量を決定するために使用される。
【００５８】
ここで、前記時間ユニットの粒度は、時間領域シンボル、またはサブフレーム、またはタイムスロット、またはｓＴＴＩ、または固定時間長であり、前記時間オフセット量の粒度は、時間領域シンボル、またはサブフレーム、またはタイムスロット、またはｓＴＴＩ、または固定時間長である。これらに限定されずに、前記時間ユニットまたは前記時間オフセット量の粒度は、時間長を表す他の量であってもよい。
【００５９】
前記時間オフセット情報および前記第１制御チャネルの時間領域リソースを介して、前記第１データチャネルの時間領域リソースを決定することができる。ここで、前記時間領域リソースは、時間領域開始位置および／または時間長（即ち、占有した時間ユニットの数）を含む。
【００６０】
例を挙げると、図７（ａ）を参照すると、ＰＳＣＣＨおよびそれによってスケジューリングされたＰＳＳＣＨが同一のサブフレームにいない場合、各サブフレームの最初の３つのシンボルはＰＳＣＣＨリソースであり、残りのシンボルはＰＳＳＣＨリソースであるため、ＰＳＣＣＨに対するＰＳＳＣＨのサブフレームオフセット量をＳＣＩで運ぶことができ、それにより、検出されたＰＳＣＣＨが位置するサブフレーム、およびそれによって運ばれるサブフレームオフセット量に従って、ＰＳＳＣＨのサブフレーム位置を位置することができ、ＰＳＳＣＨサブフレームでは、最初の３つのシンボルは候補ＰＳＣＣＨリソースであるため、ＰＳＳＣＨは、４番目のシンボルから始め、それにより、ＰＳＳＣＨの具体的な開始サブフレームおよび開始シンボル位置を決定することができる。例示的に、１つのサブフレーム内で、ＰＳＳＣＨの開始位置が固定されていない場合、前記時間オフセット情報は、サブフレーム内の前記ＰＳＳＣＨの時間領域シンボルのオフセット情報またはインデックス情報をさらに含む。ＰＳＣＣＨに運ばれるサブフレームオフセット量、および当該サブフレーム内の時間領域シンボルのオフセット情報またはインデックス情報を組み合わせて、ＰＳＳＣＨの時間領域開始位置を決定することができる。
【００６１】
ｂ）前記第１指示フィールドは、時間インデックス情報を含み、前記時間インデックス情報は、前記第１データチャネルの時間領域開始位置を決定するために使用される。
【００６２】
例を挙げると、時間インデックス情報は、１つの無線フレーム内のサブフレーム番号、または１つの無線フレーム周期内のサブフレーム番号などであってもよく、時間インデックス情報を介して、第１データチャネルの時間領域開始位置を直接に決定することができる。例えば、図７（ａ）を参照すると、ＰＳＣＣＨおよびそれによってスケジューリングされたＰＳＳＣＨが同一のサブフレームにいない場合、各サブフレーム内の最初の３つのシンボルはＰＳＣＣＨリソースであり、残りのシンボルはＰＳＳＣＨリソースであるため、１つの無線フレーム内のＰＳＳＣＨのサブフレーム番号をＳＣＩで運ぶことができ、１つの無線フレームは１０個のサブフレームを含むため、サブフレーム番号範囲は［０，９］である。ＳＣＩに運ばれるサブフレーム番号が７である場合、当該ＳＣＩは、１つの無線フレーム内のサブフレーム７のＰＳＳＣＨをスケジューリングするために使用され、サブフレーム７では、最初の３つのシンボルが候補ＰＳＣＣＨリソースであるため、ＰＳＳＣＨは、４番目のシンボルから始め、それにより、ＰＳＳＣＨの具体的な開始サブフレームおよび開始シンボル位置を決定することができる。さらに、端末の処理遅延を考慮すると、端末がサブフレーム６でＳＣＩを受信し、処理遅延が２ｍｓであり、ＳＣＩに運ばれたサブフレーム番号が７である場合、端末はサブフレーム８でＳＣＩを正常に検出し、次の無線フレーム内のサブフレーム７のＰＳＳＣＨをスケジューリングする。
【００６３】
一実施形態において、前記第１制御情報は、複数の第１データチャネルをスケジューリングするために使用され、前記第１指示フィールドは、複数の時間オフセット情報または複数の時間インデックス情報を含む。前記複数の第１データチャネルの時間領域リソースは、前記複数の時間オフセット情報または複数の時間インデックス情報によって決定されることができる。例えば、前記第１制御情報は、２つの第１データチャネルをスケジューリングし、前記第１指示フィールドは、２つの時間オフセット情報を含み、前記最初の時間オフセット情報は、最初の第１データチャネルの時間領域リソースを決定するために使用され、前記２番目の時間オフセット情報は、２番目の第１データチャネルの時間領域リソースを決定するために使用される。前記時間オフセット情報は、前記第１制御チャネル、または無線フレーム内の時間領域開始位置、または無線フレーム周期内の時間領域開始位置に対するものである。
【００６４】
前記第１データチャネルの時間領域リソースの場合、前記第１データチャネルの時間領域リソースは、１つの時間ユニットまたは連続する複数の時間ユニットを占め、ここで、前記第１データチャネルの時間領域の長さ情報が、前記第１制御情報における第２指示フィールドによって決定されることは、次の方式によって実現されることができる。
【００６５】
ａ）前記第２指示フィールドは、前記第１データチャネルの時間領域リソースが占める時間ユニットおよび／または時間領域シンボルの数を決定するために使用される。
【００６６】
ここで、前記時間ユニットの粒度は、時間領域シンボル、またはサブフレーム、またはタイムスロット、またはｓＴＴＩ、または固定時間長である。これらに限定されず、前記時間ユニットの粒度は、時間長を表す他の量であってもよい。
【００６７】
例を挙げると、図５では、１つのサブフレームは、１４個のシンボルを含み、ＰＳＣＣＨはサブフレームの最初の４つのシンボルを占め、当該サブフレーム内の残りのシンボルはＰＳＳＣＨ伝送に使用されることができ、ＰＳＳＣＨは、１つまたは複数のサブフレームを占めることができるため、前記第２指示フィールドは、ＰＳＳＣＨが占めるサブフレームの数を指示することができ、または前記第２指示フィールドは、ＰＳＳＣＨが占めるシンボルの数を指示することができる。例えば、時間ユニットの粒度がサブフレームである場合、ＰＳＣＣＨおよび対応するＰＳＳＣＨの時間領域リソースが連続していて、前記第２指示フィールドが、当該ＰＳＳＣＨが２つの時間ユニットを占有することを示している場合、当該ＳＣＩによってスケジューリングされたＰＳＳＣＨは、当該ＳＣＩが位置するサブフレームおよび次の隣接するサブフレームを占める。
【００６８】
一実施形態において、前記第１データチャネルの時間領域リソースが、連続する複数の時間ユニットを占める場合、前記複数の時間ユニットは、第１時間ユニットおよび少なくとも１つの第２時間ユニットを含み、前記第２時間ユニット内に制御チャネルリソースが含まれた場合、前記第１データチャネルの時間領域リソースは、前記第２時間ユニットの前記制御チャネルリソースを占める。例を挙げると、ＰＳＳＣＨが、連続する複数の時間ユニットを占有する場合、当該ＰＳＳＣＨは、最初の時間ユニット以外の他の時間ユニットのＰＳＣＣＨリソースを占める。図５に示されたように、３番目のサブフレームによってスケジューリングされたＰＳＳＣＨが２つのサブフレームを占有する場合、当該ＰＳＳＣＨは、４番目のサブフレームのＰＳＣＣＨリソースを占める。
【００６９】
一実施形態において、前記第１制御チャネルは、前記第１データチャネルが位置する時間ユニットを指示し、当該時間ユニット内の前記第１データチャネルの時間領域リソースは、事前に構成され、またはネットワークによって構成されることにより決定されることができる。例えば、データチャネルのリソースプールを事前に構成し、またはネットワークを介して構成するが、前記リソースプール構成情報は、各サブフレーム内で、データチャネルの時間領域リソースが５番目の時間領域シンボルから始めた当該サブフレーム内の全ての時間領域シンボルであることを指示し、第１制御チャネルを介して第１データチャネルのサブフレームを決定することができ、リソースプール構成情報を組み合わせて、当該サブフレームにおける第１データチャネルの時間領域リソースを決定することができる。
【００７０】
方式２として、前記第１データチャネルの時間領域リソース情報は、時間領域開始位置情報および／または時間領域の長さ情報を含み、ここで、前記時間領域開始位置情報および／または前記時間領域の長さ情報は、前記第１制御情報における第３指示フィールドによって決定される。
【００７１】
ここで、前記時間領域開始位置情報および／または前記時間領域の長さ情報が、前記第１制御情報における第３指示フィールドによって決定されることは、次の方式によって実現することができる。
【００７２】
ａ）前記第１制御情報における第３指示フィールドは第２パラメータを含み、前記第２パラメータは、前記第１データチャネルの時間領域開始位置および時間領域の長さを決定するために使用される。
【００７３】
ここで、前記第２パラメータは、前記第１データチャネルの時間領域開始位置および時間領域の長さによって計算および取得されることができ、異なる時間領域開始位置および時間領域の長さによって計算および取得された第２パラメータは異なり、第２パラメータに従って、前記第１データチャネルの時間領域開始位置および時間領域の長さに対応することができる。
【００７４】
ｂ）前記第１制御情報における第３指示フィールドは第２ビットマップを含み、前記第２ビットマップにおける各ビットは１つの時間ユニットに対応し、前記第２ビットマップにおける各ビットの値を介して、当該ビットに対応する時間ユニットが前記第１データチャネルの伝送に使用されるかどうかを決定し、ここで、前記第２ビットマップ内の任意の第２ビットにとって、前記第２ビットの値が第１値である場合、前記第２ビットに対応する時間ユニットは前記第１データチャネルの伝送に使用され、前記第２ビットの値が第２値である場合、前記第２ビットに対応する時間ユニットは前記第１データチャネルの伝送に使用されない。
【００７５】
ここで、前記時間ユニットの粒度は、時間領域シンボル、またはサブフレーム、またはタイムスロット、またはｓＴＴＩ、または固定時間長である。これらに限定されず、前記時間ユニットの粒度は、時間長を表す他の量であってもよい。
【００７６】
例を挙げると、第２ビットマップの特定のビットの値が１である場合、当該ビットに対応する時間領域ユニットがＰＳＳＣＨの伝送に使用されることを示し、第２ビットマップの特定のビットの値が０である場合、当該ビットに対応する時間領域ユニットがＰＳＳＣＨの伝送に使用されないことを示す。
【００７７】
ｃ）前記第１制御情報における第３指示フィールドは第２インデックス情報を含み、前記第２インデックス情報は、第２構成情報内で前記第２インデックス情報に対応する第１時間領域リソースを決定するために使用され、前記第２構成情報は、少なくとも１つのインデックス情報と時間領域リソースの対応関係を含む。ここで、前記第２構成情報は、事前に構成され、またはネットワークによって構成され、前記第２構成情報がネットワークによって構成された場合、ネットワークは、ＲＲＣシグナリング、またはブロードキャスト情報、またはダウンリンク制御シグナリングを介して前記第２構成情報を送信する。
【００７８】
例を挙げると、ＳＣＩは、１つのテーブル内の１つのインデックスを含み、当該テーブル内の各インデックスは、時間領域リソースの長さおよび開始位置によって決定された時間領域リソース、または１つまたは複数の時間ユニットインデックスによって決定された時間領域リソース、または１つのビットビットマップによって決定された時間領域リソース、または他の方式によって決定された時間領域リソースなど、割り当てられた時間領域リソースに対応する。このように、ＳＣＩに含まれたインデックスに従って、１つの時間領域リソースに対応することができる。
【００７９】
上記の実施形態は、単独して使用してもよく、組み合わせて使用してもよいことを理解されたい。例えば、第１制御チャネルは、第１指示フィールドおよび第３指示フィールドを含み、ここで、第１指示フィールドは、第１データチャネルが位置するサブフレームを決定するための時間インデックス情報を含み、第３指示フィールドは第２パラメータを含み、前記第２パラメータは、当該サブフレームにおける第１データチャネルの時間領域シンボルの開始位置および占める時間領域シンボルの数を決定するために使用され、第１指示フィールドおよび第３指示フィールドを組み合わせて、前記第１データチャネルのサブフレーム位置、および当該サブフレーム内の占める時間領域シンボルの開始位置および時間領域シンボルの数情報を決定することができる。
【００８０】
本願実施例の上記の技術案では、スケジューリングされた第１データチャネルの伝送リソース上で端末によって使用可能なＰＲＢの数は２、３、５の倍数である。
【００８１】
本願実施例の上記の技術案では、前記第１データチャネルが占める最後の時間ユニットの最後の時間領域シンボルは、データを伝送するために使用することではなく、ガード間隔（ＧＰ）として使用される。
【００８２】
ここで、前記第１データチャネルが、連続する時間ユニットを占める場合、最後の時間ユニットの最後のシンボルはデータを伝送するために使用されない、前記第１データチャネルが、連続しない時間ユニットを占める場合、各時間ユニットの最後のシンボルはデータを伝送するために使用されない。
【００８３】
本願実施例の上記の技術案では、前記第１データチャネルおよび前記第１制御チャネルが時分割の伝送を実行することは、次の３つの実現形態を有することができる。
【００８４】
ａ）前記第１データチャネルおよび前記第１制御チャネルが、１つの時間ユニットで時分割の伝送を実行することを含み、前記第１制御チャネルは、前記時間ユニット内のＡ個の時間領域シンボルを占め、前記第１データチャネルは、前記時間ユニット内のＢ個の時間領域シンボルを占め、前記第１制御チャネルおよび前記第１データチャネルの時間領域リソースは重複せず、
2021529490.tif 000004
Ｃは、１つの時間ユニット内の時間領域シンボルの数であり、前記時間ユニットの粒度は、タイムスロット、サブフレーム、ｓＴＴＩまたは他の固定時間長である。
【００８５】
例を挙げると、図５（ａ）に示されたように、１つの時間ユニットは、Ｃ＝１４個の時間領域シンボルを含み、第１データチャネルと第１制御チャネルは、同一の時間ユニットを占め、ここで、第１制御チャネルは、当該時間ユニットの最初から２番目の時間領域シンボルを占め、第１データチャネルは、当該時間ユニットの３番目から１４番目の時間領域シンボルを占める。第１データチャネルと第１制御チャネルの時間領域リソースが重複しない場合、連続する時間領域シンボルを占めてもよく、連続しない時間領域シンボルを占めてもよいことに留意されたい。例えば、第１制御チャネルは、当該時間ユニットの最初から２番目の時間領域シンボルを占め、第１データチャネルは、当該時間ユニットの３番目から１４番目の時間領域シンボルを占める。
【００８６】
ｂ）前記第１データチャネルは第１時間ユニット内で伝送し、前記第１制御チャネルは第２時間ユニット内で伝送し、ここで、前記第１制御チャネルは、前記第１時間ユニット内のＡ個の時間領域シンボルを占め、前記第１データチャネルは、前記第２時間ユニット内のＢ個の時間領域シンボルを占め、
2021529490.tif 000005
Ｃは、１つの時間ユニット内の時間領域シンボルの数であり、前記時間ユニットの粒度は、タイムスロット、サブフレーム、ｓＴＴＩまたは他の固定時間長である。
【００８７】
例を挙げると、図７（ａ）に示されたように、１つの時間ユニットは、Ｃ＝１４個の時間領域シンボルを含み、第１データチャネルと第１制御チャネルは、異なる時間ユニットを占め、ここで、第１制御チャネルは、第１時間ユニットの１番目から２番目の時間領域シンボルを占め、第１データチャネルは、第２時間ユニットの３番目から１４番目の時間領域シンボルを占める。第１データチャネルおよび第１制御チャネルは、連続する時間領域シンボルを占めてもよく、連続しない時間領域シンボルを占めてもよいことに留意されたい。
【００８８】
さらに例を挙げると、図５（ｂ）に示されたように、１つの時間ユニットは、Ｃ＝１４個の時間領域シンボルを含み、第１データチャネルと第１制御チャネルは、異なる時間ユニットを占め、ここで、第１制御チャネルは、第１時間ユニットの全ての時間領域シンボルを占め、第１データチャネルは、第２時間ユニットの全ての時間領域シンボルを占める。
【００８９】
ｃ）前記第１データチャネルおよび前記第１制御チャネルは、部分的な時分割の伝送を実行する。前記第１データチャネルおよび前記第１制御チャネルが、部分的な時分割の伝送を実行することは、前記第１制御チャネルが占める時間領域リソースが、前記第１データチャネルが占める時間領域リソースと少なくとも部分的に重複することを含む。
【００９０】
例を挙げると、Ｅが制御チャネルを表し、Ｆがデータチャネルを表し、ＥおよびＦの時間領域リソースが少なくとも部分的に重複すると仮定する。さらに、ＥおよびＦの開始時間領域位置は同じであってもよく、またはＥの開始位置はＦの後に位置し、またはＥの開始位置はＦの前に位置する。
【００９１】
ここで、ＥおよびＦの時間領域リソースが少なくとも部分的に重複することは、次の場合がある。１）Ｅの時間領域リソースはＦの時間領域リソースのサブセットであり、または、２）Ｅの時間領域リソースおよびＦの時間領域リソースは部分的に重複し、即ち、Ｅの時間領域リソースの一部はＦと重複せず、Ｅの時間領域リソース別の部分はＦと重複する。
【００９２】
上記のｃ）において、前記第１制御チャネルが、１つの時間ユニット内のＡ個の時間領域シンボルを占め、前記第１データチャネルが、前記時間ユニット内のＢ個の時間領域シンボルを占め、前記第１制御チャネルおよび前記第１データチャネルの時間領域リソースが、少なくとも部分的に重複し、
2021529490.tif 000006
Ｃは、１つの時間ユニット内の時間領域シンボルの数である。
【００９３】
さらに、本願実施例の前記第１制御情報は、
前記第１データチャネルの伝送回数を決定するための第２指示情報、
前記第１データチャネルの冗長バージョン情報、
前記第１データチャネルによって使用されるコードブック情報、
シングルアンテナポート伝送、送信ダイバーシティ、ビームフォーミングなど、前記第１データチャネルによって使用される伝送案情報、
前記第１データチャネルによって使用される復調基準信号（ＤＭＲＳ：Ｄｅｍｏｄｕｌａｔｉｏｎ  Ｒｅｆｅｒｅｎｃｅ  Ｓｉｇｎａｌ）パターン情報、
前記第１データチャネルの電力情報、
前記第１データチャネルと前記第１制御チャネルとの電力差情報、
前記第１データチャネルを伝送するためのキャリア情報を決定するためのキャリア指示情報（ＣＩＦ：Ｃａｒｒｉｅｒ  Ｉｎｄｉｃａｔｏｒ  Ｆｉｅｌｄ）、
前記第１データチャネルを伝送するＢＷＰ帯域幅部分（ＢＷＰ：Ｂａｎｄ  Ｗｉｄｔｈ  Ｐａｒｔ）情報を決定の帯域幅部分指示情報であって、１つのキャリアが複数のＢＷＰの構成をサポートする場合、ＢＷＰをまたがってスケジューリングする場合がある可能性があるため、前記帯域幅部分指示情報は、現在のＳＣＩによってスケジューリングされたＢＷＰの情報を指示する帯域幅部分指示情報、
フィードバックチャネルの時間領域リソースおよび／または周波数領域リソース、またはフィードバック情報と現在のＰＳＳＣＨチャネルの最大の遅延など、フィードバックチャネルの伝送リソースを決定するための第３指示情報、
前記第１データチャネルの伝送方式を決定するための第４指示情報、
前記第１データチャネルが周波数ポッピング伝送を使用したかどうかを決定するための第５指示情報、
前記第１データチャネルによって使用される変調およびコーディングスキーム（ＭＣＳ：Ｍｏｄｕｌａｔｉｏｎ  ａｎｄ  Ｃｏｄｉｎｇ  Ｓｃｈｅｍｅ）を指示するための第６指示情報、
前記第１制御チャネルおよび前記第１データチャネルの時間領域リソースが重複したかどうかを決定するための第７指示情報のうちの少なくとも１つをさらに含む。
【００９４】
一実施例において、前記第１制御情報は、最初の伝送および再伝送を含む複数のＰＳＳＣＨ伝送をスケジューリングすることができ、ＳＣＩは、当該ＳＣＩによってスケジューリングされたＰＳＳＣＨ伝送の回数を指示するための第２指示情報を含む。さらに、ＳＣＩでは、現在スケジューリングされたＰＳＳＣＨの冗長バージョンを指示する、冗長バージョン情報を運ぶことができる。ＰＳＳＣＨの複数回の伝送をサポートする場合、毎回伝送に対応する冗長バージョン番号は、事前に定義され、またはネットワークによって構成されることができ、したがって、ＳＣＩに運ばれた冗長バージョン情報を介して、現在実行されているＰＳＳＣＨ伝送の回数を決定することができ、それにより、受信側で組み合わせることができる。別の実施例において、現在実行されている伝送が複数回のうちの何回目であるかをＳＣＩで運ぶことができる。
【００９５】
一実施例において、様々な候補伝送方式からＰＳＳＣＨ用の伝送を選択することができ、前記伝送方式は、シングルアンテナポート伝送、送信ダイバーシティ、ビームフォーミング、および他の可能なマルチアンテナ伝送方式を含む。ＳＣＩでは、当該ＳＣＩによってスケジューリングされたＰＳＳＣＨが使用する伝送方式を指示する、伝送案情報を運ぶ。さらに、送信ダイバーシティは、空間周波数ブロックコーディング（ＳＦＢＣ：Ｓｐａｃｅ  Ｆｒｅｑｕｅｎｃｙ  Ｂｌｏｃｋ  Ｃｏｄｉｎｇ）、空間時分割ブロックコーディング（ＳＴＢＣ：Ｓｐａｃｅ  Ｔｉｍｅ  Ｂｌｏｃｋ  Ｃｏｄｉｎｇ）、巡回遅延ダイバーシティ（ＣＤＤ：Ｃｙｃｌｉｃ  Ｄｅｌａｙ  Ｄｉｖｅｒｓｉｔｙ）などを含み得る。さらに、当該伝送方式におけるコードブック情報をＳＣＩで運ぶことができる。
【００９６】
一実施例において、ＰＳＳＣＨは、様々なＤＭＲＳパターンをサポートすることができ、ＳＣＩによって運ばれる指示情報を介して、当該ＳＣＩによってスケジューリングされたＰＳＳＣＨが使用するＤＭＲＳパターン情報を指示することができ、それにより、受信側が、対応するＤＭＲＳパターンを使用してＰＳＳＣＨを復調することができるようにする。
【００９７】
一実施例において、ＳＣＩは電力情報を運ぶことができ、前記電力情報は、当該ＳＣＩによってスケジューリングされたＰＳＳＣＨの送信電力、またはＰＳＳＣＨと対応するＰＳＣＣＨの電力差を指示する。
【００９８】
一実施例において、サイドリンクは、マルチキャリア伝送をサポートし、キャリアをまたがってスケジューリングすることをサポートし、即ち、第１キャリアによって送信されたＳＣＩで第２キャリア上のＰＳＳＣＨをスケジューリングし、ＳＣＩは、当該ＳＣＩによってスケジューリングされたＰＳＳＣＨがどのキャリア上にあるかを指示する、キャリア指示情報を運ぶ。
【００９９】
一実施例において、サイドリンクの１つのキャリアは複数の帯域幅部分（ＢＷＰ）に分割され、ＢＷＰをまたがってスケジューリングすること をサポートし、即ち、第１ＢＷＰによって送信されたＳＣＩで第２ＢＷＰ上のＰＳＳＣＨをスケジューリングし、当該ＳＣＩによってスケジューリングされたＰＳＳＣＨがどのＢＷＰにあるかを指示する、帯域幅部分指示情報をＳＣＩで運ぶ。
【０１００】
一実施例において、第１端末は、ＳＣＩおよびそれによってスケジューリングされたＰＳＳＣＨを送信し、第２端末は到ＰＳＳＣＨを受信し、フィードバック情報を必要とし、フィードバック情報の伝送リソースをどうやって決定するかも１つの解決すべき問題である。第３指示情報をＳＣＩで運ぶことができ、前記第３指示情報は、フィードバックチャネルの伝送リソースを決定するために使用される。例えば、前記第３指示情報は１つのインデックス情報であってもよく、前記インデックス情報は、第３構成情報における前記インデックス情報に対応するフィードバックチャネルの伝送リソースを決定するために使用され、前記第３構成情報は、少なくとも１つのインデックス情報とフィードバックチャネルの伝送リソースの対応関係を含む。
【０１０１】
一実施形態において、前記第１制御情報は第４指示情報を含み、前記第４指示情報は、前記第１データチャネルの伝送方式を決定するために使用される。前記伝送方式は、ユニキャスト伝送、マルチキャスト伝送、ブロードキャスト伝送を含む。ここで、ユニキャスト伝送の受信側は端末が１つだけであり、マルチキャスト伝送の受信側は端末のグループであり、ブロードキャスト伝送の受信側は全ての端末である。第１制御情報を介して第１データチャネルの伝送リソースを指示する場合、当該伝送リソースに対応する伝送方式を同時に指示することができる。具体的に、前記第４指示情報は、以下のうちの１つの方式により搬送されることができる。
【０１０２】
ａ）ＳＣＩは１つの情報ドメインを含み、当該情報ドメインは、当該第１データチャネルによって使用される伝送方式を明示的に指示する。
【０１０３】
ｂ）無線ネットワーク一時識別子（ＲＮＴＩ：Ｒａｄｉｏ  Ｎｅｔｗｏｒｋ  Ｔｅｍｐｏｒｙ  Ｉｄｅｎｔｉｔｙ）を介して前記第４指示情報を搬送し、異なるＲＮＴＩは異なる伝送方式に対応し、前記ＳＣＩは明示的または暗黙的な方式でＲＮＴＩ情報を運び、ＳＣＩに運ばれたＲＮＴＩ情報を介して、対応する伝送方式を決定することができる。
【０１０４】
ｃ）異なるスクランブリングコードシーケンスを介して前記第４指示情報を搬送し、異なるスクランブリングコードシーケンスは異なる伝送方式に対応し、スクランブリングコードシーケンスは、ＳＣＩ情報をスクランブルするために使用され、それにより、ＳＣＩによってスクランブルされたスクランブリングコードシーケンスを介して、対応する伝送方式を決定することができる。
【０１０５】
一実施形態において、前記第１制御情報は第５指示情報を含み、前記第５指示情報は、前記第１データチャネルが周波数ポッピング伝送を使用したかどうかを決定するために使用される。前記第１制御情報が複数の第１データチャネルをスケジューリングし、前記第５指示情報が周波数ポッピング方式を使用するように指示する場合、前記複数の第１データチャネル間は、周波数ポッピング方式を使用して伝送する。
【０１０６】
一実施形態において、前記第１制御情報は第６指示情報を含み、前記第６指示情報は、前記第１データチャネルによって使用されるＭＣＳを指示する。第１制御情報は、第１データチャネルによって使用される時間領域および／または周波数領域リソースを指示する時に、当該第１データチャネルによって使用されるＭＣＳを同時に指示することができる。
【０１０７】
一実施形態において、前記第１制御情報は第７指示情報を含み、前記第７指示情報は、前記第１制御チャネルおよび前記第１データチャネルの時間領域リソースが重複したかどうかを決定するために使用される。例示的に、前記第７指示情報は、前記第１制御チャネルおよび前記第１データチャネルのリソース多重方式を指示し、例えば、最初のリソース多重方式において、前記第１制御チャネルおよび前記第１データチャネルの時間領域は重複せず、２番目のリソース多重方式において、前記第１制御チャネルおよび前記第１データチャネルの時間領域は部分的に重複し、３番目のリソース多重方式において、前記第１制御チャネルおよび前記第１データチャネルの時間領域は完全に重複する。
【０１０８】
本願実施例の技術案によれば、ＰＳＣＣＨのＳＣＩを介してＰＳＳＣＨをスケジューリングし、ＰＳＣＣＨとＰＳＳＣＨの時分割の伝送を実現し、Ｒｅｌ−１５受信側検出の複雑さを増やすことなく、リソースセンシングおよび選択プロセスを実行するためのＲｅｌ−１４端末に影響を与えることもない。
【０１０９】
図８（ａ）は、本願実施例で提供する制御情報の伝送装置の構成の第１の概略的な構造図であり、当該装置は第１端末に適用され、図８（ａ）に示されたように、前記制御情報の伝送装置は、
第２端末との間で第１制御情報を伝送するように構成される伝送ユニット８０１１であって、前記第１制御情報は第１制御チャネルによって搬送され、前記第１制御情報は、第１データチャネルの伝送をスケジューリングするために使用され、前記第１データチャネルは、前記第１端末と前記第２端末との間のデータを伝送するために使用され、前記第１制御チャネルと前記第１データチャネルは、時分割の伝送を実行する伝送ユニットを備える。
【０１１０】
本願実施例では、前記伝送ユニット８０１１は、前記第２端末によって送信された第１制御情報を受信し、または、第１制御情報を前記第２端末に送信するように構成される。
【０１１１】
一実施形態において、第１端末と第２端末間のリンクをサイドリンクと呼び、第１端末と第２端末間で伝送される第１制御情報をサイドリンク制御情報と呼び、当該サイドリンク制御情報は、対応するデータチャネル（即ち、第１データチャネル）の伝送をスケジューリングするために使用される。ここで、第１データチャネルは、前記第１端末と前記第２端末との間のデータを伝送するために使用される。
【０１１２】
一実施形態において、前記第１制御チャネルをＰＳＣＣＨと呼び、前記第１データチャネルをＰＳＳＣＨと呼び、前記第１制御チャネルと前記第１データチャネルは、時分割の伝送を実行し、このように、遅延を低減させることができる。前記第１制御チャネルと前記第１データチャネルが時分割の伝送を実行する場合、第１制御情報が第１データチャネルの伝送をどうやってスケジューリングするかは、以下のＳＣＩフォーマットによって実現することができる。
【０１１３】
本願実施例では、前記第１制御情報は、前記第１データチャネルの周波数領域リソース情報および／または前記第１データチャネルの時間領域リソース情報を含む。
【０１１４】
１）第１データチャネルの周波数領域リソース情報の場合、次の方式によって実現されることができる。
【０１１５】
方式１として、前記第１制御情報は第１ビットマップを含み、前記第１ビットマップは、前記第１データチャネルの周波数領域リソースを決定するために使用され、前記第１ビットマップにおける各ビットは、システムにおける１つの周波数領域ユニットに対応し、前記第１ビットマップにおける各ビットの値を介して、当該ビットに対応する周波数領域ユニットが前記第１データチャネルを伝送するために使用されるかどうかを決定し、ここで、前記第１ビットマップ内の任意の第１ビットにとって、前記第１ビットの値が第１値である場合、前記第１ビットに対応する周波数領域ユニットは、前記第１データチャネルの伝送に使用され、前記第１ビットの値が第２値である場合、前記第１ビットに対応する周波数領域ユニットは前記第１データチャネルの伝送に使用されない。
【０１１６】
ここで、前記周波数領域ユニットの粒度は、ＰＲＢ、またはＲＢＧ、またはサブバンドである。ここで、前記周波数領域ユニットの粒度がＲＢＧまたはサブバンドである場合、前記ＲＢＧまたはサブバンドは、連続するＫ個のＰＲＢを含む。
【０１１７】
例を挙げると、システム帯域幅が２０ＭＨｚであり、合計１００個のＰＲＢを有し、周波数領域ユニットの粒度がサブバンドであり、各サブバンドが５つのＰＲＢを含み、第１ビットマップには２０個のビットが含まれ、当該２０個のサブバンドにそれぞれ対応し、第１ビットマップの特定のビットの値が１である場合、当該ビットに対応するサブバンドがＰＳＳＣＨの伝送に使用されることを示し、第１ビットマップの特定のビットの値が０である場合、当該ビットに対応するサブバンドがＰＳＳＣＨの伝送に使用されないことを示し、ＰＳＳＣＨ伝送に使用されるサブバンドは、周波数領域で連続している場合、または周波数領域で連続してない場合がある。
【０１１８】
方式２として、前記第１制御情報は第１パラメータを含み、前記第１パラメータは、前記第１データチャネルの周波数領域リソースの開始位置および／または長さを決定するために使用される。ここで、前記周波数領域リソースは、連続して割り当てられる。
【０１１９】
一実施形態において、前記第１制御チャネルおよび前記第１データチャネルの周波数領域開始位置が同じである場合、または前記第１制御チャネルおよび前記第１データチャネルの周波数領域開始位置が一対一の対応関係を有する場合、前記第１パラメータは、前記第１データチャネルに対応する周波数領域リソースの長さを決定するために使用される。別の実施形態において、前記第１制御情報および前記第１データチャネルの周波数領域終了位置が同じである場合、前記第１パラメータは、前記第１データチャネルに対応する周波数領域リソースの長さを決定するために使用される。例えば、ＳＣＩが搬送されたＰＳＣＣＨおよびそれに対応するＰＳＳＣＨの周波数領域開始位置が同じである場合、ＰＳＣＣＨの周波数領域開始位置に基づいて、ＰＳＳＣＨの周波数領域開始位置を決定することができ、第１パラメータを介して、ＰＳＳＣＨの周波数領域リソースの長さを示すことができる。
【０１２０】
一実施形態において、前記第１制御情報が複数のデータチャネルの伝送をスケジューリングする場合、前記複数のデータチャネルは、少なくとも、前記第１データチャネルおよび第２データチャネルを含み、前記第１パラメータは、前記複数のデータチャネルに対応する周波数領域リソースの長さおよび前記第２データチャネルに対応する周波数領域リソースの開始位置を決定するために使用される。例を挙げると、ＳＣＩがＰＳＳＣＨの伝送を２回（１回は初期伝送であり、１回は再伝送である）スケジューリングする場合、前記第１パラメータは、ＰＳＳＣＨの周波数領域リソースの長さおよび別のＰＳＳＣＨ伝送の開始位置を示す。最初のＰＳＳＣＨ伝送に対応するＳＣＩの場合、前記第１パラメータは、ＰＳＳＣＨの周波数領域長さおよび２回目のＰＳＳＣＨ伝送の周波数領域開始位置を示し、２回目のＰＳＳＣＨ伝送に対応するＳＣＩの場合、前記第１パラメータは、ＰＳＳＣＨの周波数領域長さおよび１回目のＰＳＳＣＨ伝送の周波数領域開始位置を示す。さらに例を挙げると、ＳＣＩがＰＳＳＣＨの伝送を４回（１回は初期伝送であり、３回は再伝送である）スケジューリングする場合、前記第１パラメータは、４回の伝送の周波数領域開始位置、および周波数領域リソースの長さを含む。４回の伝送の周波数領域リソースの長さが同じである場合、前記第１パラメータは、１つの周波数領域リソースの長さのみを指示する必要があり、そうでない場合、４回の伝送の周波数領域リソースの長さをそれぞれ支持する必要がある。ＰＳＳＣＨの周波数領域リソースの開始位置がＳＣＩを搬送するＰＳＣＣＨの周波数領域リソース位置によって決定されることができる場合（例えば、４回のＰＳＳＣＨ伝送の周波数領域開始位置が同じであり、最初のＰＳＳＣＨ伝送の周波数領域開始位置とそれに対応するＰＳＣＣＨの周波数領域開始位置は一対一の対応関係を有する）、前記第１パラメータは、４回の伝送の周波数領域開始位置を含まなくてもよい。４回の伝送の周波数領域開始位置が同じであり、または４回の伝送が周波数ポッピング方式（即ち、最初の伝送の周波数領域開始位置および周波数ポッピング基準を介して後続の３回の伝送の周波数領域開始位置を決定することができる）を使用する場合、前記第１パラメータは、１つの周波数領域開始位置のみを含み得る。
【０１２１】
一実施例において、前記第１パラメータは、前記第１データチャネル周波数領域リソースの開始位置および長さによって決定される。例を挙げると、前記第１パラメータはＲＩＶであり、当該値は、ＰＳＳＣＨ周波数領域リソースの開始ＰＲＢインデックス（ｎ＿ＰＲＢ＿ｓｔａｒｔ）および連続して割り当てられたＰＲＢの数（Ｌ＿ＰＲＢ）に対応し、ＲＩＶの値は次の式によって決定される。
【数２】
2021529490.tif 000007
【０１２２】
ここで、Ｎ＿ＰＲＢはリソースプール内のＰＲＢの総数を示す。本実施例において、Ｎ＿ＰＲＢは、帯域幅部分内のＰＲＢの総数、または１つのキャリア内のＰＲＢの総数を示すこともでき、本実施例は、これらに対して限定しない。本実施例において、周波数領域リソースの粒度は、ＲＢＧまたはサブバンドであってもよく、本実施例は、これらに対して限定しない。
【０１２３】
方式３として、前記第１制御情報は第１インデックス情報を含み、前記第１インデックス情報は、第１構成情報内で前記第１インデックス情報に対応する第１周波数領域リソースを決定するために使用され、前記第１構成情報は、少なくとも１つのインデックス情報と周波数領域リソースの対応関係を含む。ここで、前記第１構成情報は、事前に構成され、またはネットワークによって構成され、前記第１構成情報がネットワークによって構成された場合、ネットワークは、ＲＲＣシグナリング、またはブロードキャスト情報、またはダウンリンク制御シグナリングを介して前記第１構成情報を送信する。
【０１２４】
例を挙げると、ＳＣＩは、１つのテーブル内の１つのインデックスを含み、当該テーブル内の各インデックスは、長さおよび開始位置によって決定された周波数領域リソース、または１つまたは複数の周波数領域ユニットインデックスによって決定された周波数領域リソース、または１つのビットビットマップによって決定された周波数領域リソース、または他の方式によって決定された周波数領域リソースなど、割り当てられた周波数領域リソースに対応する。このように、ＳＣＩに含まれたインデックスに従って、１つの周波数領域リソースに対応することができる。
【０１２５】
２）第１データチャネルの周波数領域リソースの場合、前記第１制御情報は、第１指示情報をさらに含み、前記第１指示情報は、前記第１データチャネルの周波数領域リソース割り当てタイプを指示する。
【０１２６】
一実施形態において、前記第１指示情報は、前記第１制御情報のＮ（Ｎは１より大きいか等しい整数である）ビットで示され、前記Ｎビットの異なる値は、異なる周波数領域リソース割り当てタイプに対応する。例を挙げると、１ビットを介して第１指示情報を示し、当該ビットの値が１である場合、前記第１データチャネルの周波数領域リソース割り当てタイプがｔｙｐｅ０であることを示し、当該ビットの値が０である場合、前記第１データチャネルの周波数領域リソース割り当てタイプがｔｙｐｅ１であることを示し、ここで、ｔｙｐｅ０は、周波数領域リソースが離散的であることを示し、ｔｙｐｅ１は、周波数領域リソースが連続的であることを示す。周波数領域リソース割り当てタイプの数がより多い場合、より多くのビットを使用して前記第１指示情報を示すことができる。
【０１２７】
３）第１データチャネルの時間領域リソース情報の場合、次の方式によって実現されることができる。
【０１２８】
方式１として、前記第１データチャネルの時間領域リソース情報は、時間領域開始位置情報および／または時間領域の長さ情報を含み、ここで、前記時間領域開始位置情報は、前記第１制御情報における第１指示フィールドによって決定され、前記時間領域の長さ情報は、前記第１制御情報における第２指示フィールドによって決定される。
【０１２９】
ここで、前記第１データチャネルおよび前記第１制御チャネルの時間領域リソースが連続的であり、または前記第１データチャネルおよび前記第１制御チャネルの時間領域リソースが対応関係を有する場合、前記第１制御チャネルの時間領域開始位置に基づいて、前記第１データチャネルの時間領域開始位置を決定することができ、このように、前記第１データチャネルの時間領域開始位置は、前記第１制御情報における前記第１指示フィールドによって決定される必要がない。前記第１データチャネルおよび前記第１制御チャネルの時間領域リソースが非連続的であり、且つ前記第１データチャネルおよび前記第１制御チャネルの時間領域リソースが対応関係を有さない場合、前記第１データチャネルの時間領域開始位置は、前記第１制御情報における前記第１指示フィールドによって決定される必要がある。
【０１３０】
ここで、前記時間領域開始位置情報が、前記第１制御情報における第１指示フィールドによって決定されることは、次の方式によって実現することができる。
【０１３１】
ａ）前記第１指示フィールドは時間オフセット情報を含み、前記時間オフセット情報は、前記第１制御チャネルの時間領域リソースに対する前記第１データチャネルの時間領域リソースの時間オフセット量を決定するために使用される。
【０１３２】
ここで、前記時間ユニットの粒度は、時間領域シンボル、またはサブフレーム、またはタイムスロット、またはｓＴＴＩ、または固定時間長であり、前記時間オフセット量の粒度は、時間領域シンボル、またはサブフレーム、またはタイムスロット、またはｓＴＴＩ、または固定時間長である。これらに限定されずに、前記時間ユニットまたは前記時間オフセット量の粒度は、時間長を表す他の量であってもよい。
【０１３３】
前記時間オフセット情報および前記第１制御チャネルの時間領域リソースを介して、前記第１データチャネルの時間領域リソースを決定することができる。ここで、前記時間領域リソースは、時間領域開始位置および／または時間長（即ち、占有した時間ユニットの数）を含む。
【０１３４】
例を挙げると、図７（ａ）を参照すると、ＰＳＣＣＨおよびそれによってスケジューリングされたＰＳＳＣＨが同一のサブフレームにいない場合、各サブフレームの最初の３つのシンボルはＰＳＣＣＨリソースであり、残りのシンボルはＰＳＳＣＨリソースであるため、ＳＣＩではＰＳＣＣＨに対するＰＳＳＣＨのサブフレームオフセット量を運ぶことができ、それにより、検出されたＰＳＣＣＨが位置するサブフレーム、およびそれによって運ばれるサブフレームオフセット量に従って、ＰＳＳＣＨのサブフレーム位置を位置することができ、ＰＳＳＣＨサブフレームでは、最初の３つのシンボルは候補ＰＳＣＣＨリソースであるため、ＰＳＳＣＨは、４番目のシンボルから始め、それにより、ＰＳＳＣＨの具体的な開始サブフレームおよび開始シンボル位置を決定することができる。例示的に、１つのサブフレーム内で、ＰＳＳＣＨの開始位置が固定されていない場合、前記時間オフセット情報は、サブフレーム内の前記ＰＳＳＣＨの時間領域シンボルのオフセット情報またはインデックス情報をさらに含む。ＰＳＣＣＨに運ばれるサブフレームオフセット量、および当該サブフレーム内の時間領域シンボルのオフセット情報またはインデックス情報を組み合わせて、ＰＳＳＣＨの時間領域開始位置を決定することができる。
【０１３５】
ｂ）前記第１指示フィールドは、時間インデックス情報を含み、前記時間インデックス情報は、前記第１データチャネルの時間領域開始位置を決定するために使用される。
【０１３６】
例を挙げると、時間インデックス情報は、１つの無線フレーム内のサブフレーム番号、または１つの無線フレーム周期内のサブフレーム番号などであってもよく、時間インデックス情報を介して、第１データチャネルの時間領域開始位置を直接に決定することができる。例えば、図７（ａ）を参照すると、ＰＳＣＣＨおよびそれによってスケジューリングされたＰＳＳＣＨが同一のサブフレームにいない場合、各サブフレーム内の最初の３つのシンボルはＰＳＣＣＨリソースであり、残りのシンボルはＰＳＳＣＨリソースであるため、ＳＣＩでは１つの無線フレーム内のＰＳＳＣＨのサブフレーム番号を運ぶことができ、１つの無線フレームは１０個のサブフレームを含むため、サブフレーム番号範囲は［０，９］である。ＳＣＩに運ばれるサブフレーム番号が７である場合、当該ＳＣＩは、１つの無線フレーム内のサブフレーム７のＰＳＳＣＨをスケジューリングするために使用され、サブフレーム７では、最初の３つのシンボルが候補ＰＳＣＣＨリソースであるため、ＰＳＳＣＨは、４番目のシンボルから始め、それにより、ＰＳＳＣＨの具体的な開始サブフレームおよび開始シンボル位置を決定することができる。さらに、端末の処理遅延を考慮すると、端末がサブフレーム６でＳＣＩを受信し、処理遅延が２ｍｓであり、ＳＣＩに運ばれたサブフレーム番号が７である場合、端末はサブフレーム８でＳＣＩを正常に検出し、次の無線フレーム内のサブフレーム７のＰＳＳＣＨをスケジューリングする。
【０１３７】
一実施形態において、前記第１制御情報は、複数の第１データチャネルをスケジューリングするために使用され、前記第１指示フィールドは、複数の時間オフセット情報または複数の時間インデックス情報を含む。前記複数の第１データチャネルの時間領域リソースは、前記複数の時間オフセット情報または複数の時間インデックス情報によって決定されることができる。例えば、前記第１制御情報は、２つの第１データチャネルをスケジューリングし、前記第１指示フィールドは、２つの時間オフセット情報を含み、前記最初の時間オフセット情報は、最初の第１データチャネルの時間領域リソースを決定するために使用され、前記２番目の時間オフセット情報は、２番目の第１データチャネルの時間領域リソースを決定するために使用される。前記時間オフセット情報は、前記第１制御チャネル、または無線フレーム内の時間領域開始位置、または無線フレーム周期内の時間領域開始位置に対するものである。
【０１３８】
前記第１データチャネルの時間領域リソースの場合、前記第１データチャネルの時間領域リソースは、１つの時間ユニットまたは連続する複数の時間ユニットを占め、ここで、前記第１データチャネルの時間領域の長さ情報が、前記第１制御情報における第２指示フィールドによって決定されることは、次の方式によって実現されることができる。
【０１３９】
ａ）前記第２指示フィールドは、前記第１データチャネルの時間領域リソースが占める時間ユニットおよび／または時間領域シンボルの数を決定するために使用される。
【０１４０】
ここで、前記時間ユニットの粒度は、時間領域シンボル、またはサブフレーム、またはタイムスロット、またはｓＴＴＩ、または固定時間長である。これらに限定されず、前記時間ユニットの粒度は、時間長を表す他の量であってもよい。
【０１４１】
例を挙げると、図５では、１つのサブフレームは、１４個のシンボルを含み、ＰＳＣＣＨはサブフレームの最初の４つのシンボルを占め、当該サブフレーム内の残りのシンボルはＰＳＳＣＨ伝送に使用されることができ、ＰＳＳＣＨは、１つまたは複数のサブフレームを占めることができるため、前記第２指示フィールドは、ＰＳＳＣＨが占めるサブフレームの数を指示することができ、または前記第２指示フィールドは、ＰＳＳＣＨが占めるシンボルの数を指示することができる。例えば、時間ユニットの粒度がサブフレームである場合、ＰＳＣＣＨおよび対応するＰＳＳＣＨの時間領域リソースが連続していて、前記第２指示フィールドが、当該ＰＳＳＣＨが２つの時間ユニットを占有することを示している場合、当該ＳＣＩによってスケジューリングされたＰＳＳＣＨは、当該ＳＣＩが位置するサブフレームおよび次の隣接するサブフレームを占める。
【０１４２】
一実施形態において、前記第１データチャネルの時間領域リソースが、連続する複数の時間ユニットを占める場合、前記複数の時間ユニットは、第１時間ユニットおよび少なくとも１つの第２時間ユニットを含み、前記第２時間ユニット内に制御チャネルリソースが含まれた場合、前記第１データチャネルの時間領域リソースは、前記第２時間ユニットの前記制御チャネルリソースを占める。例を挙げると、ＰＳＳＣＨが、連続する複数の時間ユニットを占有する場合、当該ＰＳＳＣＨは、最初の時間ユニット以外の他の時間ユニットのＰＳＣＣＨリソースを占める。図５に示されたように、３番目のサブフレームによってスケジューリングされたＰＳＳＣＨが２つのサブフレームを占有する場合、当該ＰＳＳＣＨは、４番目のサブフレームのＰＳＣＣＨリソースを占める。
【０１４３】
一実施形態において、前記第１制御チャネルは、前記第１データチャネルが位置する時間ユニットを指示し、前記第１データチャネルは、当該時間ユニット内の時間領域リソースで事前に構成され、またはネットワークによって構成されることにより決定されることができる。例えば、データチャネルのリソースプールを事前に構成し、またはネットワークを介して構成するが、前記リソースプール構成情報は、各サブフレーム内で、データチャネルの時間領域リソースが５番目の時間領域シンボルから始めた当該サブフレーム内の全ての時間領域シンボルであることを指示し、第１制御チャネルを介して第１データチャネルのサブフレームを決定することができ、リソースプール構成情報を組み合わせて、当該サブフレームにおける第１データチャネルの時間領域リソースを決定することができる。
【０１４４】
方式２として、前記第１データチャネルの時間領域リソース情報は、時間領域開始位置情報および／または時間領域の長さ情報を含み、ここで、前記時間領域開始位置情報および／または前記時間領域の長さ情報は、前記第１制御情報における第３指示フィールドによって決定される。
【０１４５】
ここで、前記時間領域開始位置情報および／または前記時間領域の長さ情報が、前記第１制御情報における第３指示フィールドによって決定されることは、次の方式によって実現することができる。
【０１４６】
ａ）前記第１制御情報における第３指示フィールドは第２パラメータを含み、前記第２パラメータは、前記第１データチャネルの時間領域開始位置および時間領域の長さを決定するために使用される。
【０１４７】
ここで、前記第２パラメータは、前記第１データチャネルの時間領域開始位置および時間領域の長さによって計算および取得されることができ、異なる時間領域開始位置および時間領域の長さによって計算および取得された第２パラメータは異なり、第２パラメータに従って、前記第１データチャネルの時間領域開始位置および時間領域の長さに対応することができる。
【０１４８】
ｂ）前記第１制御情報における第３指示フィールドは第２ビットマップを含み、前記第２ビットマップにおける各ビットは１つの時間ユニットに対応し、前記第２ビットマップにおける各ビットの値を介して、当該ビットに対応する時間ユニットが前記第１データチャネルの伝送に使用されるかどうかを決定し、ここで、前記第２ビットマップ内の任意の第２ビットにとって、前記第２ビットの値が第１値である場合、前記第２ビットに対応する時間ユニットは前記第１データチャネルの伝送に使用され、前記第２ビットの値が第２値である場合、前記第２ビットに対応する時間ユニットは前記第１データチャネルの伝送に使用されない。
【０１４９】
ここで、前記時間ユニットの粒度は、時間領域シンボル、またはサブフレーム、またはタイムスロット、またはｓＴＴＩ、または固定時間長である。これらに限定されず、前記時間ユニットの粒度は、時間長を表す他の量であってもよい。
【０１５０】
例を挙げると、第２ビットマップの特定のビットの値が１である場合、当該ビットに対応する時間領域ユニットがＰＳＳＣＨの伝送に使用されることを示し、第２ビットマップの特定のビットの値が０である場合、当該ビットに対応する時間領域ユニットがＰＳＳＣＨの伝送に使用されないことを示す。
【０１５１】
ｃ）前記第１制御情報における第３指示フィールドは第２インデックス情報を含み、前記第２インデックス情報は、第２構成情報内で前記第２インデックス情報に対応する第１時間領域リソースを決定するために使用され、前記第２構成情報は、少なくとも１つのインデックス情報と時間領域リソースの対応関係を含む。ここで、前記第２構成情報は、事前に構成され、またはネットワークによって構成され、前記第２構成情報がネットワークによって構成された場合、ネットワークは、ＲＲＣシグナリング、またはブロードキャスト情報、またはダウンリンク制御シグナリングを介して前記第２構成情報を送信する。
【０１５２】
例を挙げると、ＳＣＩは、１つのテーブル内の１つのインデックスを含み、当該テーブル内の各インデックスは、時間領域リソースの長さおよび開始位置によって決定された時間領域リソース、または１つまたは複数の時間ユニットインデックスによって決定された時間領域リソース、または１つのビットビットマップによって決定された時間領域リソース、または他の方式によって決定された時間領域リソースなど、割り当てられた時間領域リソースに対応する。このように、ＳＣＩに含まれたインデックスに従って、１つの時間領域リソースに対応することができる。
【０１５３】
上記の実施形態は、単独して使用してもよく、組み合わせて使用してもよいことを理解されたい。例えば、第１制御チャネルは、第１指示フィールドおよび第３指示フィールドを含み、ここで、第１指示フィールドは、第１データチャネルが位置するサブフレームを決定するための時間インデックス情報を含み、第３指示フィールドは第２パラメータを含み、前記第２パラメータは、当該サブフレームにおける第１データチャネルの時間領域シンボルの開始位置および占める時間領域シンボルの数を決定するために使用され、第１指示フィールドおよび第３指示フィールドを組み合わせて、前記第１データチャネルのサブフレーム位置、および当該サブフレーム内の占める時間領域シンボルの開始位置および時間領域シンボルの数情報を決定することができる。
【０１５４】
本願実施例の上記の技術案では、前記第１データチャネルが占める最後の時間ユニットの最後の時間領域シンボルは、データを伝送するために使用することではなく、ガード間隔（ＧＰ）として使用される。
【０１５５】
ここで、前記第１データチャネルが、連続する時間ユニットを占める場合、最後の時間ユニットの最後のシンボルはデータを伝送するために使用されない、前記第１データチャネルが、連続しない時間ユニットを占める場合、各時間ユニットの最後のシンボルはデータを伝送するために使用されない。
【０１５６】
本願実施例の上記の技術案では、前記第１データチャネルおよび前記第１制御チャネルが時分割の伝送を実行することは、次の３つの実現形態を有することができる。
【０１５７】
ａ）前記第１データチャネルおよび前記第１制御チャネルが、１つの時間ユニットで時分割の伝送を実行することを含み、前記第１制御チャネルは、前記時間ユニット内のＡ個の時間領域シンボルを占め、前記第１データチャネルは、前記時間ユニット内のＢ個の時間領域シンボルを占め、前記第１制御チャネルおよび前記第１データチャネルの時間領域リソースは重複せず、
2021529490.tif 000008
Ｃは、１つの時間ユニット内の時間領域シンボルの数であり、前記時間ユニットの粒度は、タイムスロット、サブフレーム、ｓＴＴＩまたは他の固定時間長である。
【０１５８】
例を挙げると、図５（ａ）に示されたように、１つの時間ユニットは、Ｃ＝１４個の時間領域シンボルを含み、第１データチャネルと第１制御チャネルは、同一の時間ユニットを占め、ここで、第１制御チャネルは、当該時間ユニットの最初から２番目の時間領域シンボルを占め、第１データチャネルは、当該時間ユニットの３番目から１４番目の時間領域シンボルを占める。第１データチャネルと第１制御チャネルの時間領域リソースが重複しない場合、連続する時間領域シンボルを占めてもよく、連続しない時間領域シンボルを占めてもよいことに留意されたい。例えば、第１制御チャネルは、当該時間ユニットの最初から２番目の時間領域シンボルを占め、第１データチャネルは、当該時間ユニットの３番目から１４番目の時間領域シンボルを占める。
【０１５９】
ｂ）前記第１データチャネルは第１時間ユニット内で伝送し、前記第１制御チャネルは第２時間ユニット内で伝送し、ここで、前記第１制御チャネルは、前記第１時間ユニット内のＡ個の時間領域シンボルを占め、前記第１データチャネルは、前記第２時間ユニット内のＢ個の時間領域シンボルを占め、
2021529490.tif 000009
Ｃは、１つの時間ユニット内の時間領域シンボルの数であり、前記時間ユニットの粒度は、タイムスロット、サブフレーム、ｓＴＴＩまたは他の固定時間長である。
【０１６０】
例を挙げると、図７（ａ）に示されたように、１つの時間ユニットは、Ｃ＝１４個の時間領域シンボルを含み、第１データチャネルと第１制御チャネルは、異なる時間ユニットを占め、ここで、第１制御チャネルは、第１時間ユニットの１番目から２番目の時間領域シンボルを占め、第１データチャネルは、第２時間ユニットの３番目から１４番目の時間領域シンボルを占める。第１データチャネルおよび第１制御チャネルは、連続する時間領域シンボルを占めてもよく、連続しない時間領域シンボルを占めてもよいことに留意されたい。
【０１６１】
さらに例を挙げると、図５（ｂ）に示されたように、１つの時間ユニットは、Ｃ＝１４個の時間領域シンボルを含み、第１データチャネルと第１制御チャネルは、異なる時間ユニットを占め、ここで、第１制御チャネルは、第１時間ユニットの全ての時間領域シンボルを占め、第１データチャネルは、第２時間ユニットの全ての時間領域シンボルを占める。
【０１６２】
ｃ）前記第１データチャネルおよび前記第１制御チャネルは、部分的な時分割の伝送を実行する。前記第１データチャネルおよび前記第１制御チャネルが、部分的な時分割の伝送を実行することは、前記第１制御チャネルが占める時間領域リソースが、前記第１データチャネルが占める時間領域リソースと少なくとも部分的に重複することを含む。
【０１６３】
例を挙げると、Ｅが制御チャネルを表し、Ｆがデータチャネルを表し、ＥおよびＦの時間領域リソースが少なくとも部分的に重複すると仮定する。さらに、ＥおよびＦの開始時間領域位置は同じであってもよく、またはＥの開始位置はＦの後に位置し、またはＥの開始位置はＦの前に位置する。
【０１６４】
ここで、ＥおよびＦの時間領域リソースが少なくとも一部的に重複することは、次の場合を含み得る。１）Ｅの時間領域リソースはＦの時間領域リソースのサブセットであり、または、２）Ｅの時間領域リソースおよびＦの時間領域リソースは一部的に重複し、即ち、Ｅの時間領域リソースの一部はＦと重複せず、Ｅの時間領域リソースの別の部分はＦと重複する。
【０１６５】
上記のｃ）において、前記第１制御チャネルが、１つの時間ユニット内のＡ個の時間領域シンボルを占め、前記第１データチャネルが、前記時間ユニット内のＢ個の時間領域シンボルを占め、前記第１制御チャネルおよび前記第１データチャネルの時間領域リソースが、少なくとも部分的に重複し、
2021529490.tif 000010
Ｃは、１つの時間ユニット内の時間領域シンボルの数である。
【０１６６】
さらに、本願実施例の前記第１制御情報は、
前記第１データチャネルの伝送回数を決定するための第２指示情報、
前記第１データチャネルの冗長バージョン情報、
前記第１データチャネルによって使用されるコードブック情報、
シングルアンテナポート伝送、送信ダイバーシティ、ビームフォーミングなど、前記第１データチャネルによって使用される伝送案情報、
前記第１データチャネルによって使用されるＤＭＲＳパターン情報、
前記第１データチャネルの電力情報、
前記第１データチャネルと前記第１制御チャネルとの電力差情報、
前記第１データチャネルを伝送するためのキャリア情報を決定するためのキャリア指示情報（ＣＩＦ）、
前記第１データチャネルを伝送するＢＷＰ情報を決定の帯域幅部分指示情報であって、１つのキャリアが複数のＢＷＰの構成をサポートする場合、ＢＷＰをまたがってスケジューリングする場合がある可能性があるため、前記帯域幅部分指示情報は、現在のＳＣＩによってスケジューリングされたＢＷＰの情報を指示する帯域幅部分指示情報、
フィードバックチャネルの時間領域リソースおよび／または周波数領域リソース、またはフィードバック情報と現在のＰＳＳＣＨチャネルの最大の遅延など、フィードバックチャネルの伝送リソースを決定するための第３指示情報、
前記第１データチャネルの伝送方式を決定するための第４指示情報、
前記第１データチャネルが周波数ポッピング伝送を使用したかどうかを決定するための第５指示情報、
前記第１データチャネルによって使用されるＭＣＳを指示するための第６指示情報、
前記第１制御チャネルおよび前記第１データチャネルの時間領域リソースが重複したかどうかを決定するための第７指示情報のうちの少なくとも１つをさらに含む。
【０１６７】
一実施例において、前記第１制御情報は、最初の伝送および再伝送を含む複数のＰＳＳＣＨ伝送をスケジューリングすることができ、ＳＣＩは、当該ＳＣＩによってスケジューリングされたＰＳＳＣＨ伝送の回数を指示するための第２指示情報を含む。さらに、ＳＣＩでは、現在スケジューリングされたＰＳＳＣＨの冗長バージョンを指示する、冗長バージョン情報を運ぶことができる。ＰＳＳＣＨの複数回の伝送をサポートする場合、毎回伝送に対応する冗長バージョン番号は、事前に定義され、またはネットワークによって構成されることができ、したがって、ＳＣＩに運ばれた冗長バージョン情報を介して、現在実行されているＰＳＳＣＨ伝送の回数を決定することができ、それにより、受信側で組み合わせることができる。別の実施例において、ＳＣＩで現在実行されている伝送が複数回のうちの何回目であるかを運ぶことができる。
【０１６８】
一実施例において、様々な候補伝送方式からＰＳＳＣＨ用の伝送を選択することができ、前記伝送方式は、シングルアンテナポート伝送、送信ダイバーシティ、ビームフォーミング、および他の可能なマルチアンテナ伝送方式を含む。ＳＣＩでは、当該ＳＣＩによってスケジューリングされたＰＳＳＣＨが使用する伝送方式を指示する、伝送案情報を運ぶ。さらに、送信ダイバーシティは、ＳＦＢＣ、ＳＴＢＣ、ＣＤＤなどを含み得る。さらに、当該伝送方式におけるコードブック情報をＳＣＩで運ぶことができる。
【０１６９】
一実施例において、ＰＳＳＣＨは、様々なＤＭＲＳパターンをサポートすることができ、ＳＣＩによって運ばれる指示情報を介して、当該ＳＣＩによってスケジューリングされたＰＳＳＣＨが使用するＤＭＲＳパターン情報を指示することができ、それにより、受信側が、対応するＤＭＲＳパターンを使用してＰＳＳＣＨを復調することができるようにする。
【０１７０】
一実施例において、ＳＣＩは電力情報を運ぶことができ、前記電力情報は、当該ＳＣＩによってスケジューリングされたＰＳＳＣＨの送信電力、またはＰＳＳＣＨと対応するＰＳＣＣＨの電力差を指示する。
【０１７１】
一実施例において、サイドリンクは、マルチキャリア伝送をサポートし、キャリアをまたがってスケジューリングすることをサポートし、即ち、第１キャリアによって送信されたＳＣＩで第２キャリア上のＰＳＳＣＨをスケジューリングし、ＳＣＩは、当該ＳＣＩによってスケジューリングされたＰＳＳＣＨがどのキャリア上にあるかを指示する、キャリア指示情報を運ぶ。
【０１７２】
一実施例において、サイドリンクの１つのキャリアは複数の帯域幅部分（ＢＷＰ）に分割され、ＢＷＰをまたがってスケジューリングすること をサポートし、即ち、第１ＢＷＰによって送信されたＳＣＩで第２ＢＷＰ上のＰＳＳＣＨをスケジューリングし、当該ＳＣＩによってスケジューリングされたＰＳＳＣＨがどのＢＷＰにあるかを指示する、帯域幅部分指示情報をＳＣＩで運ぶ。
【０１７３】
一実施例において、第１端末は、ＳＣＩおよびそれによってスケジューリングされたＰＳＳＣＨを送信し、第２端末は到ＰＳＳＣＨを受信し、フィードバック情報を必要とし、フィードバック情報の伝送リソースをどうやって決定するかも１つの解決すべき問題である。第３指示情報をＳＣＩで運ぶことができ、前記第３指示情報は、フィードバックチャネルの伝送リソースを決定するために使用される。例えば、前記第３指示情報は１つのインデックス情報であってもよく、前記インデックス情報は、第３構成情報における前記インデックス情報に対応するフィードバックチャネルの伝送リソースを決定するために使用され、前記第３構成情報は、少なくとも１つのインデックス情報とフィードバックチャネルの伝送リソースの対応関係を含む。
【０１７４】
一実施形態において、前記第１制御情報は第４指示情報を含み、前記第４指示情報は、前記第１データチャネルの伝送方式を決定するために使用される。前記伝送方式は、ユニキャスト伝送、マルチキャスト伝送、ブロードキャスト伝送を含む。ここで、ユニキャスト伝送の受信側は端末が１つだけであり、マルチキャスト伝送の受信側は端末のグループであり、ブロードキャスト伝送の受信側は全ての端末である。第１制御情報を介して第１データチャネルの伝送リソースを指示する場合、当該伝送リソースに対応する伝送方式を同時に指示することができる。具体的に、前記第４指示情報は、以下のうちの１つの方式により搬送されることができる。
【０１７５】
ａ）ＳＣＩは１つの情報ドメインを含み、当該情報ドメインは、当該第１データチャネルによって使用される伝送方式を明示的に指示する。
【０１７６】
ｂ）ＲＮＴＩを介して前記第４指示情報を搬送し、異なるＲＮＴＩは異なる伝送方式に対応し、前記ＳＣＩは明示的または暗黙的な方式でＲＮＴＩ情報を運び、ＳＣＩに運ばれたＲＮＴＩ情報を介して、対応する伝送方式を決定することができる。
【０１７７】
ｃ）異なるスクランブリングコードシーケンスを介して前記第４指示情報を搬送し、異なるスクランブリングコードシーケンスは異なる伝送方式に対応し、スクランブリングコードシーケンスは、ＳＣＩ情報をスクランブルするために使用され、それにより、ＳＣＩによってスクランブルされたスクランブリングコードシーケンスを介して、対応する伝送方式を決定することができる。
【０１７８】
一実施形態において、前記第１制御情報は第５指示情報を含み、前記第５指示情報は、前記第１データチャネルが周波数ポッピング伝送を使用したかどうかを決定するために使用される。前記第１制御情報が複数の第１データチャネルをスケジューリングし、前記第５指示情報が周波数ポッピング方式を使用するように指示する場合、前記複数の第１データチャネル間は、周波数ポッピング方式を使用して伝送する。
【０１７９】
一実施形態において、前記第１制御情報は第６指示情報を含み、前記第６指示情報は、前記第１データチャネルによって使用されるＭＣＳを指示する。第１制御情報は、第１データチャネルによって使用される時間領域および／または周波数領域リソースを指示する時に、当該第１データチャネルによって使用されるＭＣＳを同時に指示することができる。
【０１８０】
一実施形態において、前記第１制御情報は第７指示情報を含み、前記第７指示情報は、前記第１制御チャネルおよび前記第１データチャネルの時間領域リソースが重複したかどうかを決定するために使用される。例示的に、前記第７指示情報は、前記第１制御チャネルおよび前記第１データチャネルのリソース多重方式を指示し、例えば、最初のリソース多重方式において、前記第１制御チャネルおよび前記第１データチャネルの時間領域は重複せず、２番目のリソース多重方式において、前記第１制御チャネルおよび前記第１データチャネルの時間領域は部分的に重複し、３番目のリソース多重方式において、前記第１制御チャネルおよび前記第１データチャネルの時間領域は完全に重複する。
【０１８１】
当業者は、本願実施例の上記の制御情報の伝送装置の関連説明は、本願実施例の制御情報の伝送方法の関連説明を参照して理解できることを理解するはずである。
【０１８２】
図６（ｂ）は、本願実施例で提供する制御情報の伝送方法の第２の例示的なフローチャートであり、図６（ｂ）に示されたように、前記制御情報の伝送方法は、次のステップを含む。
【０１８３】
ステップ６０１２において、第１機器と第２機器の間で第１制御情報を伝送し、前記第１制御情報は第２制御チャネルによって搬送され、前記第１制御情報は、第１制御チャネルおよび／または第１データチャネルの伝送をスケジューリングするために使用され、前記第１制御チャネルはサイドリンク制御情報を伝送するために使用され、前記第１データチャネルはサイドリンクデータを伝送するために使用され、ここで、前記第１データチャネルおよび前記第１制御チャネルは、時分割の伝送を実行する。
【０１８４】
本願実施例では、前記第１機器と第２機器の間で第１制御情報を伝送することは、１）前記第１機器は第１端末であり、前記第２機器は基地局であり、第１端末が、基地局によって送信された第１制御情報を受信すること、または、２）前記第１機器は基地局であり、前記第２機器は第１端末であり、基地局が、第１制御情報を第１端末に送信することの２つの実施形態を有することができる。
【０１８５】
一実施形態において、第１端末と第２端末間のリンクをサイドリンクと呼び、第１端末と第２端末間で伝送される第１制御情報をサイドリンク制御情報と呼び、当該サイドリンク制御情報は、対応するデータチャネル（即ち、第１データチャネル）の伝送をスケジューリングするために使用される。ここで、第１データチャネルは、前記第１端末と前記第２端末との間のデータを伝送するために使用される。
【０１８６】
一実施形態において、前記第１データチャネルの周波数領域リソースおよび／または時間領域リソースは、前記第２制御チャネルを介してスケジューリングされる（即ち、明示的に指示される）ことができ、前記第１制御チャネルの周波数領域リソースおよび／または時間領域リソースは、前記第２制御チャネルを介してスケジューリングされる（即ち、明示的に指示される）ことができる。
【０１８７】
一実施形態において、前記第１データチャネルの時間領域リソースは、前記第１制御チャネルまたは前記第２制御チャネルの時間領域リソースに基づいて決定することができ、および／または、前記第１データチャネルの周波数領域リソースは、前記第１制御チャネルの周波数領域リソースに基づいて決定することができ、明示的に指示する必要がない。
【０１８８】
一実施形態において、前記第１制御チャネルの時間領域リソースは、前記第２制御チャネルまたは前記第１データチャネルの時間領域リソースに基づいて決定することができ、および／または、前記第１制御チャネルの周波数領域リソースは、前記第１データチャネルの周波数領域リソースに基づいて決定することができ、明示的に指示する必要がない。
【０１８９】
一実施形態において、前記第１制御情報は第２制御チャネルによって搬送され、ここで、前記第２制御チャネルは、ダウンリンク制御情報（ＤＣＩ）を伝送するために使用される。前記第１制御チャネルはサイドリンク制御情報（ＳＣＩ：Ｓｉｄｅｌｉｎｋ  Ｃｏｎｔｒｏｌ  Ｉｎｆｏｒｍａｔｉｏｎ）を伝送するために使用され、ＰＳＣＣＨとも呼ばれ、前記第１データチャネルはサイドリンクデータを伝送するために使用され、ＰＳＳＣＨとも呼ばれ、前記第１制御チャネルと前記第１データチャネルは、時分割の伝送を実行し、このように、遅延を低下させることができる。
【０１９０】
本願実施例の上記の技術案では、前記第１データチャネルおよび前記第１制御チャネルが時分割の伝送を実行することは、次の３つの実現形態を有することができる。
【０１９１】
１）前記第１データチャネルおよび前記第１制御チャネルが、１つの時間ユニットで時分割の伝送を実行することを含み、前記第１制御チャネルは、前記時間ユニット内のＡ個の時間領域シンボルを占め、前記第１データチャネルは、前記時間ユニット内のＢ個の時間領域シンボルを占め、前記第１制御チャネルおよび前記第１データチャネルの時間領域リソースは重複せず、
2021529490.tif 000011
Ｃは、１つの時間ユニット内の時間領域シンボルの数であり、前記時間ユニットの粒度は、タイムスロット、サブフレーム、ｓＴＴＩまたは他の固定時間長である。
【０１９２】
例を挙げると、図５（ａ）に示されたように、１つの時間ユニットは、Ｃ＝１４個の時間領域シンボルを含み、第１データチャネルと第１制御チャネルは、同一の時間ユニットを占め、ここで、第１制御チャネルは、当該時間ユニットの最初から２番目の時間領域シンボルを占め、第１データチャネルは、当該時間ユニットの３番目から１４番目の時間領域シンボルを占める。第１データチャネルと第１制御チャネルの時間領域リソースが重複しない場合、連続する時間領域シンボルを占めてもよく、連続しない時間領域シンボルを占めてもよいことに留意されたい。例えば、第１制御チャネルは、当該時間ユニットの最初から２番目の時間領域シンボルを占め、第１データチャネルは、当該時間ユニットの３番目から１４番目の時間領域シンボルを占める。
【０１９３】
２）前記第１データチャネルは第１時間ユニット内で伝送し、前記第１制御チャネルは第２時間ユニット内で伝送し、ここで、前記第１制御チャネルは、前記第１時間ユニット内のＡ個の時間領域シンボルを占め、前記第１データチャネルは、前記第２時間ユニット内のＢ個の時間領域シンボルを占め、
2021529490.tif 000012
Ｃは、１つの時間ユニット内の時間領域シンボルの数であり、前記時間ユニットの粒度は、タイムスロット、サブフレーム、ｓＴＴＩまたは他の固定時間長である。
【０１９４】
例を挙げると、図７（ａ）に示されたように、１つの時間ユニットは、Ｃ＝１４個の時間領域シンボルを含み、第１データチャネルと第１制御チャネルは、異なる時間ユニットを占め、ここで、第１制御チャネルは、第１時間ユニットの１番目から２番目の時間領域シンボルを占め、第１データチャネルは、第２時間ユニットの３番目から１４番目の時間領域シンボルを占める。第１データチャネルおよび第１制御チャネルは、連続する時間領域シンボルを占めてもよく、連続しない時間領域シンボルを占めてもよいことに留意されたい。
【０１９５】
さらに例を挙げると、図５（ｂ）に示されたように、１つの時間ユニットは、Ｃ＝１４個の時間領域シンボルを含み、第１データチャネルと第１制御チャネルは、異なる時間ユニットを占め、ここで、第１制御チャネルは、第１時間ユニットの全ての時間領域シンボルを占め、第１データチャネルは、第２時間ユニットの全ての時間領域シンボルを占める。
【０１９６】
３）前記第１データチャネルおよび前記第１制御チャネルが、部分的な時分割の伝送を実行する。前記第１データチャネルおよび前記第１制御チャネルが、部分的な時分割の伝送を実行することは、前記第１制御チャネルが占める時間領域リソースが、前記第１データチャネルが占める時間領域リソースと少なくとも部分的に重複することを含む。
【０１９７】
例を挙げると、Ｅが制御チャネルを表し、Ｆがデータチャネルを表し、ＥおよびＦの時間領域リソースが少なくとも部分的に重複すると仮定する。さらに、ＥおよびＦの開始時間領域位置は同じであってもよく、またはＥの開始位置はＦの後に位置し、またはＥの開始位置はＦの前に位置する。
【０１９８】
ここで、ＥおよびＦの時間領域リソースが少なくとも部分的に重複することは、次の場合がある。１）Ｅの時間領域リソースはＦの時間領域リソースのサブセットであり、または、２）Ｅの時間領域リソースおよびＦの時間領域リソースは部分的に重複し、即ち、Ｅの時間領域リソースの一部はＦと重複せず、Ｅの時間領域リソース別の部分はＦと重複する。
【０１９９】
上記のｃ）において、前記第１制御チャネルが、１つの時間ユニット内のＡ個の時間領域シンボルを占め、前記第１データチャネルが、前記時間ユニット内のＢ個の時間領域シンボルを占め、前記第１制御チャネルおよび前記第１データチャネルの時間領域リソースが、少なくとも部分的に重複し、
2021529490.tif 000013
Ｃは、１つの時間ユニット内の時間領域シンボルの数である。
【０２００】
前記第１制御チャネルと前記第１データチャネルが時分割の伝送を実行する場合、第１制御情報が第制御チャネルおよび／または第１データチャネルの伝送をどうやってスケジューリングするかは、以下のＤＣＩフォーマットによって実現することができる。
【０２０１】
本願実施例では、前記第１制御情報は、前記第１制御チャネルの周波数領域リソース情報および／または前記第１制御チャネルの時間領域リソース情報および／または前記第１データチャネルの周波数領域リソース情報および／または前記第１データチャネルの時間領域リソース情報を含む。
【０２０２】
１）第１制御チャネルの周波数領域リソース情報の場合、次の方式によって実現されることができる。
【０２０３】
方式１として、前記第１制御情報は第１ビットマップを含み、前記第１ビットマップは、前記第１制御チャネルの周波数領域リソースを決定するために使用され、前記第１ビットマップにおける各ビットは、システムにおける１つの周波数領域ユニットに対応し、前記第１ビットマップにおける各ビットの値を介して、当該ビットに対応する周波数領域ユニットが前記第１制御チャネルを伝送するために使用されるかどうかを決定し、ここで、前記第１ビットマップ内の任意の第１ビットにとって、前記第１ビットの値が第１値である場合、前記第１ビットに対応する周波数領域ユニットは、前記第１制御チャネルの伝送に使用され、前記第１ビットの値が第２値である場合、前記第１ビットに対応する周波数領域ユニットは前記第１制御チャネルの伝送に使用されない。
【０２０４】
ここで、前記周波数領域ユニットの粒度は、ＰＲＢ、またはリソースブロックグループ（ＲＢＧ：Ｒｅｓｏｕｒｃｅ  Ｂｌｏｃｋ  Ｇｒｏｕｐ）、またはサブバンドである。ここで、前記周波数領域ユニットの粒度がＲＢＧまたはサブバンドである場合、前記ＲＢＧまたはサブバンドは、連続するＫ個のＰＲＢを含む。
【０２０５】
例を挙げると、システム帯域幅が２０ＭＨｚであり、合計１００個のＰＲＢを有し、周波数領域ユニットの粒度がサブバンドであり、各サブバンドが１０つのＰＲＢを含み、第１ビットマップには１０個のビットが含まれ、当該１０個のサブバンドにそれぞれ対応し、第１ビットマップの特定のビットの値が１である場合、当該ビットに対応するサブバンドがＰＳＣＣＨの伝送に使用されることを示し、第１ビットマップの特定のビットの値が０である場合、当該ビットに対応するサブバンドがＰＳＣＣＨの伝送に使用されないことを示す。
【０２０６】
方式２として、前記第１制御情報は第１パラメータを含み、前記第１パラメータは、前記第１制御チャネルの周波数領域リソースの開始位置および／または長さを決定するために使用される。ここで、前記周波数領域リソースは、連続して割り当てられる。
【０２０７】
例を挙げると、前記第１パラメータはリソース指示値（ＲＩＶ：Ｒｅｓｏｕｒｃｅ  ｉｎｄｉｃａｔｉｏｎ  ｖａｌｕｅ）であり、当該値は、ＰＳＣＣＨ周波数領域リソースの開始ＰＲＢインデックスおよび連続して割り当てられたＰＲＢの数に対応し、当該ＲＩＶ値を介してＰＳＣＣＨの周波数領域開始位置および周波数領域の長さを決定することができる。
【０２０８】
一実施形態において、ＰＳＣＣＨが占有する周波数領域リソースの長さは、事前に構成されまたはネットワークによって構成され、当該第１パラメータは、ＰＳＣＣＨの周波数領域開始位置を指示する。具体的に、当該第１パラメータは周波数領域オフセット量であってもよく、前記周波数領域オフセット量は、１つの周波数領域位置に対するＰＳＣＣＨの周波数領域開始位置の周波数領域オフセットを指示し、前記周波数領域位置は、最低または最高ＰＲＢ位置であり得、またはキャリアまたは帯域幅部分（ＢＷＰ）の開始位置であり得、またはリソースプールの開始位置であり得、またはサイドリンク同期信号の周波数領域開始位置であり得、またはサイドリンクブロードキャストチャネルの周波数領域開始位置であり得、または決定された他の周波数領域位置であり得る。例示的に、当該第１パラメータは周波数領域ユニットのインデックス値であってもよく、当該インデックス値を介して周波数領域リソースの開始位置を決定することができる。
【０２０９】
方式３として、前記第１制御情報は第１インデックス情報を含み、前記第１インデックス情報は、第１構成情報内で前記第１インデックス情報に対応する第１周波数領域リソースを決定するために使用され、前記第１構成情報は、少なくとも１つのインデックス情報と周波数領域リソースの対応関係を含む。ここで、前記第１構成情報は、事前に構成され、またはネットワークによって構成され、前記第１構成情報がネットワークによって構成された場合、ネットワークは、ＲＲＣシグナリング、またはブロードキャスト情報、またはダウンリンク制御シグナリングを介して前記第１構成情報を送信する。
【０２１０】
例を挙げると、ＤＣＩは、１つのテーブル内の１つのインデックスを含み、当該テーブル内の各インデックスは、長さおよび開始位置によって決定された周波数領域リソース、または１つまたは複数の周波数領域ユニットインデックスによって決定された周波数領域リソース、または１つのビットビットマップによって決定された周波数領域リソース、または他の方式によって決定された周波数領域リソースなど、割り当てられた周波数領域リソースに対応する。このように、ＤＣＩに含まれたインデックスに従って、１つの周波数領域リソースに対応することができる。
【０２１１】
別の例において、システム帯域幅は２０ＭＨｚであり、合計１００個のＰＲＢを有し、周波数領域ユニットの粒度はサブバンドであり、各サブバンドは１０個のＰＲＢを含み、各サブバンドは、４ビットのインデックス値で表示され、前記第１制御情報では、４ビットのインデックス情報を指示することにより、当該インデックスに対応するサブバンドが前記第１制御チャネルの伝送に使用されることを示す。
【０２１２】
上記の技術案では、前記第１制御チャネルの周波数領域リソース情報は、ＤＣＩによって明示的に指示されるが、これらに限定されず、前記第１制御チャネルの周波数領域リソース情報は、事前に定義されてもよく、またはネットワークによって構成されてもよい。例えば、前記第１制御チャネルが占める周波数領域リソースの長さは、事前に定義され、またはネットワークによって構成される方式で決定されることができ、具体的には、ネットワークは、構成情報を介して、８個のサブバンドを占めるように前記第１制御チャネルを構成し、各サブバンドは１０個のＰＲＢである。
【０２１３】
上記の技術案では、前記第１制御情報が複数の前記第１制御チャネルをスケジューリングする場合、前記第１制御情報は複数の前記第１ビットマップ、または複数の前記第１パラメータ、または複数の前記第１インデックス情報を含み、ここで、各前記第１ビットマップ、または各前記第１パラメータ、または各前記第１インデックス情報は、１つの前記第１制御チャネルの周波数領域リソースを決定するために使用される。
【０２１４】
２）第１制御チャネルの時間領域リソース情報の場合、次の方式によって実現されることができる。
【０２１５】
方式１として、前記第１制御チャネルの時間領域リソース情報は、時間領域開始位置情報および／または時間領域の長さ情報を含み、ここで、前記時間領域開始位置情報は、前記第１制御情報における第１指示フィールドによって決定され、前記時間領域の長さ情報は、前記第１制御情報における第２指示フィールドによって決定される。
【０２１６】
ここで、前記時間領域開始位置情報が、前記第１制御情報における第１指示フィールドによって決定されることは、次の方式によって実現することができる。
【０２１７】
１、前記第１指示フィールドは第１時間オフセット情報を含み、前記第１時間オフセット情報は、前記第１機器または前記第２機器が前記第１時間オフセット情報および／または前記第２制御チャネルの時間領域リソースに従って前記第１制御チャネルの時間領域リソースを決定するために使用される。
【０２１８】
ここで、前記時間ユニットの粒度は、時間領域シンボル、またはサブフレーム、またはタイムスロット、またはｓＴＴＩ、または固定時間長であり、前記時間オフセットの粒度は、時間領域シンボル、またはサブフレーム、またはタイムスロット、またはｓＴＴＩ、または固定時間長である。これらに限定されずに、前記時間ユニットまたは前記時間オフセットの粒度は、時間長を表す他の量であってもよい。
【０２１９】
前記第１時間オフセット情報および前記第２制御チャネルの時間領域リソースを介して、前記第１制御チャネルの時間領域リソースを決定することができる。ここで、前記時間領域リソースは、時間領域開始位置および／または時間長（即ち、占有した時間ユニットの数）を含む。例示的に、前記第１制御チャネルは、１つの時間ユニット内の時間領域位置で事前に構成され、またはネットワークによって構成されることができる。
【０２２０】
例を挙げると、前記第１時間オフセット情報は、前記第２制御チャネルの時間領域開始位置に対する前記第１制御チャネルの時間領域開始位置の時間オフセット量を指示し、例えば、前記時間オフセット量は４つのサブフレームであり、端末がサブフレームｎで当該オフセット情報を運ぶＤＣＩを受信した場合、サブフレームｎ＋４で前記第１制御チャネルを送信する。さらに、事前構成情報を介して第１制御チャネルが１つの時間ユニット内の最初の時間領域シンボルから４番目の時間領域シンボルを占めることを決定し、したがって、当該第１制御チャネルがサブフレームｎ＋４の最初の４つの時間領域シンボルを占めると決定することができる。
【０２２１】
一実施形態において、前記第１時間オフセット情報は、無線フレーム（例えば、１０個のサブフレームを含む）開始位置に対する前記第１制御チャネルの時間領域開始位置の時間オフセットを指示し、または、前記第１時間オフセット情報は、無線フレーム周期（例えば、１０２４０個のサブフレームを含む）開始位置に対する前記第１制御チャネルの時間領域開始位置の時間オフセットを指示し、または、前記第１時間オフセット情報は、リソースプール開始位置に対する前記第１制御チャネルの時間領域開始位置の時間オフセットを指示する。
【０２２２】
一実施形態において、前記第１制御情報は、複数の第１制御チャネルをスケジューリングするために使用され、前記第１指示フィールドは複数の時間オフセット情報を含む。前記複数の第１制御チャネルの時間領域リソースは、前記複数の時間オフセット情報によって決定されることができる。例えば、前記第１制御情報は、２つの第１制御チャネルをスケジューリングし、前記第１指示フィールドは、２つの時間オフセット情報を含み、前記最初の時間オフセット情報は、最初の第１制御チャネルの時間領域リソースを決定するために使用され、前記２番目の時間オフセット情報は、２番目の第１制御チャネルの時間領域リソースを決定するために使用される。前記時間オフセット情報は、前記第２制御チャネル、または無線フレーム内の時間領域開始位置、または無線フレーム周期内の時間領域開始位置に対するものである。
【０２２３】
一実施形態において、前記第１制御情報は、複数の前記第１制御チャネルをスケジューリングするために使用され、ここで、最初の前記第１制御チャネルの時間領域リソースは、明示的または暗黙的な方式で決定されることができ、残りの前記第１制御チャネルの時間領域リソースは、最初の前記第１制御チャネルの時間領域リソースおよび前記第１時間オフセット情報によって決定されることができる。例えば、前記第１制御情報は、２つの第１制御チャネルをスケジューリングするために使用され、最初の第１制御チャネルのサブフレームと、前記第１制御情報を受信したサブフレームが決定関係を有し、サブフレームｎで第１制御情報を受信し、サブフレームｎ＋４で最初の第１制御チャネルを送信するなど、最初の第１制御チャネルの時間領域リソースは、暗黙的な方式で決定されることができ、前記第１時間オフセット情報がｐである場合、２番目の第１制御チャネルのサブフレームはｎ＋４＋ｐであるなど、２番目の第１制御チャネルの時間領域リソースは、最初の第１制御チャネルの時間領域リソースおよび前記第１時間オフセット情報によって決定される。さらに例えば、前記第１制御情報は、２つの第１制御チャネルをスケジューリングするために使用され、前記第１制御情報は、２つの時間オフセット情報ｐ１およびｐ２を含み、サブフレームｎで第１制御情報を受信し、サブフレームｎ＋ｐ１で最初の第１制御チャネルを送信し、サブフレームｎ＋ｐ２で２番目の第１制御チャネルを送信する。
【０２２４】
２、前記第１指示フィールドは第２インデックス情報を含み、前記第２インデックス情報は、前記第１制御チャネルの開始位置が占める時間ユニットを決定するために使用される。
【０２２５】
ここで、第２インデックス情報は１つの無線フレーム内のサブフレーム番号、または１つの無線フレーム周期内のサブフレーム番号などであってもよく、第２インデックス情報を介して、第１制御チャネルの時間領域開始位置を直接に決定することができる。
【０２２６】
例を挙げると、ＤＣＩは、１つの無線フレームにおけるＰＳＣＣＨのサブフレーム番号を運び、１つの無線フレームは１０個のサブフレームを含むため、サブフレーム番号範囲は［０，９］である。ＤＣＩによって運ばれたサブフレーム番号が７である場合、当該ＤＣＩによってスケジューリングされたＰＳＣＣＨは、１つの無線フレーム内のサブフレーム７で伝送を行う。さらに、端末の処理遅延を考慮すると、端末がサブフレーム６でＤＣＩを受信し、処理遅延が２ｍｓであり、ＤＣＩによって運ばれたサブフレーム番号が７である場合、端末はサブフレーム８でＤＣＩを正常に検出し、次の無線フレーム内のサブフレーム７のＰＳＣＣＨをスケジューリングする。
【０２２７】
上記の無線フレームまたは無線フレーム周期は、ダウンリンクに基づいて決定し、またはサイドリンクに基づいて決定されることができることに留意されたい。
【０２２８】
一実施形態において、前記第１指示フィールドは複数のインデックス情報を含む。前記第１制御情報は複数の第１制御チャネルをスケジューリングするために使用され、前記複数の第１制御チャネルの時間領域リソースは、前記複数のインデックス情報によって決定されることができる。例えば、前記第１制御情報は、２つの第１制御チャネルをスケジューリングし、前記第１指示フィールドは、２つのインデックス情報を含み、前記最初のインデックス情報は、最初の第１制御チャネルの時間領域リソースを決定するために使用され、前記２番目のインデックス情報は、２番目の第１制御チャネルの時間領域リソースを決定するために使用される。例示的に、前記インデックス情報は１つの無線フレーム内のサブフレーム番号、または１つの無線フレーム周期内のサブフレーム番号である。
【０２２９】
３、前記第１指示フィールドは１つのビットマップを含み、前記ビットマップにおける各ビットは１つの時間ユニットに対応し、前記ビットマップにおける各ビットの値を介して、当該ビットに対応する時間ユニットが前記第１制御チャネルを伝送するために使用されるかどうかを決定し、ここで、前記ビットマップ内の任意のビットにとって、前記ビットの値が第１値である場合、前記ビットに対応する時間ユニットは前記第１制御チャネルの伝送に使用され、前記ビットの値が第２値である場合、前記第２ビットに対応する時間ユニットは前記第１制御チャネルの伝送に使用されない。
【０２３０】
例えば、前記第１指示フィールドには１つのビットマップが含まれ、当該ビットマップは１０個のビットを含み、当該ビットは、１０個のサブフレームにそれぞれ対応し、特定のビットが１である場合、当該サブフレームが前記第１制御チャネルを伝送するために使用されることを示し、さらに、前記第１制御チャネルが最初のシンボルからの４つのシンボルを占めるなど、各サブフレームにおける前記第１制御チャネルのリソースは、事前に構成され、またはネットワークによって構成される方式で決定されることができ、前記ビットマップ情報および前記構成情報を介して、前記第１制御チャネルの時間領域リソースを決定することができる。さらに、前記ビットマップの複数のビット位を１に設定することにより、複数の第１制御チャネルの時間領域伝送リソースを構成することができる。
【０２３１】
前記第１制御チャネルの時間領域リソースの場合、前記第１制御チャネルの時間領域リソースは、１つの時間領域シンボルまたは複数の連続する時間領域シンボルを占め、ここで、前記第１制御チャネルの時間領域の長さ情報は、前記第１制御情報における第２指示フィールドによって決定され、具体的に、前記第１制御情報における前記第２指示フィールドは、前記第１制御チャネルの時間領域リソースが占める時間ユニットの数を示し、ここで、前記時間ユニットは、時間領域シンボル、またはｓＴＴＩ、またはサブフレーム、またはタイムスロット、または他の固定時間長であってもよい。
【０２３２】
上述の実施形態において、前記第１指示フィールドを介して、前記第１制御チャネルを伝送する時間ユニットを決定することができ、前記時間ユニット内の前記第１制御チャネルの時間領域リソースは、事前に構成され、またはネットワークによって構成される方式によって決定されることができる。例えば、１つの時間ユニット内に事前に構成され、またはネットワークによって構成され、第１制御チャネルは、最初のｋ個の時間領域シンボルを占め、前記第１指示フィールドと組み合わせて、前記第１制御チャネルが位置する時間ユニットを決定することができ、当該時間ユニット内の前記第１制御チャネルの時間領域リソースを決定することができる。
【０２３３】
方式２として、前記第１制御チャネルの時間領域リソース情報は、時間領域開始位置情報および／または時間領域の長さ情報を含み、ここで、前記時間領域開始位置情報および／または前記時間領域の長さ情報は、前記第１制御情報における第３指示フィールドによって決定される。
【０２３４】
ここで、前記時間領域開始位置情報および／または前記時間領域の長さ情報が、前記第１制御情報における第３指示フィールドによって決定されることは、次の方式によって実現することができる。
【０２３５】
１、前記第１制御情報における第３指示フィールドは第２パラメータを含み、前記第２パラメータは、前記第１制御チャネルの時間領域開始位置および時間領域の長さを決定するために使用される。
【０２３６】
ここで、前記第２パラメータは、前記第１制御チャネルの時間領域開始位置および時間領域の長さによって計算および取得されることができ、異なる時間領域開始位置および時間領域の長さによって計算および取得された第２パラメータは異なり、第２パラメータに従って、前記第１制御チャネルの時間領域開始位置および時間領域の長さに対応することができる。
【０２３７】
２、前記第１制御情報における第３指示フィールドは第２ビットマップを含み、前記第２ビットマップにおける各ビットは１つの時間ユニットに対応し、前記第２ビットマップにおける各ビットの値を介して、当該ビットに対応する時間ユニットが前記第１制御チャネルを伝送するために使用されるかどうかを決定し、ここで、前記第２ビットマップ内の任意の第２ビットにとって、前記第２ビットの値が第１値である場合、前記第２ビットに対応する時間ユニットは前記第１制御チャネルの伝送に使用され、前記第２ビットの値が第２値である場合、前記第２ビットに対応する時間ユニットは前記第１制御チャネルの伝送に使用されない。
【０２３８】
例を挙げると、時間ユニットが時間領域シンボルであり、第２ビットマップの特定のビットの値が１である場合、当該ビットに対応する時間領域シンボルがＰＳＣＣＨの伝送に使用されることを示し、第２ビットマップの特定のビットの値が０である場合、当該ビットに対応する時間領域シンボルがＰＳＣＣＨの伝送に使用されないことを示す。
【０２３９】
３、前記第１制御情報における第３指示フィールドは第３インデックス情報を含み、前記第３インデックス情報は、第２構成情報における前記第３インデックス情報に対応する第１時間領域リソースを決定するために使用され、前記第２構成情報は、少なくとも１つのインデックス情報と時間領域リソースの対応関係を含み、ここで、前記第２構成情報は、事前に構成され、またはネットワークによって構成される。
【０２４０】
例を挙げると、ＤＣＩは、１つのテーブル内の１つのインデックスを含み、当該テーブル内の各インデックスは、時間領域リソースの長さおよび開始位置によって決定された時間領域リソース、または１つまたは複数の時間ユニットインデックスによって決定された時間領域リソース、または１つビットビットマップによって決定された時間領域リソース、または他の方式によって決定された時間領域リソースなど、割り当てられた時間領域リソースに対応する。
【０２４１】
上記の技術案では、前記第１制御チャネルの時間領域リソース情報は、ＤＣＩによって明示的に指示されるが、これらに限定されず、前記第１制御チャネルの時間領域リソース情報は、ＤＣＩを介して暗黙的に指示され、具体的に、前記第２制御チャネルの時間領域リソースに基づいて、前記第１制御チャネルの時間領域リソースを決定し、例を挙げると、端末は、ＤＣＩを受信する時間に従って、ＰＳＣＣＨの伝送時間を決定し、例えば、サブフレームｎでＤＣＩを受信し、サブフレームｎ＋４でＰＳＣＣＨを送信し、各ＰＳＣＣＨは、サブフレームの最初のシンボルで開始し、または各ＰＳＣＣＨは、サブフレームの最後のシンボルで終了する。各ＰＳＣＣＨが占めるシンボルの数は、事前に構成され、またはネットワークによって構成されることができる。
【０２４２】
一実施形態において、前記第１制御情報は、前記第１データチャネルの時間領域リソースおよび／または周波数領域リソースを明示的に指示し、前記第１制御チャネルの時間領域リソースは、前記第１データチャネルの時間領域リソースまたは前記第２制御チャネルの時間領域リソースを介して暗黙的に決定されることができ、または、前記第１制御チャネルの周波数領域リソースは、前記第１データチャネルの周波数領域リソースを介して暗黙的に決定されることができ、この場合、前記第１制御情報は、前記第１制御チャネルの時間領域リソース指示情報または周波数領域リソース指示情報を含まない。
【０２４３】
本願実施例の上記の技術案では、前記第１制御情報は、１つの第１制御チャネルに対応する周波数領域リソース情報および／または時間領域リソース情報を含み、または、前記第１制御情報は、複数の第１制御チャネルに対応する周波数領域リソース情報および／または時間領域リソース情報を含む。
【０２４４】
一実施形態において、前記第１データチャネルの時間領域リソースは、前記第１制御チャネルまたは前記第２制御チャネルの時間領域リソースに基づいて決定することができ、明示的に指示する必要がない。前記第１制御情報は、前記第１データチャネルの周波数領域リソースおよび／または時間領域リソースを含んでもよく、前記第１データチャネルの周波数領域リソースおよび／または時間領域リソースを含まなくてもよい。前記第１制御情報が前記第１データチャネルの周波数領域リソースおよび／または時間領域リソースを含む場合、前記第１データチャネルの周波数領域リソースおよび／または時間領域リソースは、次の方式で決定することができる。
【０２４５】
３）第１データチャネルの周波数領域リソース情報の場合、次の方式によって実現されることができる。
【０２４６】
方式１として、前記第１制御情報は第３ビットマップを含み、前記第３ビットマップは、前記第１データチャネルの周波数領域リソースを決定するために使用され、前記第３ビットマップにおける各ビットは、システムにおける１つの周波数領域ユニットに対応し、前記第３ビットマップにおける各ビットの値を介して、当該ビットに対応する周波数領域ユニットが前記第１データチャネルを伝送するために使用されるかどうかを決定し、ここで、前記第３ビットマップ内の任意の第３ビットにとって、前記第３ビットの値が第１値である場合、前記第３ビットに対応する周波数領域ユニットは、前記第１データチャネルの伝送に使用され、前記第３ビットの値が第２値である場合、前記第３ビットに対応する周波数領域ユニットは前記第１データチャネルの伝送に使用されない。
【０２４７】
ここで、前記周波数領域ユニットの粒度は、ＰＲＢ、またはＲＢＧ、またはサブバンドである。ここで、前記周波数領域ユニットの粒度がＲＢＧまたはサブバンドである場合、前記ＲＢＧまたはサブバンドは、連続するＫ個のＰＲＢを含む。
【０２４８】
例を挙げると、システム帯域幅が２０ＭＨｚであり、合計１００個のＰＲＢを有し、周波数領域ユニットの粒度がサブバンドであり、各サブバンドが５つのＰＲＢを含み、第１ビットマップには２０個のビットが含まれ、当該２０個のサブバンドにそれぞれ対応し、第３ビットマップの特定のビットの値が１である場合、当該ビットに対応する周波数領域ユニットがＰＳＳＣＨの伝送に使用されることを示し、第３ビットマップの特定のビットの値が０である場合、当該ビットに対応する周波数領域ユニットがＰＳＳＣＨの伝送に使用されないことを示し、ＰＳＳＣＨ伝送に使用されるサブバンドは、周波数領域で連続している場合、または周波数領域で連続してない場合がある。
【０２４９】
方式２として、前記第１制御情報は第３パラメータを含み、前記第３パラメータは、前記第１データチャネルの周波数領域リソースの開始位置および／または長さを決定するために使用される。ここで、前記周波数領域リソースは、連続して割り当てられる。
【０２５０】
一実施形態において、前記第１制御チャネルおよび前記第１データチャネルの周波数領域開始位置が同じである場合、または前記第１制御チャネルおよび前記第１データチャネルの周波数領域開始位置が一対一の対応関係を有する場合、前記第３パラメータは、前記第１データチャネルに対応する周波数領域リソースの長さを決定するために使用される。別の実施形態において、前記第１制御情報および前記第１データチャネルの周波数領域終了位置が同じである場合、前記第３パラメータは、前記第１データチャネルに対応する周波数領域リソースの長さを決定するために使用される。例えば、ＰＳＣＣＨおよびそれに対応するＰＳＳＣＨの周波数領域開始位置が同じである場合、ＰＳＣＣＨの周波数領域開始位置に基づいて、ＰＳＳＣＨの周波数領域開始位置を決定することができ、第３パラメータを介して、ＰＳＳＣＨの周波数領域リソースの長さを示すことができる。
【０２５１】
一実施形態において、前記第１制御情報が複数のデータチャネルの伝送をスケジューリングする場合、前記複数のデータチャネルは、少なくとも、前記第１データチャネルおよび第２データチャネルを含み、前記第３パラメータは、前記複数のデータチャネルに対応する周波数領域リソースの長さおよび前記第２データチャネルに対応する周波数領域リソースの開始位置を決定するために使用される。本実施例において、前記第１データチャネルの周波数領域リソース開始位置および前記第１制御チャネルの周波数領域リソース開始位置が一対一の対応関係を有する場合、前記第１制御チャネルの周波数領域リソース開始位置を介して、前記第１データチャネルの周波数領域リソース開始位置を決定することができ、前記第１データチャネルの周波数領域リソース開始位置および前記第１制御チャネルの周波数領域リソース開始位置が一対一の対応関係を有しない場合、前記第１制御情報は、前記第１データチャネルの周波数領域リソース開始位置を指示する別のパラメータを含む。例を挙げると、ＤＣＩがＰＳＳＣＨの伝送を２回（１回は初期伝送であり、１回は再伝送である）スケジューリングする場合、前記第３パラメータは、ＰＳＳＣＨの周波数領域リソースの長さおよび別のＰＳＳＣＨ伝送の開始位置を示し、前記第３パラメータは、ＰＳＳＣＨの周波数領域リソースの長さおよび２番目のＰＳＳＣＨ伝送の開始位置によって決定され、この場合、ＤＣＩは、ＰＳＳＣＨの最初のＰＳＳＣＨ伝送の周波数領域リソース開始位置を指示するための別のフィールドを含む。さらに例を挙げると、ＤＣＩがＰＳＳＣＨの伝送を４回（１回は初期伝送であり、３回は再伝送である）スケジューリングする場合、前記第３パラメータは、４回の伝送の周波数領域開始位置、および周波数領域リソースの長さを含む。４回の伝送の周波数領域リソースの長さが同じである場合、前記第３パラメータは、１つの周波数領域リソースの長さのみを指示する必要があり、そうでない場合、４回の伝送の周波数領域リソースの長さをそれぞれ支持する必要がある。ＰＳＳＣＨの周波数領域リソースの開始位置が、ＰＳＣＣＨを搬送し、且つ、当該ＰＳＣＣＨに対応する周波数領域リソース位置によって決定されることができる場合（例えば、４回のＰＳＳＣＨ伝送の周波数領域開始位置が同じであり、最初のＰＳＳＣＨ伝送の周波数
領域開始位置とそれに対応するＰＳＣＣＨの周波数領域開始位置は一対一の対応関係を有する）、前記第３パラメータは、４回の伝送の周波数領域開始位置を含まなくてもよい。４回の伝送の周波数領域開始位置が同じであり、または４回の伝送が周波数ポッピング方式（即ち、最初の伝送の周波数領域開始位置および周波数ポッピング基準を介して後続の３回の伝送の周波数領域開始位置を決定することができる）を使用する場合、前記第３パラメータは、１つの周波数領域開始位置のみを含み得る。
【０２５２】
一実施例において、前記第３パラメータは、前記第１データチャネル周波数領域リソースの開始位置および長さによって決定される。例を挙げると、前記第３パラメータはＲＩＶであり、当該値は、ＰＳＳＣＨ周波数領域リソースの開始ＰＲＢインデックス（ｎ＿ＰＲＢ＿ｓｔａｒｔ）および連続して割り当てられたＰＲＢの数（Ｌ＿ＰＲＢ）に対応し、ＲＩＶの値は次の式によって決定される。
【数３】
2021529490.tif 000014
【０２５３】
ここで、Ｎ＿ＰＲＢはリソースプール内のＰＲＢの総数を示す。本実施例において、Ｎ＿ＰＲＢは、帯域幅部分内のＰＲＢの総数、または１つのキャリア内のＰＲＢの総数を示すこともでき、本実施例は、これらに対して限定しない。本実施例において、周波数領域リソースの粒度は、ＲＢＧまたはサブバンドであってもよく、本実施例は、これらに対して限定しない。
【０２５４】
方式３として、前記第１制御情報は第４インデックス情報を含み、前記第４インデックス情報は、第３構成情報における前記第４インデックス情報に対応する第２周波数領域リソースを決定するために使用され、前記第３構成情報は、少なくとも１つのインデックス情報と周波数領域リソースの対応関係を含み、ここで、前記第３構成情報は、事前に構成され、またはネットワークによって構成される。ここで、前記第３構成情報は、事前に構成され、またはネットワークによって構成され、前記第３構成情報がネットワークによって構成された場合、ネットワークは、ＲＲＣシグナリング、またはブロードキャスト情報、またはダウンリンク制御シグナリングを介して前記第３構成情報を送信する。
【０２５５】
例を挙げると、ＤＣＩは、１つのテーブル内の１つのインデックスを含み、当該テーブル内の各インデックスは、長さおよび開始位置によって決定された周波数領域リソース、または１つまたは複数の周波数領域ユニットインデックスによって決定された周波数領域リソース、または１つのビットビットマップによって決定された周波数領域リソース、または他の方式によって決定された周波数領域リソースなど、割り当てられた周波数領域リソースに対応する。
【０２５６】
４）第１データチャネルの周波数領域リソースの場合、前記第１制御情報は、第１指示情報をさらに含み、前記第１指示情報は、前記第１データチャネルの周波数領域リソース割り当てタイプを指示する。
【０２５７】
一実施形態において、前記第１指示情報は、前記第１制御情報のＮ（Ｎは１より大きいか等しい整数である）ビットで示され、前記Ｎビットの異なる値は、異なる周波数領域リソース割り当てタイプに対応する。例を挙げると、１ビットを介して第１指示情報を示し、当該ビットの値が１である場合、前記第１データチャネルの周波数領域リソース割り当てタイプがｔｙｐｅ０であることを示し、当該ビットの値が０である場合、前記第１データチャネルの周波数領域リソース割り当てタイプがｔｙｐｅ１であることを示し、ここで、ｔｙｐｅ０は、周波数領域リソースが離散的であることを示し、ｔｙｐｅ１は、周波数領域リソースが連続的であることを示す。周波数領域リソース割り当てタイプの数がより多い場合、より多くのビットを使用して前記第１指示情報を示すことができる。
【０２５８】
５）第１データチャネルの時間領域リソース情報の場合、次の方式によって実現されることができる。
【０２５９】
方式１として、前記第１データチャネルの時間領域リソース情報は、時間領域開始位置情報および／または時間領域の長さ情報を含み、ここで、前記時間領域開始位置情報は、前記第４制御情報における第１指示フィールドによって決定され、前記時間領域の長さ情報は、前記第１制御情報における第５指示フィールドによって決定される。
【０２６０】
ここで、前記第１データチャネルおよび前記第１制御チャネル／第２制御チャネルの時間領域リソースが連続的であり、または前記第１データチャネルおよび前記第１制御チャネル／第２制御チャネルの時間領域リソースが対応関係を有する場合、前記第１制御チャネル／第２制御チャネルの時間領域開始位置に基づいて、前記第１データチャネルの時間領域開始位置を決定することができ、このように、前記第１データチャネルの時間領域開始位置は、前記第１制御情報における前記第４指示フィールドによって決定される必要がない。前記第１データチャネルおよび前記第１制御チャネル／第２制御チャネルの時間領域リソースが非連続的であり、且つ前記第１データチャネルおよび前記第１制御チャネル／第２制御チャネルの時間領域リソースが対応関係を有さない場合、前記第１データチャネルの時間領域開始位置は、前記第１制御情報における前記第４指示フィールドによって決定される必要がある。
【０２６１】
ここで、前記時間領域開始位置情報が、前記第１制御情報における第４指示フィールドによって決定されることは、次の方式によって実現することができる。
【０２６２】
１、前記第４指示フィールドは第２時間オフセット情報を含み、前記第２時間オフセット情報は、前記第２制御チャネルまたは前記第１制御チャネルの時間領域リソースに対する前記第１データチャネルの時間領域リソースの時間オフセット量を決定するために使用される。
【０２６３】
ここで、前記時間ユニットの粒度は、時間領域シンボル、またはサブフレーム、またはタイムスロット、またはｓＴＴＩ、または固定時間長であり、前記時間オフセットの粒度は、時間領域シンボル、またはサブフレーム、またはタイムスロット、またはｓＴＴＩ、または固定時間長である。これらに限定されずに、前記時間ユニットまたは前記時間オフセットの粒度は、時間長を表す他の量であってもよい。
【０２６４】
前記第２時間オフセット情報および前記第１制御チャネル／第２制御チャネルの時間領域リソースを介して、前記第１データチャネルの時間領域リソースを決定することができる。ここで、前記時間領域リソースは、時間領域開始位置および／または時間長（即ち、占有した時間ユニットの数）を含む。
【０２６５】
例を挙げると、図７（ａ）を参照すると、ＰＳＣＣＨおよびそれによってスケジューリングされたＰＳＳＣＨが同一のサブフレームにいない場合、各サブフレームの最初の３つのシンボルはＰＳＣＣＨリソースであり、残りのシンボルはＰＳＳＣＨリソースであるため、ＰＳＣＣＨに対するＰＳＳＣＨのサブフレームオフセット量をＤＣＩで運ぶことができ、それにより、ＤＣＩによって割り当てられたＰＳＣＣＨのサブフレーム、およびそれによって運ばれるサブフレームオフセット量に従って、ＰＳＳＣＨのサブフレーム位置を位置することができ、ＰＳＳＣＨサブフレームでは、最初の３つのシンボルは候補ＰＳＣＣＨリソースであるため、ＰＳＳＣＨは、４番目のシンボルから始め、それにより、ＰＳＳＣＨの具体的な開始サブフレームおよび開始シンボル位置を決定することができる。例示的に、１つのサブフレーム内で、ＰＳＳＣＨの開始位置が固定されていない場合、前記時間オフセット情報は、サブフレーム内の前記ＰＳＳＣＨの時間領域シンボルのオフセット情報またはインデックス情報をさらに含む。ＤＣＩによって運ばれたサブフレームオフセット量、および当該サブフレーム内の時間領域シンボルのオフセット情報またはインデックス情報を組み合わせて、ＰＳＳＣＨの時間領域開始位置を決定することができる。
【０２６６】
２、前記第４指示フィールドは、時間インデックス情報を含み、前記時間インデックス情報は、前記第１データチャネルの時間領域開始位置を決定するために使用される。
【０２６７】
例を挙げると、時間インデックス情報は、１つの無線フレーム内の時間ユニット番号、または１つの無線フレーム周期内の時間ユニット番号などであってもよく、前記時間ユニットは時間領域シンボルまたはサブフレームまたはタイムスロットまたはｓＴＴＩまたは固定時間長であり、時間インデックス情報を介して、第１データチャネルの時間領域開始位置を直接に決定することができる。例えば、図７（ａ）を参照すると、ＰＳＣＣＨおよびそれによってスケジューリングされたＰＳＳＣＨが同一のサブフレームにいない場合、各サブフレーム内の最初の３つのシンボルはＰＳＣＣＨリソースであり、残りのシンボルはＰＳＳＣＨリソースであるため、１つの無線フレーム内のＰＳＳＣＨのサブフレーム番号をＤＣＩで運ぶことができ、１つの無線フレームは１０個のサブフレームを含むため、サブフレーム番号範囲は［０，９］である。ＤＣＩによって運ばれたサブフレーム番号が７である場合、当該ＤＣＩは、１つの無線フレーム内のサブフレーム７のＰＳＳＣＨをスケジューリングするために使用され、サブフレーム７では、最初の３つのシンボルが候補ＰＳＣＣＨリソースであるため、ＰＳＳＣＨは、４番目のシンボルから始め、それにより、ＰＳＳＣＨの具体的な開始サブフレームおよび開始シンボル位置を決定することができる。さらに、端末の処理遅延を考慮すると、端末がサブフレーム６でＤＣＩを受信し、処理遅延が２ｍｓであり、ＤＣＩによって運ばれたサブフレーム番号が７である場合、端末はサブフレーム８でＤＣＩを正常に検出し、次の無線フレーム内のサブフレーム７のＰＳＳＣＨをスケジューリングする。
【０２６８】
前記第１データチャネルの時間領域リソースの場合、前記第１データチャネルの時間領域リソースは、１つの時間ユニットまたは連続する複数の時間ユニットを占め、ここで、前記第１データチャネルの時間領域の長さ情報が、前記第１制御情報における第５指示フィールドによって決定されることは、次の方式によって実現されることができる。
【０２６９】
前記第５指示フィールドは、前記第１データチャネルの時間領域リソースが占める時間ユニットの数を決定するために使用される。ここで、前記時間ユニットの粒度は、時間領域シンボル、またはサブフレーム、またはタイムスロット、またはｓＴＴＩ、または固定時間長である。これらに限定されず、前記時間ユニットの粒度は、時間長を表す他の量であってもよい。
【０２７０】
例を挙げると、図５（ａ）では、１つのサブフレームは、１４個のシンボルを含み、ＰＳＣＣＨはサブフレームの最初の４つのシンボルを占め、当該サブフレーム内の残りのシンボルはＰＳＳＣＨ伝送に使用されることができ、ＰＳＳＣＨは、１つまたは複数のサブフレームを占めることができるため、前記第５指示フィールドは、ＰＳＳＣＨが占めるサブフレームの数を指示することができ、または前記第５指示フィールドは、ＰＳＳＣＨが占めるシンボルの数を指示することができる。例えば、時間ユニットの粒度がサブフレームである場合、前記第５指示フィールドが、当該ＰＳＳＣＨが２つの時間ユニットを占有することを示している場合、当該ＤＣＩによってスケジューリングされたＰＳＳＣＨは、２つの連続する隣接サブフレームを示し、ＰＳＳＣＨの時間領域リソースの開始位置と組み合わせて、ＰＳＳＣＨが占める時間領域リソースを決定することができる。
【０２７１】
一実施形態において、前記第１制御情報は、複数の第１データチャネルをスケジューリングするために使用され、前記第４指示フィールドは、複数の時間オフセット情報または複数の時間インデックス情報を含む。前記複数の第１データチャネルの時間領域リソースは、前記複数の時間オフセット情報または複数の時間インデックス情報によって決定されることができる。例えば、前記第１制御情報は、２つの第１データチャネルをスケジューリングし、前記第１指示フィールドは、２つの時間オフセット情報を含み、前記最初の時間オフセット情報は、最初の第１データチャネルの時間領域リソースを決定するために使用され、前記２番目の時間オフセット情報は、２番目の第１データチャネルの時間領域リソースを決定するために使用される。前記時間オフセット情報は、前記第２制御チャネル、または前記第１制御チャネル、または無線フレーム内の時間領域開始位置、または無線フレーム周期内の時間領域開始位置に対するものである。
【０２７２】
一実施形態において、前記第１データチャネルの時間領域リソースが、連続する複数の時間ユニットを占める場合、前記複数の時間ユニットは、第１時間ユニットおよび少なくとも１つの第２時間ユニットを含み、前記第２時間ユニット内に制御チャネルリソースが含まれた場合、前記第１データチャネルの時間領域リソースは、前記第２時間ユニットの前記制御チャネルリソースを占める。例を挙げると、ＰＳＳＣＨが、連続する複数の時間ユニットを占有する場合、当該ＰＳＳＣＨは、最初の時間ユニット以外の他の時間ユニットのＰＳＣＣＨリソースを占める。図５に示されたように、３番目のサブフレームによってスケジューリングされたＰＳＳＣＨが２つのサブフレームを占有する場合、当該ＰＳＳＣＨは、４番目のサブフレームのＰＳＣＣＨリソースを占める。
【０２７３】
方式２として、前記第１データチャネルの時間領域リソース情報は、時間領域開始位置情報および／または時間領域の長さ情報を含み、ここで、前記時間領域開始位置情報および／または前記時間領域の長さ情報は、前記第１制御情報における第６指示フィールドによって決定される。
【０２７４】
ここで、前記時間領域開始位置情報および／または前記時間領域の長さ情報が、前記第１制御情報における第６指示フィールドによって決定されることは、次の方式によって実現することができる。
【０２７５】
１、前記第１制御情報における第６指示フィールドは第４パラメータを含み、前記第４パラメータは、前記第１データチャネルの時間領域開始位置および時間領域の長さを決定するために使用される。
【０２７６】
ここで、前記第４パラメータは、前記第１データチャネルの時間領域開始位置および時間領域の長さによって計算および取得されることができ、異なる時間領域開始位置および時間領域の長さによって計算および取得された第４パラメータは異なり、第４パラメータに従って、前記第１データチャネルの時間領域開始位置および時間領域の長さに対応することができる。
【０２７７】
２、前記第１制御情報における第６指示フィールドは第４ビットマップを含み、前記第４ビットマップにおける各ビットは１つの時間ユニットに対応し、前記第４ビットマップにおける各ビットの値を介して、当該ビットに対応する時間ユニットが前記第１データチャネルの伝送に使用されるかどうかを決定し、ここで、前記第４ビットマップ内の任意の第４ビットにとって、前記第４ビットの値が第１値である場合、前記第４ビットに対応する時間ユニットは前記第１データチャネルの伝送に使用され、前記第４ビットの値が第２値である場合、前記第４ビットに対応する時間ユニットは前記第１データチャネルの伝送に使用されない。
【０２７８】
ここで、前記時間ユニットの粒度は、時間領域シンボル、またはサブフレーム、またはタイムスロット、またはｓＴＴＩ、または固定時間長である。これらに限定されず、前記時間ユニットの粒度は、時間長を表す他の量であってもよい。
【０２７９】
例を挙げると、第４ビットマップの特定のビットの値が１である場合、当該ビットに対応する時間領域ユニットがＰＳＳＣＨの伝送に使用されることを示し、第４ビットマップの特定のビットの値が０である場合、当該ビットに対応する時間領域ユニットがＰＳＳＣＨの伝送に使用されないことを示す。
【０２８０】
３、前記第１制御情報における第６指示フィールドは第５インデックス情報を含み、前記第５インデックス情報は、第４構成情報における前記第５インデックス情報に対応する第２時間領域リソースを決定するために使用され、前記第４構成情報は、少なくとも１つのインデックス情報と時間領域リソースの対応関係を含む。ここで、前記第４構成情報は、事前に構成され、またはネットワークによって構成され、前記第４構成情報がネットワークによって構成された場合、ネットワークは、ＲＲＣシグナリング、またはブロードキャスト情報、またはダウンリンク制御シグナリングを介して前記第４構成情報を送信する。
【０２８１】
例を挙げると、ＤＣＩは、１つのテーブル内の１つのインデックスを含み、当該テーブル内の各インデックスは、時間領域リソースの長さおよび開始位置によって決定された時間領域リソース、または１つまたは複数の時間ユニットインデックスによって決定された時間領域リソース、または１つのビットビットマップによって決定された時間領域リソース、または他の方式によって決定された時間領域リソースなど、割り当てられた時間領域リソースに対応する。
【０２８２】
上述の実施形態において、前記第４指示フィールドまたは第６指示フィールドを介して、前記第１データチャネルを伝送する時間ユニットを決定することができ、前記時間ユニット内の前記第１データチャネルの時間領域リソースは、事前に構成され、またはネットワークによって構成される方式によって決定されることができる。例えば、１つの時間ユニット内に事前に構成され、またはネットワークによって構成され、第１データチャネルは、最後のｍ個の時間領域シンボルを占め、前記第１指示フィールドと組み合わせて、前記第１データチャネルが位置する時間ユニットを決定することができ、当該データユニット内の前記第１制御チャネルの時間領域リソースを決定することができる。
【０２８３】
本願実施例の上記の技術案では、スケジューリングされた第１データチャネルの伝送リソース上で端末によって使用可能なＰＲＢの数は２、３、５の倍数である。
【０２８４】
例示的に、本願実施例の上記の技術案では、前記第１データチャネルが占める最後の時間ユニットの最後の時間領域シンボルは、データを伝送するために使用することではなく、ガード間隔（ＧＰ）として使用される。
【０２８５】
ここで、前記第１データチャネルが、連続する時間ユニットを占める場合、最後の時間ユニットの最後のシンボルはデータを伝送するために使用されない、前記第１データチャネルが、連続しない時間ユニットを占める場合、各時間ユニットの最後のシンボルはデータを伝送するために使用されない。
【０２８６】
本願実施例の上記の技術案では、前記第１制御情報は、１つの第１データチャネルに対応する周波数領域リソース情報および／または時間領域リソース情報を含み、または、前記第１制御情報は、複数の第１データチャネルに対応する周波数領域リソース情報および／または時間領域リソース情報を含む。
【０２８７】
さらに、本願実施例の前記第１制御情報は、
前記第１データチャネルの伝送回数を決定するための第２指示情報、
前記第１データチャネルの冗長バージョン情報、
前記第１データチャネルによって使用されるコードブック情報、
シングルアンテナポート伝送、送信ダイバーシティ、ビームフォーミングなど、前記第１データチャネルによって使用される伝送案情報、
前記第１データチャネルによって使用される復調基準信号（ＤＭＲＳ：Ｄｅｍｏｄｕｌａｔｉｏｎ  Ｒｅｆｅｒｅｎｃｅ  Ｓｉｇｎａｌ）パターン情報、
前記第１データチャネルの電力情報、
前記第１データチャネルと前記第１制御チャネルとの電力差情報、
前記第１制御チャネルおよび／または前記第１データチャネルを伝送するためのキャリア情報を決定するためのキャリア指示情報（ＣＩＦ：Ｃａｒｒｉｅｒ  Ｉｎｄｉｃａｔｏｒ  Ｆｉｅｌｄ）、
前記第１制御チャネルおよび／または前記第１データチャネルを伝送するための帯域幅部分（ＢＷＰ：Ｂａｎｄ  Ｗｉｄｔｈ  Ｐａｒｔ）情報を決定の帯域幅部分指示情報、
前記第１制御チャネルおよび／または前記第１データチャネルを伝送するためのリソースプール情報を決定するために使用されるリソースプール指示情報、
フィードバックチャネルの時間領域リソースおよび／または周波数領域リソース、またはフィードバック情報と現在のＰＳＳＣＨチャネルの最大の遅延など、フィードバックチャネルの伝送リソースを決定するための第３指示情報、
アップリンク制御チャネル（ＰＵＣＣＨなど）の伝送リソースを決定するための第４指示情報、
前記第１制御チャネルおよび／または前記第１データチャネルの伝送方式を決定するための第５指示情報、
前記第１データチャネルが周波数ポッピング伝送を使用したかどうかを決定するための第６指示情報、
前記第１データチャネルによって使用される変調およびコーディングスキーム（ＭＣＳ：Ｍｏｄｕｌａｔｉｏｎ  ａｎｄ  Ｃｏｄｉｎｇ  Ｓｃｈｅｍｅ）を指示するための第７指示情報、
前記第１制御チャネルの伝送回数を決定するための第８指示情報のうちの少なくとも１つをさらに含む。
【０２８８】
一実施形態において、前記第１制御情報は、最初の伝送および再伝送を含む複数のＰＳＳＣＨ伝送をスケジューリングすることができ、ＤＣＩは、当該ＤＣＩによってスケジューリングされたＰＳＳＣＨ伝送の回数を指示するための第２指示情報を含む。さらに、ＤＣＩでは、現在スケジューリングされたＰＳＳＣＨの冗長バージョンを指示する、冗長バージョン情報を運ぶことができる。ＰＳＳＣＨの複数回の伝送をサポートする場合、毎回伝送に対応する冗長バージョン番号は、事前に定義され、またはネットワークによって構成されることができ、したがって、ＤＣＩによって運ばれた冗長バージョン情報を介して、現在実行されているＰＳＳＣＨ伝送の回数を決定することができ、それにより、受信側で組み合わせることができる。別の実施例において、現在実行されている伝送が複数回のうちの何回目であるかをＤＣＩで運ぶことができる。
【０２８９】
一実施形態において、前記第１制御情報は、最初の伝送および再伝送を含む複数のＰＳＣＣＨ伝送をスケジューリングすることができ、ＤＣＩは、当該ＤＣＩによってスケジューリングされたＰＳＣＣＨ伝送の回数を指示するための第８指示情報を含む。
【０２９０】
一実施形態において、様々な候補伝送方式からＰＳＳＣＨ用の伝送を選択することができ、前記伝送方式は、シングルアンテナポート伝送、送信ダイバーシティ、ビームフォーミング、および他の可能なマルチアンテナ伝送方式を含む。ＤＣＩでは、当該ＤＣＩによってスケジューリングされたＰＳＳＣＨが使用する伝送方式を指示する、伝送案情報を運ぶ。さらに、送信ダイバーシティは、空間周波数ブロックコーディング（ＳＦＢＣ：Ｓｐａｃｅ  Ｆｒｅｑｕｅｎｃｙ  Ｂｌｏｃｋ  Ｃｏｄｉｎｇ）、空間時分割ブロックコーディング（ＳＴＢＣ：Ｓｐａｃｅ  Ｔｉｍｅ  Ｂｌｏｃｋ  Ｃｏｄｉｎｇ）、巡回遅延ダイバーシティ（ＣＤＤ：Ｃｙｃｌｉｃ  Ｄｅｌａｙ  Ｄｉｖｅｒｓｉｔｙ）などを含み得る。さらに、当該伝送方式におけるコードブック情報をＤＣＩで運ぶことができる。
【０２９１】
一実施形態において、ＰＳＳＣＨは、様々なＤＭＲＳパターンをサポートすることができ、ＤＣＩによって運ばれる指示情報を介して、当該ＤＣＩによってスケジューリングされたＰＳＳＣＨが使用するＤＭＲＳパターン情報を指示することができ、それにより、受信側が、対応するＤＭＲＳパターンを使用してＰＳＳＣＨを復調することができるようにする。
【０２９２】
一実施形態において、ＤＣＩは電力情報を運ぶことができ、前記電力情報は、当該ＤＣＩによってスケジューリングされたＰＳＳＣＨの送信電力、またはＰＳＳＣＨと対応するＰＳＣＣＨの電力差を指示する。
【０２９３】
一実施形態において、サイドリンクは、マルチキャリア伝送をサポートし、ＤＣＩは、当該ＤＣＩによってスケジューリングされたＰＳＣＣＨおよびＰＳＳＣＨのキャリア情報を指示する、キャリア指示情報を運ぶことができる。さらに、サイドリンクの複数のキャリアが、キャリアをまたがってスケジューリングすることをサポートし、即ち、第１キャリアによって送信されたＳＣＩが、第２キャリア上のＰＳＳＣＨをスケジューリングする場合、ＤＣＩは、第１キャリア指示情報および第２キャリア指示情報を運び、ここで、第１キャリア指示情報は、当該ＤＣＩによってスケジューリングされたＰＳＣＣＨ伝送のキャリアを指示し、第２キャリア指示情報は、当該ＤＣＩによってスケジューリングされたＰＳＳＣＨ伝送のキャリアを指示する。
【０２９４】
一実施形態において、サイドリンクの１つのキャリアは複数の帯域幅部分（ＢＷＰ）に分割され、ＤＣＩは、当該ＤＣＩによってスケジューリングされたＰＳＣＣＨおよびＰＳＳＣＨのＢＷＰ情報を指示する、ＢＷＰ指示情報を運ぶことができる。さらに、サイドリンクが、ＢＷＰをまたがってスケジューリングすること をサポートし、即ち、第１ＢＷＰによって送信されたＳＣＩが、第２ＢＷＰ上のＰＳＳＣＨをスケジューリングする場合、ＤＣＩは、第１帯域幅部分指示情報および第２帯域幅部分指示情報を運び、ここで、第１帯域幅部分指示情報は、当該ＤＣＩによってスケジューリングされたＰＳＣＣＨ伝送の帯域幅部分を指示し、第２帯域幅部分指示情報は、当該ＤＣＩによってスケジューリングされたＰＳＳＣＨ伝送の帯域幅部分を指示する。
【０２９５】
一実施例において、サイドリンクには、複数のリソースプールが構成され、ＤＣＩは、当該ＤＣＩによってスケジューリングされたＰＳＣＣＨおよびＰＳＳＣＨのリソースプール情報を指示するリソースプール指示情報を運ぶことができる。
【０２９６】
一実施形態において、第１端末は、ＳＣＩおよびそれによってスケジューリングされたＰＳＳＣＨを送信し、第２端末は到ＰＳＳＣＨを受信し、フィードバック情報を必要とし、フィードバック情報の伝送リソースをどうやって決定するかも１つの解決すべき問題である。第３指示情報をＤＣＩで運ぶことができ、前記第３指示情報は、フィードバックチャネルの伝送リソースを決定するために使用される。例えば、前記第３指示情報は１つのインデックス情報であってもよく、前記インデックス情報は、第３構成情報における前記インデックス情報に対応するフィードバックチャネルの伝送リソースを決定するために使用され、前記第３構成情報は、少なくとも１つのインデックス情報とフィードバックチャネルの伝送リソースの対応関係を含む。
【０２９７】
一実施形態において、ネットワークは、第１端末に対してＰＳＣＣＨおよびＰＳＳＣＨを送信する伝送リソースを割り当て、第１端末は、ネットワークによって割り当てられたリソースに従って、采用ユニキャスト方式を使用して、ＰＳＣＣＨおよびＰＳＳＣＨを第２端末に送信し、第２端末はＰＳＳＣＨを受信し、フィードバック情報を第１端末に送信し、第１端末は、ネットワークが新しいデータまたは再伝送データに対してリソースを割り当てることをアシストするために、当該フィードバック情報をネットワークに送信する必要がある。したがって、ネットワークは、第１端末に対してＰＳＣＣＨおよびＰＳＳＣＨを送信する伝送リソースを割り当てたＤＣＩで、同時に第４指示情報を運び、当該指示情報は、アップリンク制御チャネルの伝送リソースを指示し、当該アップリンク制御チャネルは、前記第１端末がサイドリンクによって伝送されたフィードバック情報を送信するために使用される。例示的に、ネットワークは、ＲＲＣシグナリング、ブロードキャスト情報などを介して、複数のアップリンク制御チャネルの構成を第１端末に送信し、前記第４指示情報は前記第１端末に使用され、前記第４指示情報および前記ネットワークによって送信されたアップリンク制御チャネルの構成情報を組み合わせて、サイドリンクのフィードバック情報を伝送するためのアップリンク制御チャネルを決定するために使用される。前記第４指示情報は、以下のうちの１つの方式により搬送されることができる。
【０２９８】
１、ＤＣＩは、１つまたは複数の情報ドメインを含み、前記１つまたは複数の情報ドメインは、前記アップリンク制御チャネルの伝送リソースを決定するために使用される。
【０２９９】
２、無線ネットワーク一時識別子（ＲＮＴＩ：Ｒａｄｉｏ  Ｎｅｔｗｏｒｋ  Ｔｅｍｐｏｒｙ  Ｉｄｅｎｔｉｔｙ）を介して前記第４指示情報を搬送し、異なるＲＮＴＩは、異なるアップリンク制御チャネルの伝送リソースに対応し、前記ＤＣＩは、明示的または暗黙的な方式でＲＮＴＩ情報を運び、ＤＣＩによって運ばれたＲＮＴＩ情報を介して、対応するアップリンク制御チャネルの伝送リソースを決定することができる。
【０３００】
３、異なるスクランブリングコードシーケンスを介して前記第４指示情報を搬送し、異なるスクランブリングコードシーケンスは異なるアップリンク制御チャネルの伝送リソースに対応し、スクランブリングコードシーケンスは、ＤＣＩ情報をスクランブルするために使用され、それにより、ＤＣＩによってスクランブルされたスクランブリングコードシーケンスが異なることにより、対応するアップリンク制御チャネルの伝送リソースを決定することができる。
【０３０１】
一実施形態において、前記第１制御情報は第５指示情報を含み、前記第５指示情報は、前記第１制御チャネルおよび／または前記第１データチャネルの伝送方式を決定するために使用される。前記伝送方式は、ユニキャスト伝送、マルチキャスト伝送、ブロードキャスト伝送を含む。ここで、ユニキャスト伝送の受信側は端末が１つだけであり、マルチキャスト伝送の受信側は端末のグループであり、ブロードキャスト伝送の受信側は全ての端末である。ネットワークが端末に対してサイドリンクの伝送リソースを割り当てる時、当該伝送リソースに対応する伝送方式を同時に指示することができる。例えば、ネットワークは、第１端末に対してＰＳＣＣＨおよびＰＳＳＣＨの伝送リソースを割り当て、当該リソースがユニキャスト伝送に使用されることを指示するため、第１端末は、ネットワークによって割り当てられた伝送リソース上にあり、ユニキャスト伝送を実行するターゲット受信端末、即ち、第２端末に、ＰＳＣＣＨおよびＰＳＳＣＨを送信する。例示的に、ネットワークは、第１端末に対してＰＳＣＣＨおよびＰＳＳＣＨの伝送リソースを割り当てる時に、伝送方式を指示するための第５情報を同時に運ぶことができ、前記第１端末は、前記第５情報によって指示された伝送方式に従って前記ＰＳＣＣＨおよびＰＳＳＣＨを送信する。具体的に、前記第５情報は、以下のうちの１つの方式により搬送されることができる。
【０３０２】
１、ＤＣＩは１つの情報ドメインを含み、当該情報ドメインは、当該第１サイドリンクに使用される伝送方式を明示的に指示する。
【０３０３】
２、ＲＮＴＩを介して前記第５指示情報を搬送し、異なるＲＮＴＩは異なる伝送方式に対応し、前記ＤＣＩは明示的または暗黙的な方式でＲＮＴＩ情報を運び、ＤＣＩによって運ばれたＲＮＴＩ情報を介して、対応する伝送方式を決定することができる。
【０３０４】
３、異なるスクランブリングコードシーケンスを介して前記第５指示情報を搬送し、異なるスクランブリングコードシーケンスは異なる伝送方式に対応し、スクランブリングコードシーケンスは、ＤＣＩ情報をスクランブルするために使用され、それにより、ＤＣＩによってスクランブルされたスクランブリングコードシーケンスが異なることにより、対応する伝送方式を決定することができる。
【０３０５】
一実施形態において、前記第１制御情報は第６指示情報を含み、前記第６指示情報は、前記第１データチャネルが周波数ポッピング伝送を使用したかどうかを決定するために使用される。前記第１制御情報が複数の第１データチャネルをスケジューリングし、前記第６指示情報が周波数ポッピング方式を使用するように指示する場合、前記複数の第１データチャネル間は、周波数ポッピング方式を使用して伝送する。
【０３０６】
一実施形態において、前記第１制御情報は第７指示情報を含み、前記第７指示情報は、前記第１データチャネルによって使用される変調およびコーディングスキーム（ＭＣＳ）を指示する。ネットワークは、第１データチャネルに対して時間領域および／または周波数領域リソースを割り当てる時に、当該第１データチャネルによって使用されるＭＣＳを同時に指示することができる。
【０３０７】
本願実施例の技術案によれば、ＰＤＣＣＨのＤＣＩを介してＰＳＣＣＨおよび／またはＰＳＳＣＨをスケジューリングし、ＰＳＣＣＨとＰＳＳＣＨの時分割の伝送を実現し、Ｒｅｌ−１５受信側検出の複雑さを増やすことなく、リソースセンシングおよび選択プロセスを実行するためのＲｅｌ−１４端末に影響を与えることもない。
【０３０８】
図８（ｂ）は、本願実施例で提供する制御情報の伝送装置の構成の概略的な構造図であり、当該装置は第１機器に適用され、図８（ｂ）に示されたように、前記制御情報の伝送装置は、
第２機器との間で第１制御情報を伝送するように構成される伝送ユニット８０１２であって、前記第１制御情報は第２制御チャネルによって搬送され、前記第１制御情報は、第１制御チャネルおよび／または第１データチャネルの伝送をスケジューリングするために使用され、前記第１制御チャネルはサイドリンク制御情報を伝送するために使用され、前記第１データチャネルはサイドリンクデータを伝送するために使用され、前記第１データチャネルおよび前記第１制御チャネルは、時分割の伝送を実行する伝送ユニット８０１２を備える。
【０３０９】
本願実施例では、前記第１機器は第１端末であり、前記第２機器は基地局であり、前記伝送ユニット８０１２は、基地局によって送信された第１制御情報を受信するように構成され、または、
前記第１機器は基地局であり、前記第２機器は第１端末であり、前記伝送ユニット８０１２は、第１制御情報を第１端末に送信するように構成される。
【０３１０】
一実施形態において、第１端末と第２端末間のリンクをサイドリンクと呼び、第１端末と第２端末間で伝送される第１制御情報をサイドリンク制御情報と呼び、当該サイドリンク制御情報は、対応するデータチャネル（即ち、第１データチャネル）の伝送をスケジューリングするために使用される。ここで、第１データチャネルは、前記第１端末と前記第２端末との間のデータを伝送するために使用される。
【０３１１】
一実施形態において、前記第１データチャネルの周波数領域リソースおよび／または時間領域リソースは、前記第２制御チャネルを介してスケジューリングされる（即ち、明示的に指示される）ことができ、前記第１制御チャネルの周波数領域リソースおよび／または時間領域リソースは、前記第２制御チャネルを介してスケジューリングされる（即ち、明示的に指示される）ことができる。
【０３１２】
一実施形態において、前記第１データチャネルの時間領域リソースは、前記第１制御チャネルまたは前記第２制御チャネルの時間領域リソースに基づいて決定することができ、および／または、前記第１データチャネルの周波数領域リソースは、前記第１制御チャネルの周波数領域リソースに基づいて決定することができ、明示的に指示する必要がない。
【０３１３】
一実施形態において、前記第１制御チャネルの時間領域リソースは、前記第２制御チャネルまたは前記第１データチャネルの時間領域リソースに基づいて決定することができ、および／または、前記第１制御チャネルの周波数領域リソースは、前記第１データチャネルの周波数領域リソースに基づいて決定することができ、明示的に指示する必要がない。
【０３１４】
一実施形態において、前記第１制御情報は第２制御チャネルによって搬送され、ここで、前記第２制御チャネルは、ＤＣＩを伝送するために使用される。前記第１制御チャネルはサイドリンク制御情報（ＳＣＩ：Ｓｉｄｅｌｉｎｋ  Ｃｏｎｔｒｏｌ  Ｉｎｆｏｒｍａｔｉｏｎ）を伝送するために使用され、ＰＳＣＣＨとも呼ばれ、前記第１データチャネルはサイドリンクデータを伝送するために使用され、ＰＳＳＣＨとも呼ばれ、前記第１制御チャネルと前記第１データチャネルは、時分割で伝送され、このように、遅延を低下させることができる。
【０３１５】
本願実施例の上記の技術案では、前記第１データチャネルおよび前記第１制御チャネルが時分割の伝送を実行することは、次の３つの実現形態を有することができる。
【０３１６】
１）前記第１データチャネルおよび前記第１制御チャネルが、１つの時間ユニットで時分割の伝送を実行することを含み、前記第１制御チャネルは、前記時間ユニット内のＡ個の時間領域シンボルを占め、前記第１データチャネルは、前記時間ユニット内のＢ個の時間領域シンボルを占め、前記第１制御チャネルおよび前記第１データチャネルの時間領域リソースは重複せず、
2021529490.tif 000015
Ｃは、１つの時間ユニット内の時間領域シンボルの数であり、前記時間ユニットの粒度は、タイムスロット、サブフレーム、ｓＴＴＩまたは他の固定時間長である。
【０３１７】
例を挙げると、図５（ａ）に示されたように、１つの時間ユニットは、Ｃ＝１４個の時間領域シンボルを含み、第１データチャネルと第１制御チャネルは、同一の時間ユニットを占め、ここで、第１制御チャネルは、当該時間ユニットの最初から２番目の時間領域シンボルを占め、第１データチャネルは、当該時間ユニットの３番目から１４番目の時間領域シンボルを占める。第１データチャネルと第１制御チャネルの時間領域リソースが重複しない場合、連続する時間領域シンボルを占めてもよく、連続しない時間領域シンボルを占めてもよいことに留意されたい。例えば、第１制御チャネルは、当該時間ユニットの最初から２番目の時間領域シンボルを占め、第１データチャネルは、当該時間ユニットの３番目から１４番目の時間領域シンボルを占める。
【０３１８】
２）前記第１データチャネルは第１時間ユニット内で伝送し、前記第１制御チャネルは第２時間ユニット内で伝送し、ここで、前記第１制御チャネルは、前記第１時間ユニット内のＡ個の時間領域シンボルを占め、前記第１データチャネルは、前記第２時間ユニット内のＢ個の時間領域シンボルを占め、
2021529490.tif 000016
Ｃは、１つの時間ユニット内の時間領域シンボルの数であり、前記時間ユニットの粒度は、タイムスロット、サブフレーム、ｓＴＴＩまたは他の固定時間長である。
【０３１９】
例を挙げると、図７（ａ）に示されたように、１つの時間ユニットは、Ｃ＝１４個の時間領域シンボルを含み、第１データチャネルと第１制御チャネルは、異なる時間ユニットを占め、ここで、第１制御チャネルは、第１時間ユニットの１番目から２番目の時間領域シンボルを占め、第１データチャネルは、第２時間ユニットの３番目から１４番目の時間領域シンボルを占める。第１データチャネルおよび第１制御チャネルは、連続する時間領域シンボルを占めてもよく、連続しない時間領域シンボルを占めてもよいことに留意されたい。
【０３２０】
さらに例を挙げると、図５（ｂ）に示されたように、１つの時間ユニットは、Ｃ＝１４個の時間領域シンボルを含み、第１データチャネルと第１制御チャネルは、異なる時間ユニットを占め、ここで、第１制御チャネルは、第１時間ユニットの全ての時間領域シンボルを占め、第１データチャネルは、第２時間ユニットの全ての時間領域シンボルを占める。
【０３２１】
３）前記第１データチャネルおよび前記第１制御チャネルが、部分的な時分割の伝送を実行する。前記第１データチャネルおよび前記第１制御チャネルが、部分的な時分割の伝送を実行することは、前記第１制御チャネルが占める時間領域リソースが、前記第１データチャネルが占める時間領域リソースと少なくとも部分的に重複することを含む。
【０３２２】
例を挙げると、Ｅが制御チャネルを表し、Ｆがデータチャネルを表し、ＥおよびＦの時間領域リソースが少なくとも部分的に重複すると仮定する。さらに、ＥおよびＦの開始時間領域位置は同じであってもよく、またはＥの開始位置はＦの後に位置し、またはＥの開始位置はＦの前に位置する。
【０３２３】
ここで、ＥおよびＦの時間領域リソースが少なくとも部分的に重複することは、次の場合がある。１）Ｅの時間領域リソースはＦの時間領域リソースのサブセットであり、または、２）Ｅの時間領域リソースおよびＦの時間領域リソースは部分的に重複し、即ち、Ｅの時間領域リソースの一部はＦと重複せず、Ｅの時間領域リソース別の部分はＦと重複する。
【０３２４】
上記のｃ）において、前記第１制御チャネルが、１つの時間ユニット内のＡ個の時間領域シンボルを占め、前記第１データチャネルが、前記時間ユニット内のＢ個の時間領域シンボルを占め、前記第１制御チャネルおよび前記第１データチャネルの時間領域リソースが、少なくとも部分的に重複し、
2021529490.tif 000017
Ｃは、１つの時間ユニット内の時間領域シンボルの数である。
【０３２５】
前記第１制御チャネルと前記第１データチャネルが時分割の伝送を実行する場合、第１制御情報が第制御チャネルおよび／または第１データチャネルの伝送をどうやってスケジューリングするかは、以下のＤＣＩフォーマットによって実現することができる。
【０３２６】
本願実施例では、前記第１制御情報は、前記第１制御チャネルの周波数領域リソース情報および／または前記第１制御チャネルの時間領域リソース情報および／または前記第１データチャネルの周波数領域リソース情報および／または前記第１データチャネルの時間領域リソース情報を含む。
【０３２７】
１）第１制御チャネルの周波数領域リソース情報の場合、次の方式によって実現されることができる。
【０３２８】
方式１として、前記第１制御情報は第１ビットマップを含み、前記第１ビットマップは、前記第１制御チャネルの周波数領域リソースを決定するために使用され、前記第１ビットマップにおける各ビットは、システムにおける１つの周波数領域ユニットに対応し、前記第１ビットマップにおける各ビットの値を介して、当該ビットに対応する周波数領域ユニットが前記第１制御チャネルを伝送するために使用されるかどうかを決定し、ここで、前記第１ビットマップ内の任意の第１ビットにとって、前記第１ビットの値が第１値である場合、前記第１ビットに対応する周波数領域ユニットは、前記第１制御チャネルの伝送に使用され、前記第１ビットの値が第２値である場合、前記第１ビットに対応する周波数領域ユニットは前記第１制御チャネルの伝送に使用されない。
【０３２９】
ここで、前記周波数領域ユニットの粒度は、ＰＲＢ、またはＲＢＧ、またはサブバンドである。ここで、前記周波数領域ユニットの粒度がＲＢＧまたはサブバンドである場合、前記ＲＢＧまたはサブバンドは、連続するＫ個のＰＲＢを含む。
【０３３０】
例を挙げると、システム帯域幅が２０ＭＨｚであり、合計１００個のＰＲＢを有し、周波数領域ユニットの粒度がサブバンドであり、各サブバンドが１０つのＰＲＢを含み、第１ビットマップには１０個のビットが含まれ、当該１０個のサブバンドにそれぞれ対応し、第１ビットマップの特定のビットの値が１である場合、当該ビットに対応するサブバンドがＰＳＣＣＨの伝送に使用されることを示し、第１ビットマップの特定のビットの値が０である場合、当該ビットに対応するサブバンドがＰＳＣＣＨの伝送に使用されないことを示す。
【０３３１】
方式２として、前記第１制御情報は第１パラメータを含み、前記第１パラメータは、前記第１制御チャネルの周波数領域リソースの開始位置および／または長さを決定するために使用される。ここで、前記周波数領域リソースは、連続して割り当てられる。
【０３３２】
例を挙げると、前記第１パラメータはＲＩＶであり、当該値は、ＰＳＣＣＨ周波数領域リソースの開始ＰＲＢインデックスおよび連続して割り当てられたＰＲＢの数に対応し、当該ＲＩＶ値を介してＰＳＣＣＨの周波数領域開始位置および周波数領域の長さを決定することができる。
【０３３３】
一実施形態において、ＰＳＣＣＨが占有する周波数領域リソースの長さは、事前に構成されまたはネットワークによって構成され、当該第１パラメータは、ＰＳＣＣＨの周波数領域開始位置を指示する。具体的に、当該第１パラメータは周波数領域オフセット量であってもよく、前記周波数領域オフセット量は、１つの周波数領域位置に対するＰＳＣＣＨの周波数領域開始位置の周波数領域オフセットを指示し、前記周波数領域位置は、最低または最高ＰＲＢ位置であり得、またはキャリアまたは帯域幅部分（ＢＷＰ）の開始位置であり得、またはリソースプールの開始位置であり得、またはサイドリンク同期信号の周波数領域開始位置であり得、またはサイドリンクブロードキャストチャネルの周波数領域開始位置であり得、または決定された他の周波数領域位置であり得る。例示的に、当該第１パラメータは周波数領域ユニットのインデックス値であってもよく、当該インデックス値を介して周波数領域リソースの開始位置を決定することができる。
【０３３４】
方式３として、前記第１制御情報は第１インデックス情報を含み、前記第１インデックス情報は、第１構成情報内で前記第１インデックス情報に対応する第１周波数領域リソースを決定するために使用され、前記第１構成情報は、少なくとも１つのインデックス情報と周波数領域リソースの対応関係を含む。ここで、前記第１構成情報は、事前に構成され、またはネットワークによって構成され、前記第１構成情報がネットワークによって構成された場合、ネットワークは、ＲＲＣシグナリング、またはブロードキャスト情報、またはダウンリンク制御シグナリングを介して前記第１構成情報を送信する。
【０３３５】
例を挙げると、ＤＣＩは、１つのテーブル内の１つのインデックスを含み、当該テーブル内の各インデックスは、長さおよび開始位置によって決定された周波数領域リソース、または１つまたは複数の周波数領域ユニットインデックスによって決定された周波数領域リソース、または１つのビットビットマップによって決定された周波数領域リソース、または他の方式によって決定された周波数領域リソースなど、割り当てられた周波数領域リソースに対応する。このように、ＤＣＩに含まれたインデックスに従って、１つの周波数領域リソースに対応することができる。
【０３３６】
別の例において、システム帯域幅は２０ＭＨｚであり、合計１００個のＰＲＢを有し、周波数領域ユニットの粒度はサブバンドであり、各サブバンドは１０個のＰＲＢを含み、各サブバンドは、４ビットのインデックス値で表示され、前記第１制御情報では、４ビットのインデックス情報を指示することにより、当該インデックスに対応するサブバンドが前記第１制御チャネルの伝送に使用されることを示す。
【０３３７】
上記の技術案では、前記第１制御チャネルの周波数領域リソース情報は、ＤＣＩによって明示的に指示されるが、これらに限定されず、前記第１制御チャネルの周波数領域リソース情報は、事前に定義されてもよく、またはネットワークによって構成されてもよい。例えば、前記第１制御チャネルが占める周波数領域リソースの長さは、事前に定義され、またはネットワークによって構成される方式で決定されることができ、具体的には、ネットワークは、構成情報を介して、８個のサブバンドを占めるように前記第１制御チャネルを構成し、各サブバンドは１０個のＰＲＢである。
【０３３８】
上記の技術案では、前記第１制御情報が複数の前記第１制御チャネルをスケジューリングする場合、前記第１制御情報は複数の前記第１ビットマップ、または複数の前記第１パラメータ、または複数の前記第１インデックス情報を含み、ここで、各前記第１ビットマップ、または各前記第１パラメータ、または各前記第１インデックス情報は、１つの前記第１制御チャネルの周波数領域リソースを決定するために使用される。
【０３３９】
２）第１制御チャネルの時間領域リソース情報の場合、次の方式によって実現されることができる。
【０３４０】
方式１として、前記第１制御チャネルの時間領域リソース情報は、時間領域開始位置情報および／または時間領域の長さ情報を含み、ここで、前記時間領域開始位置情報は、前記第１制御情報における第１指示フィールドによって決定され、前記時間領域の長さ情報は、前記第１制御情報における第２指示フィールドによって決定される。
【０３４１】
ここで、前記時間領域開始位置情報が、前記第１制御情報における第１指示フィールドによって決定されることは、次の方式によって実現することができる。
【０３４２】
１、前記第１指示フィールドは第１時間オフセット情報を含み、前記第１時間オフセット情報は、前記第１機器または前記第２機器が前記第１時間オフセット情報および／または前記第２制御チャネルの時間領域リソースに従って前記第１制御チャネルの時間領域リソースを決定するために使用される。
【０３４３】
ここで、前記時間ユニットの粒度は、時間領域シンボル、またはサブフレーム、またはタイムスロット、またはｓＴＴＩ、または固定時間長であり、前記時間オフセットの粒度は、時間領域シンボル、またはサブフレーム、またはタイムスロット、またはｓＴＴＩ、または固定時間長である。これらに限定されずに、前記時間ユニットまたは前記時間オフセットの粒度は、時間長を表す他の量であってもよい。
【０３４４】
前記第１時間オフセット情報および前記第２制御チャネルの時間領域リソースを介して、前記第１制御チャネルの時間領域リソースを決定することができる。ここで、前記時間領域リソースは、時間領域開始位置および／または時間長（即ち、占有した時間ユニットの数）を含む。例示的に、前記第１制御チャネルは、１つの時間ユニット内の時間領域位置で事前に構成され、またはネットワークによって構成されることができる。
【０３４５】
例を挙げると、前記第１時間オフセット情報は、前記第２制御チャネルの時間領域開始位置に対する前記第１制御チャネルの時間領域開始位置の時間オフセット量を指示し、例えば、前記時間オフセット量は４つのサブフレームであり、端末がサブフレームｎで当該オフセット情報を運ぶＤＣＩを受信した場合、サブフレームｎ＋４で前記第１制御チャネルを送信する。さらに、事前構成情報を介して第１制御チャネルが１つの時間ユニット内の最初の時間領域シンボルから４番目の時間領域シンボルを占めることを決定し、したがって、当該第１制御チャネルがサブフレームｎ＋４の最初の４つの時間領域シンボルを占めると決定することができる。
【０３４６】
一実施形態において、前記第１時間オフセット情報は、無線フレーム（例えば、１０個のサブフレームを含む）開始位置に対する前記第１制御チャネルの時間領域開始位置の時間オフセットを指示し、または、前記第１時間オフセット情報は、無線フレーム周期（例えば、１０２４０個のサブフレームを含む）開始位置に対する前記第１制御チャネルの時間領域開始位置の時間オフセットを指示し、または、前記第１時間オフセット情報は、リソースプール開始位置に対する前記第１制御チャネルの時間領域開始位置の時間オフセットを指示する。
【０３４７】
一実施形態において、前記第１制御情報は、複数の第１制御チャネルをスケジューリングするために使用され、前記第１指示フィールドは複数の時間オフセット情報を含む。前記複数の第１制御チャネルの時間領域リソースは、前記複数の時間オフセット情報によって決定されることができる。例えば、前記第１制御情報は、２つの第１制御チャネルをスケジューリングし、前記第１指示フィールドは、２つの時間オフセット情報を含み、前記最初の時間オフセット情報は、最初の第１制御チャネルの時間領域リソースを決定するために使用され、前記２番目の時間オフセット情報は、２番目の第１制御チャネルの時間領域リソースを決定するために使用される。前記時間オフセット情報は、前記第２制御チャネル、または無線フレーム内の時間領域開始位置、または無線フレーム周期内の時間領域開始位置に対するものである。
【０３４８】
一実施形態において、前記第１制御情報は、複数の前記第１制御チャネルをスケジューリングするために使用され、ここで、最初の前記第１制御チャネルの時間領域リソースは、明示的または暗黙的な方式で決定されることができ、残りの前記第１制御チャネルの時間領域リソースは、最初の前記第１制御チャネルの時間領域リソースおよび前記第１時間オフセット情報によって決定されることができる。例えば、前記第１制御情報は、２つの第１制御チャネルをスケジューリングするために使用され、最初の第１制御チャネルのサブフレームと、前記第１制御情報を受信したサブフレームが決定関係を有し、サブフレームｎで第１制御情報を受信し、サブフレームｎ＋４で最初の第１制御チャネルを送信するなど、最初の第１制御チャネルの時間領域リソースは、暗黙的な方式で決定されることができ、前記第１時間オフセット情報がｐである場合、２番目の第１制御チャネルのサブフレームはｎ＋４＋ｐであるなど、２番目の第１制御チャネルの時間領域リソースは、最初の第１制御チャネルの時間領域リソースおよび前記第１時間オフセット情報によって決定される。さらに例えば、前記第１制御情報は、２つの第１制御チャネルをスケジューリングするために使用され、前記第１制御情報は、２つの時間オフセット情報ｐ１およびｐ２を含み、サブフレームｎで第１制御情報を受信し、サブフレームｎ＋ｐ１で最初の第１制御チャネルを送信し、サブフレームｎ＋ｐ２で２番目の第１制御チャネルを送信する。
【０３４９】
２、前記第１指示フィールドは第２インデックス情報を含み、前記第２インデックス情報は、前記第１制御チャネルの開始位置が占める時間ユニットを決定するために使用される。
【０３５０】
ここで、第２インデックス情報は１つの無線フレーム内のサブフレーム番号、または１つの無線フレーム周期内のサブフレーム番号などであってもよく、第２インデックス情報を介して、第１制御チャネルの時間領域開始位置を直接に決定することができる。
【０３５１】
例を挙げると、ＤＣＩは、１つの無線フレームにおけるＰＳＣＣＨのサブフレーム番号を運び、１つの無線フレームは１０個のサブフレームを含むため、サブフレーム番号範囲は［０，９］である。ＤＣＩによって運ばれたサブフレーム番号が７である場合、当該ＤＣＩによってスケジューリングされたＰＳＣＣＨは、１つの無線フレーム内のサブフレーム７で伝送を行う。さらに、端末の処理遅延を考慮すると、端末がサブフレーム６でＤＣＩを受信し、処理遅延が２ｍｓであり、ＤＣＩによって運ばれたサブフレーム番号が７である場合、端末はサブフレーム８でＤＣＩを正常に検出し、次の無線フレーム内のサブフレーム７のＰＳＣＣＨをスケジューリングする。
【０３５２】
上記の無線フレームまたは無線フレーム周期は、ダウンリンクに基づいて決定し、またはサイドリンクに基づいて決定されることができることに留意されたい。
【０３５３】
一実施形態において、前記第１指示フィールドは複数のインデックス情報を含む。前記第１制御情報は複数の第１制御チャネルをスケジューリングするために使用され、前記複数の第１制御チャネルの時間領域リソースは、前記複数のインデックス情報によって決定されることができる。例えば、前記第１制御情報は、２つの第１制御チャネルをスケジューリングし、前記第１指示フィールドは、２つのインデックス情報を含み、前記最初のインデックス情報は、最初の第１制御チャネルの時間領域リソースを決定するために使用され、前記２番目のインデックス情報は、２番目の第１制御チャネルの時間領域リソースを決定するために使用される。例示的に、前記インデックス情報は１つの無線フレーム内のサブフレーム番号、または１つの無線フレーム周期内のサブフレーム番号である。
【０３５４】
３、前記第１指示フィールドは１つのビットマップを含み、前記ビットマップにおける各ビットは１つの時間ユニットに対応し、前記ビットマップにおける各ビットの値を介して、当該ビットに対応する時間ユニットが前記第１制御チャネルを伝送するために使用されるかどうかを決定し、ここで、前記ビットマップ内の任意のビットにとって、前記ビットの値が第１値である場合、前記ビットに対応する時間ユニットは前記第１制御チャネルの伝送に使用され、前記ビットの値が第２値である場合、前記第２ビットに対応する時間ユニットは前記第１制御チャネルの伝送に使用されない。
【０３５５】
例えば、前記第１指示フィールドには１つのビットマップが含まれ、当該ビットマップは１０個のビットを含み、当該ビットは、１０個のサブフレームにそれぞれ対応し、特定のビットが１である場合、当該サブフレームが前記第１制御チャネルを伝送するために使用されることを示し、さらに、前記第１制御チャネルが最初のシンボルからの４つのシンボルを占めるなど、各サブフレームにおける前記第１制御チャネルのリソースは、事前に構成され、またはネットワークによって構成される方式で決定されることができ、前記ビットマップ情報および前記構成情報を介して、前記第１制御チャネルの時間領域リソースを決定することができる。さらに、前記ビットマップの複数のビット位を１に設定することにより、複数の第１制御チャネルの時間領域伝送リソースを構成することができる。
【０３５６】
前記第１制御チャネルの時間領域リソースの場合、前記第１制御チャネルの時間領域リソースは、１つの時間領域シンボルまたは複数の連続する時間領域シンボルを占め、ここで、前記第１制御チャネルの時間領域の長さ情報は、前記第１制御情報における第２指示フィールドによって決定され、具体的に、前記第１制御情報における前記第２指示フィールドは、前記第１制御チャネルの時間領域リソースが占める時間ユニットの数を示し、ここで、前記時間ユニットは、時間領域シンボル、またはｓＴＴＩ、またはサブフレーム、またはタイムスロット、または他の固定時間長であってもよい。
【０３５７】
上述の実施形態において、前記第１指示フィールドを介して、前記第１制御チャネルを伝送する時間ユニットを決定することができ、前記時間ユニット内の前記第１制御チャネルの時間領域リソースは、事前に構成され、またはネットワークによって構成される方式によって決定されることができる。例えば、１つの時間ユニット内に事前に構成され、またはネットワークによって構成され、第１制御チャネルは、最初のｋ個の時間領域シンボルを占め、前記第１指示フィールドと組み合わせて、前記第１制御チャネルが位置する時間ユニットを決定することができ、当該時間ユニット内の前記第１制御チャネルの時間領域リソースを決定することができる。
【０３５８】
方式２として、前記第１制御チャネルの時間領域リソース情報は、時間領域開始位置情報および／または時間領域の長さ情報を含み、ここで、前記時間領域開始位置情報および／または前記時間領域の長さ情報は、前記第１制御情報における第３指示フィールドによって決定される。
【０３５９】
ここで、前記時間領域開始位置情報および／または前記時間領域の長さ情報が、前記第１制御情報における第３指示フィールドによって決定されることは、次の方式によって実現することができる。
【０３６０】
１、前記第１制御情報における第３指示フィールドは第２パラメータを含み、前記第２パラメータは、前記第１制御チャネルの時間領域開始位置および時間領域の長さを決定するために使用される。
【０３６１】
ここで、前記第２パラメータは、前記第１制御チャネルの時間領域開始位置および時間領域の長さによって計算および取得されることができ、異なる時間領域開始位置および時間領域の長さによって計算および取得された第２パラメータは異なり、第２パラメータに従って、前記第１制御チャネルの時間領域開始位置および時間領域の長さに対応することができる。
【０３６２】
２、前記第１制御情報における第３指示フィールドは第２ビットマップを含み、前記第２ビットマップにおける各ビットは１つの時間ユニットに対応し、前記第２ビットマップにおける各ビットの値を介して、当該ビットに対応する時間ユニットが前記第１制御チャネルを伝送するために使用されるかどうかを決定し、ここで、前記第２ビットマップ内の任意の第２ビットにとって、前記第２ビットの値が第１値である場合、前記第２ビットに対応する時間ユニットは前記第１制御チャネルの伝送に使用され、前記第２ビットの値が第２値である場合、前記第２ビットに対応する時間ユニットは前記第１制御チャネルの伝送に使用されない。
【０３６３】
例を挙げると、時間ユニットが時間領域シンボルであり、第２ビットマップの特定のビットの値が１である場合、当該ビットに対応する時間領域シンボルがＰＳＣＣＨの伝送に使用されることを示し、第２ビットマップの特定のビットの値が０である場合、当該ビットに対応する時間領域シンボルがＰＳＣＣＨの伝送に使用されないことを示す。
【０３６４】
３、前記第１制御情報における第３指示フィールドは第３インデックス情報を含み、前記第３インデックス情報は、第２構成情報における前記第３インデックス情報に対応する第１時間領域リソースを決定するために使用され、前記第２構成情報は、少なくとも１つのインデックス情報と時間領域リソースの対応関係を含み、ここで、前記第２構成情報は、事前に構成され、またはネットワークによって構成される。
【０３６５】
例を挙げると、ＤＣＩは、１つのテーブル内の１つのインデックスを含み、当該テーブル内の各インデックスは、時間領域リソースの長さおよび開始位置によって決定された時間領域リソース、または１つまたは複数の時間ユニットインデックスによって決定された時間領域リソース、または１つのビットビットマップによって決定された時間領域リソース、または他の方式によって決定された時間領域リソースなど、割り当てられた時間領域リソースに対応する。
【０３６６】
上記の技術案では、前記第１制御チャネルの時間領域リソース情報は、ＤＣＩによって明示的に指示されるが、これらに限定されず、前記第１制御チャネルの時間領域リソース情報は、ＤＣＩを介して暗黙的に指示され、具体的に、前記第２制御チャネルの時間領域リソースに基づいて、前記第１制御チャネルの時間領域リソースを決定し、例を挙げると、端末は、ＤＣＩを受信する時間に従って、ＰＳＣＣＨの伝送時間を決定し、例えば、サブフレームｎでＤＣＩを受信し、サブフレームｎ＋４でＰＳＣＣＨを送信し、各ＰＳＣＣＨは、サブフレームの最初のシンボルで開始し、または各ＰＳＣＣＨは、サブフレームの最後のシンボルで終了する。各ＰＳＣＣＨが占めるシンボルの数は、事前に構成され、またはネットワークによって構成されることができる。
【０３６７】
一実施形態において、前記第１制御情報は、前記第１データチャネルの時間領域リソースおよび／または周波数領域リソースを明示的に指示し、前記第１制御チャネルの時間領域リソースは、前記第１データチャネルの時間領域リソースまたは前記第２制御チャネルの時間領域リソースを介して暗黙的に決定されることができ、または、前記第１制御チャネルの周波数領域リソースは、前記第１データチャネルの周波数領域リソースを介して暗黙的に決定されることができ、この場合、前記第１制御情報は、前記第１制御チャネルの時間領域リソース指示情報または周波数領域リソース指示情報を含まない。
【０３６８】
本願実施例の上記の技術案では、前記第１制御情報は、１つの第１制御チャネルに対応する周波数領域リソース情報および／または時間領域リソース情報を含み、または、前記第１制御情報は、複数の第１制御チャネルに対応する周波数領域リソース情報および／または時間領域リソース情報を含む。
【０３６９】
一実施形態において、前記第１データチャネルの時間領域リソースは、前記第１制御チャネルまたは前記第２制御チャネルの時間領域リソースに基づいて決定することができ、明示的に指示する必要がない。前記第１制御情報は、前記第１データチャネルの周波数領域リソースおよび／または時間領域リソースを含んでもよく、前記第１データチャネルの周波数領域リソースおよび／または時間領域リソースを含まなくてもよい。前記第１制御情報が前記第１データチャネルの周波数領域リソースおよび／または時間領域リソースを含む場合、前記第１データチャネルの周波数領域リソースおよび／または時間領域リソースは、次の方式で決定することができる。
【０３７０】
３）第１データチャネルの周波数領域リソース情報の場合、次の方式によって実現されることができる。
【０３７１】
方式１として、前記第１制御情報は第３ビットマップを含み、前記第３ビットマップは、前記第１データチャネルの周波数領域リソースを決定するために使用され、前記第３ビットマップにおける各ビットは、システムにおける１つの周波数領域ユニットに対応し、前記第３ビットマップにおける各ビットの値を介して、当該ビットに対応する周波数領域ユニットが前記第１データチャネルを伝送するために使用されるかどうかを決定し、ここで、前記第３ビットマップ内の任意の第３ビットにとって、前記第３ビットの値が第１値である場合、前記第３ビットに対応する周波数領域ユニットは、前記第１データチャネルの伝送に使用され、前記第３ビットの値が第２値である場合、前記第３ビットに対応する周波数領域ユニットは前記第１データチャネルの伝送に使用されない。
【０３７２】
ここで、前記周波数領域ユニットの粒度は、ＰＲＢ、またはＲＢＧ、またはサブバンドである。ここで、前記周波数領域ユニットの粒度がＲＢＧまたはサブバンドである場合、前記ＲＢＧまたはサブバンドは、連続するＫ個のＰＲＢを含む。
【０３７３】
例を挙げると、システム帯域幅が２０ＭＨｚであり、合計１００個のＰＲＢを有し、周波数領域ユニットの粒度がサブバンドであり、各サブバンドが５つのＰＲＢを含み、第１ビットマップには２０個のビットが含まれ、当該２０個のサブバンドにそれぞれ対応し、第３ビットマップの特定のビットの値が１である場合、当該ビットに対応する周波数領域ユニットがＰＳＳＣＨの伝送に使用されることを示し、第３ビットマップの特定のビットの値が０である場合、当該ビットに対応する周波数領域ユニットがＰＳＳＣＨの伝送に使用されないことを示し、ＰＳＳＣＨ伝送に使用されるサブバンドは、周波数領域で連続している場合、または周波数領域で連続してない場合がある。
【０３７４】
方式２として、前記第１制御情報は第３パラメータを含み、前記第３パラメータは、前記第１データチャネルの周波数領域リソースの開始位置および／または長さを決定するために使用される。ここで、前記周波数領域リソースは、連続して割り当てられる。
【０３７５】
一実施形態において、前記第１制御チャネルおよび前記第１データチャネルの周波数領域開始位置が同じである場合、または前記第１制御チャネルおよび前記第１データチャネルの周波数領域開始位置が一対一の対応関係を有する場合、前記第３パラメータは、前記第１データチャネルに対応する周波数領域リソースの長さを決定するために使用される。別の実施形態において、前記第１制御情報および前記第１データチャネルの周波数領域終了位置が同じである場合、前記第３パラメータは、前記第１データチャネルに対応する周波数領域リソースの長さを決定するために使用される。例えば、ＰＳＣＣＨおよびそれに対応するＰＳＳＣＨの周波数領域開始位置が同じである場合、ＰＳＣＣＨの周波数領域開始位置に基づいて、ＰＳＳＣＨの周波数領域開始位置を決定することができ、第３パラメータを介して、ＰＳＳＣＨの周波数領域リソースの長さを示すことができる。
【０３７６】
一実施形態において、前記第１制御情報が複数のデータチャネルの伝送をスケジューリングする場合、前記複数のデータチャネルは、少なくとも、前記第１データチャネルおよび第２データチャネルを含み、前記第３パラメータは、前記複数のデータチャネルに対応する周波数領域リソースの長さおよび前記第２データチャネルに対応する周波数領域リソースの開始位置を決定するために使用される。本実施例において、前記第１データチャネルの周波数領域リソース開始位置および前記第１制御チャネルの周波数領域リソース開始位置が一対一の対応関係を有する場合、前記第１制御チャネルの周波数領域リソース開始位置を介して、前記第１データチャネルの周波数領域リソース開始位置を決定することができ、前記第１データチャネルの周波数領域リソース開始位置および前記第１制御チャネルの周波数領域リソース開始位置が一対一の対応関係を有しない場合、前記第１制御情報は、前記第１データチャネルの周波数領域リソース開始位置を指示する別のパラメータを含む。例を挙げると、ＤＣＩがＰＳＳＣＨの伝送を２回（１回は初期伝送であり、１回は再伝送である）スケジューリングする場合、前記第３パラメータは、ＰＳＳＣＨの周波数領域リソースの長さおよび別のＰＳＳＣＨ伝送の開始位置を示し、前記第３パラメータは、ＰＳＳＣＨの周波数領域リソースの長さおよび２番目のＰＳＳＣＨ伝送の開始位置によって決定され、この場合、ＤＣＩは、ＰＳＳＣＨの最初のＰＳＳＣＨ伝送の周波数領域リソース開始位置を指示するための別のフィールドを含む。さらに例を挙げると、ＤＣＩがＰＳＳＣＨの伝送を４回（１回は初期伝送であり、３回は再伝送である）スケジューリングする場合、前記第３パラメータは、４回の伝送の周波数領域開始位置、および周波数領域リソースの長さを含む。４回の伝送の周波数領域リソースの長さが同じである場合、前記第３パラメータは、１つの周波数領域リソースの長さのみを指示する必要があり、そうでない場合、４回の伝送の周波数領域リソースの長さをそれぞれ支持する必要がある。ＰＳＳＣＨの周波数領域リソースの開始位置が、ＰＳＣＣＨを搬送し、且つ、当該ＰＳＣＣＨに対応する周波数領域リソース位置によって決定されることができる場合（例えば、４回のＰＳＳＣＨ伝送の周波数領域開始位置が同じであり、最初のＰＳＳＣＨ伝送の周波数
領域開始位置とそれに対応するＰＳＣＣＨの周波数領域開始位置は一対一の対応関係を有する）、前記第３パラメータは、４回の伝送の周波数領域開始位置を含まなくてもよい。４回の伝送の周波数領域開始位置が同じであり、または４回の伝送が周波数ポッピング方式（即ち、最初の伝送の周波数領域開始位置および周波数ポッピング基準を介して後続の３回の伝送の周波数領域開始位置を決定することができる）を使用する場合、前記第３パラメータは、１つの周波数領域開始位置のみを含み得る。
【０３７７】
一実施例において、前記第３パラメータは、前記第１データチャネル周波数領域リソースの開始位置および長さによって決定される。例を挙げると、前記第３パラメータはＲＩＶであり、当該値は、ＰＳＳＣＨ周波数領域リソースの開始ＰＲＢインデックス（ｎ＿ＰＲＢ＿ｓｔａｒｔ）および連続して割り当てられたＰＲＢの数（Ｌ＿ＰＲＢ）に対応し、ＲＩＶの値は次の式によって決定される。
【数４】
2021529490.tif 000018
【０３７８】
ここで、Ｎ＿ＰＲＢはリソースプール内のＰＲＢの総数を示す。本実施例において、Ｎ＿ＰＲＢは、帯域幅部分内のＰＲＢの総数、または１つのキャリア内のＰＲＢの総数を示すこともでき、本実施例は、これらに対して限定しない。本実施例において、周波数領域リソースの粒度は、ＲＢＧまたはサブバンドであってもよく、本実施例は、これらに対して限定しない。
【０３７９】
方式３として、前記第１制御情報は第４インデックス情報を含み、前記第４インデックス情報は、第３構成情報における前記第４インデックス情報に対応する第２周波数領域リソースを決定するために使用され、前記第３構成情報は、少なくとも１つのインデックス情報と周波数領域リソースの対応関係を含み、ここで、前記第３構成情報は、事前に構成され、またはネットワークによって構成される。ここで、前記第３構成情報は、事前に構成され、またはネットワークによって構成され、前記第３構成情報がネットワークによって構成された場合、ネットワークは、ＲＲＣシグナリング、またはブロードキャスト情報、またはダウンリンク制御シグナリングを介して前記第３構成情報を送信する。
【０３８０】
例を挙げると、ＤＣＩは、１つのテーブル内の１つのインデックスを含み、当該テーブル内の各インデックスは、長さおよび開始位置によって決定された周波数領域リソース、または１つまたは複数の周波数領域ユニットインデックスによって決定された周波数領域リソース、または１つのビットビットマップによって決定された周波数領域リソース、または他の方式によって決定された周波数領域リソースなど、割り当てられた周波数領域リソースに対応する。
【０３８１】
４）第１データチャネルの周波数領域リソースの場合、前記第１制御情報は、第１指示情報をさらに含み、前記第１指示情報は、前記第１データチャネルの周波数領域リソース割り当てタイプを指示する。
【０３８２】
一実施形態において、前記第１指示情報は、前記第１制御情報のＮ（Ｎは１より大きいか等しい整数である）ビットで示され、前記Ｎビットの異なる値は、異なる周波数領域リソース割り当てタイプに対応する。例を挙げると、１ビットを介して第１指示情報を示し、当該ビットの値が１である場合、前記第１データチャネルの周波数領域リソース割り当てタイプがｔｙｐｅ０であることを示し、当該ビットの値が０である場合、前記第１データチャネルの周波数領域リソース割り当てタイプがｔｙｐｅ１であることを示し、ここで、ｔｙｐｅ０は、周波数領域リソースが離散的であることを示し、ｔｙｐｅ１は、周波数領域リソースが連続的であることを示す。周波数領域リソース割り当てタイプの数がより多い場合、より多くのビットを使用して前記第１指示情報を示すことができる。
【０３８３】
５）第１データチャネルの時間領域リソース情報の場合、次の方式によって実現されることができる。
【０３８４】
方式１として、前記第１データチャネルの時間領域リソース情報は、時間領域開始位置情報および／または時間領域の長さ情報を含み、ここで、前記時間領域開始位置情報は、前記第４制御情報における第１指示フィールドによって決定され、前記時間領域の長さ情報は、前記第１制御情報における第５指示フィールドによって決定される。
【０３８５】
ここで、前記第１データチャネルおよび前記第１制御チャネル／第２制御チャネルの時間領域リソースが連続的であり、または前記第１データチャネルおよび前記第１制御チャネル／第２制御チャネルの時間領域リソースが対応関係を有する場合、前記第１制御チャネル／第２制御チャネルの時間領域開始位置に基づいて、前記第１データチャネルの時間領域開始位置を決定することができ、このように、前記第１データチャネルの時間領域開始位置は、前記第１制御情報における前記第４指示フィールドによって決定される必要がない。前記第１データチャネルおよび前記第１制御チャネル／第２制御チャネルの時間領域リソースが非連続的であり、且つ前記第１データチャネルおよび前記第１制御チャネル／第２制御チャネルの時間領域リソースが対応関係を有さない場合、前記第１データチャネルの時間領域開始位置は、前記第１制御情報における前記第４指示フィールドによって決定される必要がある。
【０３８６】
ここで、前記時間領域開始位置情報が、前記第１制御情報における第４指示フィールドによって決定されることは、次の方式によって実現することができる。
【０３８７】
１、前記第４指示フィールドは第２時間オフセット情報を含み、前記第２時間オフセット情報は、前記第２制御チャネルまたは前記第１制御チャネルの時間領域リソースに対する前記第１データチャネルの時間領域リソースの時間オフセット量を決定するために使用される。
【０３８８】
ここで、前記時間ユニットの粒度は、時間領域シンボル、またはサブフレーム、またはタイムスロット、またはｓＴＴＩ、または固定時間長であり、前記時間オフセットの粒度は、時間領域シンボル、またはサブフレーム、またはタイムスロット、またはｓＴＴＩ、または固定時間長である。これらに限定されずに、前記時間ユニットまたは前記時間オフセットの粒度は、時間長を表す他の量であってもよい。
【０３８９】
前記第２時間オフセット情報および前記第１制御チャネル／第２制御チャネルの時間領域リソースを介して、前記第１データチャネルの時間領域リソースを決定することができる。ここで、前記時間領域リソースは、時間領域開始位置および／または時間長（即ち、占有した時間ユニットの数）を含む。
【０３９０】
例を挙げると、図７（ａ）を参照すると、ＰＳＣＣＨおよびそれによってスケジューリングされたＰＳＳＣＨが同一のサブフレームにいない場合、各サブフレームの最初の３つのシンボルはＰＳＣＣＨリソースであり、残りのシンボルはＰＳＳＣＨリソースであるため、ＰＳＣＣＨに対するＰＳＳＣＨのサブフレームオフセット量をＤＣＩで運ぶことができ、それにより、ＤＣＩによって割り当てられたＰＳＣＣＨのサブフレーム、およびそれによって運ばれるサブフレームオフセット量に従って、ＰＳＳＣＨのサブフレーム位置を位置することができ、ＰＳＳＣＨサブフレームでは、最初の３つのシンボルは候補ＰＳＣＣＨリソースであるため、ＰＳＳＣＨは、４番目のシンボルから始め、それにより、ＰＳＳＣＨの具体的な開始サブフレームおよび開始シンボル位置を決定することができる。例示的に、１つのサブフレーム内で、ＰＳＳＣＨの開始位置が固定されていない場合、前記時間オフセット情報は、サブフレーム内の前記ＰＳＳＣＨの時間領域シンボルのオフセット情報またはインデックス情報をさらに含む。ＤＣＩによって運ばれたサブフレームオフセット量、および当該サブフレーム内の時間領域シンボルのオフセット情報またはインデックス情報を組み合わせて、ＰＳＳＣＨの時間領域開始位置を決定することができる。
【０３９１】
２、前記第４指示フィールドは、時間インデックス情報を含み、前記時間インデックス情報は、前記第１データチャネルの時間領域開始位置を決定するために使用される。
【０３９２】
例を挙げると、時間インデックス情報は、１つの無線フレーム内の時間ユニット番号、または１つの無線フレーム周期内の時間ユニット番号などであってもよく、前記時間ユニットは時間領域シンボルまたはサブフレームまたはタイムスロットまたはｓＴＴＩまたは固定時間長であり、時間インデックス情報を介して、第１データチャネルの時間領域開始位置を直接に決定することができる。例えば、図７（ａ）を参照すると、ＰＳＣＣＨおよびそれによってスケジューリングされたＰＳＳＣＨが同一のサブフレームにいない場合、各サブフレーム内の最初の３つのシンボルはＰＳＣＣＨリソースであり、残りのシンボルはＰＳＳＣＨリソースであるため、１つの無線フレーム内のＰＳＳＣＨのサブフレーム番号をＤＣＩで運ぶことができ、１つの無線フレームは１０個のサブフレームを含むため、サブフレーム番号範囲は［０，９］である。ＤＣＩによって運ばれたサブフレーム番号が７である場合、当該ＤＣＩは、１つの無線フレーム内のサブフレーム７のＰＳＳＣＨをスケジューリングするために使用され、サブフレーム７では、最初の３つのシンボルが候補ＰＳＣＣＨリソースであるため、ＰＳＳＣＨは、４番目のシンボルから始め、それにより、ＰＳＳＣＨの具体的な開始サブフレームおよび開始シンボル位置を決定することができる。さらに、端末の処理遅延を考慮すると、端末がサブフレーム６でＤＣＩを受信し、処理遅延が２ｍｓであり、ＤＣＩによって運ばれたサブフレーム番号が７である場合、端末はサブフレーム８でＤＣＩを正常に検出し、次の無線フレーム内のサブフレーム７のＰＳＳＣＨをスケジューリングする。
【０３９３】
前記第１データチャネルの時間領域リソースの場合、前記第１データチャネルの時間領域リソースは、１つの時間ユニットまたは連続する複数の時間ユニットを占め、ここで、前記第１データチャネルの時間領域の長さ情報が、前記第１制御情報における第５指示フィールドによって決定されることは、次の方式によって実現されることができる。
【０３９４】
前記第５指示フィールドは、前記第１データチャネルの時間領域リソースが占める時間ユニットの数を決定するために使用される。ここで、前記時間ユニットの粒度は、時間領域シンボル、またはサブフレーム、またはタイムスロット、またはｓＴＴＩ、または固定時間長である。これらに限定されず、前記時間ユニットの粒度は、時間長を表す他の量であってもよい。
【０３９５】
例を挙げると、図５（ａ）では、１つのサブフレームは、１４個のシンボルを含み、ＰＳＣＣＨはサブフレームの最初の４つのシンボルを占め、当該サブフレーム内の残りのシンボルはＰＳＳＣＨ伝送に使用されることができ、ＰＳＳＣＨは、１つまたは複数のサブフレームを占めることができるため、前記第５指示フィールドは、ＰＳＳＣＨが占めるサブフレームの数を指示することができ、または前記第５指示フィールドは、ＰＳＳＣＨが占めるシンボルの数を指示することができる。例えば、時間ユニットの粒度がサブフレームである場合、前記第５指示フィールドが、当該ＰＳＳＣＨが２つの時間ユニットを占有することを示している場合、当該ＤＣＩによってスケジューリングされたＰＳＳＣＨは、２つの連続する隣接サブフレームを示し、ＰＳＳＣＨの時間領域リソースの開始位置と組み合わせて、ＰＳＳＣＨが占める時間領域リソースを決定することができる。
【０３９６】
一実施形態において、前記第１制御情報は、複数の第１データチャネルをスケジューリングするために使用され、前記第４指示フィールドは、複数の時間オフセット情報または複数の時間インデックス情報を含む。前記複数の第１データチャネルの時間領域リソースは、前記複数の時間オフセット情報または複数の時間インデックス情報によって決定されることができる。例えば、前記第１制御情報は、２つの第１データチャネルをスケジューリングし、前記第１指示フィールドは、２つの時間オフセット情報を含み、前記最初の時間オフセット情報は、最初の第１データチャネルの時間領域リソースを決定するために使用され、前記２番目の時間オフセット情報は、２番目の第１データチャネルの時間領域リソースを決定するために使用される。前記時間オフセット情報は、前記第２制御チャネル、または前記第１制御チャネル、または無線フレーム内の時間領域開始位置、または無線フレーム周期内の時間領域開始位置に対するものである。
【０３９７】
一実施形態において、前記第１データチャネルの時間領域リソースが、連続する複数の時間ユニットを占める場合、前記複数の時間ユニットは、第１時間ユニットおよび少なくとも１つの第２時間ユニットを含み、前記第２時間ユニット内に制御チャネルリソースが含まれた場合、前記第１データチャネルの時間領域リソースは、前記第２時間ユニットの前記制御チャネルリソースを占める。例を挙げると、ＰＳＳＣＨが、連続する複数の時間ユニットを占有する場合、当該ＰＳＳＣＨは、最初の時間ユニット以外の他の時間ユニットのＰＳＣＣＨリソースを占める。図５に示されたように、３番目のサブフレームによってスケジューリングされたＰＳＳＣＨが２つのサブフレームを占有する場合、当該ＰＳＳＣＨは、４番目のサブフレームのＰＳＣＣＨリソースを占める。
【０３９８】
方式２として、前記第１データチャネルの時間領域リソース情報は、時間領域開始位置情報および／または時間領域の長さ情報を含み、ここで、前記時間領域開始位置情報および／または前記時間領域の長さ情報は、前記第１制御情報における第６指示フィールドによって決定される。
【０３９９】
ここで、前記時間領域開始位置情報および／または前記時間領域の長さ情報が、前記第１制御情報における第６指示フィールドによって決定されることは、次の方式によって実現することができる。
【０４００】
１、前記第１制御情報における第６指示フィールドは第４パラメータを含み、前記第４パラメータは、前記第１データチャネルの時間領域開始位置および時間領域の長さを決定するために使用される。
【０４０１】
ここで、前記第４パラメータは、前記第１データチャネルの時間領域開始位置および時間領域の長さによって計算および取得されることができ、異なる時間領域開始位置および時間領域の長さによって計算および取得された第４パラメータは異なり、第４パラメータに従って、前記第１データチャネルの時間領域開始位置および時間領域の長さに対応することができる。
【０４０２】
２、前記第１制御情報における第６指示フィールドは第４ビットマップを含み、前記第４ビットマップにおける各ビットは１つの時間ユニットに対応し、前記第４ビットマップにおける各ビットの値を介して、当該ビットに対応する時間ユニットが前記第１データチャネルの伝送に使用されるかどうかを決定し、ここで、前記第４ビットマップ内の任意の第４ビットにとって、前記第４ビットの値が第１値である場合、前記第４ビットに対応する時間ユニットは前記第１データチャネルの伝送に使用され、前記第４ビットの値が第２値である場合、前記第４ビットに対応する時間ユニットは前記第１データチャネルの伝送に使用されない。
【０４０３】
ここで、前記時間ユニットの粒度は、時間領域シンボル、またはサブフレーム、またはタイムスロット、またはｓＴＴＩ、または固定時間長である。これらに限定されず、前記時間ユニットの粒度は、時間長を表す他の量であってもよい。
【０４０４】
例を挙げると、第４ビットマップの特定のビットの値が１である場合、当該ビットに対応する時間領域ユニットがＰＳＳＣＨの伝送に使用されることを示し、第４ビットマップの特定のビットの値が０である場合、当該ビットに対応する時間領域ユニットがＰＳＳＣＨの伝送に使用されないことを示す。
【０４０５】
３、前記第１制御情報における第６指示フィールドは第５インデックス情報を含み、前記第５インデックス情報は、第４構成情報における前記第５インデックス情報に対応する第２時間領域リソースを決定するために使用され、前記第４構成情報は、少なくとも１つのインデックス情報と時間領域リソースの対応関係を含む。ここで、前記第４構成情報は、事前に構成され、またはネットワークによって構成され、前記第４構成情報がネットワークによって構成された場合、ネットワークは、ＲＲＣシグナリング、またはブロードキャスト情報、またはダウンリンク制御シグナリングを介して前記第４構成情報を送信する。
【０４０６】
例を挙げると、ＤＣＩは、１つのテーブル内の１つのインデックスを含み、当該テーブル内の各インデックスは、時間領域リソースの長さおよび開始位置によって決定された時間領域リソース、または１つまたは複数の時間ユニットインデックスによって決定された時間領域リソース、または１つのビットビットマップによって決定された時間領域リソース、または他の方式によって決定された時間領域リソースなど、割り当てられた時間領域リソースに対応する。
【０４０７】
上述の実施形態において、前記第４指示フィールドまたは第６指示フィールドを介して、前記第１データチャネルを伝送する時間ユニットを決定することができ、前記時間ユニット内の前記第１データチャネルの時間領域リソースは、事前に構成され、またはネットワークによって構成される方式によって決定されることができる。例えば、１つの時間ユニット内に事前に構成され、またはネットワークによって構成され、第１データチャネルは、最後のｍ個の時間領域シンボルを占め、前記第１指示フィールドと組み合わせて、前記第１データチャネルが位置する時間ユニットを決定することができ、当該データユニット内の前記第１制御チャネルの時間領域リソースを決定することができる。
【０４０８】
本願実施例の上記の技術案では、スケジューリングされた第１データチャネルの伝送リソース上で端末によって使用可能なＰＲＢの数は２、３、５の倍数である。
【０４０９】
例示的に、本願実施例の上記の技術案では、前記第１データチャネルが占める最後の時間ユニットの最後の時間領域シンボルは、データを伝送するために使用することではなく、ガード間隔（ＧＰ）として使用される。
【０４１０】
ここで、前記第１データチャネルが、連続する時間ユニットを占める場合、最後の時間ユニットの最後のシンボルはデータを伝送するために使用されない、前記第１データチャネルが、連続しない時間ユニットを占める場合、各時間ユニットの最後のシンボルはデータを伝送するために使用されない。
【０４１１】
本願実施例の上記の技術案では、前記第１制御情報は、１つの第１データチャネルに対応する周波数領域リソース情報および／または時間領域リソース情報を含み、または、前記第１制御情報は、複数の第１データチャネルに対応する周波数領域リソース情報および／または時間領域リソース情報を含む。
【０４１２】
さらに、本願実施例の前記第１制御情報は、
前記第１データチャネルの伝送回数を決定するための第２指示情報、
前記第１データチャネルの冗長バージョン情報、
前記第１データチャネルによって使用されるコードブック情報、
シングルアンテナポート伝送、送信ダイバーシティ、ビームフォーミングなど、前記第１データチャネルによって使用される伝送案情報、
前記第１データチャネルによって使用されるＤＭＲＳパターン情報、
前記第１データチャネルの電力情報、
前記第１データチャネルと前記第１制御チャネルとの電力差情報、
前記第１制御チャネルおよび／または前記第１データチャネルを伝送するためのキャリア情報を決定するためのキャリア指示情報（ＣＩＦ）、
前記第１制御チャネルおよび／または前記第１データチャネルを伝送するためのＢＷＰ情報を決定の帯域幅部分指示情報、
前記第１制御チャネルおよび／または前記第１データチャネルを伝送するためのリソースプール情報を決定するために使用されるリソースプール指示情報、
フィードバックチャネルの時間領域リソースおよび／または周波数領域リソース、またはフィードバック情報と現在のＰＳＳＣＨチャネルの最大の遅延など、フィードバックチャネルの伝送リソースを決定するための第３指示情報、
アップリンク制御チャネル（ＰＵＣＣＨなど）の伝送リソースを決定するための第４指示情報、
前記第１制御チャネルおよび／または前記第１データチャネルの伝送方式を決定するための第５指示情報、
前記第１データチャネルが周波数ポッピング伝送を使用したかどうかを決定するための第６指示情報、
前記第１データチャネルによって使用されるＭＣＳを指示するための第７指示情報、
前記第１制御チャネルの伝送回数を決定するための第８指示情報のうちの少なくとも１つをさらに含む。
【０４１３】
一実施形態において、前記第１制御情報は、最初の伝送および再伝送を含む複数のＰＳＳＣＨ伝送をスケジューリングすることができ、ＤＣＩは、当該ＤＣＩによってスケジューリングされたＰＳＳＣＨ伝送の回数を指示するための第２指示情報を含む。さらに、ＤＣＩでは、現在スケジューリングされたＰＳＳＣＨの冗長バージョンを指示する、冗長バージョン情報を運ぶことができる。ＰＳＳＣＨの複数回の伝送をサポートする場合、毎回伝送に対応する冗長バージョン番号は、事前に定義され、またはネットワークによって構成されることができ、したがって、ＤＣＩによって運ばれた冗長バージョン情報を介して、現在実行されているＰＳＳＣＨ伝送の回数を決定することができ、それにより、受信側で組み合わせることができる。別の実施例において、現在実行されている伝送が複数回のうちの何回目であるかをＤＣＩで運ぶことができる。
【０４１４】
一実施形態において、前記第１制御情報は、最初の伝送および再伝送を含む複数のＰＳＣＣＨ伝送をスケジューリングすることができ、ＤＣＩは、当該ＤＣＩによってスケジューリングされたＰＳＣＣＨ伝送の回数を指示するための第８指示情報を含む。
【０４１５】
一実施形態において、様々な候補伝送方式からＰＳＳＣＨ用の伝送を選択することができ、前記伝送方式は、シングルアンテナポート伝送、送信ダイバーシティ、ビームフォーミング、および他の可能なマルチアンテナ伝送方式を含む。ＤＣＩでは、当該ＤＣＩによってスケジューリングされたＰＳＳＣＨが使用する伝送方式を指示する、伝送案情報を運ぶ。さらに、送信ダイバーシティは、ＳＦＢＣ、ＳＴＢＣ、ＣＤＤなどを含み得る。さらに、当該伝送方式におけるコードブック情報をＤＣＩで運ぶことができる。
【０４１６】
一実施形態において、ＰＳＳＣＨは、様々なＤＭＲＳパターンをサポートすることができ、ＤＣＩによって運ばれる指示情報を介して、当該ＤＣＩによってスケジューリングされたＰＳＳＣＨが使用するＤＭＲＳパターン情報を指示することができ、それにより、受信側が、対応するＤＭＲＳパターンを使用してＰＳＳＣＨを復調することができるようにする。
【０４１７】
一実施形態において、ＤＣＩは電力情報を運ぶことができ、前記電力情報は、当該ＤＣＩによってスケジューリングされたＰＳＳＣＨの送信電力、またはＰＳＳＣＨと対応するＰＳＣＣＨの電力差を指示する。
【０４１８】
一実施形態において、サイドリンクは、マルチキャリア伝送をサポートし、ＤＣＩは、当該ＤＣＩによってスケジューリングされたＰＳＣＣＨおよびＰＳＳＣＨのキャリア情報を指示する、キャリア指示情報を運ぶことができる。さらに、サイドリンクの複数のキャリアが、キャリアをまたがってスケジューリングすることをサポートし、即ち、第１キャリアによって送信されたＳＣＩが、第２キャリア上のＰＳＳＣＨをスケジューリングする場合、ＤＣＩは、第１キャリア指示情報および第２キャリア指示情報を運び、ここで、第１キャリア指示情報は、当該ＤＣＩによってスケジューリングされたＰＳＣＣＨ伝送のキャリアを指示し、第２キャリア指示情報は、当該ＤＣＩによってスケジューリングされたＰＳＳＣＨ伝送のキャリアを指示する。
【０４１９】
一実施形態において、サイドリンクの１つのキャリアは複数の帯域幅部分（ＢＷＰ）に分割され、ＤＣＩは、当該ＤＣＩによってスケジューリングされたＰＳＣＣＨおよびＰＳＳＣＨのＢＷＰ情報を指示する、ＢＷＰ指示情報を運ぶことができる。さらに、サイドリンクが、ＢＷＰをまたがってスケジューリングすること をサポートし、即ち、第１ＢＷＰによって送信されたＳＣＩが、第２ＢＷＰ上のＰＳＳＣＨをスケジューリングする場合、ＤＣＩは、第１帯域幅部分指示情報および第２帯域幅部分指示情報を運び、ここで、第１帯域幅部分指示情報は、当該ＤＣＩによってスケジューリングされたＰＳＣＣＨ伝送の帯域幅部分を指示し、第２帯域幅部分指示情報は、当該ＤＣＩによってスケジューリングされたＰＳＳＣＨ伝送の帯域幅部分を指示する。
【０４２０】
一実施例において、サイドリンクには、複数のリソースプールが構成され、ＤＣＩは、当該ＤＣＩによってスケジューリングされたＰＳＣＣＨおよびＰＳＳＣＨのリソースプール情報を指示するリソースプール指示情報を運ぶことができる。
【０４２１】
一実施形態において、第１端末は、ＳＣＩおよびそれによってスケジューリングされたＰＳＳＣＨを送信し、第２端末は到ＰＳＳＣＨを受信し、フィードバック情報を必要とし、フィードバック情報の伝送リソースをどうやって決定するかも１つの解決すべき問題である。第３指示情報をＤＣＩで運ぶことができ、前記第３指示情報は、フィードバックチャネルの伝送リソースを決定するために使用される。例えば、前記第３指示情報は１つのインデックス情報であってもよく、前記インデックス情報は、第３構成情報における前記インデックス情報に対応するフィードバックチャネルの伝送リソースを決定するために使用され、前記第３構成情報は、少なくとも１つのインデックス情報とフィードバックチャネルの伝送リソースの対応関係を含む。
【０４２２】
一実施形態において、ネットワークは、第１端末に対してＰＳＣＣＨおよびＰＳＳＣＨを送信する伝送リソースを割り当て、第１端末は、ネットワークによって割り当てられたリソースに従って、采用ユニキャスト方式を使用して、ＰＳＣＣＨおよびＰＳＳＣＨを第２端末に送信し、第２端末はＰＳＳＣＨを受信し、フィードバック情報を第１端末に送信し、第１端末は、ネットワークが新しいデータまたは再伝送データに対してリソースを割り当てることをアシストするために、当該フィードバック情報をネットワークに送信する必要がある。したがって、ネットワークは、第１端末に対してＰＳＣＣＨおよびＰＳＳＣＨを送信する伝送リソースを割り当てたＤＣＩで、同時に第４指示情報を運び、当該指示情報は、アップリンク制御チャネルの伝送リソースを指示し、当該アップリンク制御チャネルは、前記第１端末がサイドリンクによって伝送されたフィードバック情報を送信するために使用される。例示的に、ネットワークは、ＲＲＣシグナリング、ブロードキャスト情報などを介して、複数のアップリンク制御チャネルの構成を第１端末に送信し、前記第４指示情報は前記第１端末に使用され、前記第４指示情報および前記ネットワークによって送信されたアップリンク制御チャネルの構成情報を組み合わせて、サイドリンクのフィードバック情報を伝送するためのアップリンク制御チャネルを決定するために使用される。前記第４指示情報は、以下のうちの１つの方式により搬送されることができる。
【０４２３】
１、ＤＣＩは、１つまたは複数の情報ドメインを含み、前記１つまたは複数の情報ドメインは、前記アップリンク制御チャネルの伝送リソースを決定するために使用される。
【０４２４】
２、無線ネットワーク一時識別子（ＲＮＴＩ：Ｒａｄｉｏ  Ｎｅｔｗｏｒｋ  Ｔｅｍｐｏｒｙ  Ｉｄｅｎｔｉｔｙ）を介して前記第４指示情報を搬送し、異なるＲＮＴＩは、異なるアップリンク制御チャネルの伝送リソースに対応し、前記ＤＣＩは、明示的または暗黙的な方式でＲＮＴＩ情報を運び、ＤＣＩによって運ばれたＲＮＴＩ情報を介して、対応するアップリンク制御チャネルの伝送リソースを決定することができる。
【０４２５】
３、異なるスクランブリングコードシーケンスを介して前記第４指示情報を搬送し、異なるスクランブリングコードシーケンスは異なるアップリンク制御チャネルの伝送リソースに対応し、スクランブリングコードシーケンスは、ＤＣＩ情報をスクランブルするために使用され、それにより、ＤＣＩによってスクランブルされたスクランブリングコードシーケンスが異なることにより、対応するアップリンク制御チャネルの伝送リソースを決定することができる。
【０４２６】
一実施形態において、前記第１制御情報は第５指示情報を含み、前記第５指示情報は、前記第１制御チャネルおよび／または前記第１データチャネルの伝送方式を決定するために使用される。前記伝送方式は、ユニキャスト伝送、マルチキャスト伝送、ブロードキャスト伝送を含む。ここで、ユニキャスト伝送の受信側は端末が１つだけであり、マルチキャスト伝送の受信側は端末のグループであり、ブロードキャスト伝送の受信側は全ての端末である。ネットワークが端末に対してサイドリンクの伝送リソースを割り当てる時、当該伝送リソースに対応する伝送方式を同時に指示することができる。例えば、ネットワークは、第１端末に対してＰＳＣＣＨおよびＰＳＳＣＨの伝送リソースを割り当て、当該リソースがユニキャスト伝送に使用されることを指示するため、第１端末は、ネットワークによって割り当てられた伝送リソース上にあり、ユニキャスト伝送を実行するターゲット受信端末、即ち、第２端末に、ＰＳＣＣＨおよびＰＳＳＣＨを送信する。例示的に、ネットワークは、第１端末に対してＰＳＣＣＨおよびＰＳＳＣＨの伝送リソースを割り当てる時に、伝送方式を指示するための第５情報を同時に運ぶことができ、前記第１端末は、前記第５情報によって指示された伝送方式に従って前記ＰＳＣＣＨおよびＰＳＳＣＨを送信する。具体的に、前記第５情報は、以下のうちの１つの方式により搬送されることができる。
【０４２７】
１、ＤＣＩは１つの情報ドメインを含み、当該情報ドメインは、当該第１サイドリンクに使用される伝送方式を明示的に指示する。
【０４２８】
２、ＲＮＴＩを介して前記第５指示情報を搬送し、異なるＲＮＴＩは異なる伝送方式に対応し、前記ＤＣＩは明示的または暗黙的な方式でＲＮＴＩ情報を運び、ＤＣＩによって運ばれたＲＮＴＩ情報を介して、対応する伝送方式を決定することができる。
【０４２９】
３、異なるスクランブリングコードシーケンスを介して前記第５指示情報を搬送し、異なるスクランブリングコードシーケンスは異なる伝送方式に対応し、スクランブリングコードシーケンスは、ＤＣＩ情報をスクランブルするために使用され、それにより、ＤＣＩによってスクランブルされたスクランブリングコードシーケンスが異なることにより、対応する伝送方式を決定することができる。
【０４３０】
一実施形態において、前記第１制御情報は第６指示情報を含み、前記第６指示情報は、前記第１データチャネルが周波数ポッピング伝送を使用したかどうかを決定するために使用される。前記第１制御情報が複数の第１データチャネルをスケジューリングし、前記第６指示情報が周波数ポッピング方式を使用するように指示する場合、前記複数の第１データチャネル間は、周波数ポッピング方式を使用して伝送する。
【０４３１】
一実施形態において、前記第１制御情報は第７指示情報を含み、前記第７指示情報は、前記第１データチャネルによって使用される変調およびコーディングスキーム（ＭＣＳ）を指示する。ネットワークは、第１データチャネルに対して時間領域および／または周波数領域リソースを割り当てる時に、当該第１データチャネルによって使用されるＭＣＳを同時に指示することができる。
【０４３２】
本願実施例の技術案によれば、ＰＤＣＣＨのＤＣＩを介してＰＳＣＣＨおよび／またはＰＳＳＣＨをスケジューリングし、ＰＳＣＣＨとＰＳＳＣＨの時分割の伝送を実現し、Ｒｅｌ−１５受信側検出の複雑さを増やすことなく、リソースセンシングおよび選択プロセスを実行するためのＲｅｌ−１４端末に影響を与えることもない。
【０４３３】
当業者は、本願実施例の上記の制御情報の伝送装置の関連説明は、本願実施例の制御情報の伝送方法の関連説明を参照して理解できることを理解するはずである。
【０４３４】
図６（ｃ）は、本願実施例で提供するリソースプールの構成方法のフローチャートであり、図６（ｃ）に示されたように、前記リソースプールの構成方法は、次のステップを含む。
【０４３５】
ステップ６０１３において、第１端末が、第１構成情報を取得し、前記第１構成情報は、第１リソースプールの時間領域リソースおよび／または周波数領域リソース、および／または、第２リソースプールの時間領域リソースおよび／または周波数領域リソースを決定するために使用され、ここで、前記第１リソースプール内のリソースは第１制御チャネルを伝送することができ、前記第１制御チャネルはサイドリンク制御情報を伝送するために使用され、前記第２リソースプール内のリソースは第１データチャネルを伝送することができ、前記第１データチャネルはサイドリンクデータを伝送するために使用される。
【０４３６】
本願実施例では、端末間のリンクはサイドリンクと呼ばれ、端末間で伝送される制御情報はサイドリンク制御情報と呼ばれ、当該サイドリンク制御情報はサイドリンク制御チャネル（即ち、第１制御チャネル）によって搬送され、端末間で伝送されるデータはサイドリンクデータであり、当該サイドリンクデータはサイドリンクデータチャネル（即ち、第１データチャネル）によって搬送される。
【０４３７】
一実施形態において、前記第１制御チャネルはＰＳＣＣＨと呼ばれ、前記第１データチャネルはＰＳＳＣＨと呼ばれ、前記第１制御チャネルを伝送することができるリソースセットは第１リソースプール（即ち、ＰＳＣＣＨリソースプール）と呼ばれ、前記第１データチャネルを伝送することができるリソースセットは第２リソースプール（即ち、ＰＳＳＣＨリソースプール）と呼ばれ、前記第１リソースプールおよび前記第２リソースプールは時分割されたものである。
【０４３８】
本願実施例では、前記第１リソースプールまたは前記第２リソースプールは、伝送リソースのセットであり、ＬＴＥ−Ｖ２Ｘにおけるリソースプールであってもよく、ニューラジオ（ＮＲ：Ｎｅｗ  Ｒａｄｉｏ）システムにおける帯域幅部分（ＢＷＰ：Ｂａｎｄｗｉｄｔｈ  Ｐａｒｔ）であってもよく、または伝送リソースセットを示すことができる他の物理量であってもよく、本願はこれらに対して限定しない。
【０４３９】
本願実施例では、前記第１リソースプールの時間領域リソースおよび／または周波数領域リソース、および／または、第２リソースプールの時間領域リソースおよび／または周波数領域リソースは、第１構成情報によって構成され、一実施形態において、前記第１構成情報はネットワーク機器によって構成されるか、事前に構成される。ここで、第１構成情報は、前記第１リソースプールの時間領域リソースおよび／または周波数領域リソースを独立して構成することができ、前記第２リソースプールの時間領域リソースおよび／または周波数領域リソースを独立して構成することもでき、さらに、前記第１リソースプールおよび前記第２リソースプールの時間領域リソースおよび／または周波数領域リソースを同時に構成することもできる。
【０４４０】
以下、第１構成情報が２つのリソースプールの時間領域リソースおよび／または周波数領域リソースをどうやって構成するかについて説明する。
【０４４１】
１）前記第１構成情報は、前記第１リソースプールの時間領域リソースおよび／または周波数領域リソースを決定するために使用され、前記第１構成情報は、
前記第１リソースプールの時間領域リソースの開始位置情報、
前記第１リソースプールの時間領域リソースの長さ情報、
前記第１リソースプールの時間領域リソースの密度情報、
前記第１リソースプールで伝送された前記第１制御チャネルの時間領域の長さ情報、
前記第１リソースプールの周波数領域リソースの開始位置情報、
前記第１リソースプールの周波数領域リソースが占める周波数領域ユニットの数情報、
前記第１リソースプールの周波数領域リソースに対応する周波数領域ユニットのサイズ情報、
前記第１リソースプールで伝送された前記第１制御チャネルが占める周波数領域ユニットの数情報のうちの少なくとも１つを含む。
【０４４２】
１．１）前記第１リソースプールの時間領域リソースの開始位置情報は第１パラメータによって決定され、前記第１パラメータは、前記第１リソースプール内の最初の時間ユニットの情報を指示する。前記時間ユニットの粒度は、サブフレーム、またはタイムスロット、またはｓＴＴＩ、または固定時間長である。以下で特に説明されてない限り、前記時間ユニットの粒度は、サブフレーム、またはタイムスロット、またはｓＴＴＩ、または固定時間長である。
【０４４３】
例を挙げると、前記第１パラメータは１つの時間インデックス情報であり、各時間インデックス情報は１つの時間ユニットに対応し、当該時間インデックス情報は１つの無線フレーム内のサブフレーム番号、または１つの無線フレーム周期内のサブフレーム番号などであってもよく、前記第１パラメータ内の時間インデックス情報を介して、前記第１リソースプール内の最初の時間ユニットの情報を決定することができる。例えば、１つの無線フレームは１０個のサブフレームを含むため、サブフレーム番号範囲は［０，９］であり、第１パラメータがサブフレーム番号７である場合、前記第１リソースプール内の最初の時間ユニットは、１つの無線フレーム内のサブフレーム７である。さらに例えば、１つの無線フレーム周期は１０２４０個のサブフレームを含み、サブフレーム番号範囲は［０，１０２３９］であり、第１パラメータがサブフレーム番号１００である場合、前記第１リソースプール内の最初の時間ユニットは、１つの無線フレーム周期内のサブフレーム１００である。
【０４４４】
さらに例を挙げると、前記第１パラメータは時間オフセット量であり、前記時間オフセット量は、特定の決定時間に対するオフセットであり、例えば、無線フレーム周期の最初のサブフレーム、即ち、サブフレーム０に対するオフセットである。
【０４４５】
１．２）前記第１リソースプールの時間領域リソースの長さ情報は第２パラメータによって決定され、前記第２パラメータは、前記第１リソースプール内の前記第１制御チャネルを伝送するための時間ユニット情報、または前記第１制御チャネルを伝送するための時間ユニットの数を指示する。
【０４４６】
ここで、前記第１リソースプールの時間領域リソースの長さは時間ユニットを単位とする。前記第１リソースプールの時間領域リソースは、連続する複数の時間ユニットを占めることができ、複数の離散した時間ユニットを占めることもできる。前記第２パラメータは、前記第１リソースプールの時間領域リソースがどの時間ユニットに含まれているか、または前記第１リソースプールの時間領域リソースに含まれている時間ユニットの数を決定することができる。
【０４４７】
例を挙げると、前記第２パラメータは１つのビットマップを含み、当該ビットマップにおける各ビットは１つの時間ユニットに対応し、各ビットの値は、当該ビットに対応する時間ユニットに前記第１リソースプールの時間領域リソースが含まれているかを示し、例えば、特定のビットの値は０であり、これは、当該ビットに対応する時間ユニットに、前記第１リソースプールの時間領域リソースが含まれていないことを表し、特定のビットの値は１であり、これは、当該ビットに対応する時間ユニットに前記第１リソースプールの時間領域リソースが含まれていることを表す。このように、当該ビットマップに基づいて、前記第１リソースプールの時間領域リソースがどの時間ユニットに含まれているかを決定することができるため、前記第１リソースプールの時間領域リソースに含まれた時間ユニットの数を決定する。さらに、前記ビットマップは周期性に重複し、それにより、全ての第１リソースプールの時間領域リソースを決定することができる。例えば、１つの無線フレーム周期は１０２４０個のサブフレームを含み、前記ビットマップは１０ビットを含み、それらは、１０個のサブフレームに対応し、当該ビットマップは、無線フレーム周期内で周期性に重複することができ、それにより、無線フレーム周期内の全てのサブフレームが第１リソースプールに属するかどうかを決定することができる。
【０４４８】
さらに例を挙げると、前記第２パラメータは、前記第１リソースプールの時間領域リソースに含まれた時間ユニットの数を指示する値である。例えば、１つの無線フレーム周期では１０２４０個のサブフレームを含み、前記第２パラメータは１０２４であり、これは、当該無線フレーム周期内に１０２４個のサブフレームが第１リソースプールに属することを示す。さらに、第１リソースプールの時間領域リソース開始位置情報と組み合わせて、当該時間領域リソース開始位置からの１０２４個のサブフレームが第１リソースプールに属することを示す。
【０４４９】
１．３）前記第１リソースプールの時間領域リソースの密度情報は第３パラメータによって決定され、前記第３パラメータは、
2021529490.tif 000019
の時間ユニットごとに１つの時間ユニットが前記第１リソースプールにおける前記第１制御チャネルを伝送するための時間ユニットであることを指示する。
【０４５０】
例を挙げると、Ｋ＝１の場合、各時間ユニットに前記第１リソースプールの時間領域リソースが含まれていることを表す。Ｋ＝２の場合、最初の時間ユニットには前記第１リソースプールの時間領域リソースが含まれ、３番目の時間には前記第１リソースプールの時間領域リソースが含まれ、５番目の時間ユニットには前記第１リソースプールの時間領域リソースが含まれるなど、２個の時間ユニットのうち、１つの時間ユニットに前記第１リソースプールの時間領域リソースが含まれていることを表す。第３パラメータは、前記第１リソースプールの時間領域リソースの密度または周期を表す。
【０４５１】
例示的に、第１パラメータおよび第３パラメータを組み合わせて、前記第１リソースプールに含まれた全ての時間ユニットを決定することができる。例えば、前記第１パラメータは、前記第１リソースプールの最初の時間ユニットの位置を決定し、前記第３パラメータは、Ｋ個の時間ユニットごとに、１つの時間ユニットが前記第１制御チャネルを伝送するために使用されると決定する。したがって、第１パラメータおよび第３パラメータを組み合わせて、前記第１制御チャネルを伝送するための、最初の時間ユニットからのＫ個の時間ユニットを決定することができる。
【０４５２】
１．４）前記第１リソースプールで伝送された前記第１制御チャネルの時間領域の長さ情報は第４パラメータによって決定され、前記第４パラメータは、前記第１リソースプールで伝送された前記第１制御チャネルの時間領域リソースが占める時間領域シンボルの数または時間ユニットの数を指示する。
【０４５３】
どの時間ユニットに前記第１リソースプールの時間領域リソースが含まれているかを決定した後、１つの時間ユニット上のどの時間領域シンボルが前記第１制御チャネルを伝送するために使用されるかを決定する必要もあり、そのため、１つの時間ユニット内で、前記第１制御チャネルに対応する時間領域の長さ情報および時間領域リソースの開始位置を決定する必要がある。
【０４５４】
ここで、前記第１リソースプールで伝送された前記第１制御チャネルの時間領域の長さ情報は第４パラメータによって決定され、前記第４パラメータは、前記第１リソースプールで伝送された前記第１制御チャネルの時間領域リソースが占める時間領域シンボルの数または時間ユニットの数を指示する。一実施形態において、前記１つの時間ユニットはＭ（Ｍは整数であり、Ｍ＞１）個の時間領域シンボルを含み、前記第１制御チャネルは
2021529490.tif 000020
の時間領域シンボルを占める。例を挙げると、１つのサブフレームまたはタイムスロットにおいて、ＰＳＣＣＨはＰ個の時間領域シンボルを占めることができ、Ｐ＜１４、好ましくは、Ｐ＝２またはＰ＝３またはＰ＝４である。さらに例を挙げると、時間ユニットの粒度がｓＴＴＩである場合、ＰＳＣＣＨは、１つのｓＴＴＩの長さを占め、またはＱ個の時間領域シンボルを占めることができ、Ｑは、ｓＴＴＩシンボルの数より小さい正の整数であり、例えば、１つのｓＴＴＩは７個の時間領域シンボルを含み、Ｑは３または４に等しい場合がある。１つのｓＴＴＩが３または４つの時間領域シンボルを含む場合、ＰＳＣＣＨは、１つのｓＴＴＩの長さ、即ち、３、４つのＯＦＤＭシンボルを占める。
【０４５５】
本願実施例では、前記第１制御チャネルの時間領域リソースを決定するには、前記第１制御チャネルの時間領域リソースが占める時間領域シンボルの数を決定する以外にも、前記第１制御チャネルの時間領域リソースの開始位置または終了位置を決定する必要があり、事前に構成され、またはネットワークによって構成される方式で、１つの時間ユニットにおける前記第１制御チャネルの時間領域開始位置または終了位置を決定することができる。具体的に、以下の方式により、前記第１制御チャネルの時間領域リソースの開始位置または終了位置を決定することができる。
【０４５６】
１、前記第１リソースプールで伝送された前記第１制御チャネルの時間領域リソースの開始位置は、１つの時間ユニットの最初の時間領域シンボルに位置する。
【０４５７】
例を挙げると、上述の１．３）のＫ＝１であると仮定し、即ち、各時間ユニットの全てがＰＳＣＣＨを伝送するために使用される場合、ＰＳＣＣＨの時間領域リソースは、各時間ユニットの最初の時間領域シンボルから始める。ここで、前記時間ユニットの粒度は、サブフレーム、またはタイムスロット、またはｓＴＴＩ、または固定時間長である。
【０４５８】
さらに例を挙げると、時間ユニットの粒度がｓＴＴＩであると仮定し、１つのｓＴＴＩが７つのシンボルを含み、ＰＳＣＣＨが３つのシンボルを占める場合、ｓＴＴＩの最初の３つのシンボルはＰＳＣＣＨリソースであり、さらに、Ｋ個のｓＴＴＩごとに１つのＰＳＣＣＨリソースが含まれる。１つのｓＴＴＩが３または４つのシンボルを含む場合（この場合、１５ｋＨｚサブキャリア間隔において、１ｍｓは１４個のシンボルに対応し、４つのｓＴＴＩに分割される）、ＰＳＣＣＨは、１つのｓＴＴＩの長さを占め、Ｋ個のｓＴＴＩごとに１つのＰＳＣＣＨリソースが含まれ、例えば、Ｋ＝４である場合、図７（ｂ）を参照する。
【０４５９】
２、前記第１リソースプールで伝送された前記第１制御チャネルの時間領域リソースの終了位置は、１つの時間ユニットの最後の時間領域シンボルに位置する。
【０４６０】
例を挙げると、上述の１．３）のＫ＝１であると仮定し、即ち、各時間ユニットの全てがＰＳＣＣＨを伝送するために使用される場合、ＰＳＣＣＨの時間領域リソースは、各時間ユニットの最後の時間領域シンボルで終了する。ここで、前記時間ユニットの粒度は、サブフレーム、またはタイムスロット、またはｓＴＴＩ、または固定時間長である。
【０４６１】
例を挙げると、ＰＳＣＣＨは、１つの時間ユニットの最後のＮ個のシンボルに位置することができる。例えば、１つのサブフレームは、１４個のシンボルを含み、１つのＰＳＣＣＨはＮ＝４つのシンボルを占め、１つのサブフレームにおいて、ＰＳＣＣＨは、当該サブフレームの最後の４つのシンボルを占めことができ、他のシンボルはＰＳＳＣＨ伝送に使用されることができる。さらに、当該サブフレームの最後のシンボルは、ＰＳＣＣＨまたはＰＳＳＣＨの伝送に使用されることなく、ガード間隔（ＧＰ：Ｇｕａｒｄ  Ｐｅｒｉｏｄ）として使用される。
【０４６２】
本願実施例では、上述の１．１）ないし１．４）の各パラメータを介して、第１リソースプールの時間領域リソースを決定することができ、これらに限定されず、１つのビットマップを介して、第１リソースプールの時間領域リソースを決定することもでき、具体的に、前記第１構成情報は第１ビットマップを含み、前記第１ビットマップは、前記第１リソースプールが占有する時間ユニットを決定するために使用される。さらに、前記第１ビットマップは、第１時間範囲内で周期的に重複する。
【０４６３】
例を挙げると、第１時間範囲は１つの無線フレーム周期（１０２４０個のサブフレーム）、第１ビットマップは１０ビットを含み、各ビットは１つのサブフレームが第１リソースプールに使用されるかどうかを指示し、当該ビットマップは無線フレーム周期内で周期的に重複し、それにより、１つの無線フレーム周期内のサブフレームのうち、第１リソースプールに使用されることができるのはどちらであるかを決定する。
【０４６４】
１．５）前記第１リソースプールの周波数領域リソースの開始位置は第５パラメータによって決定され、前記第５パラメータは、第１基準位置に対する前記第１リソースプールの周波数領域リソースの開始位置の周波数領域オフセット量を指示する。
【０４６５】
ここで、第１基準位置は、キャリアまたは帯域幅部分（ＢＷＰ）の開始位置、または同期リソースの最も低いＰＲＢ位置など、他の決定された周波数領域位置であってもよく、周波数領域オフセット量および第１基準位置に基づいて、前記第１リソースプールの周波数領域リソースの開始位置を決定することができる。前記周波数領域オフセット量の粒度は、ＰＲＢ、またはＲＢＧ、またはサブバンドである。
【０４６６】
例を挙げると、前記第１リソースプールの周波数領域リソースの開始位置は、キャリアまたは帯域幅部分（ＢＷＰ）開始位置に対するオフセット量Ｎ＿ＲＢ＿ＲＰであってもよく、最初のＰＳＣＣＨリソースの開始位置はＷ＊ｃｅｉｌ（Ｎ＿ＲＢ＿ＲＰ／Ｗ）であり、ここで、ｃｅｉｌ（）は切り上げを表す、Ｗは１つの周波数領域ユニットに含まれたＰＲＢ数を表す。
【０４６７】
１．６）前記第１リソースプールの周波数領域リソースが占める周波数領域ユニットの数情報は第６パラメータによって決定され、前記第６パラメータは、前記第１リソースプールの周波数領域リソースが占める周波数領域ユニットの数を指示する。
【０４６８】
ここで、前記第６パラメータは、前記第１リソースプールの周波数領域リソースが占める周波数領域ユニットの数を指示する値である。前記周波数領域ユニットの粒度は、ＰＲＢ、またはＲＢＧ、またはサブバンドである。以下で特に説明されてない限り、前記周波数領域ユニットの粒度は、ＰＲＢ、またはＲＢＧ、またはサブバンドである。
【０４６９】
例を挙げると、１つのキャリア帯域幅は２０ＭＨｚであり、１００個のＰＲＢを含み、周波数領域ユニットの粒度はサブバンドであり、各サブバンドは１０個のＰＲＢを含むと、サブバンドインデックス範囲は［０，９］であり、前記第１リソースプールの周波数領域リソース開始位置はサブバンド１であり、占められたサブバンド数は８であり、前記第１リソースプールの周波数領域リソースはサブバンド１からの８つのサブバンドを表す。
【０４７０】
１．７）前記第１リソースプールの周波数領域リソースに対応する周波数領域ユニットのサイズ情報は第７パラメータによって決定され、前記第７パラメータは、前記１つの周波数領域ユニットに含まれた物理リソースブロックの数を指示する。
【０４７１】
１．８）前記第１リソースプールで伝送された前記第１制御チャネルが占める周波数領域ユニットの数情報は第８パラメータによって決定され、前記第８パラメータは、前記第１制御チャネルが占める周波数領域ユニットの数を指示する。
【０４７２】
ここで、前記第８パラメータは、前記第１制御チャネルの周波数領域リソースが占める周波数領域ユニットの数を指示する値である。
【０４７３】
例を挙げると、各ＰＳＣＣＨリソースが周波数領域上で占めるリソースはサブバンドを粒度とし、各サブバンドはＵ個のＰＲＢを含み、各ＰＳＣＣＨリソースはＶ個のサブバンドを占める。さらに、各ＰＳＣＣＨリソースが占めるＰＲＢ数は、Ｕ×Ｖより小さいか等しく、且つ２、３、５で整除できる最大整数である。
【０４７４】
例えば、Ｕ＝５、Ｖ＝８である場合、各ＰＳＣＣＨは４０個のＰＲＢを占める。
【０４７５】
例えば、Ｕ＝１０、Ｖ＝７である場合、各ＰＳＣＣＨが占めるＰＲＢ数は、７０より小さいか等しく、且つ２、３、５で整除できる最大整数であり、即ち、６４であり、この場合、ＰＳＣＣＨは、当該ＰＳＣＣＨリソースの最も低いＰＲＢインデックスからの６４個のＰＲＢを占める。
【０４７６】
２）前記第１構成情報は、前記第２リソースプールの時間領域リソースおよび／または周波数領域リソースを決定するために使用され、前記第１構成情報は、
前記第２リソースプールの時間領域リソースの開始位置情報、
前記第２リソースプールの時間領域リソースの長さ情報、
前記第２リソースプールで伝送された前記第１データチャネルの時間領域の長さ情報、
前記第２リソースプールの周波数領域リソースの開始位置情報、
前記第２リソースプールの周波数領域リソースが占める周波数領域ユニットの数情報、
前記第２リソースプールの周波数領域リソースに対応する周波数領域ユニットのサイズ情報、
前記第２リソースプールで伝送された前記第１データチャネルが占める周波数領域ユニットの数情報のうちの少なくとも１つを含む。
【０４７７】
２．１）前記第２リソースプールの時間領域リソースの開始位置情報は第９パラメータによって決定され、前記第９パラメータは、前記第２リソースプール内の最初の時間ユニットの情報を指示する。
【０４７８】
ここで、前記第２リソースプールの最初の時間ユニットは、前記第１リソースプールの最初の時間ユニットと同じであってもよく、前記第１リソースプールの最初の時間ユニットと異なってもよい。前記第２リソースプールの最初の時間ユニットが前記第１リソースプールの最初の時間ユニットと同じである場合、前記第２リソースプールの時間領域リソースの開始位置情報に対して追加の構成を実行しなくてもよい。
【０４７９】
本願実施例では、前記第９パラメータは１つの時間インデックス情報であり、各時間インデックス情報は１つの時間ユニットに対応し、当該時間インデックス情報は１つの無線フレーム内のサブフレーム番号、または１つの無線フレーム周期内のサブフレーム番号などであってもよく、前記第９パラメータ内の時間インデックス情報を介して、前記第２リソースプール内の最初の時間ユニットの情報を決定することができる。例えば、１つの無線フレームは１０個のサブフレームを含むため、サブフレーム番号範囲は［０，９］であり、第９パラメータがサブフレーム番号４である場合、前記第２リソースプール内の最初の時間ユニットは、１つの無線フレーム内のサブフレーム４である。さらに例えば、１つの無線フレーム周期は１０２４０個のサブフレームを含み、サブフレーム番号範囲は［０，１０２３９］であり、第９パラメータがサブフレーム番号１００である場合、前記第２リソースプール内の最初の時間ユニットは、１つの無線フレーム周期内のサブフレーム１００である。
【０４８０】
さらに例を挙げると、前記第９パラメータは時間オフセット量であり、前記時間オフセット量は、特定の決定時間に対するオフセットであり、例えば、無線フレーム周期の最初のサブフレーム、即ち、サブフレーム０に対するオフセットである。
【０４８１】
２．２）前記第２リソースプールの時間領域リソースの長さ情報は第１０パラメータによって決定され、前記第１０パラメータは、前記第２リソースプール内の前記第１データチャネルを伝送するための時間ユニット情報、または前記第１データチャネルを伝送するための時間ユニットの数を指示する。
【０４８２】
ここで、前記第２リソースプールの時間領域リソースの長さは時間ユニットを単位とする。前記第２リソースプールの時間領域リソースは、連続する複数の時間ユニットを占めることができ、複数の離散した時間ユニットを占めることもできる。前記第１０パラメータは、前記第２リソースプールの時間領域リソースがどの時間ユニットに含まれているか、または前記第２リソースプールの時間領域リソースに含まれている時間ユニットの数を決定することができる。
【０４８３】
例を挙げると、前記第１０パラメータは１つのビットマップを含み、当該ビットマップにおける各ビットは１つの時間ユニットに対応し、各ビットの値は、当該ビットに対応する時間ユニットに前記第２リソースプールの時間領域リソースが含まれているかを示し、例えば、特定のビットの値は０であり、これは、当該ビットに対応する時間ユニットに、前記第２リソースプールの時間領域リソースが含まれていないことを表し、特定のビットの値は１であり、これは、当該ビットに対応する時間ユニットに前記第２リソースプールの時間領域リソースが含まれていることを表す。このように、当該ビットマップに基づいて、前記第２リソースプールの時間領域リソースがどの時間ユニットに含まれているかを決定することができるため、前記第２リソースプールの時間領域リソースに含まれた時間ユニットの数を決定する。さらに、前記ビットマップは周期性に重複し、それにより、全ての第２リソースプールの時間領域リソースを決定することができる。例えば、１つの無線フレーム周期は１０２４０個のサブフレームを含み、前記ビットマップは１０ビットを含み、それらは、１０個のサブフレームに対応し、当該ビットマップは、無線フレーム周期内で周期性に重複することができ、それにより、無線フレーム周期内の全てのサブフレームが第２リソースプールに属するかどうかを決定することができる。
【０４８４】
さらに例を挙げると、前記第１０パラメータは、前記第２リソースプールの時間領域リソースに含まれた時間ユニットの数を指示する値である。例えば、１つの無線フレーム周期では１０２４０個のサブフレームを含み、前記第１０パラメータは１０２４であり、これは、当該無線フレーム周期内に１０２４個のサブフレームが第２リソースプールに属することを示す。さらに、第２リソースプールの時間領域リソース開始位置情報と組み合わせて、当該時間領域リソース開始位置からの１０２４個のサブフレームが第２リソースプールに属することを示す。
【０４８５】
２．３）前記第２リソースプールで伝送された前記第１データチャネルの時間領域の長さ情報は第１１パラメータによって決定され、前記第１１パラメータは、前記第２リソースプールで伝送された前記第１データチャネルの時間領域リソースが占める時間領域シンボルの数または時間ユニットの数を指示する。
【０４８６】
１つの時間ユニットでは、第１制御チャネルが占める時間領域シンボルを除いて、残りの時間領域シンボルが第１データチャネルのリソースとして使用され、ここで、前記第２リソースプールで伝送された前記第１データチャネルの時間領域の長さ情報は第１１パラメータによって決定され、前記第１１パラメータは、前記第２リソースプールで伝送された前記第１データチャネルの時間領域リソースが占める時間領域シンボルの数を指示する。例を挙げると、ＰＳＳＣＨは、
2021529490.tif 000021
の時間領域シンボルを占めることができる。
【０４８７】
例を挙げると、図５（ａ）を参照すると、２番目のサブフレームによってスケジューリングされたＰＳＳＣＨは、２番目のサブフレームのシンボルを占める。時間ユニットは、サブフレームを除いて、タイムスロットまたはｓＴＴＩまたは１つ固定時間長であってもよく、例えば、１ｍｓまたは０．５ｍｓなどである。特に、ｓＴＴＩの場合、ＰＳＣＣＨが１つの時間ユニットの全てのシンボルを占めなかった場合、当該時間ユニットの残りのシンボルはＰＳＳＣＨリソースであり、ＰＳＣＣＨが１つの時間ユニットの全てのシンボルを占める場合、当該時間ユニットにはＰＳＳＣＨリソースがいない。ＰＳＳＣＨは、他の時間ユニットを占めることができる。
【０４８８】
さらに、１つのＰＳＳＣＨは、連続する複数の時間ユニットを占めることができ、図５（ａ）のように、３番目のサブフレームによってスケジューリングされたＰＳＳＣＨは、第３のサブフレームおよび第４のサブフレームの２つのサブフレームのシンボルを占める。
【０４８９】
一実施例において、前記第１１パラメータは、前記第１データチャネルが占める時間ユニットの数を指示する。例えば、１つの時間ユニットはｓＴＴＩであり、前記第１データチャネルは複数の連続するｓＴＴＩを占めることができ、この場合、第１１パラメータは、前記第１データチャネルが占めるｓＴＴＩの数を指示する。
【０４９０】
本願実施例では、前記第１データチャネルの時間領域リソースを決定するには、前記第１データチャネルの時間領域リソースが占める時間領域シンボルの数を決定する以外にも、前記第１データチャネルの時間領域リソースの位置を決定する必要があり、事前に構成され、またはネットワークによって構成される方式で、１つの時間ユニットにおける前記第１データチャネルの時間領域開始位置または終了位置を決定することができる。具体的に、以下の方式により、前記第１データチャネルの時間領域リソースの位置を決定することができる。
【０４９１】
１、前記第１データチャネルの時間領域リソースの開始位置は、１つの時間ユニット内の前記第１制御チャネルが占有する最後の時間領域シンボルの次の時間領域シンボルに位置し、さらに、前記第１制御チャネルが占有する最後の時間領域シンボルが１つの時間ユニットの最後の時間領域シンボルである場合、前記第１データチャネルの時間領域リソースの開始位置は、前記１つの時間ユニットの次の時間ユニットの最初の時間領域シンボルに位置し、または、
２、前記第１制御チャネルの時間領域リソースの開始位置は、１つの時間ユニット内の前記第１データチャネルが占有する最後の時間領域シンボルの次の時間領域シンボルに位置し、さらに、前記第１データチャネルが占有する最後の時間領域シンボルが１つの時間ユニットの最後の時間領域シンボルである場合、前記第１制御チャネルの時間領域リソースの開始位置は、前記１つの時間ユニットの次の時間ユニットの最初の時間領域シンボルに位置する。
【０４９２】
例示的に、本願実施例の技術案では、前記第１データチャネルが占める最後の時間ユニットの最後の時間領域シンボルは、データを伝送するために使用することではなく、ＧＰとして使用される。さらに、１つのＰＳＳＣＨが、連続する複数の時間ユニットを占める場合、最後の時間ユニットの最後のシンボルのみＧＰとして使用される。
【０４９３】
例示的に、本願実施例の技術案では、前記第１制御チャネルが占める時間ユニットの最後の時間領域シンボルは、制御情報を伝送するために使用することではなく、ＧＰとして使用される。
【０４９４】
本願実施例では、上述の２．１）ないし２．３）の各パラメータを介して、第２リソースプールの時間領域リソースを決定することができ、これらに限定されず、１つのビットマップを介して、第２リソースプールの時間領域リソースを決定することもでき、具体的に、前記第１構成情報は第２ビットマップを含み、前記第２ビットマップは、前記第２リソースプールが占有する時間ユニットを決定するために使用される。さらに、前記第２ビットマップは、第２時間範囲内で周期的に重複する。
【０４９５】
例を挙げると、第２時間範囲は１つの無線フレーム周期（１０２４０個のサブフレーム）、第２ビットマップは１０ビットを含み、各ビットは１つのサブフレームが第２リソースプールに使用されるかどうかを指示し、当該ビットマップは無線フレーム周期内で周期的に重複し、それにより、１つの無線フレーム周期内のサブフレームのうち、第２リソースプールに使用されるのはどちらであるかを決定する。
【０４９６】
２．４）前記第２リソースプールの周波数領域リソースの開始位置は第１２パラメータによって決定され、前記第１２パラメータは、第２基準位置に対する前記第１リソースプールの周波数領域リソースの開始位置の周波数領域オフセット量を指示する。
【０４９７】
ここで、第１基準位置は、キャリアまたは帯域幅部分（ＢＷＰ）の開始位置であってもよく、周波数領域オフセット量および第１基準位置に基づいて、前記第２リソースプールの周波数領域リソースの開始位置を決定することができる。前記周波数領域オフセット量の粒度は、ＰＲＢ、またはＲＢＧ、またはサブバンドである。
【０４９８】
例を挙げると、前記第２リソースプールの周波数領域リソースの開始位置は、キャリアまたは帯域幅部分（ＢＷＰ）開始位置に対するオフセット量Ｎ＿ＲＢ＿ＲＰであってもよく、最初のＰＳＳＣＨリソースの開始位置はＨ＊ｃｅｉｌ（Ｎ＿ＲＢ＿ＲＰ／Ｈ）であり、ここで、ｃｅｉｌ（）は切り上げを表す、Ｈは１つの周波数領域ユニットに含まれたＰＲＢ数を表す。
【０４９９】
２．５）前記第２リソースプールの周波数領域リソースが占める周波数領域ユニットの数情報は第１３パラメータによって決定され、前記第１３パラメータは、前記第２リソースプールの周波数領域リソースが占める周波数領域ユニットの数を指示する。
【０５００】
ここで、前記第１３パラメータは、前記第２リソースプールの周波数領域リソースが占める周波数領域ユニットの数を指示する値である。
【０５０１】
例を挙げると、各ＰＳＳＣＨリソースが周波数領域上で占めるリソースはサブバンドを粒度とし、各サブバンドはＲ個のＰＲＢを含み、各ＰＳＳＣＨリソースはＳ個のサブバンドを占める。さらに、各ＰＳＳＣＨリソースが占めるＰＲＢ数は、Ｒ×Ｓより小さいか等しく、且つ２、３、５で整除できる最大整数である。
【０５０２】
例を挙げると、１つのキャリア帯域幅は２０ＭＨｚであり、１００個のＰＲＢを含み、周波数領域ユニットの粒度はサブバンドであり、各サブバンドは１０個のＰＲＢを含むと、サブバンドインデックス範囲は［０，９］であり、前記第２リソースプールの周波数領域リソース開始位置はサブバンド１であり、占められたサブバンド数は８であり、前記第２リソースプールの周波数領域リソースはサブバンド１からの８つのサブバンドを表す。
【０５０３】
２．６）前記第２リソースプールの周波数領域リソースに対応する周波数領域ユニットのサイズ情報は第１４パラメータによって決定され、前記第１４パラメータは、前記１つの周波数領域ユニットに含まれた物理リソースブロックの数を指示する。
【０５０４】
２．７）前記第２リソースプールで伝送された前記第１データチャネルが占める周波数領域ユニットの数情報は第１５パラメータによって決定され、前記第１５パラメータは、前記第１データチャネルが占める周波数領域ユニットの数を指示する。
【０５０５】
ここで、前記第１５パラメータは、前記第１データチャネルの周波数領域リソースが占める周波数領域ユニットの数を指示する値である。前記周波数領域ユニットの粒度は、ＰＲＢ、またはＲＢＧ、またはサブバンドである。
【０５０６】
例を挙げると、各ＰＳＳＣＨリソースが周波数領域上で占めるリソースはサブバンドを粒度とし、各サブバンドはＲ個のＰＲＢを含み、各ＰＳＳＣＨリソースはＳ個のサブバンドを占める。さらに、各ＰＳＳＣＨリソースが占めるＰＲＢ数は、Ｒ×Ｓより小さいか等しく、且つ２、３、５で整除できる最大整数である。
【０５０７】
例えば、Ｒ＝６、Ｓ＝８である場合、各ＰＳＳＣＨは４０個のＰＲＢを占める。
【０５０８】
例えば、Ｒ＝１０、Ｓ＝７である場合、各ＰＳＳＣＨが占めるＰＲＢ数は、７０より小さいか等しく、且つ２、３、５で整除できる最大整数であり、即ち、６４であり、この場合、ＰＳＳＣＨは、当該ＰＳＳＣＨリソースの最も低いＰＲＢインデックスからの６４個のＰＲＢを占める。
【０５０９】
本願実施例では、前記第１リソースプールと前記第２リソースプールの間の関係は、前記第１リソースプールおよび前記第２リソースプールが占める時間領域リソースが異なることに限定されない。
【０５１０】
前記第１リソースプールと前記第２リソースプールの関係は、占める時間領域リソースが異なることに限定されず、前記第１リソースプールの時間領域リソースは、前記第２リソースプールの時間領域リソースの１つのサブセットであってもよく、例えば、１つのサブフレームにとって、第２リソースプールは、サブフレーム全体を占め、第１リソースプールは、当該サブフレームの最初のＮ個のシンボルを占める。
【０５１１】
本願実施例では、前記第１リソースプールおよび前記第２リソースプールは、
前記第１リソースプールと前記第２リソースプールの周波数領域リソースの開始位置が同じまたは異なること、
前記第１リソースプールの周波数領域リソースの周波数領域ユニットと前記第２リソースプールの周波数領域リソースの周波数領域ユニットのサイズが同じまたは異なること、
前記第１制御チャネルおよび前記第１制御チャネルに対応する第１データチャネルが時分割の伝送を実行すること、
前記第１制御チャネルおよび前記第１制御チャネルに対応する第１データチャネルの時間領域するかリソースが隣接しているか、隣接していないこと、
前記第１制御チャネルと前記第１制御チャネルに対応する第１データチャネルの時間領域リソース開始位置が一対一の対応関係を有すること、
前記第１制御チャネルと前記第１制御チャネルに対応する第１データチャネルの周波数領域リソース開始位置が一対一の対応関係を有すること、
前記第１制御チャネルと前記第１制御チャネルに対応する第１データチャネルの周波数領域リソースの開始位置が同じまたは異なること、
前記第１制御チャネルと前記第１制御チャネルに対応する第１データチャネルの周波数領域リソースの長さが同じまたは異なることのうちの少なくとも１つの特徴を満たす。
【０５１２】
上記の技術案では、前記第１制御チャネルおよび前記第１制御チャネルに対応する第１データチャネルが時分割の伝送を実行することは、次の実現形態を有することができる。
【０５１３】
ａ）前記第１データチャネルおよび前記第１制御チャネルに対応する第１データチャネルが、１つの時間ユニットで時分割の伝送を実行することを含み、前記第１制御チャネルは、前記時間ユニット内のＡ個の時間領域シンボルを占め、前記第１データチャネルは、前記時間ユニット内のＢ個の時間領域シンボルを占め、前記第１制御チャネルおよび前記第１データチャネルの時間領域リソースは重複せず、
2021529490.tif 000022
Ｃは、１つの時間ユニット内の時間領域シンボルの数であり、前記時間ユニットの粒度は、タイムスロット、サブフレーム、ｓＴＴＩまたは他の固定時間長である。
【０５１４】
例を挙げると、図５（ａ）に示されたように、１つの時間ユニットは、Ｃ＝１４個の時間領域シンボルを含み、第１データチャネルと第１制御チャネルは、同一の時間ユニットを占め、ここで、第１制御チャネルは、当該時間ユニットの最初から２番目の時間領域シンボルを占め、第１データチャネルは、当該時間ユニットの３番目から１４番目の時間領域シンボルを占める。第１データチャネルと第１制御チャネルの時間領域リソースが重複しない場合、連続する時間領域シンボルを占めてもよく、連続しない時間領域シンボルを占めてもよいことに留意されたい。例えば、第１制御チャネルは、当該時間ユニットの最初から２番目の時間領域シンボルを占め、第１データチャネルは、当該時間ユニットの３番目から１４番目の時間領域シンボルを占める。
【０５１５】
ｂ）前記第１制御チャネルが第１時間ユニット内で伝送し、前記第１データチャネルが第２時間ユニット内で伝送し、ここで、前記第１制御チャネルは、前記第１時間ユニット内のＡ個の時間領域シンボルを占め、前記第１データチャネルは、前記第２時間ユニット内のＢ個の時間領域シンボルを占め、
2021529490.tif 000023
Ｃは、１つの時間ユニット内の時間領域シンボルの数であり、前記時間ユニットの粒度は、タイムスロット、サブフレーム、ｓＴＴＩまたは他の固定時間長である。
【０５１６】
例を挙げると、図７（ｂ）に示されたように、１つの時間ユニットは、Ｃ＝１４個の時間領域シンボルを含み、第１データチャネルと第１制御チャネルは、異なる時間ユニットを占め、ここで、第１制御チャネルは、第１時間ユニットの１番目から２番目の時間領域シンボルを占め、第１データチャネルは、第２時間ユニットの３番目から１４番目の時間領域シンボルを占める。第１データチャネルおよび第１制御チャネルは、連続する時間領域シンボルを占めてもよく、連続しない時間領域シンボルを占めてもよいことに留意されたい。
【０５１７】
さらに例を挙げると、図５（ｂ）に示されたように、１つの時間ユニットは、Ｃ＝１４個の時間領域シンボルを含み、第１データチャネルと第１制御チャネルは、異なる時間ユニットを占め、ここで、第１制御チャネルは、第１時間ユニットの全ての時間領域シンボルを占め、第１データチャネルは、第２時間ユニットの全ての時間領域シンボルを占める。
【０５１８】
本願実施例では、前記第１制御チャネルが占める時間領域リソースは、前記第１制御チャネルに対応する第１データチャネルが占める時間領域リソースより小さい。
【０５１９】
本願実施例では、前記第１制御チャネルが占める時間領域リソースは、前記第１制御チャネルに対応する第１データチャネルが占める時間領域リソースの１つのサブセットである。
【０５２０】
本願実施例では、前記第１制御チャネルが、１つの時間ユニット内のＡ個の時間領域シンボルを占め、前記第１データチャネルが、前記時間ユニット内のＢ個の時間領域シンボルを占め、前記第１制御チャネルおよび前記第１データチャネルの時間領域リソースが、少なくとも部分的に重複し、
2021529490.tif 000024
Ｃは、１つの時間ユニット内の時間領域シンボルの数である。
【０５２１】
一実施形態において、前記第１構成情報は第１指示情報を含み、前記第１指示情報は、前記第１制御チャネルと前記第１制御チャネルに対応する第１データチャネルの時間領域位置関係を決定するために使用される。具体的に、前記第１指示情報が第１時間領域位置関係を指示する場合、前記第１制御チャネルおよび前記第１制御チャネルによってスケジューリングされた第１データチャネルの時間領域リソースが隣接することを示し、前記第１指示情報が第２時間領域位置関係を指示する場合、前記第１制御チャネルおよび前記第１制御チャネルによってスケジューリングされた第１データチャネルの時間領域リソースが隣接しないことを示す。
【０５２２】
一実施形態において、前記第１構成情報は第２指示情報を含み、前記第２指示情報は、前記第１制御チャネルおよび前記第１制御チャネルに対応する第１データチャネルのスケジューリングタイプを決定するために使用される。具体的に、前記第１指示情報が第１スケジューリングタイプを指示する場合、前記第１制御チャネルが同じ時間ユニット内の前記第１データチャネルをスケジューリングすることを示し、前記第１指示情報が第２スケジューリングタイプを指示する場合、前記第１制御チャネルは異なる時間ユニット内の前記第１データチャネルをスケジューリングすることを示す。
【０５２３】
一実施形態において、前記第１構成情報は第３指示情報を含み、前記第３指示情報は、前記第１リソースプールおよび／または前記第２リソースプールの基本的なパラメータセットを指示する。
【０５２４】
ここで、基本的なパラメータセットはサブキャリア間隔および／またはサイクリックプレフィックス（ＣＰ：Ｃｙｃｌｉｃ  Ｐｒｅｆｉｘ）タイプを含み、ここで、サブキャリア間隔は、例えば、１５ｋＨｚ、３０ｋＨｚ、６０ｋＨｚ、１２０ｋＨｚなどであり、ＣＰタイプは、例えば、通常のＣＰ、拡張ＣＰである。
【０５２５】
例を挙げると、前記第３指示情報は、前記第１リソースプールのサブキャリア間隔が３０ｋＨｚであり、正常のＣＰであることを指示し、または、前記第３指示情報は、前記第２リソースプールのサブキャリア間隔が６０ｋＨｚであり、正常のＣＰであることを指示し、または、前記第３指示情報は、前記第１リソースプールのサブキャリア間隔が３０ｋＨｚであり、正常のＣＰであることを指示する同時に、前記第２リソースプールのサブキャリア間隔が６０ｋＨｚであり、正常のＣＰであることを指示する。
【０５２６】
一実施形態において、前記第１構成情報は第４指示情報を含み、前記第４指示情報は、同期ソースタイプ情報を指示する。
【０５２７】
ここで、同期ソースタイプは、ＧＮＳＳ、ｅＮＢまたはｇＮＢ、ＵＥなどを含む。
【０５２８】
一実施形態において、前記方法は、
前記第１端末が、第２構成情報を取得することであって、前記第２構成情報はタイムスロットフォーマットを指示することと、
前記第１端末が、第１基準を取得することであって、前記第１基準は、アップリンクシンボル、および／または柔軟なシンボル、および／またはダウンリンクシンボルがサイドリンク伝送に使用されることができることを指示することと、
前記第１端末が、前記第１基準、前記第１構成情報および前記第２構成情報に従って、前記第１リソースプールおよび／または前記第２リソースプールの時間領域リソースを決定することとをさらに含む。
【０５２９】
さらに、前記第１端末が、前記第１基準、前記第１構成情報および前記第２構成情報に従って、前記第１リソースプールおよび／または前記第２リソースプールの時間領域リソースを決定することは、
前記第１端末が、前記第１構成情報に従って、第１リソースプールおよび／または第２リソースプールに含まれた第１時間ユニットを決定することと、
前記第１端末が、前記第１基準および前記第２構成情報に従って、前記第１時間ユニットにおいて、サイドリンク伝送に利用可能な時間領域リソースが第１セットであると決定することと、
前記第１端末が、前記第１構成情報に従って、前記第１時間ユニットにおいて、前記第１リソースプールおよび／または前記第２リソースプールに利用可能な時間領域リソースが第２セットであることを決定することと、
前記第１端末が、前記第１セットと前記第２セットの共通部分を前記第１リソースプールおよび／または前記第２リソースプールの時間領域リソースとして使用することとを含む。
【０５３０】
例を挙げると、サイドリンクおよびアップリンクリンク共有伝送リソース、即ち、アップリンクキャリアまたはアップリンクタイムスロットでサイドリンクのデータを伝送し、ＮＲシステムにおいて、基地局と端末間のリンクのタイムスロット構造は非常に柔軟であり、１つのタイムスロットは、アップリンク（ＵＬ）シンボル、ダウンリンク（ＤＬ）シンボル、柔軟な（Ｆｌｅｘｉｂｌｅ）シンボルを含み得、１つのタイムスロットのＵＬ、および／またはＤＬ、および／またはｆｌｅｘｉｂｌｅシンボルがＳＬの伝送に使用されるように事前に構成され、またはネットワークによって構成される（即ち、第１基準）ことができ、この場合、リソースプール構成情報に従って、リソースプールが位置する時間ユニットを決定し、当該時間ユニット内の第１制御チャネルおよび／または第１データチャネルに使用される時間領域リソース（即ち、どのシンボルがＳＬ伝送に使用されることができるか）、即ち、第２セットを決定することができ、タイムスロット構造構成情報および第１基準を組み合わせて、当該時間ユニット内のＳＬ伝送に使用されることができる時間領域リソース、即ち、第１セットを決定し、当該第１セットと第２セットの共通部分は、第１制御チャネルまたは第１データチャネルの時間領域リソースである。
【０５３１】
例えば、第１データチャネルのリソースプール構成情報は、各タイムスロットが第１データチャネル伝送に使用されることができるように構成し、各タイムスロットにおいて、最後の８つの時間領域シンボルは第１データチャネルを伝送するために使用される。第１基準は、ｆｌｅｘｉｂｌｅおよびＵＬシンボルがサイドリンク伝送に使用されることができることを指示し、タイムスロット構造構成情報が１つのタイムスロットに対して構成したタイムスロットフォーマットは、Ｄ  Ｄ  Ｆ  Ｆ  Ｆ  Ｆ  Ｆ  Ｆ  Ｆ  Ｆ  Ｕ  Ｕ  Ｕ  Ｕであり、ここで、Ｄはダウンリンクシンボルを表し、Ｕはアップリンクシンボルを表し、Ｆは柔軟なシンボルを表す。
【０５３２】
第１基準およびタイムスロット構造構成情報を組み合わせると、第１セットは当該タイムスロット内の最後の１２個のシンボルであり、即ち、｛Ｆ  Ｆ  Ｆ  Ｆ  Ｆ  Ｆ  Ｆ  Ｆ  Ｕ  Ｕ  Ｕ  Ｕ｝であり、リソースプール構成情報に基づき、第２セットは、当該タイムスロット内の最後の８つの時間領域シンボルであり、即ち、｛Ｆ  Ｆ  Ｆ  Ｆ  Ｕ  Ｕ  Ｕ  Ｕ｝であり、前記第１セットと第２セットの共通部分は最後の８つの時間領域シンボルであり、即ち、｛Ｆ  Ｆ  Ｆ  Ｆ  Ｕ  Ｕ  Ｕ  Ｕ｝であり、当該タイムスロットにおける第１データチャネルの時間領域リソースは最後の８つの時間領域シンボルである。
【０５３３】
さらに例えば、第１データチャネルのリソースプール構成情報は、各タイムスロットが第１データチャネル伝送に使用されることができるように構成し、各タイムスロットにおいて、最後の８つの時間領域シンボルは第１データチャネルを伝送するために使用される。第１基準は、ＵＬシンボルがサイドリンク伝送に使用されることができることを指示し、タイムスロット構造構成情報が１つのタイムスロットに対して構成したタイムスロットフォーマットは、Ｄ  Ｄ  Ｆ  Ｆ  Ｆ  Ｆ  Ｆ  Ｆ  Ｆ  Ｆ  Ｕ  Ｕ  Ｕ  Ｕであり、ここで、Ｄはダウンリンクシンボルを表し、Ｕはアップリンクシンボルを表し、Ｆは柔軟なシンボルを表す。
【０５３４】
第１基準およびタイムスロット構造構成情報を組み合わせると、第１セットは当該時間ユニット内の最後の４個のシンボルであり、即ち、｛Ｕ  Ｕ  Ｕ  Ｕ｝であり、リソースプール構成情報に基づき、第２セットは、当該タイムスロット内の最後の８つの時間領域シンボルであり、即ち、｛Ｆ  Ｆ  Ｆ  Ｆ  Ｕ  Ｕ  Ｕ  Ｕ｝であり、前記第１セットと第２セットの共通部分は最後の４つの時間領域シンボルであり、即ち、｛Ｕ  Ｕ  Ｕ  Ｕ｝であり、当該タイムスロットにおける第１データチャネルの時間領域リソースは最後の４つの時間領域シンボルである。
【０５３５】
上記の実施例において、前記第１構成情報、第２構成情報、第１基準等は、事前に構成され、またはネットワークによって構成される。
【０５３６】
各時間ユニットにおける前記第１リソースプールが利用可能な時間領域リソースは同じであってもよく、または異なってもよく、各時間ユニットにおける前記第２リソースプールが利用可能な時間領域リソースは同じであってもよく、または異なってもよいことを理解されたい。例えば、第１時間ユニットにおける前記第２リソースプールが利用可能な時間領域リソースは、当該時間ユニット内の最後の８つの時間領域シンボルであり、第２時間ユニットにおいて利用可能な時間領域リソースは、当該時間ユニット内の最後の４つの時間領域シンボルである。
【０５３７】
前記第１リソースプールの時間領域リソースおよび／または周波数領域リソースの構成パラメータは、前記第２リソースプールの時間領域リソースおよび／または周波数領域リソースの構成パラメータによって暗黙的に決定されることができる場合、前記第１構成情報は、前記対応する構成パラメータを含まないことができる。または、前記第２リソースプールの時間領域リソースおよび／または周波数領域リソースの構成パラメータは、前記第１リソースプールの時間領域リソースおよび／または周波数領域リソースの構成パラメータによって暗黙的に決定されることができる場合、前記第１構成情報は、前記対応する構成パラメータを含まないことができる。例えば、第１リソースプールが１つのサブフレームの最初のＮ個のシンボルを占め、第２リソースプールが当該サブフレームの残りのシンボルを占めるなど、前記第１リソースプールおよび前記第２リソースプールが占める時間ユニットが同じである場合、ネットワークが、第１リソースプールの時間領域リソースの開始位置情報および長さ情報を構成すると、第２リソースプールの時間領域リソースの開始位置情報および長さ情報を構成する必要がない。または、前記第１制御チャネルおよびそれに対応するデータチャネルが占める周波数領域のサイズが同じである場合、ネットワークが、前記第１制御チャネルが占める周波数領域ユニットの数情報および周波数領域ユニットのサイズ情報を構成すると、第２リソースプールで伝送されたデータチャネルが占める周波数領域ユニットの数情報および周波数領域ユニットのサイズ情報を構成する必要がない。
【０５３８】
本願実施例の技術案によれば、ＰＳＣＣＨリソースプールおよび／またはＰＳＳＣＨリソースプールに対して構成することにより、遅延を低下させる同時に、Ｒｅｌ−１５受信側検出の複雑さを増やすことなく、リソースセンシングおよび選択プロセスを実行するためのＲｅｌ−１４端末に影響を与えることもない。
【０５３９】
図８（ｃ）は、本願実施例のリソースの構成装置の構成の概略的な構造図であり、図８（ｃ）に示されたように、前記装置は、
第１構成情報を取得するように構成される取得ユニット８０１３であって、前記第１構成情報は、第１リソースプールの時間領域リソースおよび／または周波数領域リソース、および／または、第２リソースプールの時間領域リソースおよび／または周波数領域リソースを決定するために使用される取得ユニット８０１３を備え、
ここで、前記第１リソースプール内のリソースは第１制御チャネルを伝送することができ、前記第１制御チャネルはサイドリンク制御情報を伝送するために使用され、前記第２リソースプール内のリソースは第１データチャネルを伝送することができ、前記第１データチャネルはサイドリンクデータを伝送するために使用される。
【０５４０】
本願実施例では、端末間のリンクはサイドリンクと呼ばれ、端末間で伝送される制御情報はサイドリンク制御情報と呼ばれ、当該サイドリンク制御情報はサイドリンク制御チャネル（即ち、第１制御チャネル）によって搬送され、端末間で伝送されるデータはサイドリンクデータであり、当該サイドリンクデータはサイドリンクデータチャネル（即ち、第１データチャネル）によって搬送される。
【０５４１】
一実施形態において、前記第１制御チャネルはＰＳＣＣＨと呼ばれ、前記第１データチャネルはＰＳＳＣＨと呼ばれ、前記第１制御チャネルを伝送することができるリソースセットは第１リソースプール（即ち、ＰＳＣＣＨリソースプール）と呼ばれ、前記第１データチャネルを伝送することができるリソースセットは第２リソースプール（即ち、ＰＳＳＣＨリソースプール）と呼ばれ、前記第１リソースプールおよび前記第２リソースプールは時分割されたものである。
【０５４２】
本願実施例では、前記第１リソースプールまたは前記第２リソースプールは、伝送リソースのセットであり、ＬＴＥ−Ｖ２Ｘにおけるリソースプールであってもよく、ＮＲシステムにおけるＢＷＰであってもよく、または伝送リソースセットを示すことができる他の物理量であってもよく、本願はこれらに対して限定しない。
【０５４３】
本願実施例では、前記第１リソースプールの時間領域リソースおよび／または周波数領域リソース、および／または、第２リソースプールの時間領域リソースおよび／または周波数領域リソースは、第１構成情報によって構成され、一実施形態において、前記第１構成情報はネットワーク機器によって構成されるか、事前に構成される。ここで、第１構成情報は、前記第１リソースプールの時間領域リソースおよび／または周波数領域リソースを独立して構成することができ、前記第２リソースプールの時間領域リソースおよび／または周波数領域リソースを独立して構成することもでき、さらに、前記第１リソースプールおよび前記第２リソースプールの時間領域リソースおよび／または周波数領域リソースを同時に構成することもできる。
【０５４４】
以下、第１構成情報が２つのリソースプールの時間領域リソースおよび／または周波数領域リソースをどうやって構成するかについて説明する。
【０５４５】
１）前記第１構成情報は、前記第１リソースプールの時間領域リソースおよび／または周波数領域リソースを決定するために使用され、前記第１構成情報は、
前記第１リソースプールの時間領域リソースの開始位置情報、
前記第１リソースプールの時間領域リソースの長さ情報、
前記第１リソースプールの時間領域リソースの密度情報、
前記第１リソースプールで伝送された前記第１制御チャネルの時間領域の長さ情報、
前記第１リソースプールの周波数領域リソースの開始位置情報、
前記第１リソースプールの周波数領域リソースが占める周波数領域ユニットの数情報、
前記第１リソースプールの周波数領域リソースに対応する周波数領域ユニットのサイズ情報、
前記第１リソースプールで伝送された前記第１制御チャネルが占める周波数領域ユニットの数情報のうちの少なくとも１つを含む。
【０５４６】
１．１）前記第１リソースプールの時間領域リソースの開始位置情報は第１パラメータによって決定され、前記第１パラメータは、前記第１リソースプール内の最初の時間ユニットの情報を指示する。前記時間ユニットの粒度は、サブフレーム、またはタイムスロット、またはｓＴＴＩ、または固定時間長である。以下で特に説明されてない限り、前記時間ユニットの粒度は、サブフレーム、またはタイムスロット、またはｓＴＴＩ、または固定時間長である。
【０５４７】
例を挙げると、前記第１パラメータは１つの時間インデックス情報であり、各時間インデックス情報は１つの時間ユニットに対応し、当該時間インデックス情報は１つの無線フレーム内のサブフレーム番号、または１つの無線フレーム周期内のサブフレーム番号などであってもよく、前記第１パラメータ内の時間インデックス情報を介して、前記第１リソースプール内の最初の時間ユニットの情報を決定することができる。例えば、１つの無線フレームは１０個のサブフレームを含むため、サブフレーム番号範囲は［０，９］であり、第１パラメータがサブフレーム番号７である場合、前記第１リソースプール内の最初の時間ユニットは、１つの無線フレーム内のサブフレーム７である。さらに例えば、１つの無線フレーム周期は１０２４０個のサブフレームを含み、サブフレーム番号範囲は［０，１０２３９］であり、第１パラメータがサブフレーム番号１００である場合、前記第１リソースプール内の最初の時間ユニットは、１つの無線フレーム周期内のサブフレーム１００である。
【０５４８】
さらに例を挙げると、前記第１パラメータは時間オフセット量であり、前記時間オフセット量は、特定の決定時間に対するオフセットであり、例えば、無線フレーム周期の最初のサブフレーム、即ち、サブフレーム０に対するオフセットである。
【０５４９】
１．２）前記第１リソースプールの時間領域リソースの長さ情報は第２パラメータによって決定され、前記第２パラメータは、前記第１リソースプール内の前記第１制御チャネルを伝送するための時間ユニット情報、または前記第１制御チャネルを伝送するための時間ユニットの数を指示する。
【０５５０】
ここで、前記第１リソースプールの時間領域リソースの長さは時間ユニットを単位とする。前記第１リソースプールの時間領域リソースは、連続する複数の時間ユニットを占めることができ、複数の離散した時間ユニットを占めることもできる。前記第２パラメータは、前記第１リソースプールの時間領域リソースがどの時間ユニットに含まれているか、または前記第１リソースプールの時間領域リソースに含まれている時間ユニットの数を決定することができる。
【０５５１】
例を挙げると、前記第２パラメータは１つのビットマップを含み、当該ビットマップにおける各ビットは１つの時間ユニットに対応し、各ビットの値は、当該ビットに対応する時間ユニットに前記第１リソースプールの時間領域リソースが含まれているかを示し、例えば、特定のビットの値は０であり、これは、当該ビットに対応する時間ユニットに、前記第１リソースプールの時間領域リソースが含まれていないことを表し、特定のビットの値は１であり、これは、当該ビットに対応する時間ユニットに前記第１リソースプールの時間領域リソースが含まれていることを表す。このように、当該ビットマップに基づいて、前記第１リソースプールの時間領域リソースがどの時間ユニットに含まれているかを決定することができるため、前記第１リソースプールの時間領域リソースに含まれた時間ユニットの数を決定する。さらに、前記ビットマップは周期性に重複し、それにより、全ての第１リソースプールの時間領域リソースを決定することができる。例えば、１つの無線フレーム周期は１０２４０個のサブフレームを含み、前記ビットマップは１０ビットを含み、それらは、１０個のサブフレームに対応し、当該ビットマップは、無線フレーム周期内で周期性に重複することができ、それにより、無線フレーム周期内の全てのサブフレームが第１リソースプールに属するかどうかを決定することができる。
【０５５２】
さらに例を挙げると、前記第２パラメータは、前記第１リソースプールの時間領域リソースに含まれた時間ユニットの数を指示する値である。例えば、１つの無線フレーム周期では１０２４０個のサブフレームを含み、前記第２パラメータは１０２４であり、これは、当該無線フレーム周期内に１０２４個のサブフレームが第１リソースプールに属することを示す。さらに、第１リソースプールの時間領域リソース開始位置情報と組み合わせて、当該時間領域リソース開始位置からの１０２４個のサブフレームが第１リソースプールに属することを示す。
【０５５３】
１．３）前記第１リソースプールの時間領域リソースの密度情報は第３パラメータによって決定され、前記第３パラメータは、
2021529490.tif 000025
の時間ユニットごとに１つの時間ユニットが前記第１リソースプールにおける前記第１制御チャネルを伝送するための時間ユニットであることを指示する。
【０５５４】
例を挙げると、Ｋ＝１の場合、各時間ユニットに前記第１リソースプールの時間領域リソースが含まれていることを表す。Ｋ＝２の場合、最初の時間ユニットには前記第１リソースプールの時間領域リソースが含まれ、３番目の時間には前記第１リソースプールの時間領域リソースが含まれ、５番目の時間ユニットには前記第１リソースプールの時間領域リソースが含まれるなど、２個の時間ユニットのうち、１つの時間ユニットに前記第１リソースプールの時間領域リソースが含まれていることを表す。第３パラメータは、前記第１リソースプールの時間領域リソースの密度または周期を表す。
【０５５５】
例示的に、第１パラメータおよび第３パラメータを組み合わせて、前記第１リソースプールに含まれた全ての時間ユニットを決定することができる。例えば、前記第１パラメータは、前記第１リソースプールの最初の時間ユニットの位置を決定し、前記第３パラメータは、Ｋ個の時間ユニットごとに、１つの時間ユニットが前記第１制御チャネルを伝送するために使用されると決定する。したがって、第１パラメータおよび第３パラメータを組み合わせて、前記第１制御チャネルを伝送するための、最初の時間ユニットからのＫ個の時間ユニットを決定することができる。
【０５５６】
１．４）前記第１リソースプールで伝送された前記第１制御チャネルの時間領域の長さ情報は第４パラメータによって決定され、前記第４パラメータは、前記第１リソースプールで伝送された前記第１制御チャネルの時間領域リソースが占める時間領域シンボルの数または時間ユニットの数を指示する。
【０５５７】
どの時間ユニットに前記第１リソースプールの時間領域リソースが含まれているかを決定した後、１つの時間ユニット上のどの時間領域シンボルが前記第１制御チャネルを伝送するために使用されるかを決定する必要もあり、そのため、１つの時間ユニット内で、前記第１制御チャネルに対応する時間領域の長さ情報および時間領域リソースの開始位置を決定する必要がある。
【０５５８】
ここで、前記第１リソースプールで伝送された前記第１制御チャネルの時間領域の長さ情報は第４パラメータによって決定され、前記第４パラメータは、前記第１リソースプールで伝送された前記第１制御チャネルの時間領域リソースが占める時間領域シンボルの数または時間ユニットの数を指示する。一実施形態において、前記１つの時間ユニットはＭ（Ｍは整数であり、Ｍ＞１）個の時間領域シンボルを含み、前記第１制御チャネルは
2021529490.tif 000026
の時間領域シンボルを占める。例を挙げると、１つのサブフレームまたはタイムスロットにおいて、ＰＳＣＣＨはＰ個の時間領域シンボルを占めることができ、Ｐ＜１４、好ましくは、Ｐ＝２またはＰ＝３またはＰ＝４である。さらに例を挙げると、時間ユニットの粒度がｓＴＴＩである場合、ＰＳＣＣＨは、１つのｓＴＴＩの長さを占め、またはＱ個の時間領域シンボルを占めることができ、Ｑは、ｓＴＴＩシンボルの数より小さい正の整数であり、例えば、１つのｓＴＴＩは７個の時間領域シンボルを含み、Ｑは３または４に等しい場合がある。１つのｓＴＴＩが３または４つの時間領域シンボルを含む場合、ＰＳＣＣＨは、１つのｓＴＴＩの長さ、即ち、３、４つのＯＦＤＭシンボルを占める。
【０５５９】
本願実施例では、前記第１制御チャネルの時間領域リソースを決定するには、前記第１制御チャネルの時間領域リソースが占める時間領域シンボルの数を決定する以外にも、前記第１制御チャネルの時間領域リソースの開始位置または終了位置を決定する必要があり、事前に構成され、またはネットワークによって構成される方式で、１つの時間ユニットにおける前記第１制御チャネルの時間領域開始位置または終了位置を決定することができる。具体的に、以下の方式により、前記第１制御チャネルの時間領域リソースの開始位置または終了位置を決定することができる。
【０５６０】
１、前記第１リソースプールで伝送された前記第１制御チャネルの時間領域リソースの開始位置は、１つの時間ユニットの最初の時間領域シンボルに位置する。
【０５６１】
例を挙げると、上述の１．３）のＫ＝１であると仮定し、即ち、各時間ユニットの全てがＰＳＣＣＨを伝送するために使用される場合、ＰＳＣＣＨの時間領域リソースは、各時間ユニットの最初の時間領域シンボルから始める。ここで、前記時間ユニットの粒度は、サブフレーム、またはタイムスロット、またはｓＴＴＩ、または固定時間長である。
【０５６２】
さらに例を挙げると、時間ユニットの粒度がｓＴＴＩであると仮定し、１つのｓＴＴＩが７つのシンボルを含み、ＰＳＣＣＨが３つのシンボルを占める場合、ｓＴＴＩの最初の３つのシンボルはＰＳＣＣＨリソースであり、さらに、Ｋ個のｓＴＴＩごとに１つのＰＳＣＣＨリソースが含まれる。１つのｓＴＴＩが３または４つのシンボルを含む場合（この場合、１５ｋＨｚサブキャリア間隔において、１ｍｓは１４個のシンボルに対応し、４つのｓＴＴＩに分割される）、ＰＳＣＣＨは、１つのｓＴＴＩの長さを占め、Ｋ個のｓＴＴＩごとに１つのＰＳＣＣＨリソースが含まれ、例えば、Ｋ＝４である場合、図７（ｂ）を参照する。
【０５６３】
２、前記第１リソースプールで伝送された前記第１制御チャネルの時間領域リソースの終了位置は、１つの時間ユニットの最後の時間領域シンボルに位置する。
【０５６４】
例を挙げると、上述の１．３）のＫ＝１であると仮定し、即ち、各時間ユニットの全てがＰＳＣＣＨを伝送するために使用される場合、ＰＳＣＣＨの時間領域リソースは、各時間ユニットの最後の時間領域シンボルで終了する。ここで、前記時間ユニットの粒度は、サブフレーム、またはタイムスロット、またはｓＴＴＩ、または固定時間長である。
【０５６５】
例を挙げると、ＰＳＣＣＨは、１つの時間ユニットの最後のＮ個のシンボルに位置することができる。例えば、１つのサブフレームは、１４個のシンボルを含み、１つのＰＳＣＣＨはＮ＝４つのシンボルを占め、１つのサブフレームにおいて、ＰＳＣＣＨは、当該サブフレームの最後の４つのシンボルを占めことができ、他のシンボルはＰＳＳＣＨ伝送に使用されることができる。さらに、当該サブフレームの最後のシンボルは、ＰＳＣＣＨまたはＰＳＳＣＨの伝送に使用されることなく、ＧＰとして使用される。
【０５６６】
本願実施例では、上述の１．１）ないし１．４）の各パラメータを介して、第１リソースプールの時間領域リソースを決定することができ、これらに限定されず、１つのビットマップを介して、第１リソースプールの時間領域リソースを決定することもでき、具体的に、前記第１構成情報は第１ビットマップを含み、前記第１ビットマップは、前記第１リソースプールが占有する時間ユニットを決定するために使用される。さらに、前記第１ビットマップは、第１時間範囲内で周期的に重複する。
【０５６７】
例を挙げると、第１時間範囲は１つの無線フレーム周期（１０２４０個のサブフレーム）、第１ビットマップは１０ビットを含み、各ビットは１つのサブフレームが第１リソースプールに使用されるかどうかを指示し、当該ビットマップは無線フレーム周期内で周期的に重複し、それにより、１つの無線フレーム周期内のサブフレームのうち、第１リソースプールに使用されることができるのはどちらであるかを決定する。
【０５６８】
１．５）前記第１リソースプールの周波数領域リソースの開始位置は第５パラメータによって決定され、前記第５パラメータは、第１基準位置に対する前記第１リソースプールの周波数領域リソースの開始位置の周波数領域オフセット量を指示する。
【０５６９】
ここで、第１基準位置は、キャリアまたは帯域幅部分（ＢＷＰ）の開始位置、または同期リソースの最も低いＰＲＢ位置など、他の決定された周波数領域位置であってもよく、周波数領域オフセット量および第１基準位置に基づいて、前記第１リソースプールの周波数領域リソースの開始位置を決定することができる。前記周波数領域オフセット量の粒度は、ＰＲＢ、またはＲＢＧ、またはサブバンドである。
【０５７０】
例を挙げると、前記第１リソースプールの周波数領域リソースの開始位置は、キャリアまたは帯域幅部分（ＢＷＰ）開始位置に対するオフセット量Ｎ＿ＲＢ＿ＲＰであってもよく、最初のＰＳＣＣＨリソースの開始位置はＷ＊ｃｅｉｌ（Ｎ＿ＲＢ＿ＲＰ／Ｗ）であり、ここで、ｃｅｉｌ（）は切り上げを表す、Ｗは１つの周波数領域ユニットに含まれたＰＲＢ数を表す。
【０５７１】
１．６）前記第１リソースプールの周波数領域リソースが占める周波数領域ユニットの数情報は第６パラメータによって決定され、前記第６パラメータは、前記第１リソースプールの周波数領域リソースが占める周波数領域ユニットの数を指示する。
【０５７２】
ここで、前記第６パラメータは、前記第１リソースプールの周波数領域リソースが占める周波数領域ユニットの数を指示する値である。前記周波数領域ユニットの粒度は、ＰＲＢ、またはＲＢＧ、またはサブバンドである。以下で特に説明されてない限り、前記周波数領域ユニットの粒度は、ＰＲＢ、またはＲＢＧ、またはサブバンドである。
【０５７３】
例を挙げると、１つのキャリア帯域幅は２０ＭＨｚであり、１００個のＰＲＢを含み、周波数領域ユニットの粒度はサブバンドであり、各サブバンドは１０個のＰＲＢを含むと、サブバンドインデックス範囲は［０，９］であり、前記第１リソースプールの周波数領域リソース開始位置はサブバンド１であり、占められたサブバンド数は８であり、前記第１リソースプールの周波数領域リソースはサブバンド１からの８つのサブバンドを表す。
【０５７４】
１．７）前記第１リソースプールの周波数領域リソースに対応する周波数領域ユニットのサイズ情報は第７パラメータによって決定され、前記第７パラメータは、前記１つの周波数領域ユニットに含まれた物理リソースブロックの数を指示する。
【０５７５】
１．８）前記第１リソースプールで伝送された前記第１制御チャネルが占める周波数領域ユニットの数情報は第８パラメータによって決定され、前記第８パラメータは、前記第１制御チャネルが占める周波数領域ユニットの数を指示する。
【０５７６】
ここで、前記第８パラメータは、前記第１制御チャネルの周波数領域リソースが占める周波数領域ユニットの数を指示する値である。
【０５７７】
例を挙げると、各ＰＳＣＣＨリソースが周波数領域上で占めるリソースはサブバンドを粒度とし、各サブバンドはＵ個のＰＲＢを含み、各ＰＳＣＣＨリソースはＶ個のサブバンドを占める。さらに、各ＰＳＣＣＨリソースが占めるＰＲＢ数は、Ｕ×Ｖより小さいか等しく、且つ２、３、５で整除できる最大整数である。
【０５７８】
例えば、Ｕ＝５、Ｖ＝８である場合、各ＰＳＣＣＨは４０個のＰＲＢを占める。
【０５７９】
例えば、Ｕ＝１０、Ｖ＝７である場合、各ＰＳＣＣＨが占めるＰＲＢ数は、７０より小さいか等しく、且つ２、３、５で整除できる最大整数であり、即ち、６４であり、この場合、ＰＳＣＣＨは、当該ＰＳＣＣＨリソースの最も低いＰＲＢインデックスからの６４個のＰＲＢを占める。
【０５８０】
２）前記第１構成情報は、前記第２リソースプールの時間領域リソースおよび／または周波数領域リソースを決定するために使用され、前記第１構成情報は、
前記第２リソースプールの時間領域リソースの開始位置情報、
前記第２リソースプールの時間領域リソースの長さ情報、
前記第２リソースプールで伝送された前記第１データチャネルの時間領域の長さ情報、
前記第２リソースプールの周波数領域リソースの開始位置情報、
前記第２リソースプールの周波数領域リソースが占める周波数領域ユニットの数情報、
前記第２リソースプールの周波数領域リソースに対応する周波数領域ユニットのサイズ情報、
前記第２リソースプールで伝送された前記第１データチャネルが占める周波数領域ユニットの数情報のうちの少なくとも１つを含む。
【０５８１】
２．１）前記第２リソースプールの時間領域リソースの開始位置情報は第９パラメータによって決定され、前記第９パラメータは、前記第２リソースプール内の最初の時間ユニットの情報を指示する。
【０５８２】
ここで、前記第２リソースプールの最初の時間ユニットは、前記第１リソースプールの最初の時間ユニットと同じであってもよく、前記第１リソースプールの最初の時間ユニットと異なってもよい。前記第２リソースプールの最初の時間ユニットが前記第１リソースプールの最初の時間ユニットと同じである場合、前記第２リソースプールの時間領域リソースの開始位置情報に対して追加の構成を実行しなくてもよい。
【０５８３】
本願実施例では、前記第９パラメータは１つの時間インデックス情報であり、各時間インデックス情報は１つの時間ユニットに対応し、当該時間インデックス情報は１つの無線フレーム内のサブフレーム番号、または１つの無線フレーム周期内のサブフレーム番号などであってもよく、前記第９パラメータ内の時間インデックス情報を介して、前記第２リソースプール内の最初の時間ユニットの情報を決定することができる。例えば、１つの無線フレームは１０個のサブフレームを含むため、サブフレーム番号範囲は［０，９］であり、第９パラメータがサブフレーム番号４である場合、前記第２リソースプール内の最初の時間ユニットは、１つの無線フレーム内のサブフレーム４である。さらに例えば、１つの無線フレーム周期は１０２４０個のサブフレームを含み、サブフレーム番号範囲は［０，１０２３９］であり、第９パラメータがサブフレーム番号１００である場合、前記第２リソースプール内の最初の時間ユニットは、１つの無線フレーム周期内のサブフレーム１００である。
【０５８４】
さらに例を挙げると、前記第９パラメータは時間オフセット量であり、前記時間オフセット量は、特定の決定時間に対するオフセットであり、例えば、無線フレーム周期の最初のサブフレーム、即ち、サブフレーム０に対するオフセットである。
【０５８５】
２．２）前記第２リソースプールの時間領域リソースの長さ情報は第１０パラメータによって決定され、前記第１０パラメータは、前記第２リソースプール内の前記第１データチャネルを伝送するための時間ユニット情報、または前記第１データチャネルを伝送するための時間ユニットの数を指示する。
【０５８６】
ここで、前記第２リソースプールの時間領域リソースの長さは時間ユニットを単位とする。前記第２リソースプールの時間領域リソースは、連続する複数の時間ユニットを占めることができ、複数の離散した時間ユニットを占めることもできる。前記第１０パラメータは、前記第２リソースプールの時間領域リソースがどの時間ユニットに含まれているか、または前記第２リソースプールの時間領域リソースに含まれている時間ユニットの数を決定することができる。
【０５８７】
例を挙げると、前記第１０パラメータは１つのビットマップを含み、当該ビットマップにおける各ビットは１つの時間ユニットに対応し、各ビットの値は、当該ビットに対応する時間ユニットに前記第２リソースプールの時間領域リソースが含まれているかを示し、例えば、特定のビットの値は０であり、これは、当該ビットに対応する時間ユニットに、前記第２リソースプールの時間領域リソースが含まれていないことを表し、特定のビットの値は１であり、これは、当該ビットに対応する時間ユニットに前記第２リソースプールの時間領域リソースが含まれていることを表す。このように、当該ビットマップに基づいて、前記第２リソースプールの時間領域リソースがどの時間ユニットに含まれているかを決定することができるため、前記第２リソースプールの時間領域リソースに含まれた時間ユニットの数を決定する。さらに、前記ビットマップは周期性に重複し、それにより、全ての第２リソースプールの時間領域リソースを決定することができる。例えば、１つの無線フレーム周期は１０２４０個のサブフレームを含み、前記ビットマップは１０ビットを含み、それらは、１０個のサブフレームに対応し、当該ビットマップは、無線フレーム周期内で周期性に重複することができ、それにより、無線フレーム周期内の全てのサブフレームが第２リソースプールに属するかどうかを決定することができる。
【０５８８】
さらに例を挙げると、前記第１０パラメータは、前記第２リソースプールの時間領域リソースに含まれた時間ユニットの数を指示する値である。例えば、１つの無線フレーム周期では１０２４０個のサブフレームを含み、前記第１０パラメータは１０２４であり、これは、当該無線フレーム周期内に１０２４個のサブフレームが第２リソースプールに属することを示す。さらに、第２リソースプールの時間領域リソース開始位置情報と組み合わせて、当該時間領域リソース開始位置からの１０２４個のサブフレームが第２リソースプールに属することを示す。
【０５８９】
２．３）前記第２リソースプールで伝送された前記第１データチャネルの時間領域の長さ情報は第１１パラメータによって決定され、前記第１１パラメータは、前記第２リソースプールで伝送された前記第１データチャネルの時間領域リソースが占める時間領域シンボルの数または時間ユニットの数を指示する。
【０５９０】
１つの時間ユニットでは、第１制御チャネルが占める時間領域シンボルを除いて、残りの時間領域シンボルが第１データチャネルのリソースとして使用され、ここで、前記第２リソースプールで伝送された前記第１データチャネルの時間領域の長さ情報は第１１パラメータによって決定され、前記第１１パラメータは、前記第２リソースプールで伝送された前記第１データチャネルの時間領域リソースが占める時間領域シンボルの数を指示する。例を挙げると、ＰＳＳＣＨは、
2021529490.tif 000027
の時間領域シンボルを占めることができる。
【０５９１】
例を挙げると、図５（ａ）を参照すると、２番目のサブフレームによってスケジューリングされたＰＳＳＣＨは、２番目のサブフレームのシンボルを占める。時間ユニットは、サブフレームを除いて、タイムスロットまたはｓＴＴＩまたは１つ固定時間長であってもよく、例えば、１ｍｓまたは０．５ｍｓなどである。特に、ｓＴＴＩの場合、ＰＳＣＣＨが１つの時間ユニットの全てのシンボルを占めなかった場合、当該時間ユニットの残りのシンボルはＰＳＳＣＨリソースであり、ＰＳＣＣＨが１つの時間ユニットの全てのシンボルを占める場合、当該時間ユニットにはＰＳＳＣＨリソースがいない。ＰＳＳＣＨは、他の時間ユニットを占めることができる。
【０５９２】
さらに、１つのＰＳＳＣＨは、連続する複数の時間ユニットを占めることができ、図５（ａ）のように、３番目のサブフレームによってスケジューリングされたＰＳＳＣＨは、第３のサブフレームおよび第４のサブフレームの２つのサブフレームのシンボルを占める。
【０５９３】
一実施例において、前記第１１パラメータは、前記第１データチャネルが占める時間ユニットの数を指示する。例えば、１つの時間ユニットはｓＴＴＩであり、前記第１データチャネルは複数の連続するｓＴＴＩを占めることができ、この場合、第１１パラメータは、前記第１データチャネルが占めるｓＴＴＩの数を指示する。
【０５９４】
本願実施例では、前記第１データチャネルの時間領域リソースを決定するには、前記第１データチャネルの時間領域リソースが占める時間領域シンボルの数を決定する以外にも、前記第１データチャネルの時間領域リソースの位置を決定する必要があり、事前に構成され、またはネットワークによって構成される方式で、１つの時間ユニットにおける前記第１データチャネルの時間領域開始位置または終了位置を決定することができる。具体的に、以下の方式により、前記第１データチャネルの時間領域リソースの位置を決定することができる。
【０５９５】
１、前記第１データチャネルの時間領域リソースの開始位置は、１つの時間ユニット内の前記第１制御チャネルが占有する最後の時間領域シンボルの次の時間領域シンボルに位置し、さらに、前記第１制御チャネルが占有する最後の時間領域シンボルが１つの時間ユニットの最後の時間領域シンボルである場合、前記第１データチャネルの時間領域リソースの開始位置は、前記１つの時間ユニットの次の時間ユニットの最初の時間領域シンボルに位置し、または、
２、前記第１制御チャネルの時間領域リソースの開始位置は、１つの時間ユニット内の前記第１データチャネルが占有する最後の時間領域シンボルの次の時間領域シンボルに位置し、さらに、前記第１データチャネルが占有する最後の時間領域シンボルが１つの時間ユニットの最後の時間領域シンボルである場合、前記第１制御チャネルの時間領域リソースの開始位置は、前記１つの時間ユニットの次の時間ユニットの最初の時間領域シンボルに位置する。
【０５９６】
例示的に、本願実施例の技術案では、前記第１データチャネルが占める最後の時間ユニットの最後の時間領域シンボルは、データを伝送するために使用することではなく、ＧＰとして使用される。さらに、１つのＰＳＳＣＨが、連続する複数の時間ユニットを占める場合、最後の時間ユニットの最後のシンボルのみＧＰとして使用される。
【０５９７】
例示的に、本願実施例の技術案では、前記第１制御チャネルが占める時間ユニットの最後の時間領域シンボルは、制御情報を伝送するために使用することではなく、ＧＰとして使用される。
【０５９８】
本願実施例では、上述の２．１）ないし２．３）の各パラメータを介して、第２リソースプールの時間領域リソースを決定することができ、これらに限定されず、１つのビットマップを介して、第２リソースプールの時間領域リソースを決定することもでき、具体的に、前記第１構成情報は第２ビットマップを含み、前記第２ビットマップは、前記第２リソースプールが占有する時間ユニットを決定するために使用される。さらに、前記第２ビットマップは、第２時間範囲内で周期的に重複する。
【０５９９】
例を挙げると、第２時間範囲は１つの無線フレーム周期（１０２４０個のサブフレーム）、第２ビットマップは１０ビットを含み、各ビットは１つのサブフレームが第２リソースプールに使用されるかどうかを指示し、当該ビットマップは無線フレーム周期内で周期的に重複し、それにより、１つの無線フレーム周期内のサブフレームのうち、第２リソースプールに使用されるのはどちらであるかを決定する。
【０６００】
２．４）前記第２リソースプールの周波数領域リソースの開始位置は第１２パラメータによって決定され、前記第１２パラメータは、第２基準位置に対する前記第１リソースプールの周波数領域リソースの開始位置の周波数領域オフセット量を指示する。
【０６０１】
ここで、第１基準位置は、キャリアまたは帯域幅部分（ＢＷＰ）の開始位置であってもよく、周波数領域オフセット量および第１基準位置に基づいて、前記第２リソースプールの周波数領域リソースの開始位置を決定することができる。前記周波数領域オフセット量の粒度は、ＰＲＢ、またはＲＢＧ、またはサブバンドである。
【０６０２】
例を挙げると、前記第２リソースプールの周波数領域リソースの開始位置は、キャリアまたは帯域幅部分（ＢＷＰ）開始位置に対するオフセット量Ｎ＿ＲＢ＿ＲＰであってもよく、最初のＰＳＳＣＨリソースの開始位置はＨ＊ｃｅｉｌ（Ｎ＿ＲＢ＿ＲＰ／Ｈ）であり、ここで、ｃｅｉｌ（）は切り上げを表す、Ｈは１つの周波数領域ユニットに含まれたＰＲＢ数を表す。
【０６０３】
２．５）前記第２リソースプールの周波数領域リソースが占める周波数領域ユニットの数情報は第１３パラメータによって決定され、前記第１３パラメータは、前記第２リソースプールの周波数領域リソースが占める周波数領域ユニットの数を指示する。
【０６０４】
ここで、前記第１３パラメータは、前記第２リソースプールの周波数領域リソースが占める周波数領域ユニットの数を指示する値である。
【０６０５】
例を挙げると、各ＰＳＳＣＨリソースが周波数領域上で占めるリソースはサブバンドを粒度とし、各サブバンドはＲ個のＰＲＢを含み、各ＰＳＳＣＨリソースはＳ個のサブバンドを占める。さらに、各ＰＳＳＣＨリソースが占めるＰＲＢ数は、Ｒ×Ｓより小さいか等しく、且つ２、３、５で整除できる最大整数である。
【０６０６】
例を挙げると、１つのキャリア帯域幅は２０ＭＨｚであり、１００個のＰＲＢを含み、周波数領域ユニットの粒度はサブバンドであり、各サブバンドは１０個のＰＲＢを含むと、サブバンドインデックス範囲は［０，９］であり、前記第２リソースプールの周波数領域リソース開始位置はサブバンド１であり、占められたサブバンド数は８であり、前記第２リソースプールの周波数領域リソースはサブバンド１からの８つのサブバンドを表す。
【０６０７】
２．６）前記第２リソースプールの周波数領域リソースに対応する周波数領域ユニットのサイズ情報は第１４パラメータによって決定され、前記第１４パラメータは、前記１つの周波数領域ユニットに含まれた物理リソースブロックの数を指示する。
【０６０８】
２．７）前記第２リソースプールで伝送された前記第１データチャネルが占める周波数領域ユニットの数情報は第１５パラメータによって決定され、前記第１５パラメータは、前記第１データチャネルが占める周波数領域ユニットの数を指示する。
【０６０９】
ここで、前記第１５パラメータは、前記第１データチャネルの周波数領域リソースが占める周波数領域ユニットの数を指示する値である。前記周波数領域ユニットの粒度は、ＰＲＢ、またはＲＢＧ、またはサブバンドである。
【０６１０】
例を挙げると、各ＰＳＳＣＨリソースが周波数領域上で占めるリソースはサブバンドを粒度とし、各サブバンドはＲ個のＰＲＢを含み、各ＰＳＳＣＨリソースはＳ個のサブバンドを占める。さらに、各ＰＳＳＣＨリソースが占めるＰＲＢ数は、Ｒ×Ｓより小さいか等しく、且つ２、３、５で整除できる最大整数である。
【０６１１】
例えば、Ｒ＝６、Ｓ＝８である場合、各ＰＳＳＣＨは４０個のＰＲＢを占める。
【０６１２】
例えば、Ｒ＝１０、Ｓ＝７である場合、各ＰＳＳＣＨが占めるＰＲＢ数は、７０より小さいか等しく、且つ２、３、５で整除できる最大整数であり、即ち、６４であり、この場合、ＰＳＳＣＨは、当該ＰＳＳＣＨリソースの最も低いＰＲＢインデックスからの６４個のＰＲＢを占める。
【０６１３】
本願実施例では、前記第１リソースプールと前記第２リソースプールの間の関係は、前記第１リソースプールおよび前記第２リソースプールが占める時間領域リソースが異なることに限定されない。
【０６１４】
前記第１リソースプールと前記第２リソースプールの関係は、占める時間領域リソースが異なることに限定されず、前記第１リソースプールの時間領域リソースは、前記第２リソースプールの時間領域リソースの１つのサブセットであってもよく、例えば、１つのサブフレームにとって、第２リソースプールは、サブフレーム全体を占め、第１リソースプールは、当該サブフレームの最初のＮ個のシンボルを占める。
【０６１５】
本願実施例では、前記第１リソースプールおよび前記第２リソースプールは、
前記第１リソースプールと前記第２リソースプールの周波数領域リソースの開始位置が同じまたは異なること、
前記第１リソースプールの周波数領域リソースの周波数領域ユニットと前記第２リソースプールの周波数領域リソースの周波数領域ユニットのサイズが同じまたは異なること、
前記第１制御チャネルおよび前記第１制御チャネルに対応する第１データチャネルが時分割の伝送を実行すること、
前記第１制御チャネルおよび前記第１制御チャネルに対応する第１データチャネルの時間領域するかリソースが隣接しているか、隣接していないこと、
前記第１制御チャネルと前記第１制御チャネルに対応する第１データチャネルの時間領域リソース開始位置が一対一の対応関係を有すること、
前記第１制御チャネルと前記第１制御チャネルに対応する第１データチャネルの周波数領域リソース開始位置が一対一の対応関係を有すること、
前記第１制御チャネルと前記第１制御チャネルに対応する第１データチャネルの周波数領域リソースの開始位置が同じまたは異なること、
前記第１制御チャネルと前記第１制御チャネルに対応する第１データチャネルの周波数領域リソースの長さが同じまたは異なることのうちの少なくとも１つの特徴を満たす。
【０６１６】
上記の技術案では、前記第１制御チャネルおよび前記第１制御チャネルに対応する第１データチャネルが時分割の伝送を実行することは、次の実現形態を有することができる。
【０６１７】
ａ）前記第１データチャネルおよび前記第１制御チャネルに対応する第１データチャネルが、１つの時間ユニットで時分割の伝送を実行することを含み、前記第１制御チャネルは、前記時間ユニット内のＡ個の時間領域シンボルを占め、前記第１データチャネルは、前記時間ユニット内のＢ個の時間領域シンボルを占め、前記第１制御チャネルおよび前記第１データチャネルの時間領域リソースは重複せず、
2021529490.tif 000028
Ｃは、１つの時間ユニット内の時間領域シンボルの数であり、前記時間ユニットの粒度は、タイムスロット、サブフレーム、ｓＴＴＩまたは他の固定時間長である。
【０６１８】
例を挙げると、図５（ａ）に示されたように、１つの時間ユニットは、Ｃ＝１４個の時間領域シンボルを含み、第１データチャネルと第１制御チャネルは、同一の時間ユニットを占め、ここで、第１制御チャネルは、当該時間ユニットの最初から２番目の時間領域シンボルを占め、第１データチャネルは、当該時間ユニットの３番目から１４番目の時間領域シンボルを占める。第１データチャネルと第１制御チャネルの時間領域リソースが重複しない場合、連続する時間領域シンボルを占めてもよく、連続しない時間領域シンボルを占めてもよいことに留意されたい。例えば、第１制御チャネルは、当該時間ユニットの最初から２番目の時間領域シンボルを占め、第１データチャネルは、当該時間ユニットの３番目から１４番目の時間領域シンボルを占める。
【０６１９】
ｂ）前記第１制御チャネルが第１時間ユニット内で伝送し、前記第１データチャネルが第２時間ユニット内で伝送し、ここで、前記第１制御チャネルは、前記第１時間ユニット内のＡ個の時間領域シンボルを占め、前記第１データチャネルは、前記第２時間ユニット内のＢ個の時間領域シンボルを占め、
2021529490.tif 000029
Ｃは、１つの時間ユニット内の時間領域シンボルの数であり、前記時間ユニットの粒度は、タイムスロット、サブフレーム、ｓＴＴＩまたは他の固定時間長である。
【０６２０】
例を挙げると、図７（ｂ）に示されたように、１つの時間ユニットは、Ｃ＝１４個の時間領域シンボルを含み、第１データチャネルと第１制御チャネルは、異なる時間ユニットを占め、ここで、第１制御チャネルは、第１時間ユニットの１番目から２番目の時間領域シンボルを占め、第１データチャネルは、第２時間ユニットの３番目から１４番目の時間領域シンボルを占める。第１データチャネルおよび第１制御チャネルは、連続する時間領域シンボルを占めてもよく、連続しない時間領域シンボルを占めてもよいことに留意されたい。
【０６２１】
さらに例を挙げると、図５（ｂ）に示されたように、１つの時間ユニットは、Ｃ＝１４個の時間領域シンボルを含み、第１データチャネルと第１制御チャネルは、異なる時間ユニットを占め、ここで、第１制御チャネルは、第１時間ユニットの全ての時間領域シンボルを占め、第１データチャネルは、第２時間ユニットの全ての時間領域シンボルを占める。
【０６２２】
本願実施例では、前記第１制御チャネルが占める時間領域リソースは、前記第１制御チャネルに対応する第１データチャネルが占める時間領域リソースより小さい。
【０６２３】
本願実施例では、前記第１制御チャネルが占める時間領域リソースは、前記第１制御チャネルに対応する第１データチャネルが占める時間領域リソースの１つのサブセットである。
【０６２４】
本願実施例では、前記第１制御チャネルが、１つの時間ユニット内のＡ個の時間領域シンボルを占め、前記第１データチャネルが、前記時間ユニット内のＢ個の時間領域シンボルを占め、前記第１制御チャネルおよび前記第１データチャネルの時間領域リソースが、少なくとも部分的に重複し、
2021529490.tif 000030
ここで、Ｃは、１つの時間ユニット内の時間領域シンボルの数である。
【０６２５】
一実施形態において、前記第１構成情報は第１指示情報を含み、前記第１指示情報は、前記第１制御チャネルと前記第１制御チャネルに対応する第１データチャネルの時間領域位置関係を決定するために使用される。具体的に、前記第１指示情報が第１時間領域位置関係を指示する場合、前記第１制御チャネルおよび前記第１制御チャネルによってスケジューリングされた第１データチャネルの時間領域リソースが隣接することを示し、前記第１指示情報が第２時間領域位置関係を指示する場合、前記第１制御チャネルおよび前記第１制御チャネルによってスケジューリングされた第１データチャネルの時間領域リソースが隣接しないことを示す。
【０６２６】
一実施形態において、前記第１構成情報は第２指示情報を含み、前記第２指示情報は、前記第１制御チャネルおよび前記第１制御チャネルに対応する第１データチャネルのスケジューリングタイプを決定するために使用される。具体的に、前記第１指示情報が第１スケジューリングタイプを指示する場合、前記第１制御チャネルが同じ時間ユニット内の前記第１データチャネルをスケジューリングすることを示し、前記第１指示情報が第２スケジューリングタイプを指示する場合、前記第１制御チャネルは異なる時間ユニット内の前記第１データチャネルをスケジューリングすることを示す。
【０６２７】
一実施形態において、前記第１構成情報は第３指示情報を含み、前記第３指示情報は、前記第１リソースプールおよび／または前記第２リソースプールの基本的なパラメータセットを指示する。
【０６２８】
ここで、基本的なパラメータセットはサブキャリア間隔および／またはＣＰタイプを含み、ここで、サブキャリア間隔は、例えば、１５ｋＨｚ、３０ｋＨｚ、６０ｋＨｚ、１２０ｋＨｚなどであり、ＣＰタイプは、例えば、通常のＣＰ、拡張ＣＰである。
【０６２９】
例を挙げると、前記第３指示情報は、前記第１リソースプールのサブキャリア間隔が３０ｋＨｚであり、正常のＣＰであることを指示し、または、前記第３指示情報は、前記第２リソースプールのサブキャリア間隔が６０ｋＨｚであり、正常のＣＰであることを指示し、または、前記第３指示情報は、前記第１リソースプールのサブキャリア間隔が３０ｋＨｚであり、正常のＣＰであることを指示する同時に、前記第２リソースプールのサブキャリア間隔が６０ｋＨｚであり、正常のＣＰであることを指示する。
【０６３０】
一実施形態において、前記第１構成情報は第４指示情報を含み、前記第４指示情報は、同期ソースタイプ情報を指示する。
【０６３１】
ここで、同期ソースタイプは、ＧＮＳＳ、ｅＮＢまたはｇＮＢ、ＵＥなどを含む。
【０６３２】
一実施形態において、前記方法は、
前記第１端末が、第２構成情報を取得することであって、前記第２構成情報はタイムスロットフォーマットを指示することと、
前記第１端末が、第１基準を取得することであって、前記第１基準は、アップリンクシンボル、および／または柔軟なシンボル、および／またはダウンリンクシンボルがサイドリンク伝送に使用されることができることを指示することと、
前記第１端末が、前記第１基準、前記第１構成情報および前記第２構成情報に従って、前記第１リソースプールおよび／または前記第２リソースプールの時間領域リソースを決定することとをさらに含む。
【０６３３】
さらに、前記第１端末が、前記第１基準、前記第１構成情報および前記第２構成情報に従って、前記第１リソースプールおよび／または前記第２リソースプールの時間領域リソースを決定することは、
前記第１端末が、前記第１構成情報に従って、第１リソースプールおよび／または第２リソースプールに含まれた第１時間ユニットを決定することと、
前記第１端末が、前記第１基準および前記第２構成情報に従って、前記第１時間ユニットにおいて、サイドリンク伝送に利用可能な時間領域リソースが第１セットであると決定することと、
前記第１端末が、前記第１構成情報に従って、前記第１時間ユニット内において、前記第１リソースプールおよび／または前記第２リソースプールに利用可能な時間領域リソースが第２セットであることを決定することと、
前記第１端末が、前記第１セットと前記第２セットの共通部分を前記第１リソースプールおよび／または前記第２リソースプールの時間領域リソースとして使用することとを含む。
【０６３４】
例を挙げると、サイドリンクおよびアップリンクリンク共有伝送リソース、即ち、アップリンクキャリアまたはアップリンクタイムスロットでサイドリンクのデータを伝送し、ＮＲシステムにおいて、基地局と端末間のリンクのタイムスロット構造は非常に柔軟であり、１つのタイムスロットは、アップリンク（ＵＬ）シンボル、ダウンリンク（ＤＬ）シンボル、柔軟な（Ｆｌｅｘｉｂｌｅ）シンボルを含み得、１つのタイムスロットのＵＬ、および／またはＤＬ、および／またはｆｌｅｘｉｂｌｅシンボルがＳＬの伝送に使用されるように事前に構成され、またはネットワークによって構成される（即ち、第１基準）ことができ、この場合、リソースプール構成情報に従って、リソースプールが位置する時間ユニットを決定し、当該時間ユニット内の第１制御チャネルおよび／または第１データチャネルに使用される時間領域リソース（即ち、どのシンボルがＳＬ伝送に使用されることができるか）、即ち、第２セットを決定することができ、タイムスロット構造構成情報および第１基準を組み合わせて、当該時間ユニット内のＳＬ伝送に使用されることができる時間領域リソース、即ち、第１セットを決定し、当該第１セットと第２セットの共通部分は、第１制御チャネルまたは第１データチャネルの時間領域リソースである。
【０６３５】
例えば、第１データチャネルのリソースプール構成情報は、各タイムスロットが第１データチャネル伝送に使用されることができるように構成し、各タイムスロットにおいて、最後の８つの時間領域シンボルは第１データチャネルを伝送するために使用される。第１基準は、ｆｌｅｘｉｂｌｅおよびＵＬシンボルがサイドリンク伝送に使用されることができることを指示し、タイムスロット構造構成情報が１つのタイムスロットに対して構成したタイムスロットフォーマットは、Ｄ  Ｄ  Ｆ  Ｆ  Ｆ  Ｆ  Ｆ  Ｆ  Ｆ  Ｆ  Ｕ  Ｕ  Ｕ  Ｕであり、ここで、Ｄはダウンリンクシンボルを表し、Ｕはアップリンクシンボルを表し、Ｆは柔軟なシンボルを表す。
【０６３６】
第１基準およびタイムスロット構造構成情報を組み合わせると、第１セットは当該タイムスロット内の最後の１２個のシンボルであり、即ち、｛Ｆ  Ｆ  Ｆ  Ｆ  Ｆ  Ｆ  Ｆ  Ｆ  Ｕ  Ｕ  Ｕ  Ｕ｝であり、リソースプール構成情報に基づき、第２セットは、当該タイムスロット内の最後の８つの時間領域シンボルであり、即ち、｛Ｆ  Ｆ  Ｆ  Ｆ  Ｕ  Ｕ  Ｕ  Ｕ｝であり、前記第１セットと第２セットの共通部分は最後の８つの時間領域シンボルであり、即ち、｛Ｆ  Ｆ  Ｆ  Ｆ  Ｕ  Ｕ  Ｕ  Ｕ｝であり、当該タイムスロットにおける第１データチャネルの時間領域リソースは最後の８つの時間領域シンボルである。
【０６３７】
さらに例えば、第１データチャネルのリソースプール構成情報は、各タイムスロットが第１データチャネル伝送に使用されることができるように構成し、各タイムスロットにおいて、最後の８つの時間領域シンボルは第１データチャネルを伝送するために使用される。第１基準は、ＵＬシンボルがサイドリンク伝送に使用されることができることを指示し、タイムスロット構造構成情報が１つのタイムスロットに対して構成したタイムスロットフォーマットは、Ｄ  Ｄ  Ｆ  Ｆ  Ｆ  Ｆ  Ｆ  Ｆ  Ｆ  Ｆ  Ｕ  Ｕ  Ｕ  Ｕであり、ここで、Ｄはダウンリンクシンボルを表し、Ｕはアップリンクシンボルを表し、Ｆは柔軟なシンボルを表す。
【０６３８】
第１基準およびタイムスロット構造構成情報を組み合わせると、第１セットは当該時間ユニット内の最後の４個のシンボルであり、即ち、｛Ｕ  Ｕ  Ｕ  Ｕ｝であり、リソースプール構成情報に基づき、第２セットは、当該タイムスロット内の最後の８つの時間領域シンボルであり、即ち、｛Ｆ  Ｆ  Ｆ  Ｆ  Ｕ  Ｕ  Ｕ  Ｕ｝であり、前記第１セットと第２セットの共通部分は最後の４つの時間領域シンボルであり、即ち、｛Ｕ  Ｕ  Ｕ  Ｕ｝であり、当該タイムスロットにおける第１データチャネルの時間領域リソースは最後の４つの時間領域シンボルである。
【０６３９】
上記の実施例において、前記第１構成情報、第２構成情報、第１基準等は、事前に構成され、またはネットワークによって構成される。
【０６４０】
各時間ユニットにおける前記第１リソースプールが利用可能な時間領域リソースは同じであってもよく、または異なってもよく、各時間ユニットにおける前記第２リソースプールが利用可能な時間領域リソースは同じであってもよく、または異なってもよいことを理解されたい。例えば、第１時間ユニットにおける前記第２リソースプールが利用可能な時間領域リソースは、当該時間ユニット内の最後の８つの時間領域シンボルであり、第２時間ユニットにおいて利用可能な時間領域リソースは、当該時間ユニット内の最後の４つの時間領域シンボルである。
【０６４１】
前記第１リソースプールの時間領域リソースおよび／または周波数領域リソースの構成パラメータは、前記第２リソースプールの時間領域リソースおよび／または周波数領域リソースの構成パラメータによって暗黙的に決定されることができる場合、前記第１構成情報は、前記対応する構成パラメータを含まないことができる。または、前記第２リソースプールの時間領域リソースおよび／または周波数領域リソースの構成パラメータは、前記第１リソースプールの時間領域リソースおよび／または周波数領域リソースの構成パラメータによって暗黙的に決定されることができる場合、前記第１構成情報は、前記対応する構成パラメータを含まないことができる。例えば、第１リソースプールが１つのサブフレームの最初のＮ個のシンボルを占め、第２リソースプールが当該サブフレームの残りのシンボルを占めるなど、前記第１リソースプールおよび前記第２リソースプールが占める時間ユニットが同じである場合、ネットワークが、第１リソースプールの時間領域リソースの開始位置情報および長さ情報を構成すると、第２リソースプールの時間領域リソースの開始位置情報および長さ情報を構成する必要がない。または、前記第１制御チャネルおよびそれに対応するデータチャネルが占める周波数領域のサイズが同じである場合、ネットワークが、前記第１制御チャネルが占める周波数領域ユニットの数情報および周波数領域ユニットのサイズ情報を構成すると、第２リソースプールで伝送されたデータチャネルが占める周波数領域ユニットの数情報および周波数領域ユニットのサイズ情報を構成する必要がない。
【０６４２】
本願実施例の技術案によれば、ＰＳＣＣＨリソースプールおよび／またはＰＳＳＣＨリソースプールに対して構成することにより、遅延を低下させる同時に、Ｒｅｌ−１５受信側検出の複雑さを増やすことなく、リソースセンシングおよび選択プロセスを実行するためのＲｅｌ−１４端末に影響を与えることもない。
【０６４３】
当業者は、本願実施例の上記のリソースの構成装置の関連説明は、本願実施例のリソースの構成方法の関連説明を参照して理解できることを理解するはずである。
【０６４４】
図９は、本願実施例で提供する通信機器６００の概略的な構造図であり、当該通信機器は端末機器であってもよく、または基地局などのネットワーク機器であってもよく、図９に示された通信機器６００はプロセッサ６１０を備え、プロセッサ６１０は、本願実施例における方法を実現するために、メモリからコンピュータプログラムを呼び出して実行することができる。
【０６４５】
例示的に、図９に示されたように、通信機器６００は、さらに、メモリ６２０を備えることができる。ここで、プロセッサ６１０は、本願実施例における方法を実現するために、メモリ６２０からコンピュータプログラムを呼び出して実行することができる。
【０６４６】
ここで、メモリ６２０は、プロセッサ６１０から独立した１つ独立的なデバイスであってもよく、プロセッサ６１０に統合されてもよい。
【０６４７】
例示的に、図９に示されたように、通信機器６００は、さらに、トランシーバ６３０を備え、プロセッサ６１０は、当該トランシーバ６３０を制御して他の機器と通信することができ、具体的に、情報またはデータを他の機器に送信し、または他の機器によって送信された情報またはデータを受信することができる。
【０６４８】
ここで、トランシーバ６３０は、送信機および受信機を備えることができる。トランシーバ６３０は、さらに、アンテナを備え、アンテナの数は１つまたは複数であってもよい。
【０６４９】
例示的に、当該通信機器６００は、具体的に、本願実施例のネットワーク機器であってもよく、当該通信機器６００は、本願実施例の各方法のネットワーク機器によって実現される対応するプロセスを実現することができ、簡潔のために、ここでは繰り返して説明しない。
【０６５０】
例示的に、当該通信機器６００は、具体的に、本願実施例のモバイル端末／端末機器であってもよく、当該通信機器６００は、本願実施例の各方法のモバイル端末／端末機器によって実現される対応するプロセスを実現することができ、簡潔のために、ここでは繰り返して説明しない。
【０６５１】
図１０は、本願実施例のチップの概略的な構造図である。図１０に示されたチップ７００はプロセッサ７１０を備え、プロセッサ７１０は、本願実施例における方法を実現するために、メモリからコンピュータプログラムを呼び出して実行することができる。
【０６５２】
例示的に、図１０に示されたように、チップ７００は、さらに、メモリ７２０を備えることができる。ここで、プロセッサ７１０は、本願実施例における方法を実現するために、メモリ７２０からコンピュータプログラムを呼び出して実行することができる。
【０６５３】
ここで、メモリ７２０は、プロセッサ７１０から独立した１つ独立的なデバイスであってもよく、プロセッサ７１０に統合されてもよい。
【０６５４】
例示的に、当該チップ７００は、さらに、入力インターフェース７３０を備えることができる。ここで、プロセッサ７１０は、当該入力インターフェース７３０を制御して他の機器またはチップと通信することができ、具体的に、他の機器またはチップによって送信された情報またはデータを取得することができる。
【０６５５】
例示的に、当該チップ７００は、さらに、出力インターフェース７４０を備えることができる。ここで、プロセッサ７１０は、当該出力インターフェース７４０を制御して他の機器またはチップと通信することができ、具体的に、他の機器またはチップに情報またはデータを出力することができる。
【０６５６】
例示的に、当該チップは、本願実施例におけるネットワーク機器に適用されてもよく、さらに、当該チップは、本願実施例の各方法のネットワーク機器によって実現される対応するプロセスを実現することができ、簡潔のために、ここでは繰り返して説明しない。
【０６５７】
例示的に、当該チップは、本願実施例におけるモバイル端末／端末機器に適用されてもよく、さらに、当該チップは、本願実施例の各方法のモバイル端末／端末機器によって実現される対応するプロセスを実現することができ、簡潔のために、ここでは繰り返して説明しない。
【０６５８】
本願実施例で言及されるチップはシステムオンチップ、システムチップ、チップシステムまたはシステムオンチップなどとも称し得ることを理解されたい。
【０６５９】
図１１は、本願実施例で提供する通信システム９００の例示的なブロック図である。図１１に示されたように、当該通信システム９００は、端末機器９１０およびネットワーク機器９２０を備える。
【０６６０】
ここで、当該端末機器９１０は、上記の方法の端末機器によって実現される対応する機能を実現するように構成されることができ、および当該ネットワーク機器９２０は、上述の方法のネットワーク機器によって実現される対応する機能を実現することができ、簡潔のために、ここでは繰り返して説明しない。
【０６６１】
本願実施例におけるプロセッサは、信号の処理能力を備えた集積回路チップであり得ることを理解されたい。実現プロセスにおいて、上記した方法の実施例の各ステップは、プロセッサにおけるハードウェアの集積論理回路またはソフトウェアの形の命令によって完了されることができる。上述のプロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、ディスクリートゲートまたはトランジスタロジックデバイス、ディスクリートハードウェアコンポーネントなどであってもよい。本願実施例で開示された各方法、ステップおよび論理ブロック図を実現または実行することができる。汎用プロセッサは、マイクロプロセッサであってもよく、または当該プロセッサは任意の従来のプロセッサなどであってもよい。本願実施例を組み合たせて開示された方法のステップは、ハードウェア復号化プロセッサによって実行されて完了すると直接に具現されることができ、または復号化プロセッサにおけるハードウェアおよびソフトウェアモジュールの組み合わせによって実行されて完了してもよい。ソフトウェアモジュールは、ランダムメモリ、フラッシュメモリ、読み取り専用メモリ、プログラマブル読み取り専用メモリまたは電気的に消去可能なプログラマブルメモリ、レジスタなど当技術分野の熟知する記憶媒体に配置されてもよい。当該記憶媒体はメモリに配置され、プロセッサはメモリの情報を読み取り、そのハードウェアと組み合わせて前記方法のステップを完了する。
【０６６２】
本願実施例におけるメモリは、揮発性メモリまたは不揮発性メモリであってもよく、または揮発性および不揮発性メモリの両方を含んでもよいことを理解されたい。ここで、不揮発性メモリは、読み取り専用メモリ（ＲＯＭ：Ｒｅａｄ−Ｏｎｌｙ  Ｍｅｍｏｒｙ）、プログラム可能な読み取り専用メモリ（ＰＲＯＭ：Ｐｒｏｇｒａｍｍａｂｌｅ  ＲＯＭ）、消去可能なプログラム可能な読み取り専用メモリ（ＥＰＲＯＭ：Ｅｒａｓａｂｌｅ  ＰＲＯＭ）、電気的に消去可能なプログラム可能な読み取り専用メモリ（ＥＥＰＲＯＭ：Ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。例示的であるが制限的ではない説明を通じて、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレートの同期ダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型同期ダイナミックランダムアクセスメモリ（ＥＳＤＲＡＭ：Ｅｎｈａｎｃｅｄ  ＳＤＲＡＭ）、同期接続ダイナミックランダムアクセスメモリ（ＳＬＤＲＡＭ：Ｓｙｎｃｈｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）など、多くの形のＲＡＭを使用することができる。本明細書で説明するシステムおよび方法のメモリは、これらおよび任意の他の適切なタイプのメモリを含むが、これらに限定されないことを意図することを留意されたい。
【０６６３】
上記したメモリは、例示的であるが制限的な説明ではなく、例えば、本願実施例におけるメモリは、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）などであってもよいことを理解されたい。即ち、本願実施例におけるメモリは、これらおよび任意の他の適切なタイプのメモリを含むが、これらに限定されないことを意図する。
【０６６４】
本願実施例は、コンピュータプログラムを記憶するために使用される、コンピュータ読み取り可能な記憶媒体をさらに提供する。
【０６６５】
例示的に、当該コンピュータ読み取り可能な記憶媒体は、本願実施例におけるネットワーク機器に適用されることができ、さらに、当該コンピュータプログラムは、コンピュータが本願実施例の各方法のネットワーク機器によって実現される対応するプロセスを実行するようにし、簡潔のために、ここでは繰り返して説明しない。
【０６６６】
例示的に、当該コンピュータ読み取り可能な記憶媒体は、本願実施例におけるモバイル端末／端末機器に適用されることができ、さらに、当該コンピュータプログラムは、コンピュータが本願実施例の各方法のモバイル端末／端末機器によって実現される対応するプロセスを実行するようにし、簡潔のために、ここでは繰り返して説明しない。
【０６６７】
本願実施例は、コンピュータプログラム命令を含むコンピュータプログラム製品をさらに提供する。
【０６６８】
例示的に、当該コンピュータプログラム製品は、本願実施例におけるネットワーク機器に適用されることができ、さらに、当該コンピュータプログラム命令は、コンピュータが本願実施例の各方法のネットワーク機器によって実現される対応するプロセスを実行するようにし、簡潔のために、ここでは繰り返して説明しない。
【０６６９】
例示的に、当該コンピュータプログラム製品は、本願実施例のモバイル端末／端末機器に適用されることができ、当該コンピュータプログラム命令は、コンピュータが本願実施例の各方法のモバイル端末／端末機器によって実現される対応するプロセスを実行するようにし、簡潔のために、ここでは繰り返して説明しない。
【０６７０】
本願実施例は、コンピュータプログラムをさらに提供する。
【０６７１】
例示的に、当該コンピュータプログラムは、本願実施例におけるネットワーク機器に適用されることができ、当該コンピュータプログラムがコンピュータによって実行される時に、コンピュータが本願実施例の各方法のネットワーク機器によって実現される対応するプロセスを実行するようにし、簡潔のために、ここでは繰り返して説明しない。
【０６７２】
例示的に、当該コンピュータプログラムは、本願実施例のモバイル端末／端末機器に適用されることができ、当該コンピュータプログラムがコンピュータで実行される場合、コンピュータが本願実施例の各方法のモバイル端末／端末機器によって実現される対応するプロセスを実行するようにし、簡潔のために、ここでは繰り返して説明しない。
【０６７３】
当業者は、本明細書で開示された実施例と組み合わせて説明された各例示のユニットおよびアルゴリズムステップが、電子ハードウェア、またはコンピュータソフトウェアおよび電子ハードウェアの組み合わせによって実現されることができることを理解するであろう。これらの機能がハードウェアの形で実行されるかソフトウェアの形で実行されるかは、技術的解決策の特定のアプリケーションと設計上の制約条件に依存する。専門技術者は、各特定の応用に対して異なる方法を使用して、説明された機能を実現することができるが、このような実現は本願の範囲を超えると見なされるべきではない。
【０６７４】
当業者は、説明の便宜上および簡潔にするために、上記に説明されたシステム、装置およびユニットの具体的な作業プロセスは、上記の方法の実施例における対応するプロセスを参照することができることを明確に理解することができ、ここでは繰り返して説明しない。
【０６７５】
本願で提供されたいくつかの実施例において、開示されたシステム、装置および方法は、他の方法を通じて実現され得ることを理解されたい。例えば、上記で説明された装置の実施例は例示的なものに過ぎず、例えば、当該ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、電気的、機械的または他の形態の一部のインターフェース、装置またはユニットを介した間接的な結合または通信接続であり得る。
【０６７６】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際のニーズにしたがって、その中のユニットの一部または全部を選択して本実施例の技術案の目的を実現することができる。
【０６７７】
また、本願の各実施例における各機能ユニットを１つの処理ユニットに統合してもよく、各ユニットを別々に１つのユニットとして使用してもよいし、２つ以上のユニットを１つのユニットに統合してもよい。
【０６７８】
前記機能は、ソフトウェア機能ユニットの形で実現され、スタンドアロン製品として販売または使用される場合、コンピュータ読み取り可能な記憶媒体に記憶されることができる。このような理解に基づいて、本願の技術的解決策は、本質的にまたは先行技術に対して寄与する部分または当該技術的解決策の一部は、ソフトウェア製品の形で具現されることができ、当該コンピュータソフトウェア製品は、１つの記憶媒体に記憶され、１台のコンピュータ機器（パーソナルコンピュータ、サーバ、またはネットワーク機器等であり得る）に本願の各実施例に記載の方法の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスク等のプログラムコードを記憶することができる様々な媒体を含む。
【０６７９】
上記した内容は、本願の具体的な実施形態に過ぎないが、本願の保護範囲はこれに限定されず、当業者は、本願に開示された技術的範囲内で容易に想到し得る変更または置換は、すべて本願の保護範囲内に含まれるべきである。したがって、本願の保護範囲は、特許請求の範囲の保護範囲に従うものとする。
【図１】
2021529490.tif 000058
【図２】
2021529490.tif 000059
【図３】
2021529490.tif 000060
【図４（ａ）】
2021529490.tif 000061
【図４（ｂ）】
2021529490.tif 000062
【図５（ａ）】
2021529490.tif 000063
【図５（ｂ）】
2021529490.tif 000064
【図６（ａ）】
2021529490.tif 000065
【図６（ｂ）】
2021529490.tif 000066
【図６（ｃ）】
2021529490.tif 000067
【図７（ａ）】
2021529490.tif 000068
【図７（ｂ）】
2021529490.tif 000069
【図８（ａ）】
2021529490.tif 000070
【図８（ｂ）】
2021529490.tif 000071
【図８（ｃ）】
2021529490.tif 000072
【図９】
2021529490.tif 000073
【図１０】
2021529490.tif 000074
【図１１】
2021529490.tif 000075
【国際調査報告】
2021529490.tif 000076
2021529490.tif 000077
2021529490.tif 000078
2021529490.tif 000079